(57)【要約】  本発明は、有害な電磁波を照射する少なくとも１つの波源、及びカウンタ電磁波によりその有害波を抗するためにそのカウンタ電磁波を放出する少なくとも１つのカウンタユニットを含む電磁カウンタリングシステムに関するものである。さらに詳細に、本発明は、電磁カウンタリングシステムの汎用のカウンタユニット、及びそのカウンタユニットにより、例えば、そのカウンタユニットの構成と波源の構成をマッチング、有害波の形状とかかるカウンタ波の形状をマッチング等を行うことにより、その有害波を抗する多様なメカニズムに関するものである。また、本発明は、かかるソースマッチング又は波マッチングによりカウンタ波で有害波をカウンタリングする多様な方法、及びカウンタユニットのみならず、カウンタ波を提供する多様な方法に関するものである。また、本発明は、かかるシステム、そのシステムのかかるカウンタユニット等を提供する多様なプロセスに関するものである。本発明は、単独で用いられるか、又はかかるカウンタユニットと共に用いられて、そのシステムからの有害波の照射を最小化する多様な電気的及び／又は磁気的シールドに関するものである。【選択図】図１ａ【特許請求の範囲】
【請求項１】
ターゲット空間で有害な電磁波を消去すること及び前記有害な電磁波が前記ターゲット空間へ伝播することを抑制することのうちの少なくとも一方により、照射された前記有害な電磁波を抗することを可能にする電磁カウンタリングシステムであって、
前記有害な電磁波は、約１ｋＨｚ未満の周波数を有し、前記ターゲット空間は当該システムと当該システムの使用者との間として規定され、
前記システムは、
少なくとも１つの基本ユニットを含むように構成された少なくとも１つの波源であって、前記基本ユニットは、前記基本ユニットにより前記有害な電磁波を照射すること及び前記基本ユニットを通じた前記有害な電磁波の伝播経路に影響を与えることのうちの少なくとも一方の原因となる前記波源の部分のみを含むように構成され、前記基本ユニットは、前記基本ユニット内に電流が流れる場合及び前記基本ユニットの両端に電圧が印加される場合のうちの少なくとも一方の場合に前記有害な電磁波を照射するように構成される、少なくとも１つの波源と、
前記基本ユニットの構成と類似した構成を規定するように構成されるとともに、前記有害な電磁波の位相角と少なくとも部分的に反対である位相角を規定するカウンタ電磁波を放出する方式で電流及び電圧の少なくとも１つの供給を受けるように構成された少なくとも１つのカウンタユニットであって、前記カウンタ電磁波を、前記構成により、波特性が前記有害な電磁波の波特性とマッチングさせて、前記ターゲット空間で前記波特性及び前記位相角により前記有害な電磁波を抗するように構成される、少なくとも１つのカウンタユニットとを備える、電磁カウンタリングシステム。
【請求項２】
前記波源は、静電型スピーカー、コーンドライブスピーカー、及び圧電スピーカーのうちの１つのスピーカーであり、
前記静電型スピーカーの前記基本ユニットは、少なくとも１つの振動可能な振動板、及び前記振動板の反対側に配置される少なくとも２つの電気グリッドであり、
前記コーンドライブスピーカーの前記基本ユニットは、少なくとも１つの音声コイル及び前記音声コイルに磁気結合される少なくとも１つの永久磁石であり、
前記圧電スピーカーの前記基本ユニットは、少なくとも１つの圧電板及び前記圧電板の反対側に結合される少なくとも２つの電極を有する、請求項１に記載の電磁カウンタリングシステム。
【請求項３】
前記システムは、有線電話機、無線電話機、イヤホン、ヘッドホン、及び前記スピーカーのうちの少なくとも１つと少なくとも１つのマイクロホンとを有するアセンブリーのうちの１つである、請求項２に記載の電磁カウンタリングシステム。
【請求項４】
前記波源は、ＤＣモータ、ユニバーサルモータ、ＡＣ同期型モータ、ＡＣ誘導型モータ、及び線型モータのうちの１つのモータであり、前記モータのそれぞれは少なくとも１つの回転子及び固定子を有し、
前記ＤＣモータの前記基本ユニットは、前記ＤＣモータの固定子の少なくとも１つの永久磁石及び前記ＤＣモータの回転子の少なくとも１つの電磁石を含み、前記ユニバーサルモータの前記基本ユニットは、前記ユニバーサルモータの固定子のための少なくとも１つの電磁石及び前記ユニバーサルモータの回転子のための少なくとも１つの電磁石を含み、前記ＡＣ同期型モータの前記基本ユニットは、前記ＡＣ同期型モータの固定子のための少なくとも１つの電磁石及び前記ＡＣ同期型モータの回転子のための少なくとも１つの永久磁石を含み、前記ＡＣ誘導型モータの前記基本ユニットは、前記ＡＣ誘導型モータの固定子のための少なくとも１つの電磁石及び前記ＡＣ誘導型モータの回転子のための少なくとも１つの導電体を含み、前記線型モータの前記基本ユニットは、前記線型モータの固定子のための少なくとも１つの電磁石及び前記線型モータの回転子のための少なくとも１つの永久磁石を含む、請求項１に記載の電磁カウンタリングシステム。
【請求項５】
前記システムは、ヘアドライヤー、電気歯ブラシ、電気剃刀、食器洗い機、洗濯機、乾燥機、マイクロ波オーブン、真空掃除機、缶切り、及び電気モータ化された道具の１つである、請求項４に記載の電磁カウンタリングシステム
【請求項６】
前記波源は加熱エレメントであり、
前記波源の前記基本ユニットは直線型抵抗性ワイヤ及びコイル型抵抗性ワイヤの少なくとも１つである、請求項１に記載の電磁カウンタリングシステム。
【請求項７】
前記システムは、ヘアドライヤー、ヘアカーラー、ヘアセット機、熱ガン、電気毛布、電気マットレス、電気加熱パッド、電気グリル、電気オーブン、電気レンジ、及び電気トースターオーブンのうちの１つである、請求項６に記載の電磁カウンタリングシステム。
【請求項８】
前記構成は、形状、サイズ、及び配列の少なくとも１つであるように構成され、
前記カウンタユニットは、それぞれ、前記基本ユニットの前記形状、サイズ、及び配列の少なくとも１つと類似した、前記形状、サイズ、及び配列の少なくとも１つを規定するように構成される、請求項１に記載の電磁カウンタリングシステム。
【請求項９】
前記カウンタユニットは、前記基本ユニットの前記構成を単純化させた類似物として構成される、請求項１に記載の電磁カウンタリングシステム。
【請求項１０】
前記カウンタユニットは、前記基本ユニットの前記構成についての詳細事項（ｄｅｔａｉｌ）を提供する類似物を規定するように構成される、請求項１に記載の電磁カウンタリングシステム。
【請求項１１】
前記システムは、複数の前記カウンタユニットを含むように構成され、
前記複数のカウンタユニットの少なくとも２つのカウンタユニットは、前記基本ユニットの前記構成と類似に規定される配列で配置されるように構成される、請求項１に記載の電磁カウンタリングシステム。
【請求項１２】
前記カウンタユニットは、前記基本ユニットと前記ターゲット空間の間に配置され、前記消去及び抑制の少なくとも１つのために前記有害な電磁波の振幅より小さい振幅を規定した前記カウンタ電磁波を放出するように構成される、請求項１に記載の電磁カウンタリングシステム。
【請求項１３】
前記有害な電磁波は前記基本ユニットの周辺に複数の波面（ｗａｖｅｆｒｏｎｔ）を規定し、
前記カウンタユニットは、前記基本ユニットの長さより大きいように構成される長さに沿った前記波面の少なくとも１つの波面に沿って延長されるように構成される、請求項１２に記載の電磁カウンタリングシステム。
【請求項１４】
前記カウンタユニットは、前記基本ユニットに関して前記ターゲット空間の反対側に配置され、前記消去及び抑制の少なくとも１つのために前記有害な電磁波の振幅より大きい振幅を規定する前記カウンタ電磁波を放出するように構成される、請求項１に記載の電磁カウンタリングシステム。
【請求項１５】
前記カウンタユニットは前記基本ユニットの長さより小さいように構成された長さに沿って延長されるように構成される、請求項１４に記載の電磁カウンタリングシステム。
【請求項１６】
ターゲット空間で有害な電磁波を消去すること及び前記有害な電磁波が前記ターゲット空間へ伝播することを抑制することの少なくとも１つにより、照射された前記有害な電磁波を抗することができるようにするシステムであって、
前記有害な電磁波は約１ｋＨｚ未満の周波数を有し、前記ターゲット空間は前記システムと前記システムの使用者との間に規定され、
前記システムは、
少なくとも１つの基本ユニットを含むように構成された少なくとも１つの波源であって、前記基本ユニットは、前記基本ユニットによる前記有害な電磁波を照射すること及び前記基本ユニットを通じた前記有害な電磁波の伝播経路に影響を与えることの少なくとも１つの原因となる前記波源の部分のみを含むように構成され、前記基本ユニットは、前記基本ユニット内に電流が流れる場合及び前記基本ユニットの両端に電圧が印加される場合の少なくとも１つの場合に前記有害な電磁波を照射するように構成される、前記少なくとも１つの波源と、
前記基本ユニットの構成と異なる構成を規定し、予め設定された配列で含まれ、前記有害な電磁波の位相角と少なくとも部分的に反対である位相角を規定するカウンタ電磁波を放出する方式で電流及び電圧の少なくとも１つの供給を受けるように構成された少なくとも１つのカウンタユニットであって、前記カウンタ電磁波は、前記配列により、波特性が前記有害な電磁波の波特性とマッチングされ、従って、前記ターゲット空間で前記波特性及び前記位相角により前記有害な電磁波を抗するように構成される、前記少なくとも１つのカウンタユニットとを備える、電磁カウンタリングシステム。
【請求項１７】
ターゲット空間で有害な電磁波を消去すること及び前記有害な電磁波が前記ターゲット空間へ伝播することを抑制することの少なくとも１つにより、照射された前記有害な電磁波を抗することができるようにするシステムであって、
前記有害な電磁波は約１ｋＨｚ未満の周波数を有し、前記ターゲット空間は前記システムと前記システムの使用者との間に規定され、
前記システムは、
少なくとも１つの基本ユニットを含むように構成された少なくとも１つの波源であって、前記基本ユニットは、前記基本ユニットにより前記有害な電磁波を照射すること及び前記基本ユニットを通じた前記有害な電磁波の伝播経路に影響を与えることの少なくとも１つの原因となる前記波源の部分のみを含むように構成され、前記基本ユニットは、前記基本ユニット内に電流が流れる場合及び前記基本ユニットの両端に電圧が印加される場合の少なくとも１つの場合に前記有害な電磁波を照射するように構成され、前記有害な電磁波は、前記基本ユニットの周辺に複数の波面を規定しつつ前記ターゲット空間に向けて伝播するように構成される、前記少なくとも１つの波源と、
前記波面の少なくとも１つの波面に沿って規定された配列で配置され、前記有害な電磁波の位相角と少なくとも部分的に反対である位相角を有するカウンタ電磁波を放出する方式で電流及び電圧の少なくとも１つの供給を受けるように構成された少なくとも１つのカウンタユニットであって、前記カウンタ電磁波は、前記配列により前記カウンタユニットの周辺にまた他の複数の波面を規定しつつ前記ターゲット空間へ伝播し、従って、前記ターゲット空間で前記配列及び前記位相角により前記有害な電磁波を抗するように構成される、前記少なくとも１つのカウンタユニットとを備える、電磁カウンタリングシステム。
【請求項１８】
前記基本ユニットより前記ターゲット空間にさらに近接するように配置される場合、前記カウンタユニットが前記基本ユニットの長さより大きい長さに沿って延長するように構成され、前記基本ユニットより前記ターゲット空間からさらに離隔して配置される場合、前記カウンタユニットが前記基本ユニットの長さより小さい他の長さに沿って延長するように構成されるように、前記カウンタユニットは前記基本ユニット及び前記ターゲット空間の少なくとも１つから予め設定された距離に含まれる、請求項１７に記載の電磁カウンタリングシステム。
【請求項１９】
前記システムは複数の前記カウンタユニットを有するように構成され、
前記複数のカウンタユニットの少なくとも２つのカウンタユニットは、前記消去及び前記抑制の少なくとも１つのために前記配列で配置されるように構成される、請求項１７に記載の電磁カウンタリングシステム。
【請求項２０】
前記システムは複数の前記カウンタユニットを有するように構成され、
前記波面のそれぞれは曲率半径を規定するように構成され、前記カウンタユニットの少なくとも２つのカウンタユニットは、前記カウンタユニットの少なくとも２つのカウンタユニットが前記カウンタ電磁波の曲率半径を増加させるために同一の位相角を有するカウンタ電磁波を放出し、前記カウンタユニットの少なくとも２つのカウンタユニットが前記カウンタ電磁波の曲率半径を減少させるために少なくとも部分的に反対である位相角を有するカウンタ電磁波を放出する方式で、前記カウンタ電磁波の前記位相角を操作するように構成される、請求項１７に記載の電磁カウンタリングシステム。
【発明の詳細な説明】
【技術分野】
【０００１】
本発明は、有害な電磁波を照射する少なくとも１つの波源（ｗａｖｅ ｓｏｕｒｃｅ）及びカウンタ電磁波によりその有害波を抗するためにそのカウンタ電磁波を放出する少なくとも１つのカウンタユニットを含む電磁カウンタリングシステムに関するものである。さらに詳細に、本発明は、電磁カウンタリングシステムの汎用のカウンタユニット、及びそのカウンタユニットにより、例えば、そのカウンタユニットの構成と波源の構成とのマッチング、有害波の形状とかかるカウンタ波の形状とのマッチング等を行うことにより、その有害波を抗する多様なメカニズムに関するものである。また、本発明は、そのようなソースマッチング又は波マッチングによりカウンタ波で有害波を抗する多様な方法、及びカウンタ波のみならず、カウンタユニットを提供する多様な方法に関するものである。また、本発明は、かかるシステム、そのシステムのかかるカウンタユニット等を提供する多様なプロセスに関するものである。本発明は、単独で用いられるか、又はかかるカウンタユニットと共に用いられて、そのシステムからの有害波の照射を最小化することもできる多様な電気的及び／又は磁気的シールドに関するものである。
【背景技術】
【０００２】
現在、多様なデバイスにより照射された可変周波数を有する電磁波が人の健康に有害だということは科学界でよく立証されている。一部のケースでは、メガヘルツ及びギガヘルツ範囲の電磁波が主要な原因（ｃｕｌｐｒｉｔ）であるが、他のケースでは、６０ヘルツの電磁波が健康の主要な懸念ともなりうる。数千キロメートルの波長を有する６０ヘルツ電磁波の磁波から遮蔽することが難しく、そのような６０ヘルツの磁波が現在文明の任意の箇所で遍在することは明らかである。
【０００３】
しかし、通常、電磁波の強度は、この電磁波のソースからターゲットまでの距離の二乗に反比例して減少する。従って、電磁波からの潜在的な悪影響は、かかるソースから安全な距離を維持することにより最小化することができる。しかし、ヘアドライヤー、ヘアカーラー（ｃｕｒｌｅｒ）、電気マットレス又は毛布、加熱パッド（ｈｅａｔｉｎｇ ｐａｄ）、イヤホン、ヘッドホン、携帯電話、電気剃刀、電気歯ブラシ等の電気デバイスは、使用者が非常に近接して利用するようになっている。しかし、全ての従来のデバイスは、そのような潜在的な危険に対する改善策を提供することができなかった。
【発明の概要】
【発明が解決しようとする課題】
【０００４】
多様な従来のデバイスに含まれることができ、且つデバイスからの有害な電磁波の照射を最小化するために、そのデバイスを電磁カウンタリングシステムに変換できるようにする汎用のカウンタユニットに対して、緊急の要求が存在する。また、異なる形状及び／又はサイズの多様な波源により照射された有害波を抗するために、可能なソリューションを提供する必要がある。また、有害波を抗するために、波面の多様な特性等を規定し、他の可能なソリューションを提供する必要がある。
【課題を解決するための手段】
【０００５】
本発明は、有害な電磁波を照射する少なくとも１つの波源、及び、その有害波を抗するカウンタ波を放出する少なくとも１つのカウンタユニットを含む電磁カウンタリングシステムに関するものであり、前記カウンタユニットは、例えば、カウンタ電磁波により有害波の少なくとも一部を消去し、その有害な電磁波がターゲット空間へ伝播することを抑制する等により、有害波を抗するようにする。より詳細に、本発明は、その電磁カウンタリングシステムの汎用のカウンタユニット、及びその波源の多様な基本ユニットから照射された有害波をカウンタユニットにより抗するようにする多様なメカニズムに関するものである。従って、そのカウンタユニットは、その構成が波源の基本ユニットの構成とマッチングするように、形成、サイズ決定及び／又は配列されることができ、それにより、かかる有害波の特性に自動的にマッチングするカウンタ波を放出する。別の方法として、カウンタユニットは、１つ以上の有害波の波面に沿って規定された配列で、形成、サイズ決定及び／又は配置されることができ、それにより、その有害波の特性に自動的にマッチングするカウンタ波を放出する。また、本発明は、波源の基本ユニットの類似物（ａｎａｌｏｇ）として提供される多様なカウンタユニットに関するものであり、その類似物はカウンタユニットより複雑な基本ユニットに近似し、また、三次元又は二次元の基本ユニットは、二次元又は一次元の類似物等として近似されることもできる。また、本発明は、基本ユニットよりさらに簡単であるが、その基本ユニットの形状及び／又は配列に近似する配列に配置された多数の簡単な多数のカウンタユニットに関するものである。また、本発明は、基本ユニットの構成及び配置により形成及び／又はサイズ決定されることができるカウンタユニットに関するものである。また、本発明は、多様なカウンタリングモードに関するものであり、そのカウンタリングモードにおいて、単一のカウンタユニットは、単一の基本ユニット、多数の基本ユニットの全ての基本ユニットではない少なくとも２つの基本ユニット、又は全ての多数の基本ユニットを抗することができ、多数のカウンタユニットは、単一の基本ユニット、より多くの基本ユニット又はより少ない多数のユニット等を抗することができる。本発明は、システムからの有害波の照射を最小化するために、単独で又はカウンタユニットと共に用いられることができる、多様な電気的及び／又は磁気的シールドに関するものである。
【０００６】
また、本発明は、ソースマッチング又は波マッチングにより、カウンタ波により有害波を抗する多様な方法に関するものである。より詳細に、本発明は、基本ユニットの類似物としてカウンタユニットを形成し、その後、かかる有害波にマッチングするカウンタ波を放出する多様な方法、カウンタリングのために、より簡単なカウンタユニットによって基本ユニットに近似する多様な方法、及び多数のより簡単なカウンタユニットによって基本ユニットに近似する多様な方法に関するものである。また、本発明は、有害波の波面に沿ってカウンタユニットを配置し、その後、その有害波のかかる波面に自動的にマッチングするためにカウンタ波を放出する多様な方法、その有害波の波面に沿って多数のカウンタユニットを配置し、その後、その波面に自動的にマッチングするためにカウンタユニットによりカウンタ波を放出する多様な方法等に関するものである。また、本発明は、基本ユニットに関してターゲット空間にさらに近接するように及び／又はそのターゲット空間から離隔するように、カウンタユニットを配置することにより、カウンタ波の波面を操作する多様な方法、同一又は反対の位相角のカウンタ波を放出する１つ又は多数のカウンタユニットを含むことにより、カウンタ波の波面の曲率の半径を制御する多様な方法、基本ユニットの形状と類似又は異なる形状を規定する１つ又は多数のカウンタユニットを配置することにより、カウンタ波の波面を調整する多様な方法等に関するものである。また、本発明は、単一又は多数のカウンタユニットにより放出されたカウンタ波で、１つ又は多数の基本ユニットからの有害波を抗する多様な方法に関するものである。従って、本発明は、１つ以上の基本ユニットにより照射された有害波に対して、単一のカウンタユニットからカウンタ波を放出する多様な方法、単一又は多数の基本ユニットにより照射された有害波に対して、２つ以上のカウンタユニットによりカウンタ波を放出する多様な方法等に関するものである。また、本発明は、電気的シールドを含み、磁気的シールドを含み、前記カウンタユニットと共に前記シールドの何れ又は両者を含む等により、有害波の照射を最小化する多様な方法に関するものである。
【０００７】
また、本発明は、多様なカウンタユニット、及びその内に１つ又は多数のカウンタユニットを含む多様なシステムを提供する多様なプロセスに関するものである。さらに詳細に、本発明は、カウンタユニットの形状と類似した（又は異なる）波面を有するカウンタ波を放出するためにカウンタユニットを形成する多様なプロセス、基本ユニットの前記類似物としてカウンタユニットを形成する多様なプロセス、類似又は反対の位相角を規定するかかるカウンタ波を放出するカウンタユニットを提供する多様なプロセス、有害波と類似に形成された波面をかかるカウンタユニットに提供する多様なプロセス、予め設定された配列にカウンタユニットを配置し、その配列と類似した波面を有するカウンタ波をそのカウンタユニットから放出する多様なプロセス等に関するものである。また、本発明は、ローカルカウンタリングのために単一の基本ユニットにより照射された有害波を抗するように、又はグローバル（ｇｌｏｂａｌ）カウンタリングのために多数の基本ユニットからの有害波を抗するように、単一のカウンタユニットを割り当てる多様なプロセス、及びグローバルカウンタリングのために単一の基本ユニットにより照射された有害波を抗するように、又はカウンタユニット及び基本ユニットの数に依存してローカル又はグローバルカウンタリングのために多数の基本ユニットからの有害波を抗するように、多数のカウンタユニットを割り当てる多様なプロセスに関するものである。また、本発明は、有害波の照射を最小化するための電気的及び／又は磁気的シールドを含む多様なプロセス、及び前記カウンタユニットのみならず、そのようなシールドを利用することにより、かかる有害波の照射を最小化する多様なプロセスに関するものである。
【０００８】
従って、本発明の主な目的は、かかるカウンタ波で有害波を抗することにより、少なくとも１つの波源の少なくとも１つの基本ユニットからの有害波の照射を最小化することのできる（以下、「ＥＭＣ」と略称する）電磁カウンタリング（以下、「ＥＭＣ」システム又は単に「システム」と略称する）システムを提供することである。従って、本発明の関連目的は、カウンタ波により有害波の少なくとも一部を消去することにより、及び／又はカウンタ波により予め設定された方向に有害波が伝播することを抑制することにより、その有害波を抗することのできるＥＭＣシステムを提供することである。本発明のまた別の関連目的は、ＥＭＣシステムの基本ユニットの周辺の全てではなく、システムの一側面上でのみ規定されたターゲット空間（又は領域）のみにおいて、カウンタ波により有害波を抗するようにすることである。一般的に、そのようなターゲット空間は、システムの使用者又は使用者の特定の身体部位と基本ユニットとの間に規定される。本発明のまた別の関連目的は、ターゲット空間へ伝播される際に、カウンタ波が有害波を消去及び／又は抑制するために、その有害波の位相角と少なくとも部分的に反対である位相角を規定するようにそのカウンタ波を配列することである。本発明のまた別の関連目的は、基本ユニットの反対側からかかるターゲット空間へ伝播される際に、カウンタ波が有害波を消去及び／又は抑制するために、その有害波の位相角と少なくとも部分的に類似した位相角を規定するようにかかるカウンタ波を配列することである。本発明のまた別の関連目的は、異なるカウンタユニットからのカウンタ波がターゲット空間で有害波を抗するようにカウンタ波の位相角を操作しつつ、ターゲット空間に関して基本ユニットの同一側又は反対側からカウンタ波を放出することである。
【０００９】
本発明のまた別の目的は、かかるカウンタ波を放出することのできる少なくとも１つのカウンタユニットをかかるＥＭＣシステムに提供することである。従って、本発明の関連目的は、カウンタユニットから放出されたカウンタ波が基本ユニットから照射された有害波にマッチングするように、カウンタユニットの少なくとも１つの特性又は構成（例えば、形状、サイズ、配列等をそれぞれ意味する）を基本ユニットの特性又は構成とマッチングさせることである。本発明のまた別の関連目的は、カウンタユニットにより放出されたカウンタ波が基本ユニットによる有害波にマッチングするように、単一の基本ユニットの形状を規定する単一のカウンタユニットの形状にマッチングすることである。本発明のまた別の関連目的は、カウンタユニットから放出されたカウンタ波が、多数の基本ユニットにより照射された有害波の合算にマッチングするように、多数の基本ユニットの配列と単一のカウンタユニットの形状をマッチングすることである。本発明のまた別の関連目的は、多数のカウンタユニットから放出されたかかるカウンタ波の合算が、基本ユニットによる有害波にマッチングするように、単一の基本ユニットの形状にマッチングする配列で多数のカウンタユニットを配置させることである。本発明のまた別の関連目的は、多数のカウンタユニットにより放出されたカウンタ波の合算が、多数の基本ユニットによる有害波のまた他の合算にマッチングするように、多数の基本ユニットのまた他の配列にマッチングする配列に多数のカウンタユニットを配列させることである。本発明のまた別の関連目的は、電気的に導電性材料、半導電性材料、及び／又は絶縁材料の最小量を使用し、カウンタユニットの総嵩又はサイズを最小化し、かかるカウンタユニットの総質量を最小化する等を行いつつ、かかるカウンタユニットを提供することである。本発明のまた別の関連目的は、最小の電気エネルギーを使用し、基本ユニット又はＥＭＣシステムの他の部分から最小量の電流又は電圧を引き出す等を行いつつ、カウンタユニットによりカウンタ波を放出することである。
【００１０】
本発明のまた別の目的は、少なくとも１つの基本ユニットの形状にマッチングする少なくとも１つのカウンタユニットをその内に含むＥＭＣシステムを提供することである。従って、本発明の関連目的は、三次元の基本ユニットの一次元、二次元、又は三次元の類似物としてカウンタユニットを形成し、単一又は多数の類似物により単一又は多数の基本ユニットを抗するようにすることである。本発明のまた別の関連目的は、三次元の基本ユニットの一次元又は二次元の類似物としてカウンタユニットを提供し、単一又は多数の類似物により単一又は多数の基本ユニットを抗するようにすることである。本発明のまた別の関連目的は、二次元の基本ユニットの一次元又は二次元の類似物としてカウンタユニットを提供し、その後、単一又は多数の類似物で単一又は多数の基本ユニットを抗するようにすることである。本発明のまた別の関連目的は、二次元の基本ユニットの一次元の類似物としてカウンタユニットを形成し、単一又は多数の類似物により単一又は多数の基本ユニットを抗するようにすることである。本発明のまた別の関連目的は、一次元の基本ユニットの一次元の類似物としてカウンタユニットを提供し、単一又は多数の類似物を使用して単一又は多数の基本ユニットを抗するようにすることである。本発明のまた別の関連目的は、一次元、二次元及び／又は三次元の基本ユニットの一次元、二次元及び／又は三次元の類似物としてかかるカウンタユニットを提供し、その後、混合された次元のカウンタユニットにより混合された次元の基本ユニットを抗するようにすることである。このような目的から、かかるカウンタユニットは、基本ユニットにより照射された有害波にマッチングすることのできるカウンタ波を放出する。本発明のまた別の関連目的は、カウンタユニットにより放出されたカウンタ波とかかる有害波をマッチングさせるために、基本ユニットの形状に一致するそのカウンタユニットを形成することである。本発明のまた別の関連目的は、基本ユニットの形状に一致しないが、カウンタユニットにより放出されたかかるカウンタ波により有害波にマッチングするための配列で配置されるそのカウンタユニットを形成することである。本発明のまた別の関連目的は、基本ユニットの形状にマッチングさせて有害波にマッチングするカウンタ波を放出させるために、１つ又は多数のワイヤ、ストリップ、シート、チューブ、コイル、螺旋、メッシュ（ｍｅｓｈ）、それらの混合物、それらの結合物、及び／又はそれらのアレイの形状にカウンタユニットを形成することである。本発明のまた別の関連目的は、前記カウンタユニットにより放出されたカウンタ波の少なくとも一部の波面を有害波の少なくとも一部の波面にマッチングさせるために、基本ユニットからの予め設定された距離内に前記カウンタユニット中の任意のユニットを配置させることである。本発明のまた別の関連目的は、カウンタ波の少なくとも一部の波面を有害波の少なくとも一部とマッチングさせるために、基本ユニットに関して予め設定された配列で前記カウンタユニット中の任意のユニットを配置させることである。
【００１１】
本発明のまた別の目的は、少なくとも１つのカウンタユニットにより放出されたカウンタ波と基本ユニットにより照射された有害波をマッチングさせるために、基本ユニットのサイズに動作的にマッチングするサイズを有する少なくとも１つのカウンタユニットをその内に含むＥＭＣシステムを提供することである。従って、本発明の関連目的は、基本ユニットよりさらに大きく、さらに広く及び／又はさらに長いカウンタユニットを提供することであり、ここで、かかるカウンタユニットは、かかるマッチングのために、ターゲット空間とその基本ユニットとの間に配置されることが好ましい（以下、「前面配列」と指称する）。本発明のまた別の関連目的は、基本ユニットのサイズ、幅、及び／又は長さと類似した（又は同一の）サイズ、幅、及び／又は長さを規定するカウンタユニットを形成することであり、ここで、そのカウンタユニットは、マッチングのために、ターゲット空間に関して基本ユニットに対して側面に又は並んで配置されることが好ましい（以下、「側面配列」と指称する）。本発明のまた別の関連目的は、基本ユニットよりさらに小さく、さらに狭小で及び／又はさらに短いカウンタユニットを形成することであり、ここで、そのカウンタユニットは、マッチングのために、基本ユニットに関してターゲット空間の反対側上に配置されることが好ましい（以下、「後面配列」と指称する）。本発明のまた別の関連目的は、かかるマッチングのために、基本ユニットによりカウンタユニットの少なくとも一部を取り囲むか、別の方法として、カウンタユニットにより基本ユニットの少なくとも一部を取り囲むことである（以下、「同心配列（ｃｏｎｃｅｎｔｒｉｃ ａｒｒａｎｇｅｍｅｎｔ）」と指称する）。本発明のまた別の関連目的は、かかるマッチングのために、単一の基本ユニットに関してかかる前面、側面、後面又は同心配列で多数のカウンタユニットを配置させることである。本発明のまた別の関連目的は、かかるマッチングのために、多数の基本ユニットに関して前面、側面、後面又は同心配列で配置された単一又は多数のカウンタユニットを形成することである。本発明のまた別の関連目的は、多数のカウンタユニットを規定することであり、かかるマッチングのために、その多数のカウンタユニットの全ては、全ての多数の基本ユニットに関してかかる前面、側面、後面及び同心配列のうちの１つの配列のみで配置されるか、又はかかる多数のカウンタユニットの少なくとも２つのカウンタユニットは、多数の基本ユニットの少なくとも２つの基本ユニットに関して異なる（又は混合された）配列で配置される。
【００１２】
本発明のまた別の目的は、基本ユニットの配置にマッチングする配置（例えば、配向、整列、及び距離）で少なくとも１つのカウンタユニットを含むＥＭＣシステムを提供することである。従って、本発明の関連目的は、かかるマッチングのために、有害波の伝播方向、電流が基本ユニットに流れるまた他の方向、電圧が基本ユニットにわたって印加されたまた他の方向、基本ユニットの縦軸方向、及び／又は基本ユニットの短軸方向にカウンタユニットを配向させることである。本発明のまた別の関連目的は、多数のカウンタユニットを形成することであり、かかるマッチングのために、その多数のカウンタユニットの全ては同一の方向又は軸のうちの１つの方向又は軸に配向され、その多数のカウンタユニットの少なくとも２つのカウンタユニットは、異なる方向及び／又は軸に沿って配向され、その多数のカウンタユニットの全ては異なる方向又は軸に配向される。本発明のまた別の関連目的は、マッチングのために、カウンタユニットにより放出されたカウンタ波が基本ユニットにより照射された有害波と軸方向に整列するように、基本ユニットに関してカウンタユニットを軸方向に整列させることである（以下、「軸整列」と指称する）。本発明のまた別の関連目的は、かかるマッチングのために、基本ユニットと共にカウンタユニットを軸方向に誤整列させるが（以下、「オフ軸整列（ｏｆｆ−ａｘｉｓ ａｌｉｇｎｍｅｎｔ）」と指称する）、予め設定された配列でカウンタユニットを配置させることである。本発明のまた別の関連目的は、かかるマッチングのために、単一の基本ユニットに関して軸整列又はオフ軸整列で配置された多数のカウンタユニットを提供することである。本発明のまた別の関連目的は、かかるマッチングのために、多数の基本ユニットに関して軸整列又はオフ軸整列で配置された単一又は多数のカウンタユニットを提供することである。本発明のまた別の関連目的は、多数のカウンタユニットを規定することであり、マッチングのために、かかる多数のカウンタユニットの全ては、全ての多数の基本ユニットに関して軸整列又はオフ軸整列で配置されるか、又はかかる多数のカウンタユニットの少なくとも２つのカウンタユニットは多数の基本ユニットの少なくとも２つの基本ユニットに関して異なる（又は混合された）整列で配置される。本発明のまた別の関連目的は、マッチングのために、カウンタユニットからのカウンタ波の少なくとも一部の波面が基本ユニットからの有害波の少なくとも一部の波面にマッチングするように、基本ユニットからの予め設定された距離にカウンタユニットを配置させることである。本発明のまた別の関連目的は、かかるマッチングのために、多数の基本ユニットのそれぞれ（又は少なくとも２つ）からの予め設定された距離に単一のカウンタユニットを配置させることである。本発明のまた別の関連目的は、マッチングのために、単一の基本ユニットからの予め設定された距離に、又は別の方法として、多数の基本ユニットのそれぞれ（又は少なくとも２つ）からの予め設定された距離に、多数のカウンタユニットを配置させることである。
【００１３】
本発明のまた別の目的は、有害波の振幅にマッチングする振幅を有するカウンタ波を放出する少なくとも１つのカウンタユニットをその内に含むＥＭＣシステムを提供することである。従って、本発明の関連目的は、有害波の振幅よりさらに大きい振幅を有するカウンタ波を放出するカウンタユニットを提供することであり、ここで、このようなカウンタユニットは、かかるマッチングのために、基本ユニットと比べてターゲット空間から離隔して、又は後面配列で配置されることが好ましい。本発明のまた別の関連目的は、有害波の振幅と類似した（又は同一の）振幅を有するカウンタ波を放出するカウンタユニットを形成することであり、ここで、かかるカウンタユニットは、マッチングのために、ターゲット空間に関して基本ユニットと共に並んで又は側面配列で配置されることが好ましい。本発明のまた別の関連目的は、有害波の振幅より小さい振幅を有するカウンタ波を放出するカウンタユニットを形成することであり、ここで、このようなカウンタユニットは、マッチングのために、基本ユニットよりターゲット空間にさらに近接するように又は前面配列で配置されることが好ましい。本発明のまた別の関連目的は、カウンタ波を放出する多数のカウンタユニットを提供することであり、そのカウンタ波の合算は、単一の基本ユニットの振幅、多数の基本ユニットの全ての振幅、多数のカウンタユニットの全てではないが少なくとも２つのカウンタユニットの振幅等よりさらに大きいか、類似するか、又はさらに小さい振幅を規定することもできる。
【００１４】
本発明のまた別の目的は、有害波の少なくとも一部にマッチングするカウンタ波を放出し、それによりその有害波を抗することのできる少なくとも１つのカウンタユニットを含むかかるＥＭＣシステムを提供することである。従って、本発明の関連目的は、ターゲット空間で有害波の波面の少なくとも１つの波面にマッチングする多数の波面を規定するかかるカウンタ波を放出するカウンタユニットを提供することである。本発明のまた別の関連目的は、有害波の波面の少なくとも１つの波面の少なくとも一部に沿ってカウンタユニットを配置させ、その有害波の波面のかかる一部にマッチングするカウンタ波を放出することである。本発明のまた別の関連目的は、有害波の波面の少なくとも１つの波面の少なくとも一部に沿って多数のカウンタユニットを配置させ、カウンタ波を放出することであり、そのカウンタ波の合算は、その有害波の波面のかかる一部にマッチングする。本発明のまた別の関連目的は、有害波のかかる波面の少なくとも２つにわたってカウンタユニットを配置するが、その有害波の波面の少なくとも１つの波面の少なくとも一部にマッチングすることのできるカウンタ波を放出することである。本発明のまた別の関連目的は、少なくとも２つのカウンタユニットが有害波の波面の少なくとも２つの波面にわたって配置される多数のカウンタユニットを提供するが、その有害波の波面の一部にマッチングすることのできるカウンタ波を放出することである。本発明のまた別の関連目的は、有害波の少なくとも一部の曲率半径にマッチングする曲率半径を有するカウンタ波を放出するために、かかるカウンタユニットを形成及びサイズ決定することである。本発明のまた別の関連目的は、カウンタユニットにより放出されたカウンタ波が、有害波の少なくとも一部の曲率半径にマッチングする曲率半径を規定する基本ユニットからの予め設定された距離又は予め設定された位置にカウンタユニットを配置させることである。本発明のまた別の関連目的は、カウンタ波の合算が、単一の基本ユニット又は多数の基本ユニットにより照射された有害波にマッチングする曲率半径を規定するかかるカウンタ波を放出する多数のカウンタユニットを形成及びサイズ決定することである。本発明のまた別の関連目的は、１つ又は多数のワイヤ、ストリップ、シート、チューブ、コイル、螺旋、メッシュ、それらの混合物、それらの結合物、及び／又はそれらのアレイの形状でカウンタユニットを提供し、基本ユニットからの有害波の少なくとも１つの波面の少なくとも一部にマッチングすることのできるカウンタ波を放出することである。本発明のまた別の関連目的は、マッチングのために、カウンタユニットにわたって任意の開口部又はホール（ｈｏｌｅ）を形成せず、立体的形状（ｓｏｌｉｄ ｓｈａｐｅ）にそのカウンタユニットを製造することである。本発明のまた別の関連目的は、かかるマッチングのためにカウンタユニットにわたって多数のホール又は開口部を規定するアレイとしてそのカウンタユニットを製造することである。
【００１５】
本発明のまた別の目的は、カウンタ波を放出して、基本ユニットから照射された有害波をローカルに抗する少なくとも１つのカウンタユニットをその内に含むＥＭＣシステムを提供することである。従って、本発明の関連目的は、単一のカウンタユニットにより放出されたカウンタ波により単一の基本ユニットからの有害波をローカルに抗するその単一のカウンタユニットを提供することである。本発明のまた別の関連目的は、多数のカウンタユニットを提供することであり、その多数のカウンタユニットのそれぞれは、多数のカウンタユニットのそれぞれから放出されたカウンタ波で同一の数（又はより少ない数）の基本ユニットのうちの１つの基本ユニットのみからの有害波をローカルに抗するようにする。本発明のまた別の関連目的は、かかるローカルカウンタリングのために、単一の基本ユニット（又は多数の基本ユニット）の特性と類似した（又は同一の）特性（又は構成）を規定する単一のカウンタユニット（又は多数のカウンタユニット）を提供することである。本発明のまた別の関連目的は、かかるローカルカウンタリングのために、単一の基本ユニット（又は多数の基本ユニット）から照射された有害波の波面の少なくとも１つの波面にマッチングした波面を規定するカウンタ波を放出する単一のカウンタユニット（又は多数のカウンタユニット）を提供することである。本発明のまた別の関連目的は、多数のカウンタユニットを提供することであり、その多数のカウンタユニットの少なくとも１つのカウンタユニットは、基本ユニットの特性と類似した（又は同一の）特性（又は構成）を規定し、その多数のカウンタユニットの少なくともまた他のカウンタユニットは、かかるローカルカウンタリングのために、基本ユニットからの有害波の波面の少なくとも１つにマッチングした波面を規定する。
【００１６】
本発明のまた別の目的は、カウンタ波を放出して、基本ユニットから照射された有害波をグローバルに抗する少なくとも１つのカウンタユニットをその内に含むＥＭＣシステムを提供することである。従って、本発明の関連目的は、それぞれが１つ又はさらに少ない数の基本ユニットから照射された有害波をグローバルにマッチングするためにカウンタ波を放出する１つ又は多数のカウンタユニットを形成することである。本発明のまた別の関連目的は、単一のカウンタユニットにより放出されたカウンタ波により、多数の基本ユニットにより照射された有害波の合算をグローバルに抗するその単一のカウンタユニットを提供することである。本発明のまた別の関連目的は、多数のカウンタユニットを形成することであり、その多数のカウンタユニットのそれぞれは、多数のカウンタユニットのそれぞれにより放出されたカウンタ波により少なくとも２つの基本ユニットにより照射された有害波をグローバルに抗するようにする。本発明のまた別の関連目的は、グローバルカウンタリングのために、少なくとも２つの（又はさらに大きい数の）基本ユニットの特性と類似した（又は同一の）特性（又は構成）を規定する単一のカウンタユニット（又は多数のカウンタユニット）を規定することである。本発明のまた別の関連目的は、グローバルカウンタリングのために、少なくとも２つの（又はさらに大きい数の）基本ユニットから照射された有害波の波面の少なくとも１つの波面にマッチングする波面を規定したカウンタ波を放出する単一のカウンタユニット（又は多数のカウンタユニット）を提供することである。本発明のまた別の関連目的は、多数のカウンタユニットを提供することであり、かかるローカルカウンタリングのために、その多数のカウンタユニットの少なくとも１つのカウンタユニットは、少なくとも２つの基本ユニットの特性と類似した（又は同一の）特性（又は構成）を規定し、その多数のカウンタユニットの少なくともまた他のカウンタユニットは、少なくとも２つの他の基本ユニットにより照射された有害波の少なくとも１つの波面にマッチングする波面を規定する。
【００１７】
本発明のまた別の目的は、基本ユニット及び／又はターゲット空間に関して規定された予め設定された位置又は場所に配置された少なくとも１つのカウンタユニットをその内に含むＥＭＣシステムを提供することである。従って、本発明の関連目的は、基本ユニットの外部表面上に（又は上方に）カウンタユニットを配置させ、基本ユニットの内部表面上に（又は下方に）カウンタユニットを配置させ、基本ユニット内にカウンタユニットの少なくとも一部を挿入すること等である。本発明のまた別の関連目的は、ケース部材（ｃａｓｅ ｍｅｍｂｅｒ）をそのシステムに提供し、そのケース部材の外部表面上に（又は上方に）カウンタユニットを配置させ、そのケース部材の内部表面上に（又は下方に）かかるカウンタユニットを配置させ、そのケース部材内にカウンタユニットの少なくとも一部を挿入し、そのケース部材と基本ユニットとの間にカウンタユニットを配置させること等である。本発明のまた別の関連目的は、例えば、ケース部材を通じてカウンタユニットの少なくとも一部（又は全部）を露出させること、ケース部材内にカウンタユニットの全部分を取り囲むこと等のように、ケース部材と予め設定された関係でカウンタユニットを配置させることである。
【００１８】
本発明のまた別の目的は、予め設定された方向に沿って伝播するカウンタ波を放出する少なくとも１つのカウンタユニットをその内に含むＥＭＣシステムを提供することである。従って、本発明の関連目的は、例えば、有害波に関する予め設定された角で、有害波と平行、有害波と垂直等のように、その有害波の伝播方向と予め設定された関係に基づいて規定された方向に沿ってカウンタ波が伝播するために、基本ユニットに関して固定された方向にカウンタ波を常に放出するようにカウンタユニットを配列させることである。本発明のまた別の関連目的は、有害波の伝播方向に関して可変方向にカウンタ波を放出するようにカウンタユニットを配列させることであり、ここで、かかるカウンタユニットは、かかるカウンタ波の方向を変更させるために可変方向に沿ってそのカウンタユニットの配列及び／又は配向を変更させ、及び／又は電流及び／又は電圧を受信するように配列される。本発明のまた別の関連目的は、有害波の可変伝播方向により適応的に決定される方向にカウンタ波を放出するようにカウンタユニットを配列させることであり、ここで、かかるカウンタユニットは、上述したように、カウンタ波の方向を変更させることもできる。従って、かかるカウンタユニットは、それの配列及び／又は配向に基づいてカウンタリングの範囲を変更させることもできる。本発明のまた別の関連目的は、上述の予め設定された関係に基づいてかかる有害波の伝播方向とカウンタ波の伝播方向を同期化させることである。本発明のまた別の関連目的は、カウンタ波の方向を操作するメカニズムと類似した多様なメカニズムでそのカウンタ波の振幅を操作するようにカウンタユニットを配列させることである。
【００１９】
本発明のまた別の目的は、前記カウンタユニットの少なくとも１つのカウンタユニットをＥＭＣシステムに提供し、そのカウンタユニットにより放出されたかかるカウンタ波によりかかる有害波を抗するために、そのカウンタユニットに電流又は電圧を供給することである。従って、本発明の関連目的は、前記基本ユニット又は多数の基本ユニットの少なくとも１つの基本ユニットに供給される電流又は電圧をカウンタユニットに提供することである。本発明のまた別の関連目的は、かかる基本ユニット又は多数の基本ユニットの少なくとも１つの基本ユニットに供給される電流又は電圧の全部分ではなく、少なくとも一部をカウンタユニットに提供することである。本発明のまた別の関連目的は、カウンタユニットに供給される前に振幅及び／又は方向が変更される電流又は電圧のかかる一部をカウンタユニットに提供することである。このような全ての例において、カウンタユニットに供給された電流又は電圧は、基本ユニット又は多数の基本ユニットの少なくとも１つに供給されたかかる電流又は電圧と自動的に同期化される。本発明のまた別の関連目的は、基本ユニット又は多数の基本ユニットの少なくとも１つの基本ユニットに供給される電流又は電圧ではなく、かかる基本ユニットに供給された電流又は電圧と少なくとも部分的に同期化される電流又は電圧をカウンタユニットに供給することである。本発明のまた別の関連目的は、カウンタユニットの構成及び／又は配置に依存して電流又は電圧の振幅又は方向を操作することである。本発明のまた別の関連目的は、並列に、直列に又はハイブリッドモードに基本ユニットとカウンタユニットを電気的にカップリングさせることである。本発明のまた別の関連目的は、例えば、先に基本ユニットその後カウンタユニット、先にカウンタユニットその後カウンタユニット、先に多数のカウンタユニットのうちの１つのカウンタユニットその後残りのカウンタユニット又は基本ユニット、先に多数の基本ユニットのうちの１つの基本ユニットその後残りの基本ユニット又はカウンタユニット、同時にカウンタユニット及び基本ユニット等のような多様なシーケンスに基づいて、かかる電流又は電圧を供給することである。
【００２０】
カウンタユニットがシステムの他の意図された動作に悪影響を与えないように配列されることが好ましいということは、このような全ての目的において理解される。例えば、ＥＭＣスピーカーシステムのカウンタユニットは、そのシステムのサウンド生成基本ユニットにより照射された有害波を効果的に抗することができるが、そのユニットにより生成されたアコースティックサウンドの品質に悪影響を与えることはない。また別の例において、ＥＭＣアクチュエーターシステムのカウンタユニットは、そのシステムの電動基本ユニットにより照射されたかかる有害波を効果的に抗することもできるが、そのユニットにより生成された起電力の振幅に悪影響を与えることはない。また別の例において、ＥＭＣ加熱システムのカウンタユニットは、そのシステムの加熱基本ユニットにより照射された有害波を効果的に抗することもできるが、そのユニットにより生成された熱エネルギーの量に悪影響を与えることはない。また別の例において、ＥＭＣトランスフォーマーシステムのカウンタユニットは、そのシステムの変圧コイルにより照射された有害波を効果的に抗することもできるが、そのコイルにより得られた電圧レベルに悪影響を与えることはない。また、カウンタユニットがカウンタリングのために、有害波の位相角に少なくとも部分的に反対である位相角を規定するカウンタ波を放出するように配列されることが好ましいが、ターゲット空間に関して基本ユニットの反対側に配置されるか、又はシステムが多数のカウンタユニットを含む場合、カウンタユニットが有害波の位相角と少なくとも部分的に類似した位相角を規定するカウンタ波を放出することもできるということが認識でき、そのカウンタ波の波面の曲率半径を変更させることが好ましい。また、有害波を最大に抗するために、現在係留中の出願に開示された電気的及び／又は磁気的シールドが単独で又は前記カウンタユニットと結合して前記ＥＭＣシステム中の任意のシステムに含まれることもできると理解されたい。
【００２１】
本発明の汎用の電磁カウンタリングシステムのカウンタユニットの基本原理は、有害波の波面と類似した（又は同一の）波面を形成するが、かかる有害波の位相角とは少なくとも部分的に反対である位相角を規定するカウンタ波を放出するものである。従って、ターゲット空間へかかるカウンタ波を伝播することにより、カウンタ波は、例えば、ターゲット空間へのかかる有害波の少なくとも一部を消去することにより、及び／又はその有害波がターゲット空間へ伝播することを抑制することにより、そのターゲット空間で有害波を効果的に抗することができる。このような目的のために、カウンタユニットは、多様なメカニズムにより有害波の波面にマッチングする波面を規定したカウンタ波を放出するように配列される。一例において、かかるカウンタユニットは波源の基本ユニットと類似に（又は同一に）形成されるか、又はかかる基本ユニットに類似に（又は同一に）配列されるため、ターゲット空間で有害波を抗することのできるカウンタ波を放出する。また別の例において、かかるカウンタユニットは有害波の波面のうちの１つ以上の波面に沿って配置され、その有害波と類似した（又は同一の）カウンタ波を放出するため、ターゲット空間で有害波を抗するようにする。このような２つの例において、カウンタユニットはかかるカウンタユニット自体の形状と類似した（又は同一の）波面を有するカウンタ波を放出し、かかるカウンタ波は有害波の位相角と少なくとも部分的に反対である位相角を規定する。また別の例において、カウンタユニットは基本ユニットとは異なる形状で形成されるが、その代わりに、そのカウンタユニットから放出されたカウンタ波が、ターゲット空間内の有害波にマッチングする配列で配置される。また別の例において、カウンタユニットは有害波の異なる波面にわたって配置されるが、その有害波と類似した（又は同一の）カウンタ波を放出し、ターゲット空間でその有害波を抗するようにする。最後の２つの例において、カウンタ波が有害波の位相角とは少なくとも部分的に反対である位相角を規定しつつ、カウンタユニットは、そのカウンタユニット自体の形状と類似（又は同一）又は類似（又は同一）しない波面を有するそのカウンタ波を放出するように配列されてもよい。
【００２２】
本発明の汎用の電磁カウンタリングシステムのカウンタユニットの基本原理を、多様な従来技術のデバイスからの有害波の照射を最小化するために、その多様な従来技術のデバイスに具現することもできる。例えば、ターゲット空間で有害波の少なくとも一部を消去及び／又はその有害波がターゲット空間に向けて伝播することを抑制するなどのように、カウンタ波によりかかる有害波を抗することによって、その有害波の照射を最小化するために、カウンタユニットを、電気的に導電性ワイヤ、コイル、及び／又はシートの中の任意の基本ユニットに、又は別の方法で、任意の電気的に半導電性及び／又は絶縁性ワイヤ、コイル、及び／又はシートに具現することもでき、ここで、そのカウンタユニットを、少なくとも１つの電気的に導電性、絶縁性又は半導電性材料で構成うることもでき、及び／又はその材料を含むこともできる。カウンタユニットを、１つ又は多数のワイヤ、コイル及び／又はシートを含むことにより、及び１つ又は多数のワイヤ、コイル、及び／又はシートの形状を変形することにより形成される形状を規定する任意基本ユニットに具現することもでき、ここで、変形された形状のいくつかの例は、それぞれコイルの形状を変形することにより形成されるソレノイド及びトロイド（ｔｏｒｏｉｄ）を含む。従って、一例において、かかるカウンタユニットを、有害波の照射を最小化するために、コーンドライブ（ｃｏｎｅ−ｄｒｉｖｅ）スピーカー、静電型スピーカー、及び圧電スピーカーのような多様なスピーカーに具現することもできる。従って、イヤホン、ヘッドホン、有線電話機、携帯電話機、及び視聴覚デバイスのような、電磁カウンタリングスピーカーを含む任意の従来技術のデバイスを、電磁カウンタリングシステムに変換することができる。同様に、カウンタユニットを、かかるスピーカーのインバースの例である多様なマイクロホン、及び有線電話機、携帯電話機、オーディオ及び／又は視聴覚サウンドシステムのようなかかる電磁カウンタリングマイクロホンを含む任意の従来技術のデバイスに具現することもでき、イヤホン及びマイクロホンのアセンブリーを電磁カウンタリングシステムに変換することもできる。また別の例において、かかるカウンタユニットを、かかる有害波の照射を最小化するために、ＤＣモータ、ユニバーサルモータ、ＡＣ同期型モータ、ＡＣ誘導型モータ、線型モータ等のような多様なモータに具現することもできる。従って、厨房機器（例えば、フードプロセッサー、ミキサー、ジューサー（ｊｕｉｃｅｒ）、粉砕機、混合機、圧搾機、缶切り、食器洗い機、冷蔵庫、冷凍機、クーラー等）、調理機器（例えば、電気グリル、電気オーブン、電気ストーブ、電気レンジ、電気トースター、それらのための電気ファン等）、家電機器（例えば、洗濯機、乾燥機、エアコン、ガレージオープナー、乾式又は湿式の真空掃除機等）、道具（例えば、電気ドリル、電気鋸、電気スクリュードライバ、電気釘又はステープルガン、電気サンダー（ｓａｎｄｅｒ）等）、及び個人用衛生デバイス（例えば、電気剃刀、電気歯ブラシ、電気ヘアドライヤー等）のような電磁カウンタリングモータを含む任意の従来技術のアクチュエーターデバイスは、電磁カウンタリングシステムに変換されることもできる。同様に、カウンタユニットを多様な発電機に具現することができ、ＡＣ発電機、ＤＣ発電機、及び（自動車の）交流発電機（ａｌｔｅｒｎａｔｏｒ）のような電磁カウンタリング発電機を有する任意の従来の発生デバイスを、電磁カウンタリングシステムに変換することもできる。別の例において、かかるカウンタユニットを、少なくとも２つのコイルをその内に含む多様なトランスフォーマーに具現することもでき、ステップアップトランスフォーマー、ステップダウントランスフォーマー及び多様な電気デバイスのＡＣ／ＤＣアダプターのような電磁カウンタリングトランスフォーマーを含む任意の従来技術のデバイスを、電磁カウンタリングシステムに変換することもできる。また別の例において、かかるカウンタユニットを、加熱の間に有害波の照射を最小とするために、少なくとも１つの抵抗性加熱ワイヤ、加熱ストリップ、加熱シート、及び／又は加熱コイルを含む多様な加熱ユニットに具現することもできる。従って、個人用加熱機器（例えば、電気マットレス又はマット、電気毛布、電気加熱パッド等）、調理機器（例えば、電気グリル、電気オーブン、電気ストーブ、電気レンジ、電気トースター、電気トーストオーブン等）、及び／又は美容関連機器（例えば、ヘアドライヤー、ヘアセット機、ヘアカーラー、ヘアスチーマー等）のような任意の従来技術の加熱デバイスを、電磁カウンタリングシステムに変換することもできる。また別の例において、かかるカウンタユニットを、照明の間にかかる有害波の照射を最小化するために多様な発光ユニットに具現することもできる。従って、陰極線チューブ、発光デバイス、有機発光デバイス、無機発光デバイス、及びプラズマディスプレイパネルのような任意の従来技術のディスプレイデバイスを、電磁カウンタリングシステムに変換することもできる。
【００２３】
それぞれが少なくとも１つの基本ユニットを含むこともでき、従って、約５０Ｈｚ乃至６０Ｈｚの周波数を有する電波（以下、「ＥＷ」と略称する）及び電磁波（以下、「ＭＷ」と略称する）及び／又はさらに高い周波数のＥＷ及びＭＷを含む有害波を照射する任意の電気及び／又は電子デバイスに、本発明の汎用のＥＭＣシステムの多様なカウンタユニットが含まれることができると理解されたい。また、以前に提供され、かつ以後に提供される少なくとも１つの基本ユニットの詳細な例を含む任意の携帯用又は固定電気及び／又は電子デバイスに、本発明の汎用のＥＭＣシステムも含まれることができると理解されたい。また、かかるカウンタユニットがミクロンスケールで提供され、ＬＳＩ及びＶＬＳＩデバイスのような半導体チップ及び回路に含まれることもでき、かかるカウンタユニットがナノスケールで提供され、この場合、単一の分子又は化合物であるか、又は多数の分子又は化合物のクラスタである少なくとも１つの基本ユニットを含む多様なナノデバイスに含まれることもできると理解されたい。
【００２４】
次に、汎用の電磁カウンタリングシステムの多様なシステム、方法、及び／又はプロセスの様態及びその様態の多様な実施形態が列挙される。しかし、本発明の次のシステム、方法、及び／又はプロセスの様態が、多くの他の異なる形態で具現されることもでき、従って、ここに開示されるかかる様態及び／又は実施形態に制限されてはならないということが理解できる。その代わりに、後述する多様な例示的な様態及び実施形態は、このような開示が徹底的でかつ完全であり、本発明の範囲を当業者に十分に伝達し得るように提供される。
【００２５】
本発明の一様態において、例示的なシステムは、ターゲット空間で有害波を消去し及び／又はその有害波がターゲット空間に向けて伝播することを抑制することにより、少なくとも１つの波源の基本ユニットから照射された有害な電磁波を抗するために提供されることもでき、ここで、かかる基本ユニットは、その有害波を照射し、それを通じた有害波の経路に影響を与える原因となる波源の一部のみを含み、そのターゲット空間はそのシステムと使用者との間で規定される。
【００２６】
本発明のこのような様態の一つの例示的な実施形態において、システムは、基本ユニットと同一の（又は類似した）形状を規定し、その後、カウンタ電磁波を放出するように配列された少なくとも１つのカウンタユニットを含むこともでき、ここで、かかるカウンタ波は有害波の位相角と少なくとも部分的に反対である位相角を規定し、その形状により有害波の波特性と少なくとも部分的に類似した波特性を規定し、従って、ターゲット空間で反対の位相角によりかかる有害波を抗するように配列される。かかるカウンタ波は、以下「第１タイプのカウンタ波」又は「第１のカウンタ波」と指称する。
【００２７】
本発明のこのような様態のまた別の例示的な実施形態において、システムは、基本ユニットの一次元（又は１Ｄ）、二次元（又は２Ｄ）、又は三次元（又は３Ｄ）の類似物の形状を有し、第１のカウンタ電磁波を放出するように配列された単一のカウンタユニットを含む。別の方法として、かかる単一のカウンタユニットは、多数の基本ユニットの少なくとも２つの基本ユニットの１Ｄ（又は２Ｄ、３Ｄ）の類似物の形状を規定し、第１のカウンタ電磁波を放出するように配列されることもできる。
【００２８】
本発明のこのような様態のまた別の例示的な実施形態において、システムは、多数のカウンタユニットを含むこともでき、その多数のカウンタユニットの少なくとも２つのカウンタユニットは、基本ユニットの１Ｄ（又は２Ｄ、３Ｄ）の類似物の形状を規定し、カウンタ電磁波を放出するように配列され、そのカウンタ電磁波は、有害波の位相角と少なくとも部分的に反対である位相角を規定し、その形状により有害波の波特性と少なくとも部分的に類似した波特性を規定し、従って、ターゲット空間でかかる反対の位相角によりその有害波を抗するように配列される。別の方法として、かかる多数のユニットの少なくとも２つのユニットは、多数の基本ユニットの少なくとも２つの基本ユニットの１Ｄ（又は２Ｄ、３Ｄ）の形状を規定し、このようなパラグラフで上述されたカウンタ電磁波を放出するように代わりに配列されることもできる。
【００２９】
本発明のまた別の様態において、例示的なシステムは、基本ユニットの形状及び／又は配列をそのシステムの少なくとも１つの部分のまた他の形状及び／又は配列とマッチングすることにより、及びターゲット空間で有害な電磁波を消去し及び／又はその波がターゲット空間へ伝播することを抑制することにより少なくとも１つの波源の基本ユニットから照射されたその波を抗するように提供されることもでき、ここで、その基本ユニットは、かかる有害波を照射し、それを通じたその波の経路に影響を与える原因となる波源の一部のみを含むように配列され、そのターゲット空間はそのシステムと使用者との間で規定される。
【００３０】
本発明のこのような様態の一つの例示的な実施形態において、システムは、基本ユニットの形状と類似した（又は同一の）（又はその形状に一致する）形状を有し、第１のカウンタ電磁波を放出するように配列された少なくとも１つのカウンタユニットを含む。
【００３１】
本発明のこのような様態のまた別の例示的な実施形態において、システムは、かかる基本ユニットの形状とは異なる（又はその形状に一致しない）形状を有し、その基本ユニットに関して予め設定された配列に存在し、カウンタ電磁波を放出するように配列された少なくとも１つのカウンタユニットを含むこともでき、そのカウンタ電磁波は、かかる有害波の位相角と少なくとも部分的に反対である位相角を規定し、その配列により有害波の波特性と少なくとも部分的に類似した波特性を有し、従って、その反対の位相角によりターゲット空間でかかる有害波を抗するように配列される。かかるカウンタ波は、以下、「第２タイプのカウンタ波」又は「第２のカウンタ波」と指称する。
【００３２】
本発明のこのような様態のまた別の例示的な実施形態において、システムは、多様な配列で提供されるが、前記第１のカウンタ波を放出する少なくとも１つのカウンタユニットを含む。一例において、カウンタユニットは１Ｄ、２Ｄ又は３Ｄの基本ユニットの１Ｄの類似物の形状を規定し、第１のカウンタ波を放出するように配列される。また別の例において、カウンタユニットは、多数の１Ｄ、２Ｄ又は３Ｄの基本ユニットの少なくとも１つの１Ｄの類似物の形状を規定し、かかる第１のカウンタ波を放出するように配列される。また別の例において、カウンタユニットは、１Ｄ、２Ｄ又は３Ｄの基本ユニットの２Ｄの類似物の形状を規定し、前記第１のカウンタ波を放出するように配列される。また別の例において、カウンタユニットは、多数の１Ｄ、２Ｄ又は３Ｄの基本ユニットの少なくとも１つの２Ｄの類似物の形状を有し、第１のカウンタ波を放出するように配列される。また別の例において、カウンタユニットは、１Ｄ、２Ｄ又は３Ｄの基本ユニットの３Ｄの類似物の形状を規定し、第１のカウンタ波を放出するように配列される。また別の例において、かかるカウンタユニットは、多数の１Ｄ、２Ｄ又は３Ｄの基本ユニットの少なくとも１つの３Ｄの類似物の形状を有し、第１のカウンタ波を放出するように配列される。
【００３３】
本発明のこのような様態のまた別の例示的な実施形態において、システムは、多様な配列で提供されることもできる。一例において、かかるシステムは、基本ユニットの形状にマッチングする形状を規定し、第１のカウンタ波をまた放出するように配列された少なくとも１つのカウンタユニットを含む。また別の例において、システムは、多数の基本ユニットの形状にマッチングする形状を規定し、その後、第１のカウンタ波を放出するように配列された少なくとも１つのカウンタユニットを含む。また別の例において、システムは、基本ユニットの形状にマッチングする全体形状を形成し、第１のカウンタ波を放出するように配列された多数のカウンタユニットをまた有することもできる。また別の例において、システムは、多数の基本ユニットのまた他の全体形状にマッチングする全体形状を形成し、第１のカウンタ波を放出するように配列された多数のカウンタユニットを有することもできる。
【００３４】
本発明のこのような様態のまた別の例示的な実施形態において、システムは、多様な配列で提供されることもできる。一例において、かかるシステムは、基本ユニットとターゲット空間との間に配置され、基本ユニットの幅よりさらに長い幅を有し、その後、カウンタ電磁波を放出するように配列された少なくとも１つのカウンタユニットを含むこともでき、そのカウンタ電磁波は、有害波の位相角と少なくとも部分的に反対である位相角を規定し、その幅によりその有害波の波特性と少なくとも部分的に類似した波特性を有し、従って、その反対の位相角によりターゲット空間でその有害波を抗するように配列される。また別の例において、システムは、ターゲット空間と多数の基本ユニットとの間に含まれ、基本ユニットの幅により形成された輪郭線（ｃｏｎｔｏｕｒ）よりさらに長い幅を有し、その後、このパラグラフで上述されたカウンタ波を放出するように配列された少なくとも１つのカウンタユニットを有することもできる。また別の例において、システムは、基本ユニットとターゲット空間との間に配置され、基本ユニットの幅よりさらに大きい幅に沿って規定された配列で配置され、このパラグラフで上述されたかかるカウンタ波を放出するようにまた配列された多数のカウンタユニットを含む。また別の例において、システムは、ターゲット空間と多数の基本ユニットとの間に配置され、全ての基本ユニットにより規定された輪郭線よりさらに長い幅に沿って規定された配列で配置され、このパラグラフで上述されたカウンタ波を放出するように配列された多数のカウンタユニットを含む。また別の例において、システムは、基本ユニットに関してターゲット空間の反対側上に配置され、基本ユニットの幅よりさらに短い幅を規定し、このパラグラフで上述されたカウンタ波を放出するように配列された少なくとも１つのカウンタユニットを含む。また別の例において、システムは、多数の基本ユニットに関してターゲット空間の反対側上に配置され、基本ユニットにより形成された輪郭線よりさらに短い幅を有し、このパラグラフで上述されたカウンタ波を放出するように配列された少なくとも１つのカウンタユニットを含む。また別の例において、また他のシステムは、基本ユニットに関してターゲット空間の反対側上に配置され、基本ユニットの幅よりさらに短い幅に沿って規定された配列で配置され、このパラグラフで上述されたカウンタ波を放出するように配列された多数のカウンタユニットを有することもできる。また別の例において、かかるシステムは、基本ユニットに関してターゲット空間の反対側上に配置され、全ての基本ユニットにより形成された輪郭線よりさらに短い幅に沿って配列に配置され、このパラグラフで上述されたカウンタ波を放出するように配列された多数のカウンタユニットを代わりに有することもできる。
【００３５】
本発明のこのような様態のまた別の例示的な実施形態において、システムは、基本ユニットの形状に少なくとも１つのカウンタユニットの形状を一致させながら、ワイヤ、ストリップ、シート、チューブ、コイル、螺旋、メッシュ、それらの混合物、それらの結合物、及び／又はそれらのアレイの形状を規定し、第１のカウンタ波を放出するように配列されたその少なくとも１つのカウンタユニットを含む。別の方法として、かかるカウンタユニットは、多数の基本ユニットの全体形状にそのカウンタユニットの形状を一致させながら、ワイヤ、ストリップ、シート、チューブ、コイル、螺旋、メッシュ、それらの混合物、それらの結合物、及び／又はそれらのアレイの少なくとも１つの形状を規定し、第１のカウンタ波を放出するように配列されることもできる。
【００３６】
本発明のこのような様態のまた別の例示的な実施形態において、システムは、基本ユニットの形状と類似した（又は同一の）配列で配置され、第２のカウンタ波を放出するように配列された少なくとも１つのカウンタユニットを含む。
【００３７】
本発明のこのような様態のまた別の例示的な実施形態において、システムは、かかる基本ユニットの形状とは異なる配列で配置され、第２のカウンタ波を放出するように配列された少なくとも１つのカウンタユニットを含む。
【００３８】
本発明のこのような様態のまた別の例示的な実施形態において、システムは、かかる基本ユニットのサイズよりさらに大きいサイズを規定し、その基本ユニットとターゲット空間との間に配置され、その後、カウンタ電磁波を放出するように配列された少なくとも１つのカウンタユニットを含むこともでき、そのカウンタ電磁波は、かかる有害波の位相角と少なくとも部分的に反対である位相角を規定し、そのサイズに基づいてその有害波の波特性と少なくとも部分的に類似した波特性を有し、従って、反対である位相角によりターゲット空間でその有害波を抗するように配列される。他の方法として、かかるカウンタユニットは、基本ユニットのサイズよりさらに大きいサイズを規定し、その基本ユニットに関してターゲット空間の反対側上に配置され、このパラグラフで上述されたカウンタ波を放出するように配列されることもできる。
【００３９】
本発明のまた別の様態において、例示的なシステムは、そのシステムの少なくとも１つの部分の配置と基本ユニットの配置をマッチングすることにより、及びターゲット空間で有害波を消去し及び／又はその有害波がそのターゲット空間に向かうことを抑制することにより、少なくとも１つの波源の基本ユニットから照射された有害な電磁波を抗するために提供されることもでき、ここで、その基本ユニットは、その有害波を照射し、それを通じた有害波の経路に影響を与える原因となるその波源の一部のみを含み、そのターゲット空間はそのシステムと使用者との間に規定される。
【００４０】
本発明のこのような様態の一つの例示的な実施形態において、システムは、かかる有害波の伝播方向にマッチングし、基本ユニットに流れる電流方向にマッチングし、基本ユニットに印加された電圧方向にマッチングし、基本ユニットの縦軸に沿った方向にマッチングし、及び／又はその縦軸と垂直であるかかる基本ユニットの短軸方向にマッチングする整列で配置され、カウンタ電磁波を放出するように配列された少なくとも１つのカウンタユニットを含むこともでき、ここで、カウンタ波は、その有害波の位相角と少なくとも部分的に反対である位相角を規定し、その整列によりかかる有害波の波特性と少なくとも部分的に類似した波特性を有し、従って、その反対である位相角によりターゲット空間で有害波を抗するように配列される。
【００４１】
本発明のこのような様態のまた別の例示的な実施形態において、システムは、ターゲット空間と基本ユニットとの間の位置に配置され、有害波の振幅より小さい振幅を規定するカウンタ電磁波を放出するように配列された少なくとも１つのカウンタユニットを含む。また別の例において、カウンタユニットは、基本ユニットに関してターゲット空間の反対側上の位置に配置され、有害波の振幅より大きい振幅を規定するカウンタ電磁波を放出するように配列されることもできる。いずれの例においても、カウンタユニットは、有害波の位相角と少なくとも部分的に反対である位相角を規定し、その位置によりかかる有害波の波特性と少なくとも部分的に類似した波特性を有し、従って、その反対である位相角によりターゲット空間で有害波を抗するようにまた配列される。
【００４２】
本発明のこのような様態のまた別の例示的な実施形態において、システムは、基本ユニットの少なくとも一部（又は全体）を取り囲む配置に存在し、カウンタ電磁波を放出するように配列された少なくとも１つのカウンタユニットを含む。また別の例において、カウンタユニットは、基本ユニットの少なくとも一部（又は全部）により取り囲まれた配置に存在し、カウンタ電磁波を放出するように配列されることもできる。また別の例において、カウンタユニットは、基本ユニットに関して側面に（又は並んで）配置され、カウンタ電磁波を放出するように配列されることもできる。このような例のそれぞれにおいて、カウンタ電磁波は、有害波の位相角と少なくとも部分的に反対である位相角を規定し、その配置により有害波の波特性と少なくとも部分的に類似した波特性を有し、従って、その反対である位相角によりターゲット空間で有害波を抗するように配列される。
【００４３】
本発明のこのような様態のまた別の例示的な実施形態において、システムは、基本ユニットの少なくとも一部に関して対称である（又は非対称である）配置に存在し、その後、カウンタ電磁波を放出するように配列された少なくとも１つのカウンタユニットを含むこともでき、そのカウンタ電磁波は、有害波の位相角と少なくとも部分的に反対である位相角を有し、その配置により有害波の波特性と少なくとも部分的に類似した波特性を有し、従って、その反対である位相角によりターゲット空間で有害波を抗するように配列される。
【００４４】
本発明のこのような様態のまた別の例示的な実施形態において、システムは、基本ユニットに関する固定配置に存在し、カウンタ電磁波を放出するように配列された少なくとも１つのカウンタユニットを含むこともでき、そのカウンタ電磁波は、有害波の位相角と少なくとも部分的に反対である位相角を規定し、その固定配置により有害波の波特性と少なくとも部分的に類似した波特性を有し、従って、その反対である位相角によりターゲット空間で有害波を抗するように配列される。
【００４５】
本発明のこのような様態のまた別の例示的な実施形態において、システムは、基本ユニットに関する移動配置に存在し、その後、カウンタ電磁波を放出するように配列された少なくとも１つのカウンタユニットを含むこともでき、そのカウンタ電磁波は、有害波と少なくとも部分的に反対である位相角を規定し、かかる基本ユニットに関して移動しつつ、有害波の波特性と少なくとも部分的に類似した波特性を有し、従って、その反対である位相角によりターゲット空間で有害波を抗するように配列される。
【００４６】
本発明のまた別の様態において、例示的なシステムは、カウンタ電磁波の波面に沿ってかかるカウンタ波と有害波をマッチングさせることにより、及びターゲット空間で有害波を消去し及び／又はその有害波がターゲット空間に向けて伝播することを抑制することにより、少なくとも１つの波源の基本ユニットから照射された有害な電磁波をそのカウンタ電磁波で抗するために提供されることもでき、ここで、その基本ユニットは、その有害波を照射し、それを通じてその有害波の経路に影響を与える原因となる波源の一部のみを含むように配列されるが、そのターゲット空間はそのシステムと使用者との間に形成される。
【００４７】
本発明のこのような様態の一つの例示的な実施形態において、システムは、前記波面の少なくとも１つの波面に沿って（又はその波面に関して）予め設定された配列に基づいて配置され、カウンタ波を放出するように配列された少なくとも１つのカウンタユニットを含むこともでき、そのカウンタ波は、かかる有害波の位相角と少なくとも部分的に反対である位相角を有し、ターゲット空間でかかる配列により有害波の波面に少なくとも部分的にマッチングし、従って、ターゲット空間でその反対である位相角によりかかる有害波を抗するように配列される。かかるカウンタ波は、以下、「第３タイプのカウンタ波」又は単に「第３のカウンタ波」と指称する。
【００４８】
本発明のこのような様態のまた別の例示的な実施形態において、システムは、多様な配列で提供されることもできる。一例において、システムは、かかる波面の少なくとも１つの波面に沿って規定された前面配列で配置され、その後、有害波の振幅より小さい振幅を規定するカウンタ波を放出するように配列された単一のカウンタユニットを含むこともでき、ここで、そのカウンタユニットは基本ユニットとターゲット空間との間でその配列で配置される。また別の例において、かかるシステムは、それぞれ波面の少なくとも１つの波面に沿ってかかる前面配列で配置され、有害波の振幅より小さい振幅を規定するカウンタ波を放出するように配列された多数のカウンタユニットを含むこともでき、ここで、そのカウンタユニットは基本ユニットとターゲット空間との間でその配列で配置される。両例において、そのカウンタユニットは第３のカウンタ波を放出するように配列される。
【００４９】
本発明のこのような様態のまた別の例示的な実施形態において、システムは、多様な配列で提供されることもできる。一例において、システムは、後面配列で配置され、有害波の振幅より大きい振幅を規定するカウンタ波を放出するように配列された単一のカウンタユニットを含むこともでき、ここで、かかるカウンタユニットは基本ユニットに関してターゲット空間の反対側上にその配列で配置される。また別の例において、システムは、それぞれが後面配列で配置され、有害波の振幅より大きい振幅を規定するカウンタ波を放出するように配列された多数のカウンタユニットを含むこともでき、ここで、そのカウンタユニットは基本ユニットに関してターゲット空間の反対側上にその配列で配置されることもできる。両例において、そのカウンタユニットは第３のカウンタ波を放出するように配列される。
【００５０】
本発明のこのような様態のまた別の例示的な実施形態において、システムは、多様な配列で提供されることもできる。一例において、システムは、かかる波面のうちの１つの波面に沿って前面配列で配置され、有害波の振幅より小さい振幅を規定するカウンタ波を放出するように配列された単一のカウンタユニットを含むこともでき、ここで、その波面は多数の基本ユニットにより照射された有害波により規定され、そのカウンタユニットは基本ユニットとターゲット空間との間でかかる配列で配置される。また別の例において、システムは、それぞれが前記波面のうちの１つの波面に沿って前面配列で配置され、有害波の振幅より小さい振幅を規定するカウンタ波を放出するように配列された多数のカウンタユニットを含むこともでき、ここで、その波面は多数の基本ユニットにより照射された有害波により規定され、全てのカウンタユニットは基本ユニットとターゲット空間との間でかかる配列で配置される。両例において、そのカウンタユニットは第３のカウンタ波を放出するように配列される。
【００５１】
本発明のこのような様態のまた別の例示的な実施形態において、システムは、多様な配列で提供されることもできる。一例において、システムは、後面配列で配置され、その後、有害波の振幅より大きい振幅を有するカウンタ波を放出するように配列された単一のカウンタユニットを含むこともでき、ここで、かかる波面は多数の基本ユニットにより照射されたかかる有害波により規定され、かかるカウンタユニットは基本ユニットに関してターゲット空間の反対側上にかかる配列で配置される。また別の例において、システムは、後面配列で配置され、有害波の振幅より大きい振幅を規定するカウンタ波を放出するように配列された多数のカウンタユニットを含むこともでき、ここで、波面は多数の基本ユニットにより照射されたかかる有害波により形成され、そのカウンタユニットは基本ユニットに関してターゲット空間の反対側上にその配列で配置される。両例において、そのカウンタユニットは第３のカウンタ波を放出するように配列される。
【００５２】
本発明のまた別の様態において、例示的なシステムは、カウンタ電磁波により有害波の波面に沿ってその有害波にマッチングすることにより、及びそのカウンタ波によりターゲット空間で有害波を消去し及び／又は有害波がターゲット空間へ伝播することをそのカウンタ波で抑制することにより、少なくとも１つの波源の基本ユニットから照射された有害な電磁波をそのカウンタ電磁波で抗するために提供されることもでき、ここで、その基本ユニットはその有害波を照射し、それを通じてその有害波の経路に影響を与える原因となる波源の一部のみを含むように配列されるが、そのターゲット空間はそのシステムと使用者との間で規定される。
【００５３】
本発明のこのような様態の一つの例示的な実施形態において、かかるシステムは、多様な配列で提供されることもできる。一例において、かかるシステムは、カウンタ波を放出し、波面の少なくとも１つの波面に沿って規定される予め設定された配列で含まれるように配列された単一のカウンタユニットを含む。また別の例において、システムは、カウンタ波を放出し、多数の波源の多数の基本ユニットにより形成された波面の少なくとも１つの波面に沿って規定される予め設定された配列に含まれるように配列された単一のカウンタユニットを含む。また別の例において、システムは、カウンタ波を放出し、波面の少なくとも１つの波面に沿って規定される予め設定された配列で配置されるように配列された多数のカウンタユニットを含む。また別の例において、システムは、カウンタ波を放出し、多数の波源の多数の基本ユニットにより規定された波面の少なくとも１つの波面に沿って規定される予め設定された配列で配置されるように配列された多数のカウンタユニットを含む。このような全ての例において、そのカウンタユニットは第３のカウンタ波を放出するように配列される。
【００５４】
本発明のこのような様態のまた別の例示的な実施形態において、システムは、多様な配列で提供されることもできる。一例において、システムは、カウンタ波を放出し、配列に基づいてターゲット空間と基本ユニットとの間で配置されるように配列された単一のカウンタユニットを含むこともでき、順次に、その配列は、かかる波面の少なくとも１つの波面に沿って規定され、その基本ユニットよりさらに広いように配列される。また別の例において、かかるシステムは、それぞれがカウンタ波を放出し、基本ユニットとターゲット空間との間で配列で配置されるように配列された多数のカウンタユニットを含むこともでき、順次に、その配列は、波面の少なくとも１つの波面に沿って形成され、その基本ユニットよりさらに広いように配列される。両例において、かかるカウンタユニットは第３のカウンタ波を放出するように配列される。
【００５５】
本発明のこのような様態のまた別の例示的な実施形態において、システムは、多様な配列で提供されることもできる。一例において、システムは、カウンタ波を放出し、配列に基づいてターゲット空間と基本ユニットとの間に配置されるように配列された単一のカウンタユニットを含むこともでき、順次に、その配列は、かかる波面の少なくとも１つの波面に沿って規定され、その基本ユニットよりさらに狭小であるように配列される。また別の例において、システムは、それぞれがかかるカウンタ波を放出し、基本ユニットとターゲット空間との間で配列で配置されるように配列された多数のカウンタユニットを含むこともでき、順次に、その配列は、波面の少なくとも１つの波面に沿って規定されるように配列され、また、その基本ユニットよりさらに狭小であるように配列される。両例において、かかるカウンタユニットは第３のカウンタ波を放出するように配列される。
【００５６】
本発明のこのような様態のまた別の例示的な実施形態において、システムは、多様な配列で提供されることもできる。一例において、システムは、カウンタ波を放出し、配列に基づいて基本ユニットとターゲット空間との間に配置されるように配列された単一のカウンタユニットを含むこともでき、順次に、その配列は、波面の少なくとも１つの波面の配列と類似（又は同一、一致）するように配列される。また別の例において、システムは、かかるカウンタ波を放出し、基本ユニットに関してターゲット空間の反対側上に配列で配置されるように配列された単一のカウンタユニットを含むこともでき、その配列は波面の少なくとも１つの配列と類似（又は同一、一致）するように配列される。また別の例において、システムは、それぞれがかかるカウンタ波を放出し、基本ユニットとターゲット空間との間で配列で配置されるように配列された多数のカウンタユニットを含むこともでき、その配列は波面の少なくとも１つの波面と類似（又は同一、一致）するように配列される。また別の例において、システムは、それぞれがカウンタ波を放出し、基本ユニットに関してターゲット空間の反対側上に配列で配置されるように配列された多数のカウンタユニットを含むこともでき、その配列は波面の少なくとも１つの波面と類似（又は同一、一致）するように配列される。このような全ての例において、かかるカウンタユニットは第３のカウンタ波を放出するように配列される。
【００５７】
本発明のこのような様態のまた別の例示的な実施形態において、システムは、多様な配列で提供されることもできる。一例において、かかるシステムは、カウンタ波を放出し、波面の少なくとも１つの波面の形状と類似（又は同一、一致）しない形状を規定し、その波面の少なくとも１つの波面の配列と類似（又は同一、一致）しないように配列された配列に基づいて基本ユニットとターゲット空間との間に配置されるように配列された少なくとも１つのカウンタユニットを含む。また別の例において、システムは、かかるカウンタ波を放出し、波面の少なくとも１つの波面の形状と類似（又は同一、一致）しない形状を規定し、その波面の少なくとも１つの波面の配列と類似（又は同一、一致）しないように配列された配列で基本ユニットに関してターゲット空間の反対側上に配置されるように配列された少なくとも１つのカウンタユニットを含む。両例において、かかるカウンタ波は、有害波の位相角と少なくとも部分的に反対である位相角を有し、ターゲット空間でその形状によりかかる有害波の波面に少なくとも部分的にマッチングし、従って、ターゲット空間で反対である位相角により有害波を抗するように配列される。
【００５８】
本発明のこのような様態のまた別の例示的な実施形態において、システムは、多様な配列で提供されることもできる。一例において、かかるシステムは、カウンタ波を放出し、かかる波面の少なくとも一部（又は全部分）をその内で取り囲んだ配列で配置されるように配列された少なくとも１つのカウンタユニットを含む。また別の例において、システムは、カウンタ波を放出し、波面の少なくとも一部（又は全部分）により取り囲まれた配列で配置されるように配列された少なくとも１つのカウンタユニットを含む。また別の例において、システムは、カウンタ波を放出し、波面の少なくとも一部（又は全部分）に関して側面（又は並んだ）配列で配置されるように配列された少なくとも１つのカウンタユニットを含む。このような全ての例において、そのカウンタユニットは第３のカウンタ波を放出するように配列される。
【００５９】
本発明のこのような様態のまた別の例示的な実施形態において、システムは、多様な配列で提供されることもできる。一例において、かかるシステムは、ワイヤ、ストリップ、シート、チューブ、コイル、螺旋、メッシュ、これらの混合物、これらの結合物、及び／又はこれらのアレイを規定する配列で波面の少なくとも１つの波面に沿って配置され、基本ユニットとターゲット空間との間に配置される一方、カウンタ波を放出するように配列された少なくとも１つのカウンタユニットを含むこともできる。また別の例において、システムは、ワイヤ、ストリップ、シート、チューブ、コイル、螺旋、メッシュ、これらの混合物、これらの結合物、及び／又はこれらのアレイの配列で波面の少なくとも１つの波面に沿って配置され、基本ユニットに関してターゲット空間の反対側上に配置される一方、カウンタ波を放出するように配列された少なくとも１つのカウンタユニットを含む。両例において、カウンタユニットは第３のカウンタ波を放出するように配列される。
【００６０】
本発明のこのような様態のまた別の例示的な実施形態において、システムは、それぞれが基本ユニットに関してターゲット空間の遠端側（ｆａｒ ｓｉｄｅ）上に規定された配列で配置され、カウンタユニットにより個別的に放出されたカウンタ波の合算が個別的なカウンタ波の波面よりさらに大きい曲率半径を有する波面を規定するためにカウンタ波を放出するように配列された少なくとも２つのカウンタユニットを含む。その後、かかるカウンタユニットの少なくとも１つ又は両者は、第３のカウンタ波を放出するように配列されることもできる。
【００６１】
本発明のまた別の様態において、例示的なシステムは、カウンタ波により有害波の波面に沿ってその有害波にマッチングすることにより、及びカウンタ波によりターゲット空間で有害波を消去し及び／又はその有害波がターゲット空間へ伝播することをカウンタ波で抑制することにより、少なくとも１つの波源の基本ユニットから放出された有害な電磁波をカウンタ電磁波で抗するように提供されることもでき、ここで、その基本ユニットは、その有害波を放出し、それを通じて有害波の経路に影響を与える原因となる波源の一部のみを含むように配列されるが、そのターゲット空間はそのシステムと使用者との間に規定される。
【００６２】
本発明のこのような様態の一つの例示的な実施形態において、かかるシステムは、多様な配列で提供されることもできる。一例において、かかるシステムは、単一の基本ユニットの形状にマッチングする形状を規定し、かかるカウンタ波を放出するように配列されることもできる単一のカウンタユニットを含む。また別の例において、システムは、単一の基本ユニットの全体形状にマッチングする全体形状を規定し、カウンタ波を放出するように配列された多数のカウンタユニットを含む。両例において、そのカウンタ波は、有害波の位相角と少なくとも部分的に反対である位相角を規定し、ターゲット空間でその形状により有害波の波面に少なくとも部分的にマッチングし、従って、ターゲット空間でその反対である位相角により有害波を抗するように配列される。
【００６３】
本発明のこのような様態のまた別の例示的な実施形態において、システムは、多様な配列で提供されることもできる。一例において、システムは、全ての多数の基本ユニットではない、その基本ユニットの少なくとも１つの基本ユニットの全体形状及び／又は配列にマッチングする形状を規定し、カウンタ波を放出するように配列された単一のカウンタユニットを含む。また別の例において、システムは、全ての多数の基本ユニットの全体形状及び／又は全体配列にマッチングする形状を規定するように配列された単一のカウンタユニットを含む。また別の例において、システムは、全ての多数の基本ユニットではない、その基本ユニットの少なくとも１つの基本ユニットの全体形状及び／又は全体配列にマッチングする全体形状を規定し、カウンタ波を放出するように配列された多数のカウンタユニットを含む。また別の例において、システムは、全ての多数の基本ユニットの全体形状及び／又は配列にマッチングする全体形状を規定し、カウンタ波を放出するように配列された多数のカウンタユニットを含む。このような全ての例において、そのカウンタ波は、また、かかる有害波の位相角と少なくとも部分的に反対である位相角を有し、ターゲット空間でかかる形状及び／又は配列によりかかる有害波の波面に少なくとも部分的にマッチングし、従って、ターゲット空間でその反対である位相角により有害波を抗するように配列される。
【００６４】
本発明のこのような様態のまた別の例示的な実施形態において、システムは、多様な配列で提供されることもできる。一例において、システムは、予め設定された形状を規定し、予め設定された配列に基づいて単一の基本ユニットに関して配置され、カウンタ波を放出するように配列された単一のカウンタユニットを含むこともでき、ここで、その後、かかる形状及び／又は配列はかかる波面の少なくとも１つの波面にマッチングするように配列されることもできる。また別の例において、システムは、予め設定された全体形状を規定し、予め設定された配列で多数の基本ユニットに関して配置され、かかるカウンタ波を放出するように配列された多数のカウンタユニットを含むこともでき、ここで、その形状及び／又はその配列は波面の少なくとも１つの波面にマッチングするように配列されることもできる。両例において、カウンタ波は、かかる形状及び／又は配列と類似した（又は同一の）波面を有し、ターゲット空間で有害波の波面とカウンタ波の波面をマッチングさせる一方、その有害波の位相角と少なくとも部分的に反対である位相角を有し、従って、ターゲット空間でその反対である位相角により有害波を抗するように配列される。
【００６５】
本発明のこのような様態のまた別の例示的な実施形態において、システムは、多様な配列で提供されることもできる。一例において、システムは、単一の基本ユニットからの有害波のかかる波面の少なくとも１つの波面にマッチングするカウンタ波を放出するように形成、サイズ決定、及び／又は配置された単一のカウンタユニットを含む。また別の例において、かかるシステムは、かかるカウンタ波を放出するように形成、サイズ決定及び配置された多数のカウンタユニットを含むこともでき、そのカウンタ波の合算は、単一の基本ユニットにより放出された有害波の波面の少なくとも１つの波面にマッチングするように配列される。また別の例において、システムは、多数のソースの多数の基本ユニットにより放出された有害波の合算のかかる波面の少なくとも１つの波面にマッチングするカウンタ波を放出するように、また、形成、サイズ決定及び配置された単一のカウンタユニットを有することもできる。また別の例において、システムは、多数のソースの多数の基本ユニットから放出された有害波の合算のかかる波面の少なくとも１つの波面にマッチングするカウンタ波を放出するように形成、サイズ決定、及び配置された多数のカウンタユニットを含む。全ての例において、そのカウンタ波は、そのカウンタユニットのかかる形状、サイズ及び／又は配置と類似した（又は同一の）波面を形成し、ターゲット空間でその波面にマッチングする一方、有害波の合算の位相角と少なくとも部分的に反対である位相角を有し、従って、ターゲット空間でその反対である位相角により有害波を抗するように配列される。
【００６６】
本発明のまた別の様態において、例示的なシステムは、そのシステムのまた他の部分により放出されたカウンタ電磁波で、及びターゲット空間で有害波を消去し及び／又は有害波がターゲット空間へ伝播することを抑制することにより、少なくとも１つの波源の基本ユニットから照射された有害な電磁波をそのカウンタ波により抗するように提供されることもでき、ここで、その基本ユニットは、その有害波を照射し、それを通じて有害波の経路に影響を与える原因となる波源の一部のみを含むように配列され、その有害波は多数の波面を規定する一方、伝播するように配列され、そのターゲット空間はそのシステムと使用者との間に形成される。
【００６７】
本発明のこのような様態の一つの例示的な実施形態において、システムは、予め設定された形状及び／又はサイズを規定し、波面の少なくとも１つの波面の少なくとも一部に沿って規定された配列で配置され、その後、ターゲット空間でその波面に沿って伝播するカウンタ波を放出するように配列された少なくとも１つのカウンタユニットを含むこともでき、そのカウンタ波は、有害波の波面の少なくとも１つの波面にマッチングする一方、かかる有害波の位相角と少なくとも部分的に反対である位相角を規定し、従って、ターゲット空間でその反対である位相角によりその有害波を抗するように配列されることもできる。
【００６８】
本発明のこのような様態のまた別の例示的な実施形態において、システムは、多様な配列で提供されることもできる。一例において、システムは、それぞれが予め設定された形状及びサイズを規定するように配列され、波面の少なくとも１つの波面の少なくとも一部に沿って規定された配列で配置され、その後、ターゲット空間でその波面に沿って伝播するカウンタ波を放出するように配列された多数のカウンタユニットを含む。また別の例において、かかるシステムは、それぞれが予め設定された形状及び／又はサイズを規定するように配列され、かかる波面中の任意の波面に一致しない配列で配置されるが、ターゲット空間でその波面に沿って伝播するカウンタ波を放出するように配列された多数のカウンタユニットを有することもできる。両例において、そのカウンタユニットの少なくとも２つのカウンタユニットにより放出されたカウンタ波の合算は、有害波の波面にマッチングする一方、その有害波の位相角と少なくとも部分的に反対である位相角を有し、従って、ターゲット空間でその反対である位相角によりその有害波を抗するように配列されることもできる。
【００６９】
本発明のまた別の様態において、例示的なスピーカーシステムは、電流がその内に流れる場合、有害な電磁波を放出する多数の基本ユニットを有する少なくとも１つのスピーカーを含み、ターゲット空間でかかる有害波を消去し及び／又はその有害波がターゲット空間に向けて伝播することを抑制することにより、その有害波を抗することができるように提供されることもでき、ここで、その基本ユニットは、その有害波を放出し、それを通じてその有害波の経路に影響を与える原因となるスピーカーの一部のみを含むように配列され、そのターゲット空間は使用者とそのシステムとの間に規定される。
【００７０】
本発明のこのような様態の一つの例示的な実施形態において、システムは、少なくとも１つのコーン、少なくとも１つの音声コイル、少なくとも１つの永久磁石、及び少なくとも１つのカウンタユニットを含む。そのコーンは少なくとも２つの末端を規定するように配列されるが、そのボイスコイルは、そのコーン末端のうちの１つの末端の周辺に形成された少なくとも１つの電磁石を形成又は含み、その内にソース信号を流し、かかる基本ユニットのうちの１つの基本ユニットとして機能し、そのボイスコイルの周辺に動的磁場を規定し、その信号ソースに応答して基本ユニットのうちの１つの基本ユニットとして機能しつつ、かかる有害波を放出するように配列される。その永久磁石は、その周辺に静的動的フィールドを形成し、その音声コイルに磁気的にカップリングし、その音声コイルを通じて有害波を送信するかかる基本ユニットのうちまた他の基本ユニットとして機能するように配列される。その後、かかる静的磁場と動的磁場の間の相互作用は、そのコーンを振動させ、そのソース信号に応答して可聴音（ａｕｄｉｂｌｅ ｓｏｕｎｄ）を生成するように配列される。一例において、カウンタユニットは、その音声コイル及び／又は磁石と同一の（又は類似した）形状を規定し、その後、カウンタ電磁波を放出するように配列され、そのカウンタ電磁波は、有害波の位相角と少なくとも部分的に反対である位相角を規定し、その形状によりその有害波の波特性と少なくとも部分的に類似した波特性を規定し、従って、ターゲット空間でその反対である位相角に基づいてその有害波を抗するようにする。また別の例において、そのカウンタユニットは、その音声コイル及び永久磁石により形成された有害波の多数の波面の少なくとも１つの波面に沿って規定された配列で配置され、カウンタ電磁波を放出するように配列され、そのカウンタ電磁波は、その有害波の位相角と少なくとも部分的に反対である位相角を規定し、またその配列によりその有害波の波特性と少なくとも部分的に類似した波特性を規定し、従って、ターゲット空間でその反対である位相角によりその有害波を抗するようにする。
【００７１】
本発明のこのような様態のまた別の例示的な実施形態において、システムは、少なくとも１つの振動板（ｄｉａｐｈｒａｇｍ）、少なくとも２つのグリッド、及び少なくとも１つのカウンタユニットを含む。かかる振動板は、電気的に帯電し、振動する時かかる基本ユニットのうちの１つの基本ユニットとして機能しつつ、その振動板の周辺で静的電場を規定するように配列される。かかるグリッドは、その振動板の反対側上に配置され、ソース信号をその内に流す間、そのソース信号に応答して動的電場をそれらの間に形成し、その振動板を振動させる間、その静的電場とその動的電場の間の相互作用により可聴音を生成し、その基本ユニットのまた他の基本ユニットとして機能しつつ、そのソース信号に応答して有害波を放出するように配列される。一例において、かかるカウンタユニットは、その振動板及び／又はグリッドと同一の（又は類似した）形状を規定し、カウンタ電磁波を放出するように配列され、そのカウンタ電磁波は、その有害波の位相角と少なくとも部分的に反対である位相角を有し、その形状によりその有害波の波特性と少なくとも部分的に類似した波特性を有し、従って、ターゲット空間でその反対である位相角に基づいてその有害波を抗するようにする。また別の例において、そのカウンタユニットは、その振動板及び／又はグリッドにより規定された有害波の多数の波面の少なくとも１つの波面に沿って規定された配列で配置され、カウンタ電磁波を放出するように配列され、そのカウンタ電磁波は、その有害波の位相角と少なくとも部分的に反対である位相角を有し、かかる配列に基づいてその有害波の波特性と少なくとも部分的に類似した波特性を規定し、従って、ターゲット空間でその反対である位相角によりその有害波を抗するようにする。
【００７２】
本発明のこのような様態のまた別の例示的な実施形態において、システムは、少なくとも１つの圧電板、少なくとも２つの電極、少なくとも１つのカウンタユニット等を含む。その圧電板は、振動する時基本ユニットのうちの１つの基本ユニットとして機能しつつ、その圧電板の振動でソース電圧を変換するように配列されるが、その電極は、その圧電板の反対側に電気的にカップリングされ、かかる板にかかるソース電圧を印加し、その後、基本ユニットのまた他の基本ユニットとして機能する時、ソース信号に対する応答としてかかる有害波を放出する一方、そのソース電圧に応答してその板に沿って振動するように配列される。一例において、そのカウンタユニットは、その振動板及び／又は電極と同一の（又は類似した）形状を規定し、カウンタ電磁波を放出するように配列されることもでき、そのカウンタ電磁波は、その有害波の位相角と少なくとも部分的に反対である位相角を規定し、その形状によりその有害波の波特性と少なくとも部分的に類似した波特性を規定し、従って、ターゲット空間でその反対である位相角によりその有害波を抗するようにする。また別の例において、そのカウンタユニットは、その圧電板及び電極の少なくとも１つにより規定された有害波の多数の波面の少なくとも１つの波面に沿った配列で配置され、カウンタ電磁波を放出するように配列され、そのカウンタ電磁波は、その有害波の位相角と少なくとも部分的に反対である位相角を有し、その配列によりその有害波の波特性と少なくとも部分的に類似した波特性を規定し、従って、ターゲット空間でその反対である位相角によりその有害波を抗するようにする。
【００７３】
本発明のこのような様態のまた別の例示的な実施形態において、システムは、少なくとも１つのボディ部（ｂｏｄｙ）、スピーカー、及び少なくとも１つのカウンタユニットを含む。かかるボディ部は、使用者の耳上に及び／又は使用者の耳管（ｅａｒ ｃａｎａｌ）内に配置されるが、そのスピーカーはそのボディ部により支持され、有害波を放出するために基本ユニットを含むように配列される。一例において、そのカウンタユニットは、そのスピーカーの基本ユニットの少なくとも１つの基本ユニットと同一の（又は類似した）形状を規定し、カウンタ電磁波を放出するように配列され、そのカウンタ電磁波は、かかる有害波の位相角と少なくとも部分的に反対である位相角を規定し、その形状によりその有害波の波特性と少なくとも部分的に類似した波特性を有し、従って、ターゲット空間でその反対である位相角によりかかる有害波を抗するようにする。また別の例において、そのカウンタユニットは、その代わりに、基本ユニットにより形成された有害波の多数の波面の少なくとも１つの波面に沿って規定された配列で配置され、カウンタ電磁波を放出するように配列され、そのカウンタ電磁波は、その有害波の位相角と少なくとも部分的に反対である位相角を規定し、その配列によりその有害波の波特性と少なくとも部分的に類似した波特性を規定し、従って、ターゲット空間でその反対である位相角によりその有害波を抗するようにする。
【００７４】
本発明のまた別の様態において、通信システムは、有害な電磁波を放出する多数の基本ユニットを含み、また、ターゲット空間でその波を消去し及び／又はその有害波がそのターゲット空間に向かうことを抑制することにより、その有害波を抗することができるように提供されることもでき、ここで、かかる基本ユニットは、その有害波を放出し、それを通じてかかる有害波の経路に影響を与える原因となるシステムの一部のみを含むように配列され、そのターゲット空間は、使用者とシステムとの間に規定される。
【００７５】
本発明のこのような様態の一つの例示的な実施形態において、かかるシステムは、メインボディ部、ハンドセット、少なくとも１つの入力モジュール、少なくとも１つの出力モジュール、及び少なくとも１つのカウンタユニットを有することもできる。そのハンドセットはワイヤによりそのメインボディ部に電気的に接続されるように配列されるが、その入力モジュールはそのハンドセットに配置され、基本ユニットのうちの１つの基本ユニットとして機能する少なくとも１つのマイクロホンを有し、その後、使用者の可聴音を出力信号に変換するように配列される。かかる出力モジュールは、そのハンドセットに配置され、基本ユニットのうちまた他の基本ユニットとして機能する少なくとも１つのスピーカーを有し、その基本ユニットから有害波を放出する一方、外部ソース信号を可聴音に変換するように配列される。一例において、そのカウンタユニットは、そのハンドセット内に配置され、入力及び／又は出力モジュールの基本ユニットの少なくとも１つの基本ユニットと同一の（又は類似した）形状を規定し、その後、カウンタ電磁波を放出するように配列され、そのカウンタ電磁波は、その有害波の位相角と少なくとも部分的に反対である位相角を規定し、その形状によりその有害波の波特性と少なくとも部分的に類似した波特性を含み、従って、ターゲット空間でその反対である位相角によりそのカウンタ波を抗するようにする。また別の例において、そのカウンタユニットは、その出力モジュールの基本ユニットにより形成された有害波の多数の波面の少なくとも１つの波面に沿って形成された配列で配置され、カウンタ電磁波を放出するように配列され、そのカウンタ電磁波は、その有害波の位相角と少なくとも部分的に反対である位相角を規定し、その配列によりその有害波の波特性と少なくとも部分的に類似した波特性を規定し、従って、ターゲット空間でその反対である位相角によりその有害波を抗するようにする。
【００７６】
本発明のこのような様態のまた別の例示的な実施形態において、かかるシステムは、ハンドセット、少なくとも１つの入力モジュール、少なくとも１つの送信モジュール、少なくとも１つの受信モジュール、少なくとも１つの出力モジュール、及び少なくとも１つのカウンタユニットを含む。その入力モジュールは、そのハンドセットに配置され、かかる基本ユニットのうちの１つの基本ユニットとして機能する少なくとも１つのマイクロホンを含み、使用者の可聴音を出力信号に変換するように配列されるが、その送信モジュールはその出力信号を無線で送信するように配列される。かかる受信モジュールは、ソース信号を無線で受信するように配列され、その出力モジュールは、そのハンドセットに配置され、基本ユニットのうちまた他の基本ユニットとして機能する少なくとも１つのスピーカーを有し、その後、その基本ユニットから有害波を放出する一方、ソース信号を可聴音に変換するように配列される。一例において、そのカウンタユニットは、そのハンドセットに配置され、また、入力及び／又は出力モジュールの基本ユニットの少なくとも１つの基本ユニットと同一の（又は類似した）形状を規定し、その後、カウンタ電磁波を放出するように配列され、そのカウンタ電磁波は、有害波の位相角と少なくとも部分的に反対である位相角を規定し、その形状によりその有害波の波特性と少なくとも部分的に類似した波特性を規定し、従って、ターゲット空間でその反対である位相角によりその有害波を抗するようにする。また別の例において、そのカウンタユニットは、その出力モジュールの基本ユニットにより形成されたかかる有害波の多数の波面の少なくとも１つの波面に沿って規定された配列で配置され、その後、カウンタ電磁波を放出するように配列され、そのカウンタ電磁波は、その有害波の位相角と少なくとも部分的に反対である位相角を規定し、その配列によりかかる有害波の波特性と少なくとも部分的に類似した波特性をまた有し、従って、ターゲット空間でその反対である位相角によりその有害波を抗するようにする。
【００７７】
本発明のまた別の様態において、例示的なシステムは、有害な電磁波を放出する多数の基本ユニットを含む少なくとも１つのモータを含み、その有害波がターゲット空間に向けて伝播することを抑制し及び／又はそのターゲット空間でその有害波を消去することにより、その有害波をまた抗するように提供されることもでき、ここで、かかる基本ユニットは、その有害波を放出し、それを通じてその有害波の経路に影響を与える原因となるモータの一部のみを含み、そのターゲット空間は、使用者とシステムとの間に規定される。
【００７８】
本発明のこのような様態の一つの例示的な実施形態において、システムは、少なくとも１つのボディ部、少なくとも１つの固定子、少なくとも１つの回転子、及び少なくとも１つのカウンタユニットを含む。その固定子は、そのボディ部に固定的にカップリングされ、その固定子の周辺に静的磁場を生成し、前記基本ユニットを通じて有害波を送信しつつ、その基本ユニットのうちの１つの基本ユニットとして機能するように配列された少なくとも１つの永久磁石を含む。その回転子は、その固定子に移動可能に配置され、電流がその内に流れる時その回転子の周辺に動的磁場を規定し、有害波を放出し、かかる基本ユニットのうちまた他の基本ユニットとして機能しつつ、その内に電流が流れる時、かかる静的磁場と動的磁場の間の相互作用により回転するように配列された少なくとも１つの電磁石を有する。一例において、そのカウンタユニットは、その固定子及び／又は回転子と同一の（又は類似した）形状を規定し、カウンタ電磁波を放出するように配列され、そのカウンタ電磁波は、かかる有害波の位相角と少なくとも部分的に反対である位相角を規定し、その形状によりその有害波の波特性と少なくとも部分的に類似した波特性をまた有し、従って、ターゲット空間でその反対である位相角によりその有害波を抗するようにする。このようなカウンタユニットは、以下、「第１タイプのカウンタユニット」又は「第１のカウンタユニット」と指称する。また別の例において、そのカウンタユニットは、その回転子及び／又は固定子により形成された有害波の多数の波面の少なくとも１つの波面に沿って形成された配列で配置され、カウンタ電磁波を放出するように配列され、そのカウンタ電磁波は、その有害波の位相角と少なくとも部分的に反対である位相角を規定し、その配列によりその有害波の波特性と少なくとも部分的に類似した波特性を規定し、従って、ターゲット空間でその反対である位相角によりその有害波を抗するようにする。かかるカウンタユニットは、以下、「第２タイプのカウンタユニット」又は 「第２のカウンタユニット」と指称する。
【００７９】
本発明のこのような様態のまた別の例示的な実施形態において、システムは、少なくとも１つのボディ部、少なくとも１つの固定子、少なくとも１つの回転子、及び少なくとも１つの第１のカウンタユニット又は少なくとも１つの第２のカウンタユニットを含む。その固定子は、そのボディ部に固定的にカップリングし、電流がその内に流れる時その固定子の周辺に第１の動的磁場を生成し、有害波を送信しつつ、前記基本ユニットのうちの１つの基本ユニットとして機能するように配列された少なくとも１つの第１の電磁石を含む。その回転子は、その固定子に移動可能に配置され、電流がその内に流れる時その回転子の周辺に第２の動的磁場を規定し、有害波を放出し、基本ユニットのうちまた他の基本ユニットとして機能しつつ、その内に電流が流れる時かかる第１の動的磁場と第２の動的磁場の間の相互作用により回転するように配列された少なくとも１つの第２の電磁石を含む。従って、かかる第１又は第２のカウンタユニットは、カウンタ波によりその有害波を抗することもできる。
【００８０】
本発明のこのような様態のまた別の例示的な実施形態において、システムは、少なくとも１つのボディ部、少なくとも１つの固定子、少なくとも１つの回転子、及び少なくとも１つの第１のカウンタユニット又は少なくとも１つの第２のカウンタユニットを含む。かかる固定子は、そのボディ部に固定的にカップリングし、電流がその内に流れる時その固定子の周辺に動的磁場を生成し、有害波を送信しつつ、基本ユニットのうちの１つの基本ユニットとして機能するように配列された少なくとも１つの電磁石を形成又は含む。その回転子は、その固定子に移動可能にカップリングし、その回転子の周辺に動的磁場を規定し、それを通じてかかる有害波を送信し、基本ユニットのうちまた他の基本ユニットとして機能しつつ、電流がその固定子に流れる時その静的磁場と動的磁場の間の相互作用により回転するように配列された少なくとも１つの永久磁石を含む。従って、かかる第１又は第２のカウンタユニットは、カウンタ波によりその有害波を抗することもできる。
【００８１】
本発明のこのような様態のまた別の例示的な実施形態において、システムは、少なくとも１つのボディ部、少なくとも１つの固定子、少なくとも１つの回転子、及び少なくとも１つの第１のカウンタユニット又は少なくとも１つの第２のカウンタユニットを含む。その固定子は、そのボディ部に固定的にカップリングし、電流がその内に流れる時その固定子の周辺に動的磁場を生成し、かかる有害波を送信しつつ、基本ユニットのうちの１つの基本ユニットとして機能するように配列された少なくとも１つの電磁石を有する。その回転子は、かかる固定子に移動可能にカップリングし、その動的磁場に応答して電流を誘導し、それを通じて有害波を送信し、基本ユニットのうちまた他の基本ユニットとして機能しつつ、誘導電流により規定された相殺（ｃｏｕｎｔｅｒｂａｌａｎｃｉｎｇ）磁場とかかる動的磁場の間の相互作用により回転するように配列された少なくとも１つの電気導体を含む。従って、かかる第１又は第２のカウンタユニットは、カウンタ波によりその有害波を抗することもできる。
【００８２】
本発明のこのような様態のまた別の例示的な実施形態において、システムは、少なくとも１つのボディ部、少なくとも１つの固定子、少なくとも１つの回転子、及び少なくとも１つの第１のカウンタユニット又は少なくとも１つの第２のカウンタユニットを含む。その固定子は、そのボディ部に固定的にカップリングされ、電流がその内に流れる時その固定子の周辺に動的磁場を生成し、有害波を送信しつつ、基本ユニットのうちの１つの基本ユニットとして機能するように配列された少なくとも１つの電磁石を包含又は形成する。その回転子は、その固定子に移動可能にカップリングし、その回転子の周辺に静的磁場を形成し、その後、それを通じてかかる有害波を送信し、基本ユニットのうちまた他の基本ユニットとして機能しつつ、その固定子で電流が流れる時静的磁場と動的磁場の間の相互作用により線型的に並進運動（ｔｒａｎｓｌａｔｅ）するように配列された少なくとも１つの永久磁石を有する。従って、かかる第１又は第２のカウンタユニットは、カウンタ波によりその有害波を抗することもできる。
【００８３】
本発明のまた別の様態において、システムは、有害な電磁波を放出する多数の基本ユニットを含み、その有害波がターゲット空間へ伝播することを抑制し及び／又はそのターゲット空間でその有害波を消去することにより、かかる基本ユニットから照射されたその有害波を抗するように製造され、ここで、その基本ユニットは、その有害波を放出し、それを通じてかかる有害波の経路に影響を与える原因となるシステムの一部のみを含むように配列され、また、そのターゲット空間はシステムと使用者との間に規定される。
【００８４】
本発明のこのような様態の一つの例示的な実施形態において、かかるシステムは、メインボディ部、少なくとも１つの電気モータ、少なくとも１つのシャフト、及び少なくとも１つの第１のカウンタユニット又は少なくとも１つの第２のカウンタユニットを有する。かかる電気モータは、そのボディ部により支持され、両者が基本ユニットとして機能する少なくとも１つの回転子及び少なくとも１つの固定子を含み、電流がその内に流れる時その回転子を回転（又は並進運動）させるように配列される。そのシャフトは、そのボディ部により移動可能に維持され、その固定子と移動可能にカップリングし、起電力を生成しつつ、かかる回転子に従って回転するように配列される。従って、かかる第１又は第２のカウンタユニットは、カウンタ波により有害波を抗することもできる。
【００８５】
本発明のこのような様態のまた別の例示的な実施形態において、かかるシステムは、少なくとも１つのメッシュ、少なくとも１つのブレイド（ｂｌａｄｅ）、少なくとも１つの電気モータ、及び少なくとも１つの第１のカウンタユニット又は少なくとも１つの第２のカウンタユニットを備えたメインボディ部を有することもできる。そのブレイドは、そのメッシュの下に移動可能に配置され、そのメッシュを通じて突出されたヘア（ｈａｉｒ）を切断するように配列されるが、その電気モータは、そのボディ部により支持され、両者がかかる基本ユニットとして機能する少なくとも１つの回転子及び少なくとも１つの固定子を含み、そのブレイドに機械的にカップリングされ、その内に電流が流れる時そのブレイドを回転（又は並進運動）させてそのヘアを切断するように配列される。従って、かかる第１又は第２のカウンタユニットは、カウンタ波により有害波を抗することもできる。
【００８６】
本発明のこのような様態のまた別の例示的な実施形態において、システムは、ハンドル、ブラシ、少なくとも１つの電気モータ、及び少なくとも１つの第１（又は第２）のカウンタユニットを有することもできる。そのブラシは、そのハンドルの一末端上に移動可能に配置されるように配列されるが、その電気モータは、そのボディ部により支持され、両者が基本ユニットとして機能する少なくとも１つの回転子及び少なくとも１つの固定子を含み、そのブラシに機械的にカップリングし、電流がその内に流れる時そのブラシを回転（又は並進運動）させるように配列される。従って、かかる第１又は第２のカウンタユニットは、カウンタ波により有害波を抗することもできる。
【００８７】
本発明のこのような様態のまた別の例示的な実施形態において、システムは、メインボディ部、少なくとも１つのファン、少なくとも１つの電気モータ、少なくとも１つの加熱ユニット、及び少なくとも１つのカウンタユニット又は少なくとも１つの第２のカウンタユニットを含む。そのメインボディ部は、少なくとも１つの空気入口及び少なくとも１つの空気排出口を有する空気通路を含むが、そのファンは、その空気通路に沿って配置される。その電気モータは、かかるボディ部により支持され、両者が基本ユニットとして機能する少なくとも１つの回転部及び少なくとも１つの固定部を含み、その板と機械的にカップリングし、そのファンを回転（又は並進運動）させるように配列され、そのファンは、空気入口を通じて空気を内部へ流入させ、その空気通路を通じてその空気を移動させ、その後、電流がその内に流れる時その空気排出口を通じてかかる空気を排出する。その加熱ユニットは、その空気通路に沿って配置され、その空気通路を通じて流れる空気を加熱させて、その空気排出口から使用者のヘア及びボディ部に貯蔵された衣類のうちの１つで加熱された空気を排出するように配列される。従って、かかる第１又は第２のカウンタユニットは、カウンタ波により有害波を抗することもできる。
【００８８】
本発明のこのような様態のまた別の例示的な実施形態において、システムは、メインボディ部、チャンバ、少なくとも１つのファン、少なくとも１つの電気モータ、及び少なくとも１つの第１のカウンタユニット又は少なくとも１つの第２のカウンタユニットを含む。そのメインボディ部は、少なくとも１つの空気入口及び少なくとも１つの空気排出口を有する空気通路を含み、そのチャンバは、その通路に沿って配置されるように配列され、そのファンは、その空気通路に沿って配置される。その電気モータは、そのボディ部により支持され、両者が基本ユニットとして機能する少なくとも１つの回転子及び少なくとも１つの固定子を有し、そのファンに機械的にカップリングされ、そのファンを回転させ、そのチャンバに望ましくない粒子を収集するように配列され、そのファンは、その空気入口を通じて空気を内部へ流入させ、そのチャンバ内に真空生成しつつその空気通路を通じてかかる空気を移動させ、電流がその内に流れる時その空気排出口を通じてその空気を排出する。従って、かかる第１又は第２のカウンタユニットは、カウンタ波により有害波を抗することもできる。
【００８９】
本発明のこのような様態のまた別の例示的な実施形態において、システムは、メインボディ部、少なくとも１つのアプリケータ、少なくとも１つの電気モータ、及び少なくとも１つの第１のカウンタユニット又は少なくとも１つの第２のカウンタユニットを含む。そのアプリケータは、そのボディ部と移動可能にカップリングされるように配列されるが、その電気モータは、そのボディ部により支持され、両者が基本ユニットとして機能する少なくとも１つの回転子及び少なくとも１つの固定子をその内に有し、そのアプリケータに機械的にカップリングされ、電流がその内に流れる時そのアプリケータを回転（又は並進運動）させるように配列される。従って、かかる第１又は第２のカウンタユニットは、カウンタ波により有害波を抗することもできる。かかるシステムは、そのアプリケータが缶を確保及び回転させるように配列される電気缶切り、そのアプリケータがシャフトを角方向に回転させるように配列されたそのシャフトを含む電気ドリル、そのアプリケータがシャフトを回転させるように配列されたそのシャフトを有する電気スクリュードライバ、そのアプリケータがそのシャフトを移動（又は並進運動）させるように配列されたそのシャフトを有するサンダー、そのモータがそのボディ部内の一位置からまた他の位置へ水を伝送するように配列され、そのアプリケータがそのボディ部でその水を噴出（又はスプレー）するように配列された食器洗い機、そのアプリケータがシャフトのうちの少なくとも１つのシャフト及びそのボディ部の少なくとも一部を回転させるように配列された洗濯機等として用いられるように配列される。
【００９０】
本発明のこのような様態のまた別の例示的な実施形態において、システムは、メインボディ部、少なくとも１つの電気モータ、少なくとも１つの圧縮機、及び少なくとも１つの第１のカウンタユニット又は少なくとも１つの第２のカウンタユニットを含む。そのメインボディ部は少なくとも１つのチャンバを含み、その電気モータは、そのボディ部により支持され、両者が基本ユニットとして機能する少なくとも１つの回転子及び少なくとも１つの固定子を有し、アプリケータに機械的にカップリングされ、電流がその内に流れる時かかるアプリケータを回転（又は並進運動）させるように配列される。その圧縮機は、冷たい空気を生成してそのチャンバ内へ又はそのチャンバからその冷たい空気を供給しつつ、少なくとも１つのガスを圧縮した後膨脹させるように配列される。従って、かかる第１又は第２のカウンタユニットは、カウンタ波により有害波を抗することもできる。かかるシステムは、それぞれがその冷たい空気を生成することができる冷蔵庫、クーラー、冷凍機、及び／又はエアコンとして用いられるように配列される。
【００９１】
本発明のまた別の様態において、例示的な発生システムは、ＡＣ及び／又はＤＣ電気を生成する一方、有害な電磁波を放出する多数の基本ユニットを含み、ターゲット空間で有害波を消去し及び／又はその有害波がターゲット空間へ伝播することを抑制することにより、その基本ユニットにより照射されたその有害波をまた抗するように製造され、ここで、その基本ユニットは、その有害波を照射し、それを通じてその有害波の経路に影響を与える原因となるシステムの一部のみを含むように配列され、そのターゲット空間はシステムと使用者との間に規定される。
【００９２】
本発明のこのような様態の一つの例示的な実施形態において、かかるシステムは、少なくとも１つのボディ部、少なくとも１つの固定子、少なくとも１つの回転子、及び少なくとも１つの第１のカウンタユニット又は少なくとも１つの第２のカウンタユニットを有することもできる。かかる固定子は、そのボディ部とカップリングし、その固定子の周辺に第１の磁場を生成するように配列されるが、その回転子は、そのボディ部に移動可能にカップリングされ、その回転子の周辺に第２の磁場を生成し、外力に応答して回転し、その第１の磁場とその第２の磁場の間の相互作用による力に応答してかかる電気を生成するように配列される。従って、かかる第１又は第２のカウンタユニットは、カウンタ波によりその有害波を抗することもできる。
【００９３】
本発明のこのような様態のまた別の例示的な実施形態において、システムは、自動車又は飛行機の少なくとも１つのボディ部、少なくとも１つの固定子、少なくとも１つの回転子、及び少なくとも１つの第１のカウンタユニット又は少なくとも１つの第２のカウンタユニットを含む。その固定子は、かかる自動車又は飛行機内に配置され、その固定子の周辺に第１の磁場を生成するように配列されるが、その回転子は、その固定子と移動可能にカップリングし、その回転子の周辺に第２の磁場を生成し、外力に応答して回転し、その第１の磁場とその第２磁場の間の相互作用によるかかる力に応答して電気を生成するように配列される。従って、かかる第１又は第２のカウンタユニットは、カウンタ波により有害波を抗することもできる。
【００９４】
本発明のまた別の様態において、例示的なシステムは、その内に電流が流れる時有害な電磁波を照射する導電ワイヤの少なくとも１つのコイルを含み、かかる有害波がターゲット空間へ伝播することを抑制し及び／又はターゲット空間でその有害波を消去することにより、そのコイルから照射された有害波を抗するように提供され、ここで、基本ユニットは、かかる有害波を照射し、それを通じてその有害波の経路に影響を与える原因となるシステムの一部のみを含むように配列され、そのターゲット空間は、使用者とシステムとの間に規定される。
【００９５】
本発明のこのような様態の一つの例示的な実施形態において、システムは、少なくとも１つの挿入部、コイル、及び少なくとも１つの第１のカウンタユニット又は少なくとも１つの第２のカウンタユニットを含む。その挿入部は、その内に少なくとも１つの強磁性材料、常磁性材料、及び／又はフェリ磁性材料を含むように配列されるが、そのコイルは予め設定された方向及び予め設定された巻数でその挿入部の予め設定された部分に沿って巻かれ、その内に電流が流れる時有害波を放出するように配列される。一例において、かかるカウンタユニットは、そのコイルと同一の（又は類似した）形状を規定し、カウンタ電磁波を放出するように配列され、そのカウンタ電磁波は、かかる有害波の位相角と少なくとも部分的に反対である位相角を規定し、また、その形状によりその有害波の波特性と少なくとも部分的に類似した波特性を有し、従って、ターゲット空間でその反対である位相角によりその有害波を抗するようにする。また別の例において、そのカウンタユニットは、その代わりに、そのコイルにより形成されたその有害波の多数の波面の少なくとも１つの波面に沿って形成される配列で配置され、カウンタ電磁波を放出するように配列され、そのカウンタ電磁波は、その有害波の位相角と少なくとも部分的に反対である位相角を規定し、その配列によりその有害波の波特性と少なくとも部分的に類似した波特性を有し、従って、ターゲット空間でその反対である位相角によりその有害波を抗するようにする。
【００９６】
本発明のこのような様態のまた別の例示的な実施形態において、システムは、少なくとも１つの挿入部、少なくとも２つのコイル、及び少なくとも１つのカウンタユニットを含む。その挿入部は、その内に少なくとも１つの強磁性材料、常磁性材料、及び／又はフェリ磁性材料を含み、その上に少なくとも２つの側面を規定するように配列される。そのコイルのうちの１つのコイルは、予め設定された方向及び予め設定された巻数でその挿入部の第１の側面周辺に巻かれるように配列され、そのコイルのうちまた他のコイルは、他の予め設定された方向及びまた他の予め設定された巻数でその挿入部の第２の側面周辺に巻かれるように配列され、かかるコイルの両者は互いに離隔され、電流がその内に流れる時有害波を放出するように配列される。一例において、そのカウンタユニットはそのコイルの少なくとも１つのコイルと同一の（又は類似した）形状を規定し、カウンタ波を放出するように配列され、そのカウンタ電磁波は、その有害波の位相角と少なくとも部分的に反対である位相角を有し、その形状によりその有害波の波特性と少なくとも部分的に類似した波特性を含み、従って、ターゲット空間でその反対である位相角によりかかる有害波を抗するようにする。以下、このようなカウンタユニットは、「第３タイプのカウンタユニット」又は「第３のカウンタユニット」と指称される。また別の例において、そのカウンタユニットは、また、そのコイルにより形成されたかかる有害波の多数の波面の少なくとも１つの波面に沿って形成される配列で配置され、カウンタ電磁波を放出するように配列され、そのカウンタ電磁波は、その有害波の位相角と少なくとも部分的に反対である位相角を規定し、その配列によりその有害波の波特性と少なくとも部分的に類似した波特性を有し、ターゲット空間でその反対である位相角によりその有害波を抗するようにする。以下、かかるカウンタユニットは、「第４タイプのカウンタユニット」又は「第４のカウンタユニット」と指称される。
【００９７】
本発明のこのような様態のまた別の例示的な実施形態において、システムは、ボディ部、少なくとも１つの挿入部、少なくとも２つのコイル、及び少なくとも１つの第３のカウンタユニット又は少なくとも１つの第４のカウンタユニットを含む。そのボディ部は、１つが電気ソースとカップリングし、また他の１つが電気デバイスとカップリングする少なくとも２つの電気カプラー（ｃｏｕｐｌｅｒ）で終了するように配列される。その挿入部は、そのボディ部に配置され、少なくとも１つの強磁性材料、常磁性材料、及び／又はフェリ磁性材料を含み、その挿入部上に少なくとも２つの側面を規定するように配列される。そのコイルのうちの１つのコイルは、予め設定された方向及び予め設定された巻数でその挿入部の第１の側面周辺に巻かれるように配列され、その後、そのコイルのうちまた他のコイルは、また他の予め設定された方向だけでなく、また他の予め設定された巻数によりその挿入部の第２の側面周辺に巻かれるように配列され、かかるコイルの両者は、互いに離隔され、電流がその内に流れる時有害波を放出するように配列される。従って、かかる第３又は第４のカウンタユニットは、カウンタ波により有害波を抗することもできる。
【００９８】
本発明のまた別の様態において、波放出システムは、有害な電磁波を照射する少なくとも１つの基本ユニットを含み、その有害波がターゲット空間に向けて伝播することを抑制し及び／又はターゲット空間でその有害波を消去することによりその有害波を抗するように提供され、ここで、かかる基本ユニットは、その有害波を照射し、それを通じてその有害波の経路に影響を与える原因となるシステムの一部のみを含むように配列され、そのターゲット空間は、使用者とシステムとの間に規定される。
【００９９】
本発明のこのような様態の一つの例示的な実施形態において、システムは、メインボディ部、少なくとも１つの発光ユニット、及び少なくとも１つのカウンタユニットを有することもできる。その発光ユニットは、かかるボディ部に又は内部に維持され、電流がその内に流れる時有害波を照射する基本ユニットとして機能しつつ、可視光線波を放出するように配列され、ここで、かかる発光ユニットの少なくとも一部は、かかる可視光線波をそのボディ部の外部へ伝播するためにそのボディ部を通じて露出するように配列される。一例において、カウンタユニットは、その発光ユニットと同一の（又は類似した）形状を規定し、カウンタ電磁波を放出するように配列され、そのカウンタ電磁波は、その有害波の位相角と少なくとも部分的に反対である位相角を規定し、その形状によりかかる有害波の波特性と少なくとも部分的に類似した波特性を規定し、従って、ターゲット空間でその反対である位相角によりかかる有害波を抗するようにする。以下、このようなカウンタユニットは、「第５タイプのカウンタユニット」又は「第５のカウンタユニット」と指称される。また別の例において、そのカウンタユニットは、その発光ユニットにより形成された有害波の多数の波面の少なくとも１つの波面に沿って規定される配列で配置され、カウンタ電磁波を放出するように配列され、そのカウンタ電磁波は、その有害波の位相角と少なくとも部分的に反対である位相角を有し、その配列によりかかる有害波の波特性と少なくとも部分的に類似した波特性を規定し、従って、ターゲット空間でその反対である位相角によりかかる有害波を抗するようにする。以下、このようなカウンタユニットは、「第６タイプのカウンタユニット」又は「第６のカウンタユニット」と指称される。
【０１００】
本発明のこのような様態のまた別の例示的な実施形態において、システムは、メインボディ部、少なくとも１つの発光ユニット、及び少なくとも１つの第５（又は第６）のカウンタユニットを含む。かかる発光ユニットを、陰極線チューブ、発光ダイオード、有機発光ダイオード、及び／又はプラズマディスプレイパネルに対応することもでき、そのボディ部により支持され、その内に電流が流れる時かかる有害波を照射する基本ユニットとして機能しつつ、可視光線波を放出するように配列することもできる。また、その発光ユニットの少なくとも一部は、その可視光線波をそのボディ部の外部へ伝播するためにそのボディ部を通じて露出するように配列される。従って、かかる第５又は第６のカウンタユニットは、カウンタ波により有害波を抗することもできる。
【０１０１】
本発明のこのような様態のまた別の例示的な実施形態において、システムは、メインボディ部、少なくとも１つの発光ユニット、及び少なくとも１つの第５（又は第６）のカウンタユニットを含む。その発光ユニットは、少なくとも１つのマグネトロン及び少なくとも１つの導波路を含む。そのマグネトロンは、その内でマイクロ波を生成するように配列されるが、その導波路は、それを通じてそのマイクロ波を案内するように配列され、ここで、かかるマグネトロン及び／又は導波路を、有害波を照射する基本ユニットとして機能するように配列することもできる。従って、かかる第５又は第６のカウンタユニットは、カウンタ波により有害波を抗することもできる。
【０１０２】
本発明のまた別の様態において、例示的な加熱システムは、有害な電磁波を照射する少なくとも１つの基本ユニットを含み、ターゲット空間で有害波を消去し及び／又はその有害波がターゲット空間に向けて伝播することを抑制することにより、かかる有害波を抗するように製造され、ここで、その基本ユニットは、その有害波を照射し、それを通じてその有害波の経路にまた影響を与える原因となるかかるシステムの一部のみを含むように配列され、そのターゲット空間は、使用者とシステムとの間に規定される。
【０１０３】
本発明のこのような様態の一つの例示的な実施形態において、システムは、メインボディ部、少なくとも１つの加熱ユニット、及び少なくとも１つのカウンタユニットを有することもできる。その加熱ユニットは、そのボディ部により支持され、電流がその内に流れる時有害波を照射する基本ユニットとして機能しつつ、熱波（又は赤外線波）を照射するように配列される。かかる加熱ユニットは、少なくとも１つの直線型抵抗性ワイヤ及び／又はコイル型抵抗性ワイヤを含むように配列され、かかる加熱ユニットの少なくとも一部は、その熱波をそのボディ部の外部へ伝播するためにそのボディ部を通じて露出するように配列される。一例において、そのカウンタユニットは、その加熱ユニットと同一の（又は類似した）形状を規定し、その後、カウンタ電磁波を放出するように配列され、そのカウンタ電磁波は、その有害波の位相角と少なくとも部分的に反対である位相角を規定し、その形状によりその有害波の波特性と少なくとも部分的に類似した波特性を有し、従って、ターゲット空間でその反対である位相角によりかかる有害波を抗するようにする。従って、カウンタユニットは、以下、「第７タイプのカウンタユニット」又は「第７のカウンタユニット」と指称される。また別の例において、かかるカウンタユニットは、その加熱ユニットにより形成されたかかる有害波の多数の波面の少なくとも１つの波面に沿って規定される配列で配置され、カウンタ電磁波を放出するように配列され、そのカウンタ電磁波は、その有害波の位相角と少なくとも部分的に反対である位相角を規定し、その配列によりその有害波の波特性と少なくとも部分的に類似した波特性を有し、従って、かかるターゲット空間でその反対である位相角によりその有害波を抗するようにする。かかるカウンタユニットは、以下、「第８タイプのカウンタユニット」又は「第８のカウンタユニット」と指称される。
【０１０４】
本発明のこのような様態のまた別の例示的な実施形態において、システムは、メインボディ部、少なくとも１つの加熱ユニット、及び少なくとも１つの第７（又は第８）のカウンタユニットを含む。そのメインボディ部は、電気毛布、電気マット（又はマットレス）、電気加熱パッド、ヘアセット機又はヘアカーラーとして形成され、使用の間に使用者の少なくとも一部を物理的に接触するように配列される。かかる加熱ユニットは、電流がその内に流れる時、かかる有害波を照射する基本ユニットとして機能する一方、そのボディ部で維持され、熱を生成し、熱の伝導によりその熱を使用者に伝達するように配列され、その加熱ユニットは、少なくとも１つの直線型抵抗性ワイヤ及び／又は少なくとも１つのコイル型抵抗性ワイヤを有するように配列される。従って、かかる第７又は第８のカウンタユニットは、カウンタ波によりその有害波を抗することもできる。
【０１０５】
本発明のこのような様態のまた別の例示的な実施形態において、システムは、メインボディ部、少なくとも１つの加熱ユニット、少なくとも１つのアクチュエーター、及び少なくとも１つの第７（又は第８）のカウンタユニットを含む。そのメインボディ部は、ヘアドライヤー又は対流加熱機（ｃｏｎｖｅｃｔｉｏｎ ｈｅａｔｅｒ）として形成され、少なくとも１つの空気入口及び少なくとも１つの空気排出口を有する少なくとも１つの空気通路を含むように配列される。かかる加熱ユニットはその空気通路に沿って配置され、電流がその内に流れる時、かかる有害波を照射する基本ユニットとして機能する一方、その空気通路で空気を加熱させるように配列される。そのアクチュエーターはその通路と流動的にカップリングし、その空気排出口を通じて加熱された空気を排出するように配列される。従って、かかる第７又は第８のカウンタユニットは、カウンタ波により有害波を抗することもできる。
【０１０６】
本発明のこのような様態のまた別の例示的な実施形態において、システムは、メインボディ部、少なくとも１つの加熱ユニット、及び少なくとも１つの第７（又は第８）のカウンタユニットを含む。そのメインボディ部は、食品が調理のために配置される領域（又はチャンバ）を形成するように配列される。その加熱ユニットは、そのボディ部上に又はそのボディ部により機械的に支持され、その領域の少なくとも一部を通じて露出し（又はそのチャンバの少なくとも一部に熱的にカップリングされ）、その内に電流が流れる時基本ユニットとして機能し、かかる有害波を放出しつつ熱を発生させ、その熱をその食品に伝達するために、少なくとも１つの直線型抵抗性ワイヤ及び／又はコイル型抵抗性ワイヤを含むように配列される。従って、第７又は第８のカウンタユニットは、カウンタ波によりその有害波を抗することもできる。
【０１０７】
本発明のかかるシステム様態の実施形態は、１つ以上の次の特性等を含むこともでき、また、前記システムの構成及び／又は動作変化及び／又は変形は、本発明の範囲内にある。
【０１０８】
かかる基本ユニットの少なくとも一部（又は全部分）を波源を通じて露出するか、又はその基本ユニットをその波源内に配置することもでき、ここで、その基本ユニットは導電性ワイヤ、シート、及び／又はシステムのプレイトを含むこともできる。かかるシステムは、電気導電体の少なくとも１つのコイルを含む任意の電気デバイスであることもでき、ここで、そのコイルを含むデバイスは、電磁石、ソレノイド、トロイド、スピーカー、モータ、発電機、トランスフォーマー等であることもできる。かかるデバイスの基本ユニットは、コイル、少なくとも１つのフェリ磁性材料で構成された挿入部、不安定な電流が流れるデバイスの任意の部分、不安定な電流が印加されたデバイスの任意の部分等を含むこともできる。
【０１０９】
システムは、アコースティックサウンドを電気及び／又は光信号に変換することのできる少なくとも１つのスピーカーを含む任意の電気デバイスであることもでき、ここで、かかるデバイスの例は、イヤホン、ヘッドホン、電話機のメインボディ部又はハンドセット、移動電話機等を含むが、これに制限されるものではない。かかるスピーカーは、コーンドライブスピーカー、静電型スピーカー、及び圧電スピーカー等を含むこともでき、そのスピーカーの基本ユニットは、コイル、永久磁石、圧電ユニット、電極、不安定な電流が流れるデバイスの任意の部分、不安定な電圧が印加されるデバイスの任意の部分等を含むこともできる。スピーカーを備えたデバイスは、単一のケース部材内に取り囲まれた少なくとも２つの同一の（又は類似した、異なる）スピーカー、異なる部材内で別個に取り囲まれた少なくとも２つの同一の（又は類似した、異なる）スピーカー、イヤホン対、ヘッドホン対、少なくとも１つのスピーカー及び少なくとも１つのマイクロホンのアセンブリー等を含むこともできる。かかる信号は、電気信号、光信号、磁気信号等であることもできる。
【０１１０】
システムは、電気及び／又は光信号をアコースティックサウンドに変換する少なくとも１つのメカニズムを含む任意の電気デバイスであることもでき、ここで、かかるデバイスの例はマイクロホンを含むが、これに制限されるものではなく、かかる信号は、電気信号、光信号、磁気信号等であることもできる。システムは、電気エネルギーから機械的エネルギーを発生させる少なくとも１つのモータをその内に含むこともできる任意の電気デバイスであることもできる。かかるモータは、永久磁石で構成された固定子及び電磁石を含む回転子を含むＤＣモータ、電磁石で構成された固定子及び電磁石で構成された回転子を含むユニバーサルモータ、電磁石で構成された固定子及び永久磁石で構成された回転子を含む同期型ＡＣモータ、電磁石で構成された固定子及び電気導体で構成された回転子を含む誘導型ＡＣモータ、電磁石で構成された固定子及び永久磁石で構成された回転子を含む線型モータを含むこともできる。かかる基本ユニットは、回転子、固定子、永久磁石、不安定な電流が流れるデバイスの任意の部分、不安定な電圧が印加されるデバイスの任意の部分等を含むこともできる。そのモータを有するかかるデバイスは任意の厨房機器を含むこともでき、その厨房機器の例は、フードプロセッサー、ミキサー、缶切り、ファンを有する電気グリル（又はオーブン、レンジ）、食器洗い機、冷蔵庫、冷凍機、クーラー等を含むが、これに制限されるものではない。そのモータを有するデバイスは、家電機器であることもでき、その家電機器の例は、洗濯機、乾燥機、エアコン、乾式（又は湿式）真空掃除機等を含むが、これに制限されるものではない。そのモータを有するデバイスは、電気ドリル、スクリュードライバ、ネイルガン、ステープラー、サンダー等を含む道具であることもできる。かかるモータを含むデバイスは、剃刀、電気歯ブラシ、ヘアドライヤー等を含む個人用衛生機器であることもできる。システムは、機械的エネルギーから電気的エネルギーを発生させることのできる少なくとも１つの発電機を含む任意の電気デバイスであることもできる。その発電機を有するデバイスは、ＡＣ発電機、ＤＣ発電機、自動車の交流発電機等を含むこともできる。そのデバイスの基本ユニットは、電磁石、永久磁石、不安定な電流が流れるデバイスの任意の部分、不安定な電圧が印加されたデバイスの任意の部分等であることもできる。
【０１１１】
システムは、ソースからの電圧を増加又は減少させることのできる少なくとも１つのトランスフォーマーを含む任意の電気デバイスであることもできる。そのトランスフォーマーを有するデバイスは、ステップアップトランスフォーマー、ステップダウントランスフォーマー、電気デバイスのために電圧を変更するためのアダプター等である。かかるデバイスの基本ユニットは、また、コイル、少なくとも１つのフェリ磁性材料で構成された挿入部、不安定な電流が流れるデバイスの任意の部分、不安定な電圧が印加されるデバイスの任意の部分等を含むこともできる。
【０１１２】
システムは、電気エネルギーから熱エネルギーを発生させることのできる少なくとも１つの加熱ユニットを含む任意の電気デバイスであることもできる。その加熱ユニットは直線型加熱ワイヤ、コイル型加熱ワイヤ、ソレノイド形状のコイル型ワイヤ、トロイド形状のコイル型ワイヤ等を含むこともできる。かかるデバイスの基本ユニットは、コイル、少なくとも１つのフェリ磁性材料を含む支持部、不安定な電流が流れるデバイスの任意の部分、不安定な電圧が印加されるデバイスの任意の部分等であることもできる。その加熱ユニットを有するデバイスは、電気加熱マットレス、電気加熱毛布、電気加熱パッド等を含む任意の個人用加熱機器であることもできる。その加熱ユニットを有するデバイスは、電気グリル（又はオーブン、レンジ）、トースターオーブン等のような調理機器であることもできる。その加熱ユニットを有するデバイスは、ヘアドライヤー、ヘアセット機、ヘアカーラー、ヘアスチーマー等を含むヘア処理機器であることもできる。かかるシステムは、少なくとも１つの発光ユニットを含む任意の電気デバイスであることもできる。その発光ユニットを有するデバイスは、ＣＲＴ、ＬＥＤ、ＯＬＥＤ、ＰＤＰ等を含むこともできる。システムは、少なくとも１つの波放出ユニットを含む任意の電気デバイスであることもできる。その波放出ユニットを有するデバイスは、マイクロ波オーブン、レーダー等を含むこともできる。
【０１１３】
有害波は、約５０Ｈｚ乃至６０Ｈｚより小さい周波数を有するキャリア周波数の波、３００Ｈｚ未満の周波数の極低周波等を含むこともでき、カウンタ波は類似した周波数を有することもできる。別の方法として、有害波は３ｋＨｚ未満の周波数を規定するウルトラ低周波、３０ｋＨｚ未満の周波数を有する超低周波、３００ｋＨｚ未満の周波数を有する低周波等を含むこともでき、カウンタ波は類似した周波数を有することもできる。ターゲット空間を、カウンタ及び基本ユニットの一側面上、カウンタユニットに関する予め設定された角度に関して、カウンタユニットと基本ユニットとの間等で形成することもできる。好ましくは、有害波は、３００ｋＨｚ、１ＭＨｚ、１０ＭＨｚ、１００ＭＨｚ、１ＧＨｚ、１０ＧＨｚ、１００ＧＨｚ、１ＴＨｚ等より大きい周波数を規定することもできる。カウンタリングは前記消去及び／又は抑制を含むこともできる。かかるカウンタユニットは、電流が流れる電気導体、電圧が印加される電気導体及び／又は絶縁体等を含むこともできる。カウンタユニットを、基本ユニットと（又はそれに関して）並んで配置することもでき、基本ユニットの予め設定された部分に関して巻くこともでき、その代わりに、基本ユニットに関して同心配列で配置することもでき、基本ユニットに関して軸方向等に配置することもできる。かかるカウンタユニットを、少なくとも１つの支持部により維持することもでき、カウンタ波を放出しつつ、そのカウンタユニットの形状を維持するか、又はそのカウンタユニットの形状を変更することもできる。カウンタユニットは、それを通じて配置された少なくとも１つのフェリ磁性挿入部を含むこともできる。
【０１１４】
カウンタユニットの形状を、そのカウンタユニットが基本ユニットの形状にマッチングするか、有害波（の形状）にマッチングするように配列されるか否かに基づいて決定することもできる。カウンタユニットの形状は、基本ユニット及び／又はソースの形状と同一、類似、又は異なることもできる。かかるカウンタユニットは、ワイヤ、ストリップ、シート、チューブ、コイル、螺旋、メッシュの形状、その形状の少なくとも１つの形状の混合物、これらの結合物、これらのアレイ等を規定することもできる。そのアレイは、バンドル、編組（ｂｒａｉｄ）、コイル、メッシュ等の形状を有することもできる。カウンタユニットの形状は、基本ユニット及び／又はソースの形状と一致（又は不一致）することもできる。カウンタユニットは基本ユニット及び／又はソースの１Ｄ、２Ｄ及び／又は３Ｄの類似物を形成することもでき、基本ユニット及び／又はソースのかかる類似物のうちの１つだけを規定することもでき、基本ユニット及び／又はソースの類似物の少なくとも２つを規定することもでき、基本ユニット及び／又はソースの類似物のうちの１つだけを規定することもでき、基本ユニット及び／又はソースの類似物の少なくとも２つ等をその代わりに形成することもできる。その類似物をかかる基本ユニット及び／又はソースとの類似性を維持するように配列することもできる。その類似物をかかる基本ユニット及び／又はソースとの類似性を維持するように配列することもできる。カウンタユニットの少なくとも２つの部分及び／又は少なくとも２つのカウンタユニットは、異なるサイズの同一の形状、類似又は異なるサイズの異なる形状等を規定することもできる。カウンタユニットは、それの縦軸に沿ってそれの少なくとも実質的な部分に沿って少なくとも実質的に均一な形状及び／又はサイズを有することもでき、その部分及び／又は軸等に沿って変わる形状及び／又はサイズを有することもできる。
【０１１５】
カウンタユニットのサイズは、基本ユニット及び／又はソースのサイズに一致することもできる（又は一致しないこともできる）。かかるカウンタユニットを、かかる基本ユニット及び／又はソースの配列と同一、類似又は異なる配列で配置することもできる。カウンタユニットを、基本ユニット及び／又はソースの配列に一致する（又は一致しない）配列で配置することもできる。また、カウンタユニットを互いに関して又は基本ユニット及び／又はソースに関して対称（又は非対称）配列で配置することもできる。カウンタユニットを、有害波の伝播方向、電流及び／又は電圧の方向、基本ユニット又はソースの縦軸、基本ユニット又はソースの短軸等に整列することもできる（又は誤整列することもできる）。カウンタユニットのいずれも、ただ一部、１つは方向及び／又は軸の少なくとも１つに整列されるか（又は誤整列されるか）、又はいずれのカウンタユニットもその方向及び／又は軸の少なくとも１つに整列されないこともできる（又は誤整列されないこともできる）。また、カウンタユニット及び基本ユニットを、ターゲット空間から同一の（又は類似した）距離に配置することもできる。カウンタユニット及び／又は基本ユニットの少なくとも一部を、そのユニットのまた他の部分に配置するか、別の方法として、カウンタユニット及び基本ユニットをそのユニットの単一の共通軸等に沿って軸方向に配置することもできる。かかるカウンタユニットを基本ユニット又はソースの縦軸の周辺で角方向に配置することもできる。カウンタユニットを基本ユニット（又はソース）よりかかるターゲット空間にさらに近接して（又は離隔して）移動可能に又は固定的に配置することもできる。カウンタユニット又は基本ユニットを、ターゲット空間の同一の軸上に配置するか、別の方法として、かかるカウンタユニット及び基本ユニットをターゲット空間の反対側上に配置することもできる。カウンタユニットは基本ユニット（又はユニット等）に一致するか、別の方法として、かかるカウンタユニットは基本ユニット（又はユニット等）に一致することもできる。
【０１１６】
カウンタユニットを外部上に配置されるか、又は内部上に配置されるか及び／又は基本ユニット及び／又はソースで具現することもできる。カウンタユニットをシステムのケース部材上に、その部材に又はその部材内に配置することもできる。かかるカウンタユニット及び基本ユニットは少なくとも１つの共通材料で構成され及び／又はその材料を含むこともでき、同一の材料で構成され及び／又はその材料を含むか、又は任意の共通材料を含まないこともできる。カウンタユニット及び基本ユニットは、予め設定された距離の分だけ互いに分離されるか、又は互いに機械的にカップリングされるか、又は任意の物品等を形成することもできる。カウンタユニットを、ケース部材、基本ユニット、及び／又はシステムの他の部分に直接的にカップリングするか、又は少なくとも１つのカプラーを通じてそれらに間接的にカップリングすることもでき、カウンタユニットをその他の別のものに直間接的にカップリングすることもできる。カウンタユニットを、最小量の電流及び／又は電圧を消費しつつ、最小量の材料でカウンタ波を放出するように配列することもでき、その他の別の量でカウンタ波を放出するように配列することもできる。
【０１１７】
基本ユニットはソース電流及び／又は電圧の供給を受けることもでき、ここで、そのソース電流又は電圧をカウンタ電流又は電圧としてカウンタユニットに供給することもでき、ソース電流又は電圧の一部のみをカウンタ電流又は電圧としてカウンタユニットに供給することもでき、ソース電流又は電圧の少なくとも一部の振幅及び／又は方向が変更されてカウンタ電流又は電圧としてカウンタユニットに供給することもでき、外部電流又は電圧が形成され、ソース電流又は電圧と同期化されてカウンタ電流又は電圧としてカウンタユニットに供給することもでき、その他の別の電流又は電圧をカウンタユニットに供給することもできる。カウンタユニットは、同一のカウンタ電流又は電圧、異なるカウンタ電流又は電圧等の供給を受けることもできる。また、カウンタユニット及び基本ユニットを、直列モード、並列モード又はハイブリッドモードで互いに電気的にカップリングするか、別の方法として、互いに直接的にカップリングしないこともできる。カウンタユニットを、直列モード、並列モード又はハイブリッドモードで互いに電気的にカップリングするか、別の方法として、互いに直接的にカップリングしないこともできる。カウンタユニットの全て（又はそのカウンタユニットの一部のみ）は同一のモードで基本ユニットと電気的にカップリングするか、別の方法として、いずれのカウンタユニットも同一のモードで基本ユニットに電気的にカップリングされないこともできる。カウンタ波は、基本ユニットに関するカウンタユニットの配置に依存して、有害波の振幅より大きいか、その振幅と類似するか、又はその振幅より小さい振幅を規定することもできる。また、カウンタユニット及び基本ユニットは実質的に同一、類似、又は異なる共振周波数を規定するか、別の方法として、同一、類似、又は異なる共振周波数を規定することもできる。カウンタユニットの少なくとも一部及び／又はカウンタユニットの少なくとも１つのカウンタユニットは、残りのものの共振周波数と異なる共振周波数を有することもできる。
【０１１８】
また、かかるシステムは、上で又は現在係留中の出願で説明した磁気的シールドの少なくとも１つのシールドを含むこともできる。かかる磁気的シールドを、カウンタユニット及び／又は基本ユニットの少なくとも１つに、その上に、その上方に、その周辺に、その内部に又はそれを通じて配置することもできる。磁気的シールドは、カウンタユニット及び／又は基本ユニットの形状に少なくとも部分的に一致することもできる形状を規定するか、別の方法として、カウンタユニット及び／又は基本ユニットの形状と少なくとも部分的に異なることもできる形状を規定することもできる。磁気的シールドは、１，０００、１０，０００、１００，０００、１，０００，０００等よりさらに大きい相対的な磁気透磁率を有する少なくとも１つの経路部材を有することもできる。かかる磁気的シールドは少なくとも１つのＳ極を規定する少なくとも１つの磁気部材を含むこともできる。磁気的シールドはその磁気部材に直接的に又は間接的にカップリングされる少なくとも１つの分路部材（ｓｈｕｎｔ ｍｅｍｂｅｒ）を含むこともできる。かかる分路部材は、１，０００、１０，０００、１００，０００、１，０００，０００等よりさらに大きい相対的な磁気透磁率を有することもできる。上述の、又は現在係留中の出願で説明した磁気的シールドは、上述したデバイス中の任意のデバイスに含まれることもできる。システムは上で又は現在係留中の出願で説明した電気的シールドのうち少なくとも１つのシールドを含むこともできる。上述した及び／又は現在係留中の出願で説明したかかる電気的シールドは、上述したデバイス中の任意のデバイスに含まれることもできる。かかる磁気的及び／又は電気的シールドはカウンタユニット又は基本ユニットの縦軸に沿って均一に維持されるか、又は変わる形状及び／又はサイズを形成することもできる。磁気的及び／又は電気的シールドの形状及び／又はサイズはかかるカウンタユニット及び／又は基本ユニットの形状及び／又はサイズと同一、類似、又は異なることもできる。システムは多数の磁気的及び／又は電気的シールドを含むこともできる。磁気的及び／又は電気的シールドの少なくとも２つのシールドは、同一又は異なる範囲で同一又は異なる周波数を有する有害波の磁波及び／又は電波に対して保護することもできる。磁気的及び／又は電気的シールドをカウンタユニット及び／又は基本ユニットの少なくとも一部（又は全部分）にわたって配置することもできる。
【０１１９】
本発明のまた別の様態において、カウンタ電磁波を放出することにより、そのカウンタ波の形状を調整することにより、及び有害波がターゲット空間へ伝播することを抑制し、そのターゲット空間でその有害波を消去することにより、少なくとも１つの波源の少なくとも１つの基本ユニットから照射された有害な電磁波を抗する方法が提供され、ここで、かかる基本ユニットは、その有害波を照射し、それを通じてその有害波の経路に影響を与える原因となる波源の一部のみを含むように構成され、そのターゲット空間はそのソースと使用者との間に規定される。
【０１２０】
本発明のこのような様態の一つの例示的な実施形態において、方法は、少なくとも１つのカウンタユニットを提供するステップ（以下、「第１の提供ステップ」と指称する）；ソースよりさらに広いようにそのカウンタユニットを拡張させるステップ；有害波の波面の少なくとも一部にそのカウンタユニットの幅を整列させながらそのソースと使用者との間にそのカウンタユニットを配置させるステップ；及び、その後、ターゲット空間でその有害波を抗するために、その有害波と類似したカウンタ波をそのカウンタユニットにより放出するステップを含む。前記拡張ステップ及び配置ステップを、その波源よりさらに狭小であるようにそのカウンタユニットを拡張させるステップ；及び、その有害波の波面の少なくとも一部にそのカウンタユニットの幅を整列させながら、その波源に関してそのターゲット空間の反対側上にそのカウンタユニットを配置させるステップにより代替することもできる。
本発明のこのような様態のまた別の例示的な実施形態において、かかる方法は、単一のカウンタユニットを提供するステップ；多数の波面の第１のセットを有するカウンタ波をそのカウンタユニットにより放出するステップ；有害波の多数の波面の第２のセットを識別するステップ；かかる波面の第１のセットがターゲット空間でその波面の第２のセットにマッチングする波面の第２のセットに沿って少なくとも１つの位置を算定するステップ；及び、かかる位置にそのカウンタユニットを配置させることにより、ターゲット空間でそのカウンタ波でその有害波を抗するようにするステップを含む。
【０１２１】
本発明のこのような様態のまた別の例示的な実施形態において、かかる方法は、少なくとも２つのカウンタユニットを提供するステップ；類似した（又は同一の）位相角を有するカウンタ波をかかるカウンタユニットから放出し、それぞれがかかる少なくとも２つのカウンタユニットにより生成された少なくとも２つの波面の合算である多数の波面の第１のセットを形成するステップ；その第１のセットの波面のそれぞれの曲率半径での増加と、かかるカウンタユニット間の距離との間の関係を発見するステップ；有害波の多数の波面の第２のセットを識別するステップ；その波面の第１のセットがその波面の第２のセットにマッチングするかかるカウンタユニット間の距離を選択するステップ；その波面の第１のセットがその波面の第２のセットにマッチングするその波面の第２のセットでかかるカウンタユニットに対する少なくとも２つの位置を算定するステップ；及び、その距離により分離された位置でそのカウンタユニットを配置させることにより、そのターゲット空間でカウンタ波で有害波を抗するようにするステップを含む。前記放出ステップ及び発見ステップを、少なくとも部分的に反対である位相を有するカウンタ波をそのカウンタユニットにより放出し、それぞれがかかる少なくとも２つのカウンタユニットにより生成された少なくとも２つの波面の合算を示す多数の波面の第１のセットを規定するステップ；及び、その第１のセットの波面それぞれの曲率半径での減少と、そのカウンタユニット間の距離との間の関係を発見するステップにより代替することもできる。
【０１２２】
本発明のまた別の様態において、基本ユニットの少なくとも１つの特性をマッチングし、その後、有害波がターゲット空間に向けて伝播することを抑制すること及びそのターゲット空間でその有害波を消去することの少なくとも１つにより、少なくとも１つの波源の少なくとも１つの基本ユニットから照射された有害な電磁波を抗する方法が提供される。その基本ユニットは、その有害波を照射し、また、それを通じてその有害波の経路に影響を与える原因となる波源の一部のみを含むように構成され、そのターゲット空間はそのソースと使用者との間に規定され、その特性は、形状、サイズ、及び／又は配列を含む。
【０１２３】
本発明のこのような様態の一つの例示的な実施形態において、方法は、第１の提供ステップ；基本ユニットの特性にマッチングするようにカウンタユニットを構成するステップ；その構成ステップにより有害波と類似したカウンタ電磁波をそのカウンタユニットにより放出するステップ；及び、その後、ターゲット空間でカウンタ波によりその有害波にマッチングするための位置にそのカウンタユニットを配置させるステップを含む。その構成ステップを、その特性を最小に維持しつつ、その基本ユニットの構成よりさらに簡単な構成を規定するようにそのカウンタユニットを構成するステップ；その特性を少なくとも最小に維持しつつ、その基本ユニットの構成よりさらに複雑な構成を規定するようにそのカウンタユニットを構成するステップ；その特性を少なくとも最小に維持しつつ、その基本ユニットよりさらに少ない数のユニット軸により規定された次元を規定するようにそのカウンタユニットを求めるステップ；及び、その特性を最小に維持しつつ基本ユニットの次元よりさらに大きい数のユニット軸により規定された次元を規定するようにそのカウンタユニットを構成するステップのうちの１つのステップにより代替することもできる。
【０１２４】
本発明のこのような様態のまた別の例示的な実施形態において、かかる方法は、単一のカウンタユニットを提供するステップ；特性を維持しつつ単一の基本ユニットの構成よりさらに簡単な構成を有するようにそのカウンタユニットを構成するステップ；その構成ステップにより有害波と類似したカウンタ電磁波をかかるカウンタユニットにより放出するステップ；及び、ターゲット空間でカウンタ波によりかかる有害波にマッチングするための位置にそのカウンタユニットを配置させることにより、そのターゲット空間でその有害波をそのカウンタ波により抗するようにするステップを含む。前記構成ステップは、その特性を維持しつつ多数の基本ユニットの配列と類似した（又は同一の）構成を規定するようにそのカウンタユニットを構成するステップ；その特性を維持しつつ多数の基本ユニットの配列よりさらに少ない相互直交するユニット軸により形成された次元を有するようにかかるカウンタユニットを構成するステップ；及び、その特性を維持しつつ多数の基本ユニットの次元よりさらに多くの相互直交するユニット軸により形成された次元を有するようにそのカウンタユニットを構成するステップを含むこともできる。
【０１２５】
本発明のこのような様態のまた別の例示的な実施形態において、かかる方法は、多数のカウンタユニットを提供するステップ；特性を維持しつつ単一の基本ユニットの構成よりさらに簡単な構成で前記カウンタユニットの少なくとも２つのカウンタユニットを配列するステップ；前記構成により有害波と類似したカウンタ電磁波をそのカウンタユニットにより放出するステップ；及び、ターゲット空間でカウンタ波によりその有害波にマッチングするための位置にそのカウンタユニットを配置させることにより、そのターゲット空間でカウンタ波により有害波を抗するようにするステップを含む。前記配列ステップを、かかる特性を維持しつつ多数の基本ユニットの配列と類似又は同一の構成にそのカウンタユニットの少なくとも２つのユニットを配列するステップ；かかる特性を維持しつつ単一の基本ユニットのまた他の次元よりさらに少ない相互直交するユニット軸により形成された次元を規定する配列にかかるカウンタユニットを配列するステップ；及び、その特性を維持しつつ多数の基本ユニットの次元よりさらに多くの相互直交するユニット軸により形成された次元を有する配列にそのカウンタユニットを配列するステップのうちの１つのステップにより代替することもできる。
【０１２６】
本発明のこのような様態のまた別の例示的な実施形態において、かかる方法は、より大きい数の基本ユニットに対してより小さい数のかかるカウンタユニットを提供するステップ；基本ユニットの配列に近似し、特性を維持しつつそのカウンタユニットを配列するステップ；その配置により有害波と類似したカウンタ電磁波をそのカウンタユニットにより放出するステップ；及び、ターゲット空間でカウンタ波により有害波にマッチングするための位置にそのカウンタユニットを配置させることにより、そのターゲット空間でかかるカウンタ波でかかる有害波を抗するようにするステップを含む。かかる提供ステップ及び配列ステップを、より少ない数の基本ユニットに対してより多くの数のカウンタユニットを提供するステップ；及び、基本ユニットのうち少なくとも１つの基本ユニットの周辺にそのカウンタユニットの少なくとも２つのカウンタユニットを配置させ、その特性を維持しつつそのカウンタユニットを配列させるステップにより代替することもできる。
【０１２７】
本発明のこのような様態のまた別の例示的な実施形態において、かかる方法は、その第１の提供ステップ；基本ユニットに関して移動するようにカウンタユニットを構成するステップ；カウンタ電磁波をそのカウンタユニットにより放出するステップ；カウンタ波と有害波の間のマッチング範囲（又は程度）と、そのカウンタユニットからその基本ユニットまでの距離との間の関係を発見するステップ；そのカウンタ波がその有害波に最上にマッチングする位置を算定するステップ；及び、ターゲット空間でそのカウンタ波によりその有害波に最上にマッチングするための位置にそのカウンタユニットを移動させることにより、そのターゲット空間でそのカウンタ波によりその有害波を抗するようにするステップを有することもできる。
【０１２８】
本発明のまた別の様態において、有害波にマッチングすることにより及びその有害波がターゲット空間へ伝播することを抑制すること及びそのターゲット空間でその有害波を消去することの少なくとも１つにより、少なくとも１つの波源の少なくとも１つの基本ユニットから照射された有害な電磁波を抗する方法が提供される。かかる基本ユニットは、かかる有害波を照射し、それを通じて有害波の経路に影響を与える原因となる波源の一部のみを含むように構成され、そのターゲット空間は、そのソースと使用者との間に規定される。
【０１２９】
本発明のこのような様態の一つの例示的な実施形態において、方法は、有害波の多数の波面の第１のセットを識別するステップ；かかる波面の少なくとも１つの波面に沿って少なくとも１つのカウンタユニットを配置させるステップ；及び、そのターゲット空間でそのカウンタ波によりその有害波を抗するために、その配置ステップによりターゲット空間でその波面の第１のセットと類似した（又は同一の）多数の波面の第２のセットを形成するカウンタ電磁波をカウンタユニットにより放出するステップを含む。
【０１３０】
本発明のこのような様態のまた別の例示的な実施形態において、かかる方法は、有害波の多数の波面を識別するステップ；カウンタユニットの形状及び／又は配列と類似した多数の波面を規定するカウンタ電磁波を放出するために少なくとも１つのカウンタユニットを提供するステップ；その有害波の波面の少なくとも１つの波面に沿ってそのカウンタユニットを配置させるステップ；及び、その後、そのターゲット空間でそのカウンタ波でその有害波を抗するために、その提供ステップ及びその配置ステップによりターゲット空間でその有害波の波面にカウンタ波の波面を整列させる間、そのカウンタ波を放出するステップを有することもできる。また、前記提供ステップ及び配置ステップを、カウンタユニットの形状及び／又は配列と異なる多数の波面を規定するカウンタ電磁波を放出するために少なくとも１つのカウンタユニットを提供するステップ；及び、その提供ステップに基づいて有害波の波面の少なくとも２つの波面にわたって（又はその波面に沿って）そのカウンタユニットを配置させるステップにより代替することもできる。
【０１３１】
本発明のこのような様態のまた別の例示的な実施形態において、かかる方法は、有害波の多数の波面を識別するステップ；かかる波面の少なくとも１つの波面に沿って規定された配列で多数のカウンタユニットを配置させるステップ；そのカウンタユニットの配列と類似した多数の波面を規定するカウンタ電磁波を放出するようにそのカウンタユニットを構成するステップ；及び、そのターゲット空間でそのカウンタ波でその有害波を抗するために、その構成ステップによりターゲット空間でかかる有害波の波面にそのカウンタ波の波面を整列させる間、カウンタ波を放出するステップを有することもできる。また、前記配置ステップ及び構成ステップを、波面の少なくとも２つの波面にわたって又はその波面に沿った配列で多数のカウンタユニットを配置させるステップ、及びそのカウンタユニットの配列と異なる多数の波面を規定するカウンタ電磁波を放出するようにそのカウンタユニットを構成するステップにより代替することもできる。
【０１３２】
本発明のこのような様態のまた別の例示的な実施形態において、方法は、その第１の提供ステップ；有害波の多数の波面を識別するステップ；多数の波面を有する電磁波をかかるカウンタユニットにより放出するステップ；基本ユニットとターゲット空間との間にそのカウンタユニットを位置させるステップ；その有害波のより長い曲率半径とかかるカウンタ波の波面のより短い曲率半径を比較するステップ；及び、かかるカウンタ波及び有害波の曲率半径がターゲット空間で互いに最上にマッチングされるように構成される位置にそのカウンタユニットを配置させることにより、そのターゲット空間でそのカウンタ波によりその有害波を抗するようにするステップを有することもできる。かかる位置させるステップ及び比較ステップを、基本ユニットに関してターゲット空間の反対側上にそのカウンタユニットを配置させるステップ；及び、その後、カウンタ波の波面のより長い曲率半径を有害波のより短い曲率半径と比較するステップにより代替することもできる。
【０１３３】
本発明のこのような様態のまた別の例示的な実施形態において、かかる方法は、その第１の提供ステップ；基本ユニットに関して移動するようにカウンタユニットを構成するステップ；カウンタ電磁波をそのカウンタユニットにより放出するステップ；カウンタ波の曲率半径と有害波の曲率半径の間のマッチングの範囲（又は程度）と、そのカウンタユニットからその基本ユニットまでの距離との間の関係を発見するステップ；そのカウンタ波がその有害波に最上にマッチングする位置を算定するステップ；及び、かかるターゲット空間でそのカウンタ波によりその有害波にマッチングするための位置にそのカウンタユニットを移動させることにより、そのターゲット空間でそのカウンタ波によりその有害波を抗するようにするステップを有することもできる。
【０１３４】
本発明のまた別の様態において、少なくとも１つのカウンタユニットによりカウンタ電磁波を放出することにより及び有害波に向けて予め設定された方向にカウンタ波を伝播することにより、少なくとも１つの波源の少なくとも１つの基本ユニットから照射された有害な電磁波を抗する方法が提供される。基本ユニットは、その有害波を照射し、それを通じてその有害波の経路に影響を与える原因となるソースの一部のみを含むように構成されるが、そのターゲット空間はその波源と使用者との間に規定される。
【０１３５】
本発明のこのような様態の一つの例示的な実施形態において、方法は、有害波の形状と類似した形状及び少なくとも部分的に反対である位相角を規定するようにカウンタ波を構成するステップ（以下、「第１の構成ステップ」と指称する）；カウンタユニットにより基本ユニットの少なくとも一部を取り囲むステップ；及び、そのターゲット空間でそのカウンタ波によりその有害波を抗するために、かかるターゲット空間でその有害波を取り囲む一方、カウンタ波を放出するステップを含む。前記取り囲むステップを、基本ユニットの少なくとも一部の周辺に多数のカウンタユニットを配置させるステップにより代替することもできる。
【０１３６】
本発明のこのような様態のまた別の例示的な実施形態において、かかる方法は、第１の構成ステップ；その基本ユニット内にカウンタユニットの少なくとも一部を配置させるステップ；及び、そのターゲット空間でそのカウンタ波によりその有害波を抗するために、ターゲット空間で有害波により取り囲む一方、カウンタ波を放出するステップを有することもできる。前記配置ステップを、多数の基本ユニットによりそのカウンタユニットの少なくとも一部を取り囲むステップにより代替することもできる。
【０１３７】
本発明のこのような様態のまた別の例示的な実施形態において、かかる方法は、第１の構成ステップ；基本ユニットに対して側面にカウンタユニットを配置させるステップ；及び、その後、そのターゲット空間でそのカウンタ波によりその有害波を抗するために、有害波と共にターゲット空間にカウンタ波を放出するステップを有することもできる。前記配置ステップを、基本ユニットの縦軸に沿って及びその基本ユニットに離隔してそのカウンタユニットを配置させるステップ；及び、カウンタユニット及び基本ユニットのうちの１つのユニットの少なくとも一部をそのユニットのまた他のユニットにより取り囲むステップのうちの１つのステップにより代替することもできる。
【０１３８】
本発明のこのような様態のまた別の例示的な実施形態において、かかる方法は、その第１の構成ステップ；かかる有害波の伝播方向にカウンタユニットを整列させるステップ；及び、そのターゲット空間でそのカウンタ波によりその有害波を抗するために、かかる有害波と共にターゲット空間に向けてカウンタ波を放出するステップを有することもできる。前記整列ステップを、基本ユニットに印加された電流及び／又は電圧の方向にそのカウンタユニットを整列させるステップ；その基本ユニットの縦軸にそのカウンタユニットを整列させるステップ；その基本ユニットの短軸にそのカウンタユニットを整列させるステップ等のうちの１つのステップにより代替することもできる。
【０１３９】
本発明のこのような様態のまた別の例示的な実施形態において、かかる方法は、その第１の構成ステップ；基本ユニットとターゲット空間の間にカウンタユニットを配置させるステップ；有害波の振幅より小さい振幅を有するカウンタ波をそのカウンタユニットにより放出するステップ；及び、その有害波と共にターゲット空間に向けてカウンタ波を伝播させることにより、そのターゲット空間でそのカウンタ波によりその有害波を抗するようにするステップを含む。前記配置ステップ及び放出ステップを、基本ユニットに関してターゲット空間の反対側上にそのカウンタユニットを配置させるステップ；及び、その有害波の振幅よりさらに大きい振幅を規定するカウンタ波をそのカウンタユニットにより放出するステップにより代替することもできる。
【０１４０】
本発明のこのような様態のまた別の例示的な実施形態において、かかる方法は、その第１の構成ステップ；基本ユニットとターゲット空間の間にカウンタユニットを配置させるステップ；その基本ユニットの幅よりさらに大きい幅を有するように有害波の伝播方向と垂直である方向にそのカウンタユニットを拡張させるステップ；及び、その有害波と共にそのターゲット空間に向けてそのカウンタ波を放出することにより、そのターゲット空間でそのカウンタ波によりその有害波を抗するようにするステップを有する。前記配置ステップ及び拡張ステップを、その基本ユニットに関してそのターゲット空間の反対側上にそのカウンタユニットを配置させるステップ；及び、その有害波の伝播方向と垂直である方向でその基本ユニットの幅より小さい幅にそのカウンタユニットを拡張させるステップにより代替することもできる。
【０１４１】
本発明のまた別の様態において、カウンタ電磁波を放出することにより、及びターゲット空間でそのカウンタ波で有害波を消去すること及びその有害波がそのターゲット空間へ伝播することを抑制することの少なくとも１つにより少なくとも１つの波源の少なくとも１つの基本ユニットから照射された有害な電磁波をそのカウンタ波により抗する方法が提供される。その基本ユニットは、その有害波を照射し、またそれを通じてその有害波の経路に影響を与える原因となるソースの一部のみを含むように構成されるが、そのターゲット空間はその波源と使用者との間に規定される。
【０１４２】
本発明のこのような様態の一つの例示的な実施形態において、方法は、カウンタ波を放出する単一のカウンタユニットを提供するステップ；その第１の構成ステップ；及び、単一の基本ユニットにより照射されたその有害波をそのカウンタ波により抗するようにするステップを含む。
【０１４３】
本発明のこのような様態のまた別の例示的な実施形態において、かかるカウンタ波を放出する単一のカウンタユニットを提供するステップ；その第１の構成ステップ；及び、全ての多数の基本ユニットにより照射された有害波の合算をそのカウンタ波で抗するようにするステップを有する。前記カウンタリングステップを、多数の基本ユニットの全てではない、そのユニットの少なくとも１つのユニットにより照射された有害波をそのカウンタ波により抗するようにするステップにより代替することもできる。
【０１４４】
本発明のこのような様態のまた別の例示的な実施形態において、かかる方法は、かかるカウンタ波を放出する多数のカウンタユニットを提供するステップ；その第１の構成ステップ；及び、その後、全てのカウンタユニットにより放出された全てのカウンタ波の合算により単一の基本ユニットから照射された有害波を抗するようにするステップを有する。
【０１４５】
本発明のこのような様態のまた別の例示的な実施形態において、かかる方法は、かかるカウンタ波を放出する多数のカウンタユニットを提供するステップ；その第１の構成ステップ；及び、その後、そのカウンタユニットの少なくとも２つのカウンタユニットにより放出されたカウンタ波のまた他の合算で多数の基本ユニットの全てにより照射された有害波の合算を抗するようにするステップを有する。前記カウンタリングステップを、そのカウンタユニットの少なくとも２つのカウンタユニットにより放出されたカウンタ波のまた他の合算により多数の基本ユニットの全てではない、その基本ユニットの少なくとも１つの基本ユニットにより照射された有害波を抗するようにするステップにより代替することもできる。
【０１４６】
本発明のこのような様態のまた別の例示的な実施形態において、かかる方法は、それぞれがカウンタ波のセットを放出する少なくとも２つのカウンタユニットを提供するステップ；また他の基本ユニットに関して移動するようにそのカウンタユニットの少なくとも１つのカウンタユニットを構成するステップ；その第１の構成ステップ；及び、その後、放出時にかかる基本ユニットに関してかかるカウンタユニットの少なくとも１つのカウンタユニットを移動させ、それにより、単一の基本ユニットから照射された有害波をカウンタ波の異なる数のセットで抗するようにするステップを有する。
【０１４７】
本発明のまた別の様態において、少なくとも１つの曲線型ワイヤとして形成された少なくとも１つの波源から照射される有害な電磁波をカウンタ電磁波を放出することにより抗する方法が提供される。
【０１４８】
本発明のこのような様態の一つの例示的な実施形態において、方法は、その第１の提供ステップ；ワイヤ、ストリップ及びシートのうちの１つとしてそのカウンタユニットを形成するステップ；そのワイヤに沿って及びそのワイヤに近接してかかるカウンタユニットを配置させるステップ；及び、カウンタ波により有害波を抗するためにそのカウンタユニットからかかるカウンタ波を放出しつつ、そのワイヤの波源及びそのカウンタユニットに電流を反対方向に供給するステップ（以下、「第１の供給ステップ」と指称する）を含む。前記配置ステップを、そのワイヤの周辺及びそのワイヤに近接してそのカウンタユニットを編組するステップにより代替することもできる。
【０１４９】
本発明のこのような様態のまた別の例示的な実施形態において、かかる方法は、それぞれがワイヤ、ストリップ、及び／又はシートとして形成された多数のカウンタユニットを提供するステップ；そのワイヤの周辺及びそのワイヤに近接してそのカウンタユニットを配置させるステップ；及び、その第１の供給ステップを有する。かかる配置ステップを、そのワイヤの周辺及びそのワイヤに近接してそれぞれのカウンタユニットを同一又は異なる方向に編組するステップにより代替することもできる。
【０１５０】
本発明のこのような様態のまた別の例示的な実施形態において、かかる方法は、その第１の提供ステップ；少なくとも１つのコイル又は螺旋としてカウンタユニットを形成するステップ；ワイヤの周辺にそのカウンタユニットを巻くステップ；及び、その第１の供給ステップを有する。前記形成ステップ及び巻くステップを、シート又はメッシュとしてそのカウンタユニットを形成するステップ；及び、そのワイヤの周辺にかかるカウンタユニットを巻くステップにより代替することもできる。また、前記形成ステップ及び巻くステップを、ルーメン（ｌｕｍｅｎ）を有する環状チューブにそのカウンタユニットを形成するステップ；及び、そのカウンタユニットのルーメン内にそのワイヤを配置させるステップにより代替することもできる。
【０１５１】
本発明のこのような様態のまた別の例示的な実施形態において、かかる方法は、ワイヤの周辺に形成された有害波の多数の波面を識別するステップ；前記波面の少なくとも１つの波面に沿って少なくとも１つのカウンタユニットを配置させるステップ；及び、そのワイヤの波面と類似した（又は同一の）多数の波面のカウンタ波をそのカウンタユニットにより放出し、それにより、そのカウンタ波でその有害波を抗するようにするステップを有する。
【０１５２】
本発明のまた別の様態において、少なくとも１つの曲線型ストリップ（又はシート）として形成された少なくとも１つの波源から照射された有害な電磁波を、カウンタ電磁波を放出することにより抗する方法が提供される。
【０１５３】
本発明のこのような様態の一つの例示的な実施形態において、方法は、その第１の提供ステップ；ワイヤ、ストリップ、又はシートとしてカウンタユニットを形成するステップ；そのストリップ（又はシート）に沿って及びそのストリップに近接してそのカウンタユニットを配置させるステップ；及び、カウンタ波によりかかる有害波を抗するためにそのカウンタユニットによりそのカウンタ波を放出しつつ、そのストリップ（又はシート）の波源及びそのカウンタユニットに電流を反対方向に供給するステップ（以下、「第２の供給ステップ」と指称する）を含む。また、かかる配置ステップを、そのストリップ（又はシート）の周辺及びそのストリップに近接してそのカウンタユニットを編組するステップにより代替することもできる。
【０１５４】
本発明のこのような様態のまた別の例示的な実施形態において、かかる方法は、それぞれがワイヤ、ストリップ又はシートとして形成された多数のカウンタユニットを提供するステップ；そのストリップ（又はシート）の周辺及びそのストリップに近接してかかるカウンタユニットを配置させるステップ；及び、その第２の供給ステップを有する。かかる配置ステップを、そのストリップ（又はシート）の周辺及びそのストリップに近接してそれぞれのカウンタユニットを同一の方向及び異なる方向中のいずれか一方向に編組するステップにより代替することもできる。
【０１５５】
本発明のこのような様態のまた別の例示的な実施形態において、かかる方法は、その第１の提供ステップ；少なくとも１つのコイル及び少なくとも１つの螺旋のうちの１つとしてカウンタユニットを形成するステップ；ストリップ（又はシート）の周辺にそのカウンタユニットを巻くステップ；及び、その後、第２の供給ステップを有する。その形成ステップ及び巻くステップを、シート又はメッシュとしてそのカウンタユニットを形成するステップ；及び、そのストリップ（又はシート）の周辺にそのカウンタユニットを巻くステップにより代替することもできる。また、前記形成ステップ及び巻くステップを、ストリップ等（又はシート等）の対としてそのカウンタユニットを形成するステップ；及び、そのストリップ等（又はシート等）の間にそのワイヤを配置させるステップにより代替することもできる。
【０１５６】
本発明のこのような様態のまた別の例示的な実施形態において、かかる方法は、そのストリップ（又はシート）の周辺に有害波の多数の波面を識別するステップ；その波面の少なくとも１つの波面に沿って少なくとも１つのカウンタユニットを配置させるステップ；及び、そのストリップ（又はシート）の波面と類似した（又は同一の）多数の波面と共にかかるカウンタ波をそのカウンタユニットから放出し、それにより、そのカウンタ波でその有害波を抗するようにするステップを有する。
【０１５７】
本発明のまた別の様態において、ルーメンを有する少なくとも１つの環状チューブとして形成された少なくとも１つの波源から照射される有害な電磁波をカウンタ電磁波を放出することにより抗する方法が提供される。
【０１５８】
本発明のこのような様態の一つの例示的な実施形態において、方法は、その第１の提供ステップ；ワイヤ、ストリップ又はシートとしてカウンタユニットを形成するステップ；チューブに沿って及びそのチューブに近接してそのカウンタユニットを配置させるステップ；及び、カウンタ波により有害波を抗するためにそのカウンタユニットによりそのカウンタ波を放出しつつ、そのチューブの波源及びそのカウンタユニットに電流を反対方向に沿って供給するステップ（以下、「第３の供給ステップ」と指称する）を含む。かかる配置ステップを、そのチューブの周辺及びそのチューブに近接してそのカウンタユニットを編組するステップにより代替することもできる。
【０１５９】
本発明のこのような様態のまた別の例示的な実施形態において、かかる方法は、それぞれがワイヤ、ストリップ又はシートとして形成された多数のカウンタユニットを提供するステップ；チューブの周辺及びそのチューブに近接してそのカウンタユニットを配置させるステップ；及び、その第３の供給ステップを有する。前記配置ステップを、そのチューブの周辺及びそのチューブに近接してそれぞれのカウンタユニットを同一又は異なる方向に編組するステップにより代替することもできる。
【０１６０】
本発明のこのような様態のまた別の例示的な実施形態において、方法は、その第１の供給ステップ；少なくとも１つのワイヤ又はストリップとしてカウンタユニットを形成するステップ；チューブのルーメン内にそのカウンタユニットを配置させるステップ；及び、その第３の供給ステップを有する。
【０１６１】
本発明のこのような様態のまた別の例示的な実施形態において、かかる方法は、その第１の供給ステップ；少なくとも１つのコイル又は螺旋としてカウンタユニットを形成するステップ；チューブの周辺にそのカウンタユニットを巻くステップ；及び、その第３の供給ステップを有する。前記形成ステップ及び巻くステップを、シート及びメッシュのうちの１つにカウンタユニットを形成し、その後、そのチューブの周辺にそのカウンタユニットを巻くステップ；ルーメンを有するより大きいチューブにカウンタユニットを形成し、その後、そのカウンタユニットのルーメン内にそのチューブを配置させるステップ；及び、ルーメンを有するより小さいチューブにカウンタユニットを形成し、その後、そのチューブのルーメン内にそのカウンタユニットを配置させるステップにより代替することもできる。
【０１６２】
本発明のこのような様態のまた別の例示的な実施形態において、かかる方法は、チューブの周辺に形成された有害波の多数の波面を識別するステップ；その波面の少なくとも１つの波面に沿って少なくとも１つのカウンタユニットを配置させるステップ；及び、その後、そのチューブの波面と類似した（又は同一の）多数の波面を有するカウンタ波をそのカウンタユニットにより放出し、それにより、そのカウンタ波でその有害波を抗するようにするステップを有することもできる。
【０１６３】
本発明のまた別の様態において、カウンタ電磁波を放出するために、少なくとも１つの曲線型コイルに形成された少なくとも１つの波源から照射される有害な電磁波を抗する方法が提供される。
【０１６４】
本発明のこのような様態の一つの例示的な実施形態において、方法は、その第１の提供ステップ；互いに隣接したかかるコイルの反対末端を配置させることによりトロイドにカウンタユニットを形成するステップ；そのコイルに電流を供給するステップ；及び、カウンタ波により有害波を抗するためにそのカウンタユニットによりそのカウンタ波を放出しつつ、そのコイルの波源及びそのカウンタユニットに電流を反対方向に供給するステップ（以下、「第４の供給ステップ」と指称する）を含む。
【０１６５】
本発明のこのような様態のまた別の例示的な実施形態において、かかる方法は、その第１の提供ステップ；基本ユニットのコイルより小さいワイヤ、ストリップ又は螺旋としてカウンタユニットを形成するステップ；そのカウンタユニットの周辺にかかる基本ユニットのコイルを巻くステップ；及び、その第４の供給ステップを有する。前記形成ステップ及び巻くステップを、その基本ユニットのコイルより小さいまた他のコイルとしてそのカウンタユニットを形成するステップ；及び、そのカウンタユニットの周辺にその基本ユニットのコイルを巻くステップにより代替することもできる。
【０１６６】
本発明のこのような様態のまた別の例示的な実施形態において、方法は、その第１の提供ステップ；また他のコイルとしてカウンタユニットを形成するステップ；カウンタユニット及び基本ユニットのコイルを互いに隣接するように配置させるステップ；及び、その第４の供給ステップを含む。かかる配置ステップを、カウンタユニット及び基本ユニットのコイルを編組するステップにより代替することもできる。
【０１６７】
本発明のこのような様態のまた別の例示的な実施形態において、かかる方法は、かかるコイルの周辺に形成された有害波の多数の波面を識別するステップ；波面の少なくとも１つの波面に沿って少なくとも１つのカウンタユニットを配置させるステップ；及び、その後、カウンタ波でその有害波を抗するために、チューブの波面と類似した（又は同一の）多数の波面を有するかかるカウンタ波をそのカウンタユニットにより放出するステップを有する。
【０１６８】
本発明のかかる方法様態の実施形態は、次の特性中の１つ以上を含むこともでき、また、前記方法の構成及び／又は動作変更及び／又は変形は、本発明の範囲内にある。
【０１６９】
かかるカウンタリングステップは有害波を抗するが、可聴波を保護するステップを含むこともできる。そのカウンタリングステップは、有害波の少なくとも一部がターゲット空間に向けて伝達することをカウンタ波により抑制するステップ；そのターゲット空間でそのカウンタ波によりその有害波の一部を消去するステップ、等のうち少なくとも１つのステップを含むこともできる。また、そのカウンタリングステップは、約５０Ｈｚ乃至６０Ｈｚ未満の周波数の有害波を抗するようにするステップ；約３００Ｈｚ未満の周波数を規定する有害波を抗するようにするステップ；及び、約１ｋＨｚ未満の周波数の有害波を抗するようにするステップの少なくとも１つのステップを含むこともできる。また、カウンタリングステップは、約１０ｋＨｚ未満の周波数を有するかかる有害波を抗するようにするステップ；約１００ｋＨｚ未満の周波数の有害波を抗するようにするステップ；約１ＭＨｚ、１０ＭＨｚ、１００ＭＨｚ、１ＧＨｚ、１０ＧＨｚ、１００ＧＨｚ、１ＴＨｚ等未満の周波数を有する有害波を抗するようにするステップの少なくとも１つのステップを含むこともできる。そのカウンタリングステップは、予め設定された周波数範囲の一部でのみ有害波をカウンタリングしつつ、その周波数範囲の残りを保護するステップ；有害波の磁波を抗するようにするステップ；有害波の全部分を抗するステップ等のうち少なくとも１つのステップを含むこともできる。
【０１７０】
その影響を与えるステップは、永久磁石を含むステップ；電圧を印加するステップ；電流を流すステップ等のうち少なくとも１つのステップを含むこともできる。かかる拡張ステップは、カウンタユニットの長さに沿ってそのカウンタユニットを延長させるステップ；カウンタユニットの幅に沿ってそのカウンタユニットを広げるステップ等のうち少なくとも１つのステップを含むこともできる。その提供ステップは、ワイヤ、ストリップ、シート、チューブ、コイル、螺旋及びメッシュの少なくとも１つの形状にカウンタユニットを形成するステップ；その形状の混合、その形状の結合、及びその形状のアレイにそのカウンタユニットを形成するステップ等のうち少なくとも１つのステップを含むこともできる。その形成ステップは、カウンタユニットの多数のワイヤのアレイ（又はバンドル）によりかかる基本ユニットの少なくとも一部を取り囲むステップ；カウンタユニットの多数のストリップのアレイ（又はバンドル）により基本ユニットの一部を取り囲むステップ；カウンタユニットの多数のシートのアレイ（又はバンドル）により基本ユニットの一部を取り囲むステップ；カウンタユニットの多数のチューブのアレイ（又はバンドル）により基本ユニットの一部を取り囲むステップ；基本ユニットの一部をカウンタユニットの少なくとも１つのコイルで巻くステップ；多数のコイルのアレイ（又はバンドル）で基本ユニットの一部を巻くステップ；及び、カウンタユニットの少なくとも１つの環状メッシュで基本ユニットの一部を取り囲むステップの少なくとも１つのステップを含むこともできる。また、かかるカウンタユニットの形成ステップは、カウンタユニットの少なくとも一部に対して単一のワイヤを拡張させるステップ；その一部に対して多数のワイヤのアレイ（又はバンドル）を拡張させるステップ；その一部に対して単一のストリップを拡張させるステップ；その一部に対して多数のストリップのアレイ（又はバンドル）を拡張させるステップ；その一部に対して単一のシートを拡張させるステップ；その一部に対して多数のシートのアレイ（又はバンドル）を拡張させるステップ；その一部に対して単一のチューブを拡張させるステップ；その一部に対して多数のチューブのバンドル（又はアレイ）を拡張させるステップ；その一部に対して単一のコイルを巻くステップ；その一部に対して多数のコイルのバンドル（又はアレイ）を巻くステップ；その一部に対して単一の環状メッシュを拡張させるステップ；及び、その一部に対して多数の環状メッシュのアレイ（又はバンドル）を拡張させるステップの少なくとも１つのステップを含むこともできる。
【０１７１】
その提供ステップは、基本ユニットを通じてカウンタユニットを露出させるステップ；基本ユニットの下に（又は内に）カウンタユニットを隠蔽するステップ等のうち少なくとも１つのステップを含むこともできる。その提供ステップは、カウンタユニットを固定的に配置させるステップ；カウンタユニットを移動可能に配置させるステップ等のうち少なくとも１つのステップを含むこともできる。その提供ステップは、同一の材料の基本及びカウンタユニットを形成するステップ；異なる材料の基本及びカウンタユニットを形成するステップ；その基本及びカウンタユニットで全ての材料ではないが、その材料の少なくとも１つを含むステップ等のうち少なくとも１つのステップを含むこともできる。その提供ステップは、類似した（又は同一の）共振周波数を有するように基本及びカウンタユニットを配列するステップ；異なる共振周波数を規定するように基本及びカウンタユニットを配列するステップ等のうち少なくとも１つのステップを含むこともできる。
【０１７２】
その配置ステップは、基本ユニットに関して側面に（又は並んで）カウンタユニットを配置させるステップ；そのユニットのまた他のユニットでカウンタユニット及び基本ユニットの少なくとも１つのユニットを取り囲むステップ；その基本ユニット及びカウンタユニットを軸方向に整列させるステップ等のうち少なくとも１つのステップを含むこともできる。かかる取り囲むステップは、基本ユニット（又はソース）上に（又は周辺に）間接的にカウンタユニットを配置させるステップ；基本ユニット（又はソース）上に（又は周辺に）直接的にカウンタユニットを配置させるステップ等のうち少なくとも１つのステップを含むこともできる。また、その取り囲むステップは、カウンタユニットの少なくとも２つのユニットを同心で配置するステップ；直列モード、並列モード、及びハイブリッドモードのいずれか一つのモードでカウンタユニットを電気的にカップリングさせるステップ等のうち少なくとも１つのステップを含むこともできる。その整列ステップは、基本ユニットの縦軸にカウンタユニットを整列させるステップ；基本ユニットの短軸にカウンタユニットを整列させるステップ；基本ユニットに流れる電流（又はその基本ユニットに印加された電圧）の方向にカウンタユニットを整列させるステップ；有害波の伝播方向にカウンタユニットを整列させるステップ等のうち少なくとも１つのステップを含むこともできる。
【０１７３】
そのカウンタユニットを構成するステップは、カウンタユニットの形状を制御するステップ；カウンタユニットのサイズを制御するステップ；カウンタユニットの配列を制御するステップ等のうち少なくとも１つのステップを含むこともできる。その配置ステップは、基本ユニット（又はターゲット空間）に関してかかるカウンタユニットの配向を制御するステップ；その基本ユニットに関してカウンタユニットの整列を制御するステップ；カウンタユニットと基本ユニット（又はターゲット空間）の間の第１の距離を制御するステップ；カウンタユニットの間の第２の距離を制御するステップの少なくとも１つのステップを含むこともできる。
【０１７４】
その放出ステップは、カウンタ波及び有害波が少なくとも部分的に反対である方向に沿って伝播する時、その有害波の位相角と少なくとも類似するようにカウンタ波の位相角を制御するステップ；カウンタ波及び有害波が少なくとも類似した方向に沿って伝播する時、その有害波の位相角と少なくとも反対であるようにカウンタ波の位相角を制御するステップ；及び、カウンタ波及び有害波が互いに横断する方向に伝播する時、その有害波の位相角に横断するようにカウンタ波の位相角を制御するステップの少なくとも１つのステップを有することもできる。かかる放出ステップは、ターゲット空間で測定される時、有害波の振幅より大きいように（又は小さいように）カウンタ波の振幅を操作するステップ；基本ユニットで測定される時、有害波の振幅と類似（又は同一）するようにカウンタ波の振幅を操作するステップ等のうち少なくとも１つのステップを含むこともできる。その放出ステップは、有害波と同一の方向にカウンタ波を伝播するステップ；かかる基本ユニットのそれぞれにより照射された有害波の方向と異なる方向であるが、その基本ユニットからの有害波の合算の方向とは同一の方向にカウンタ波を伝播するステップのうちの１つのステップを含むこともできる。その放出ステップは、有害波の位相角と少なくとも部分的に（又は実質的に）反対であるようにカウンタ波の位相角を操作するステップを含むこともできる。
【０１７５】
また、その方法は、基本ユニットの全部分に電流を流すステップ；基本ユニットの一部にのみ電流を流すステップ；基本ユニットの全部分にかかる電圧を印加するステップ；基本ユニットの一部にのみかかる電圧を印加するステップのうちの１つのステップを含むこともできる。その方法は、基本（又はカウンタ）ユニットを通じて単一の方向に電流を流すステップ；基本（又はカウンタ）ユニットの異なる部分に異なる方向に沿ってかかる電流を流すステップ；基本（又はカウンタ）ユニットを通じて単一の方向にかかる電圧を印加するステップ；基本（又はカウンタ）ユニットの異なる部分に沿って異なる方向にかかる電圧を印加するステップ等のうちの１つのステップを含むこともできる。その方法は有害波のために多数の基本ユニットを提供するステップを含むこともでき、その流すステップは、同一の方向に沿って同一の振幅を有する電流を全ての基本（又はカウンタ）ユニットに流すステップ；基本（又はカウンタ）ユニットに沿って異なる方向に同一の振幅の電流を流すステップ；同一の方向に異なる振幅の電流を全ての基本（又はカウンタ）ユニットに流すステップ；異なる方向に異なる振幅の電流を基本（又はカウンタ）ユニットに流すステップ等のうちの１つのステップを含むこともできる。その方法は有害波のために多数の基本ユニットを提供するステップを含むこともでき、その印加ステップは、同一の方向に沿って同一の振幅を有する電圧を全ての基本（又はカウンタ）ユニットに印加するステップ；基本（又はカウンタ）ユニットに沿って異なる方向に同一の振幅の電圧を印加するステップ；同一の方向に異なる振幅の電圧を全ての基本（又はカウンタ）ユニットに印加するステップ；異なる方向に異なる振幅の電圧を基本（又はカウンタ）ユニットに印加するステップ等のうちの１つのステップを含むこともできる。
【０１７６】
かかる流すステップは、同一の（又は異なる）振幅の電流をカウンタユニットに流すステップ；基本ユニットに供給された電流から誘導されず基本ユニットに供給された電流の時間パターンと少なくとも部分的に類似した時間パターンを有することもできるまた他の電流をカウンタユニットに流すステップ；基本ユニットへの電流から誘導されず基本ユニットへの電流の時間パターンと異なる時間パターンを有することもできるまた他の電流をカウンタユニットを通じて流すステップ等のうちの１つのステップを含むこともできる。かかる電流を流すステップは、基本ユニット、その後カウンタユニットにかかる電流を流すステップ；カウンタユニット、その後基本ユニットに電流を流すステップ；基本及びカウンタユニットに少なくとも同時にかかる電流を流すステップ等のうちの１つのステップを含むこともできる。
【０１７７】
本発明のまた別の様態において、カウンタ電磁波を放出することにより、かかるカウンタユニットの形状を制御することにより、及び有害波がターゲット空間に向けて伝播することを抑制すること及びそのターゲット空間でそのカウンタ波により有害波を消去することの少なくとも１つにより、少なくとも１つの波源の少なくとも１つの基本ユニットから照射された有害な電磁波をカウンタ波により抗するようにするシステムが提供され、ここで、かかる基本ユニットは、その有害波を照射し、それを通じてその有害波の経路に影響を与える原因となるソースの一部のみを含むように構成され、そのターゲット空間は、そのシステムと使用者との間に規定される。
【０１７８】
本発明のこのような様態の一つの例示的な実施形態において、かかるシステムは、基本ユニットの幅よりさらに長い幅を有するように少なくとも１つのカウンタユニットを配列させるステップ；有害波の波面の少なくとも一部にカウンタユニットの幅を整列させる間、波源と使用者の間にそのカウンタユニットを配置させるステップ；その有害波と類似した波特性を規定するが、その有害波と少なくとも部分的に反対である位相角を有するかかるカウンタ波を放出するようにそのカウンタユニットを構成するステップ；及び、そのターゲット空間でそのカウンタ波によりその有害波を抗するためにカウンタ波をターゲット空間に向けて伝播するようにそのカウンタユニットを整列させるステップ（以下、「第１の整列ステップ」と指称する）を含むプロセスにより製作される。かかる整列ステップ及び配置ステップを、基本ユニットより狭小な幅を規定するように少なくとも１つのカウンタユニットを配列させるステップ；及び、有害波の波面の少なくとも一部にそのカウンタユニットの幅を整列させる間、波源に関してターゲット空間の反対側上にそのカウンタユニットを配置させるステップにより代替することもできる。
【０１７９】
本発明のこのような様態のまた別の例示的な実施形態において、システムは、有害波の多数の波面を識別するステップ；その有害波の位相角と少なくとも部分的に反対である位相角を有し、また、基本ユニットからの予め設定された距離に配置される時、その有害波の波面にマッチングすることのできる多数の波面を規定するカウンタ波を放出するように単一のカウンタユニットを構成するステップ；その基本ユニットからのその距離にそのカウンタユニットを配置させるステップ；及び、その第１の整列ステップを含むプロセスにより製作される。
【０１８０】
本発明のこのような様態のまた別の例示的な実施形態において、システムは、少なくとも２つのカウンタユニットを提供するステップ；類似した（又は同一の）位相角を規定し、それぞれがカウンタユニットにより生成された少なくとも２つの波面の合算に対応する多数の波面の第１のセットを有するカウンタ波を放出するようにかかるカウンタユニットを構成するステップ；その第１のセットの波面のそれぞれの曲率半径での増加と、かかるカウンタユニット間の距離との間の関係を発見するステップ；有害波の多数の波面の第２のセットを識別するステップ；基本ユニットからの予め設定された距離に配置される時、その第２のセットの波面の曲率半径とその第１のセットの波面の曲率半径をマッチングするようにカウンタユニットを構成するステップ；その距離にカウンタユニットを配置させるステップ；及び、その後、その第１の整列ステップを含むプロセスにより製作される。また、前記構成ステップ及び発見ステップを、少なくとも部分的に反対である位相角、及びそれぞれがカウンタユニットにより生成された少なくとも２つの波面の合算に対応する多数の波面の第１のセットを規定するカウンタ波を放出するようにそのカウンタユニットを構成するステップ；及び、その第１のセットの波面それぞれの曲率半径での減少と、カウンタユニット間の距離との間の関係を発見するステップにより代替することもできる。
【０１８１】
本発明のまた別の様態において、カウンタ電磁波を放出することにより、そのカウンタ波により基本ユニットの少なくとも１つの特性にマッチングすることにより、及びターゲット空間でそのカウンタ波で有害波を消去すること及びその有害波がそのターゲット空間に向けて伝播することを抑制することの少なくとも１つにより、少なくとも１つの波源の少なくとも１つの基本ユニットから照射された有害な電磁波をかかるカウンタ波により抗するようにするシステムが提供され、ここで、かかる基本ユニットはその有害波を照射し、それを通じてその有害波の経路に影響を与える原因となるソースの一部のみを含むように構成されるが、そのターゲット経路は、そのシステムと使用者との間に規定される。
【０１８２】
本発明のこのような様態の一つの例示的な実施形態において、かかるシステムは、基本ユニットのかかる特性にマッチングするように少なくとも１つのカウンタユニットを配列させるステップ；その配列ステップにより有害波と類似（又は同一）するが、その有害波の位相角と少なくとも部分的に反対である位相角を有するカウンタ波を放出するようにそのカウンタユニットを構成するステップ（以下、「第２のカウンタリングステップ」と指称する）；及び、その第１の整列ステップを含むプロセスにより製作される。前記配列ステップを、その特性を少なくとも最小に維持しつつ基本ユニットの構成よりさらに簡単な構成を規定するように少なくとも１つのカウンタユニットを配列させるステップ；かかる特性を少なくとも最小に維持しつつ基本ユニットの構成よりさらに複雑な構成を規定するように少なくとも１つのカウンタユニットを配列させるステップ；その特性を少なくとも最小に維持しつつ基本ユニットよりさらに少ない数のユニット軸により規定された次元を有するように少なくとも１つのカウンタユニットを配列させるステップ；及び、その特性を少なくとも最小に維持しつつ基本ユニットの次元よりさらに大きい数のユニット軸により規定された次元を有するように少なくとも１つのカウンタユニットを配列させるステップのうちの１つのステップにより代替することもできる。
【０１８３】
本発明のこのような様態のまた別の例示的な実施形態において、システムは、その特性を維持しつつ単一の基本ユニットの構成よりさらに簡単な構成を規定するように単一のカウンタユニットを配列させるステップ；その第２のカウンタリングステップ；及び、その第１の整列ステップを含むプロセスにより製作される。前記配列ステップを、かかる特性を維持しつつ多数の基本ユニットの配列と類似した（又は同一の）構成を規定するように単一のカウンタユニットを配列させるステップ；その特性を維持しつつ多数の基本ユニットの配列よりさらに少ない相互直交するユニット軸により形成された次元を規定するように単一のカウンタユニットを配列させるステップ；及び、その特性を維持しつつ多数の基本ユニットの次元よりさらに多くの相互直交するユニット軸により形成された次元を規定するように単一のカウンタユニットを配列させるステップのうちの１つのステップにより代替することもできる。
【０１８４】
本発明のこのような様態のまた別の例示的な実施形態において、システムは、多数のカウンタユニットを提供するステップ；特性を維持しつつ単一の基本ユニットの構成よりさらに簡単な構成でカウンタユニットの少なくとも２つのカウンタユニットを配列させるステップ；かかる配列ステップにより有害波と類似（又は同一）するが、かかる有害波の位相角と少なくとも部分的に反対である位相角を規定するカウンタ波を放出するようにカウンタユニットを構成するステップ；及び、そのカウンタ波をターゲット空間へ伝播するようにカウンタユニットを整列させ、それにより、そのターゲット空間でそのカウンタ波によりその有害波を抗するようにするステップを含むプロセスにより製作される。また、前記配列ステップを、かかる特性を維持しつつ多数の基本ユニットの配列と類似した（又は同一の）構成でそのカウンタユニットの少なくとも２つのカウンタユニットを整列させるステップ；かかる特性を維持しつつ単一の基本ユニットの次元よりさらに少ない相互直交するユニット軸により形成された次元を規定する配列にそのカウンタユニットを配列させるステップ；及び、その特性を維持しつつ多数の基本ユニットの次元よりさらに多くの相互直交するユニット軸により形成された次元を規定する配列にそのカウンタユニットを配列させるステップのうちの１つのステップにより代替することもできる。
【０１８５】
本発明のこのような様態のまた別の例示的な実施形態において、システムは、かかる基本ユニットよりさらに少ないカウンタユニットを提供するステップ；かかる特性を維持しつつそのカウンタユニットにより基本ユニットの配列に近似するステップ；その近似ステップにより、その有害波と類似（又は同一）するが、その有害波の位相角と少なくとも部分的に反対である位相角を規定するカウンタ波を放出するようにかかるカウンタユニットを構成するステップ；及び、ターゲット空間にそのカウンタ波を伝播するようにそのカウンタユニットを整列させ、それにより、そのターゲット空間でそのカウンタ波によりその有害波を抗するようにするステップを含むプロセスにより製作される。また、前記提供ステップ及び近似ステップを、より少ない基本ユニットに対してより多くのカウンタユニットを提供するステップ；及び、基本ユニットの少なくとも１つの基本ユニットの周辺にカウンタユニットの少なくとも２つのカウンタユニットを配置させ、その特性を維持しつつ、そのカウンタユニットにより基本ユニットの配列に近似するステップにより代替することもできる。
【０１８６】
本発明のこのような様態のまた別の例示的な実施形態において、システムは、基本ユニットに関して移動するように少なくとも１つのカウンタユニットを配列させるステップ；有害波と類似（又は同一）するが、その有害波の位相角と少なくとも部分的に反対である位相角を規定するカウンタ波を放出するようにカウンタユニットを構成するステップ；カウンタユニットから基本ユニットまでの距離と、かかるカウンタ波と有害波の間のマッチング程度との間の関係を発見するステップ；及び、その後、その範囲が最大である位置にそのカウンタユニットを移動させ、それにより、ターゲット空間でそのカウンタ波によりその有害波を抗するようにするステップを含むプロセスにより製作される。
【０１８７】
本発明のまた別の様態において、カウンタ電磁波を放出し、その後、そのカウンタ波により有害波にマッチングすることにより、及びターゲット空間でそのカウンタ波で有害波を消去すること及びその有害波がそのターゲット空間へ伝播することを抑制することのうちの１つにより少なくとも１つの波源の少なくとも１つの基本ユニットから照射された有害な電磁波をそのカウンタ波により抗するようにするシステムを提供することもできる。かかる基本ユニットは、その有害波を照射し、それを通じてその有害波の経路に影響を与える原因となるソースの一部のみを含むように構成されるが、そのターゲット空間は、そのシステムとそのシステムの使用者との間に規定される。
【０１８８】
本発明のこのような様態の一つの例示的な実施形態において、かかるシステムは、かかる有害波の多数の波面の第１のセットを識別するステップ；その波面の少なくとも１つの波面に沿って少なくとも１つのカウンタユニットを配置させるステップ；その配置ステップによりターゲット空間でその波面の第１のセットと類似した（又は同一の）多数の波面の第２のセットを形成するカウンタ波を放出するようにカウンタユニットを構成するステップ；及び、その第１の整列ステップを含むプロセスにより製作される。
【０１８９】
本発明のこのような様態のまた別の例示的な実施形態において、システムは、かかる有害波の多数の波面を識別するステップ；カウンタユニットの形状及び／又は配列と類似した多数の波面を規定するカウンタ波を放出するように少なくとも１つのカウンタユニットを構成するステップ；その有害波の波面の少なくとも１つの波面に沿ってそのカウンタユニットを配置させるステップ；及び、その構成ステップに基づいてそのカウンタ波の波面がターゲット空間で有害波の波面に整列されるそのカウンタ波を放出するようにそのカウンタユニットを配列させ、それにより、そのターゲット空間でそのカウンタ波によりその有害波を抗するようにするステップを含むプロセスにより製作される。前記構成ステップ及び配置ステップを、そのカウンタユニットの形状及び配列の少なくとも１つと異なる多数の波面を有するカウンタ波を放出するように少なくとも１つのカウンタユニットを構成するステップ；及び、その構成ステップに基づいて、その有害波の波面の少なくとも２つの波面にわたって（又はその波面に沿って）かかるカウンタユニットを配置させるステップにより代替することもできる。
【０１９０】
本発明のこのような様態のまた別の例示的な実施形態において、かかるシステムは、有害波の多数の波面を識別するステップ；その波面の少なくとも１つの波面に沿った配列で多数のカウンタユニットを配置させるステップ；そのカウンタユニットの配列と類似した多数の波面を有するかかるカウンタ波を放出するようにカウンタユニットを構成するステップ；及び、その構成ステップに基づいてかかるカウンタ波の波面がターゲット空間でその有害波の波面に整列されるそのカウンタ波を放出するようにそのカウンタユニットを配列させるステップを含むプロセスにより製作される。前記配置ステップ及び構成ステップを、波面の少なくとも２つの波面にわたる（又はその波面に沿った）配列で多数のカウンタユニットを配置させるステップ；及び、そのカウンタユニットの配列と異なる多数の波面を有するカウンタ波を放出するようにそのカウンタユニットを構成するステップにより代替することもできる。
【０１９１】
本発明のこのような様態のまた別の例示的な実施形態において、システムは、かかる有害波の多数の波面を識別するステップ；それぞれが曲率半径を規定する多数の波面を有するかかるカウンタ波を放出するように少なくとも１つのカウンタユニットを構成するステップ；基本ユニットとターゲット空間の間にそのカウンタユニットを位置させるステップ；その有害波のより長い曲率半径とかかるカウンタ波の波面のより短い曲率半径を比較するステップ；及び、そのカウンタ波の波面の曲率半径がそのターゲット空間でその有害波の波面の曲率半径にマッチングするように構成される位置に配置されるようにそのカウンタユニットを構成し、それにより、そのターゲット空間でそのカウンタ波によりその有害波を抗するようにするステップを含むプロセスにより製作される。また、前記位置させるステップ及び比較ステップを、その基本ユニットに関してそのターゲット空間の反対側上にそのカウンタユニットを位置させるステップ；及び、その有害波のより短い曲率半径とそのカウンタ波の波面のより長い曲率半径を比較するステップにより代替することもできる。
【０１９２】
本発明のこのような様態のまた別の例示的な実施形態において、システムは、基本ユニットに関して移動するように少なくとも１つのカウンタユニットを配列させるステップ；有害波と類似（又は同一）するが、その有害波の位相角と少なくとも部分的に反対である位相角を有するカウンタ波を放出するようにそのカウンタユニットを構成するステップ；そのカウンタユニットと基本ユニット間の距離と、そのカウンタ波の曲率半径とその有害波の曲率半径の間の関係を発見するステップ；そのカウンタ波及び有害波の波面が互いに最上にマッチングする位置を算定するステップ；及び、ターゲット空間でかかるカウンタ波によりその有害波に最上にマッチングするための位置にそのカウンタユニットを移動させ、それにより、そのターゲット空間でそのカウンタ波によりその有害波を抗するようにするステップを含むプロセスにより製作される。
【０１９３】
本発明のまた別の様態において、ターゲット空間で有害波を消去すること及びその有害波がそのターゲット空間に向けて伝達することを抑制することのうちの１つを通じて少なくとも１つの波源の基本ユニットにより照射された有害な電磁波を抗するようにするシステムが提供され、ここで、かかる基本ユニットは、その有害波を照射し、それを通じてその有害波の経路に影響を与える原因となるその波源の一部のみを含むように構成され、そのターゲット空間は、そのシステムと使用者との間に規定される。
【０１９４】
本発明のこのような様態の一つの例示的な実施形態において、かかるシステムは、基本ユニットと同一の（又は類似した）形状を有し、カウンタ電磁波を放出するように少なくとも１つのカウンタユニットを配列させるステップ；及び、有害波の位相角と少なくとも部分的に反対である位相角を有し、その形状によりその有害波の波特性と少なくとも部分的に類似した波特性を規定し、従って、ターゲット空間でその反対である位相角によりその有害波を抗するようにかかるカウンタ波を構成するステップ（以下、「第３の構成ステップ」と指称する）を含むプロセスにより製作される。
【０１９５】
本発明のこのような様態のまた別の例示的な実施形態において、システムは、基本ユニットの１Ｄ（又は２Ｄ、３Ｄ）の類似物の形状を規定し、カウンタ電磁波を放出するように単一のカウンタユニットを配列させるステップ；及び、その第３のカウンタリングステップを含むプロセスにより製作される。かかる配列ステップを、多数の基本ユニットの少なくとも２つの基本ユニットの１Ｄ（又は２Ｄ、３Ｄ）の類似物の形状を規定し、カウンタ電磁波を放出するように単一のカウンタユニットを配列させるステップにより代替することもできる。
【０１９６】
本発明のこのような様態のまた別の例示的な実施形態において、システムは、多数のカウンタユニットの少なくとも２つのカウンタユニットがかかる基本ユニットの１Ｄ（又は２Ｄ、３Ｄ）の類似物の形状を規定し、カウンタ電磁波を放出するように構成されたその多数のカウンタユニットを配列させるステップ；及び、その第３のカウンタリングステップを含むプロセスにより製作される。また、前記配列ステップを、多数のカウンタユニットの少なくとも２つのカウンタユニットが、全ての多数の基本ユニットではなく、その基本ユニットの少なくとも２つの基本ユニットの１Ｄ（又は２Ｄ、３Ｄ）の類似物の形状を規定し、その後、カウンタ電磁波を放出するように構成されたその多数のカウンタユニットを配列させるステップ；及び、多数のカウンタユニットの少なくとも２つのカウンタユニットが多数の基本ユニットのそれぞれの１Ｄ（又は２Ｄ、３Ｄ）の類似物の形状を規定し、カウンタ電磁波を放出するように構成されたその多数のカウンタユニットを配列させるステップのうちの１つのステップにより代替することもできる。より多くの生産方法を限定した物に関する請求項（ｐｒｏｄｕｃｔ−ｂｙ−ｐｒｏｃｅｓｓ）は、装置及び／又は方法請求項の前述のプレアンブルを変形することにより、及び装置及び／又は方法請求項のかかるボディ部をそのプレアンブルに付加することにより構成されることもできる。また、かかるプロセス請求項は、本発明の装置及び／又は方法請求項の前記特性中の１つ以上の特性を含むこともできる。
【０１９７】
ここで用いられたように、「ユニット」という用語は、本発明の電磁カウンタリングシステムの「基本ユニット」及び「カウンタユニット」の両者を一括して指称し、ここで、かかるシステムは、以下、「ＥＭＣシステム」又は単に「システム」と略称される。その 「ユニット等」の間のかかる分類は、それらの意図された機能に主に基く。すなわち、「基本ユニット」は、例えば、ソース信号から可聴音を生成するか（スピーカー及びそのスピーカーを含むデバイス）、可聴音からソース信号を生成すること（マイクロホン及びそのマイクロホンを含むデバイス）、電気エネルギーを変換することにより起電力を生成するか（電気モータ及びその電気モータを含むデバイス）、起電力を変換することにより電気エネルギーを生成すること（発電機）、ソース信号から可視的なイメージを生成すること（ＣＲＴ、ＬＥＤ、ＯＬＥＤ及びＰＤＰのようなディスプレイエレメント及びそのディスプレイエレメントを含むデバイス）、電気エネルギーから熱を発生させること（直線型又はコイル型加熱エレメント及びその加熱エレメントを含むデバイス）等のようなシステムの意図された機能を遂行するＥＭＣシステムの多様な部分を示す。かかる全ての「基本ユニット」は、それらの意図された機能を遂行しつつ、有害波を照射し、このような「基本ユニット」は常に前記デバイスに含まれる。これと対照的に、「カウンタユニット」は、例えば、ターゲット空間で有害波の少なくとも一部を消去し及び／又はかかる有害波の一部がそのターゲット空間に向けて伝播することを抑制又は防止するようなカウンタリング機能を遂行するＥＭＣシステムの一部を示す。好ましくは、「カウンタユニット」は「基本ユニット」に対して意図された機能を遂行し、従って、カウンタリング機能をまた遂行する余分の「基本ユニット」として機能するようにまた配列されることもできる。かかるこのようなユニットは、別に特定されなければ、本発明の範囲内の「カウンタユニット」としてみなされる。従って、本発明の範囲内で、「基本ユニット」は任意の従来技術のデバイスのどこでも存在するが、「カウンタユニット」は従来技術のデバイスで物理的にも機能的にも存在しない。
【０１９８】
「基本ユニット」は本発明の範囲内で「波源」と区別される。さらに詳細に、「波源」は、かかる有害波を照射するＥＭＣシステムの一部を一括して指称するが、「基本ユニット」は有害波を照射し、かかる波の伝播経路に影響を与える直接的な原因となる「波源」の一部のみを特に指称する。例えば、移動電話機のスピーカーは「波源」であり、かかる電話機の「基本ユニット」は音声コイル及び永久磁石を含み、ここで、かかるコイル及び磁石にカップリングしたコーン及びブラケット（ｂｒａｃｋｅｔ）は、そのコーン及び／又はブラケットが有害波を発生させず、その有害波の伝播経路に影響を与えないため、「波源」の一部であるが、「基本ユニット」の一部ではない。同様に、作動デバイスのモータは「波源」であるが、そのモータの「基本ユニット」はそのモータの回転子及び／又は固定子に含まれた永久磁石及び／又は電磁石であり、ここで、そのモータのシャフト及びケースは、そのシャフト及び／又はケースが有害波を発生させず、その有害波の伝播経路に影響を与えないため、「波源」の一部であるが、「基本ユニット」の一部ではない。同様に、加熱デバイスのヒーターは「波源」であり、その加熱デバイスの「基本ユニット」は直線型又はコイル型加熱エレメントであり、ここで、絶縁性支持部及び外部コーティングは、その支持部及び／又はコーティングがかかる有害波を発生させず、その有害波の伝播経路に影響を与えないため、「波源」の一部であるが、「基本ユニット」の一部ではない。従って、「波源」の形状は「基本ユニット」の形状とは一般的に異なり、ここで、その「基本ユニット」はその「波源」の形状よりさらに簡単或いはさらに複雑な形状を有することもできる。しかし、「基本ユニット」を「波源」のサブセットとしてみなすこともでき、従って、かかる「基本ユニット」は「波源」のサイズより小さいか又は同一のサイズをほとんど常に規定する。
【０１９９】
ここで用いられたように、「構成」という用語は、形状、サイズ、及び／又は配列を一括して指称するが、「配置」という用語は、配向、整列、及び／又は距離を一括して含む。従って、（カウンタ又は基本）ユニットの「構成」は、基本及びカウンタユニットのうち、他のユニットに関してユニットの形状、ユニットのサイズ、及び／又はユニットの配列を指称することもできる。同様に、そのユニットの「配置」は、基本ユニット及びカウンタユニットのうち、他のユニット、ターゲット空間、有害波又はカウンタ波の伝播方向、かかるユニット又は基本ユニット及びカウンタユニットのうち、他のユニットに流れる電流の方向又は印加された電圧の方向等に関してかかるユニットの配向及び／又は整列を指称することもできる。また、そのユニットの「配置」は、そのユニットから基本ユニット及びカウンタユニットのうち、他のユニットまでの距離、ターゲット空間等を指称することもできる。システムが多数のカウンタユニットを含む場合、そのユニットの「配置」は、かかるカウンタユニットの少なくとも２つのカウンタユニットの間の距離を含むこともできる。
【０２００】
本発明の範囲内で、「ワイヤ」という用語は、ワイヤ、繊維、フィラメント、ロッド（ｒｏｄ）、及び／又はストランド（ｓｔｒａｎｄ）の形状を有する物品、及びそれぞれが直線又は曲線（すなわち、曲線型）であることもでき、それぞれがループ、コイル、ロール、螺旋、メッシュ等に形成される任意の他の類似に延長された物品の形状を一括して指称する。「ストリップ」という用語は、ストリップ、バー、パッド、及び／又はテープの形状、及びそれぞれが直線又は曲線で配列され、それぞれが二次元又は三次元の構成に配列され、それぞれがループ、コイル、ロール、螺旋、メッシュ等に配列されることもできる大きいアスペクト比（すなわち、幅又は高さに対する長さの比）を有する任意の他の平面型又は曲線型物品の形状を一括して指称する。また、「シート」という用語は、シート、スラブ、ホイル、膜、プレイト、及び／又はレイヤーの形状を有する物品、及び「ストリップ」よりさらに広く、それぞれが平面（すなわち、二次元又は２Ｄ）又は曲線（すなわち、三次元又は３Ｄ）であることもでき、それぞれがセグメント、ロール等で形成される任意の他の物品の形状を一括して指称する。「チューブ」という用語は、上述又は後述の任意の形状を規定することもでき、その形状を通じて少なくとも１つのルーメンを形成する物品を一括して指称する。かかる「チューブ」は、直線又は曲線で配列されてもよく、ループ、コイル、ロール、螺旋、メッシュ等に配列されてもよい。「コイル」という用語は、螺旋形及び／又はスプリング形状を規定する物品、及びオブジェクトからの一定の距離でかかるオブジェクトの縦軸又は短軸に沿ってそのオブジェクトの周辺に巻かれる任意の他の物品の形状等を一括して指称する。その「コイル」は、直線又は曲線で配列されてもよく、また、（トロイドのような）ループ、コイル、ロール、螺旋、メッシュ等に配列されてもよい。「螺旋」という用語は、オブジェクトの縦軸又は短軸に沿って拡張又は減ることもできるまた他の螺旋形及び／又はスプリング形状を規定する物品、及び可変距離でかかるオブジェクトの周辺に巻かれる任意の他の物品の形状等を一括して指称する。平面型「螺旋」がオブジェクトの縦軸又は短軸に垂直である単一の曲線型平面上に形成されることもできると理解されたい。「メッシュ」という用語は、メッシュ、ネット、スクリーン、キルト、織物、及び／又は衣類の形状を有する物品、及びネットワーキング構造、織造構造、交織構造等に形成される任意の他の物品の形状を一括して指称する。「バンドル（ｂｕｎｄｌｅ）」という用語は、「バンドル」又は「バンドルされた物品」の断面が延長された形状の少なくとも２つの形状を含む方式で並んで又は側面に整列される同一又は異なる延長された形状の２つ以上の形状を規定した物品を一括して指称する。「編組」という用語は、「編組」又は 「編組された物品」がその編組の縦軸及び／又は短軸に垂直である断面で延長された形状の少なくとも２つの形状で構成される方式で編組された同一又は異なる延長された形状の２つ以上の形状を有する物品を一括して指称し、ここで、かかる物品の例は、スレッド、糸、従来の編組技術により製作された任意の他の物品等を含むが、こ��に制限されるものではない。このパラグラフでの前記用語に従って形成されたかかる物品それぞれの少なくとも一部が、例えば、泡、スポンジ等のように立体的、中空又は多孔性であるように配列されることもできるということが理解できる。また、このパラグラフでの前述した用語に従って形成されたかかる物品のそれぞれが少なくとも１つのホール、ギャップ又は開口部を包含（又は規定）するように配列されることもできると理解されたい。同様に、ここで説明したように、「混合物」という用語は、液体、溶液、ゾル、ゲル、エマルション、懸濁液、スラリー、及び／又はパウダーを一括して指称し、それらのそれぞれは、多数のパーティクル、微粒子、粒子、粒状斑、ファイリング、破片、及び／又はペレット（ｐｅｌｌｅｔ）をそれらの内に含むこともでき、それらのそれぞれは、球、楕円、シリンダー、フレイク、「ワイヤ」、「ストリップ」等の形状をまた有することもでき、それらのそれぞれは、ミリメートル、ミクロン又はナノメートルの範囲に存在することもできる。適合した場合、かかる「混合物」は、少なくとも１つのソルベント、機械的強度及び／又は無欠性をその混合物に提供するために、少なくとも１つの化学的、電気的、及び／又は磁気的に不活性の充填材等を含むこともできる。
【０２０１】
また、「結合物」という用語は、異なる形状の集合を指称し、その形状の例は、前記のワイヤ、ストリップ、シート、チューブ、コイル、螺旋、メッシュ、それらの編組、及びそれらのバンドルを含むが、これに制限されるものではない。同様に、「アレイ」という用語は、かかる形状の集合を指称する。しかし、その「アレイ」は、それを通じて多数のホール又は開口部をまた形成する「集合」を指称する。
【０２０２】
ここで説明したように、「軸」「半径」及び「角」は、システムの中心軸を参照して用いられる。それに基づいて、「軸方向」は、システムの中心軸に沿った方向を指称するが、「半径方向」は、かかる「軸方向」に垂直であるまた他の方向を意味し、従って、システムの中心から離隔して及び外方へ延長する方向を示す。かかる「半径方向」は、システムの中心から離隔して及び外方へ延長することもできる他の方向であることもでき、「軸方向」と必ず垂直に横断する必要はないこともできると理解されたい。「角方向」という用語は、時計回り又は反時計周りで「軸方向」に関して回転するまた他の方向を指称する。
【０２０３】
本発明の多様な電気的及び磁気的シールドに関する規定は、上述の共同係留中の出願で提供されたような規定と類似すると理解されたい。従って、かかる規定は、例示の簡略化のためにここでは省略される。
【０２０４】
次の説明で別に規定されなければ、ここで用いられた全ての技術的及び科学的用語は、本発明の属する技術の分野の当業者が通常理解することと同一の意味を有する。ここで説明した方法又は材料と同等又は類似した方法又は材料が本発明の実行又はテストに用いられることができるが、適合した方法及び材料が後述される。ここに開示された全ての公開物、特許出願、特許、及び／又は他の参照文献は全部参照として含まれる。任意の衝突の場合、規定を含む本発明の明細書は制御される。また、材料、方法、及び例は制限するように意図されるものではなく、ただ例示的であるだけである。
【０２０５】
本発明の他の特性及び／又は利点は、次の詳細な説明、及び請求項から明確である。
【図面の簡単な説明】
【０２０６】
【図１】図１ａ乃至図１ｆは、例示的な電磁気的カウンタリングメカニズムの概略的な上面図であり、そのメカニズムのそれぞれで、単一のカウンタユニットは、本発明により、単一の波源の単一の基本ユニットにより照射された有害波を抗するためにカウンタ波を放出する。
【図２】図２ａ乃至図２ｆは、例示的な電磁気的カウンタリングメカニズムの概略的な上面図であり、そのメカニズムのそれぞれで、多数のカウンタユニットは、本発明により、単一の波源の単一の基本ユニットにより照射された有害波を抗するためにカウンタ波を放出する。
【図３】図３ａ乃至図３ｉは、本発明による多様な基本ユニットを含むスピーカーに含まれた例示的なカウンタユニットの概略的な斜視図である。
【図４】図４ａ乃至図４ｆは、本発明による多様な基本ユニットを含むモータに含まれた例示的なカウンタユニットの概略的な斜視図である。
【図５】図５a乃至図５ｈは、本発明による多様な基本ユニットを含む加熱ユニットに含まれた例示的なカウンタユニットの概略的な斜視図である。
【図６】図６ａ乃至図６ｈは、本発明によるカウンタユニット及び電磁気的（又は磁気的）シールドを有する例示的なスピーカーの概略的な斜視図である。
【発明を実施するための形態】
【０２０７】
本発明は、有害な電磁波を照射する少なくとも１つの波源、及びその有害波をそのカウンタ波により抗するために、そのカウンタ波を放出する少なくとも１つのカウンタユニットを含み、前記カウンタユニットが、例えば、カウンタ電磁波によりその有害波の少なくとも一部を消去することにより、その有害波がターゲット空間へ伝播することを抑制する等により、その有害波をそのカウンタ波により抗するようにする、電磁カウンタリングシステムに関するものである。さらに詳細に、本発明は、その電磁カウンタリングシステムの汎用のカウンタユニット、及び波源の多様な基本ユニットから照射される有害波をそのカウンタユニットにより抗するための多様なメカニズムに関するものである。従って、そのカウンタユニットは、その構成が波源の基本ユニットの構成とマッチングするように形成、サイズ決定、及び／又は配列され、それにより、有害波の特性に自動的にマッチングするカウンタ波を放出する。別の方法として、そのカウンタユニットは、その有害波の１つ以上の波面に沿って規定された配列で形成、サイズ決定、及び／又は配置され、それにより、その有害波の特性に自動的にマッチングするカウンタ波を放出する。また、本発明は、波源の基本ユニットの類似物として提供される多様なカウンタユニットに関するものであり、ここで、その類似物は、カウンタユニットよりさらに複雑な基本ユニットに近似し、また、三次元又は二次元の基本ユニットは二次元又は一次元の類似物等として近似することもできる。また、本発明は、基本ユニットよりさらに簡単であるが、その基本ユニットのかかる形状及び／又は配列に近似する配列で配置される多数の簡単なカウンタユニットに関するものである。また、本発明は、基本ユニットの構成及び配置により形成及び／又はサイズ決定されるカウンタユニットに関するものである。また、本発明は、単一のカウンタユニットが単一の基本ユニット、多数の基本ユニットのうち、多数の基本ユニットの全てではないが、少なくとも２つの基本ユニット、又は全ての多数の基本ユニットを抗することができ、多数のカウンタユニットが単一の基本ユニット、より多くの基本ユニット又はより少ない多数のユニット等を抗することもできる多様なカウンタリングモードに関するものである。本発明は、システムからの有害波の照射を最小化するために単独で又はカウンタユニットと共に用いられる多様な電気的及び／又は磁気的シールドに関するものである。
【０２０８】
また、本発明は、ソースマッチング又は波マッチングにより、有害波をカウンタ波で抗するようにする多様な方法に関するものである。さらに詳細に、本発明は、基本ユニットの類似物としてカウンタユニットを形成し、その後、かかる有害波にマッチングするカウンタ波を放出する多様な方法、カウンタリングのためにさらに簡単なカウンタユニットにより基本ユニットに近似する多様な方法、及び多数のさらに簡単なカウンタユニットにより基本ユニットに近似する多様な方法に関するものである。また、本発明は、有害波の波面に自動的にマッチングするために、その有害波の波面に沿ってカウンタユニットを配置し、その後、カウンタ波を放出する多様な方法、波面に自動的にマッチングするために、その有害波の波面に沿って多数のカウンタユニットを配置し、その後、カウンタ波を放出する多様な方法等に関するものである。また、本発明は、基本ユニットに関してターゲット空間からさらに近接するように及び／又は離隔してカウンタユニットを配置することによってカウンタ波の波面を操作する多様な方法、同一又は反対である位相角のかかるカウンタ波を放出する１つ又は多数のカウンタユニットを含むことにより、カウンタ波の波面の曲率半径を制御する多様な方法、基本ユニットの形状と類似した又は異なる形状を規定する１つ又は多数のカウンタユニットを配置することにより、カウンタ波の波面を調整する多様な方法等に関するものである。また、本発明は、単一又は多数のカウンタユニットにより放出されたカウンタ波で１つ又は多数の基本ユニットからの有害波を抗するようにする多様な方法に関するものである。従って、本発明は、１つ以上の基本ユニットにより照射された有害波に対して単一のカウンタユニットからかかるカウンタ波を放出する多様な方法、単一又は多数の基本ユニットにより照射された有害波に対して２つ以上のカウンタユニットによりかかるカウンタ波を放出する多様な方法等に関するものである。また、本発明は、かかる電気的シールド、磁気的シールド、又は前記カウンタユニットと共にそのようなシールドの何れ又は両シールドを含むこと等により、有害波の照射を最小化する多様な方法に関するものである。
【０２０９】
また、本発明は、多様なカウンタユニット、及び１つ又は多数のカウンタユニットを含む多様なシステムを提供するための多様なプロセスに関するものである。さらに詳細に、本発明は、カウンタユニットのかかる形状と類似した（又は異なる）波面を有するカウンタ波を放出するようにカウンタユニットを形成する多様なプロセス、基本ユニットの前記類似物としてそのカウンタユニットを形成する多様なプロセス、類似した又は反対である位相角を規定するかかるカウンタ波を放出するカウンタユニットを提供する多様なプロセス、有害波と類似に形成された波面をかかるカウンタユニットに提供する多様なプロセス、予め設定された配列でそのカウンタユニットを配置し、かかる配列と類似した波面を有するカウンタ波をそのカウンタユニットから放出する多様なプロセス等に関するものである。また、本発明は、ローカルカウンタリングのために単一の基本ユニットから照射された有害波を抗するように、又はグローバルカウンタリングのために多数の基本ユニットからの有害波を抗するように、単一のカウンタユニットを割り当てる多様なプロセス、及びそのグローバルカウンタリングのために単一の基本ユニットから照射された有害波を抗するように、及びカウンタユニット及び基本ユニットの数によって、そのローカル又はグローバルカウンタリングのために多数の基本ユニットからの有害波を抗するように多数のカウンタユニットを割り当てる多様なプロセスに関するものである。また、本発明は、かかる有害波の照射を最小化するために電気的及び／又は磁気的シールドを含む多様なプロセス、及びかかるシールドだけでなく、前記カウンタユニットを利用することによって、有害波の照射を最小化する多様なプロセスに関するものである。
【０２１０】
本発明の汎用の電磁カウンタリングシステムのカウンタユニットの基本原理は、有害波の波面と類似した（又は同一の）波面を形成するが、かかる有害波面の位相角と少なくとも部分的に反対である位相角を規定するカウンタ波を放出することである。従って、該カウンタ波をターゲット空間へ伝播することにより、そのカウンタ波は、例えば、ターゲット空間においての有害波の少なくとも一部を消去し及び／又はその有害波がそのターゲット空間に向けて伝播することを抑制することによって、そのターゲット空間におけるその有害波を効果的に抗することができる。このような目的のために、カウンタユニットは、有害波の波面にマッチングする波面を規定するカウンタ波を多様なメカニズムによって放出するように配列される。一例において、かかるカウンタユニットは、波源の基本ユニットと類似に（同一に）形成されるか、かかる基本ユニットと類似に（同一に）配列され、従って、ターゲット空間内の有害波を抗することができるカウンタ波を放出する。また別の例において、かかるカウンタユニットは、有害波の波面のうちの１つ以上の波面に沿って配置され、その有害波と類似した（又は同一の）カウンタ波を放出し、従って、ターゲット空間で有害波を抗するようにする。このような２つの例において、カウンタユニットは、カウンタユニット自体の形状と類似した（又は同一の）波面を有するカウンタ波を放出し、かかるカウンタ波はその有害波の位相角と少なくとも部分的に反対である位相角を規定する。また別の例において、カウンタユニットは基本ユニットとは相違に形成されるが、その代わりに、そのカウンタユニットから放出されたカウンタ波がターゲット空間でかかる有害波にマッチングする配列で配置される。また別の例において、カウンタユニットは有害波の異なる波面にわたって配置されるが、その有害波と類似した（又は同一の）カウンタ波を放出し、従って、ターゲット空間でその有害波を抗するようにする。最後の２つの例において、そのカウンタユニットを、そのカウンタユニット自体の形状と類似（又は同一）する又は類似（又は同一）しない波面を有するカウンタ波を放出するように配列することもできるが、そのカウンタ波はその有害波の位相角と少なくとも部分的に反対である位相角を規定する。
【０２１１】
本発明の汎用の電磁カウンタリングシステムのカウンタユニットの基本原理は、そのシステムからの有害波の照射を最小化するために多様な従来のデバイスに具現される。例えば、そのカウンタユニットは、例えば、ターゲット空間で有害波の少なくとも一部を消去し及び／又はその有害波がそのターゲット空間に向けて伝播することを抑制して、かかる有害波をカウンタ波により抗することによってその有害波の照射を最小化するために、電気導電性ワイヤ、コイル、及び／又はシートの任意の基本ユニット、別の方法として、任意の電気半導電性及び／又は絶縁ワイヤ、コイル、及び／又はシートに具現される。ここで、そのカウンタユニットを、少なくとも１つの電気導電性、絶縁又は半導電性材料で構成することもでき及び／又はその材料を含むようにしてもよい。そのカウンタユニットは、１つ又は多数のワイヤ、コイル、及び／又はシートを有することにより、及び１つ又は多数のワイヤ、コイル、及び／又はシートの形状を変形させることによって形成される形状を規定するかかる基本ユニット中の任意の基本ユニットに具現され、ここで、その変形された形状のいくつかの例は、ソレノイド及びトロイドを含み、それらのそれぞれは、かかるコイルの形状を変形させることにより形成される。従って、一例において、かかるカウンタユニットを、有害波の照射を最小化するために、コーンドライブスピーカー、静電型スピーカー、及び圧電スピーカーのような多様なスピーカーに具現することもできる。従って、イヤホン、ヘッドホン、有線電話機、移動電話機、及び視聴覚デバイスのような電磁カウンタリングスピーカーを含む任意の従来技術のデバイスを、電磁カウンタリングシステムに変換することができる。同様に、カウンタユニットを、かかるスピーカーのインバース例である多様なマイクロホン、及び有線電話機、移動電話機、オーディオ及び／又は視聴覚サウンドシステムのような電磁カウンタリングマイクロホンを含む任意の従来技術のデバイスに具現することができ、イヤホン及びマイクロホンのアセンブリーを電磁カウンタリングシステムに変換することができる。また別の例において、かかるカウンタユニットは、かかる有害波の照射を最小化するために、ＤＣモータ、ユニバーサルモータ、ＡＣ同期型モータ、ＡＣ誘導型モータ、線型モータ等のような多様なモータに具現される。従って、厨房機器（例えば、フードプロセッサー、ミキサー、ジューサー、粉砕機、混合機、圧搾機、缶切り、食器洗い機、冷蔵庫、冷凍機、クーラー等）、調理機器（例えば、電気グリル、電気オーブン、電気ストーブ、電気レンジ、電気トースター、それらのための電気ファン等）、家電機器（例えば、洗濯機、乾燥機、エアコン、ガレージオープナー、乾式又は湿式の真空掃除機等）、道具（例えば、電気ドリル、電気鋸、電気スクリュードライバ、電気釘又はステープルガン、電気サンダー等）、及び個人用衛生デバイス（例えば、電気剃刀、電気歯ブラシ、電気ヘアドライヤー等）のような電磁カウンタリングモータを含む任意の従来技術のアクチュエーターデバイスを、電磁カウンタリングシステムに変換することができる。同様に、カウンタユニットは、多様な発電機にまた具現され、ＡＣ発電機、ＤＣ発電機、及び（自動車の）交流発電機のような電磁カウンタリング発電機を有する任意の従来技術の発生デバイスを、電磁カウンタリングシステムに変換うることができる。また別の例において、かかるカウンタユニットは、少なくとも２つのコイルをその内に含む多様なトランスフォーマーに具現され、ステップアップトランスフォーマー、ステップダウントランスフォーマー及び多様な電気デバイスのＡＣ／ＤＣアダプターのような電磁カウンタリングトランスフォーマーを含む任意の従来技術のデバイスを電磁カウンタリングシステムに変換することができる。また別の例において、かかるカウンタユニットは、加熱の間、有害波の照射を最小とするために、少なくとも１つの抵抗性加熱ワイヤ、加熱ストリップ、加熱シート、及び／又は加熱コイルを含む多様な加熱ユニットに具現される。従って、個人用加熱機器（例えば、電気マットレス又はマット、電気毛布、電気加熱パッド等）、調理機器（例えば、電気グリル、電気オーブン、電気ストーブ、電気レンジ、電気トースター、電気トーストオーブン等）、及び／又は美容関連機器（例えば、ヘアドライヤー、ヘアセット機、ヘアカーラー、ヘアスチーマー等）のような任意の従来技術の加熱デバイスを、電磁カウンタリングシステムに変換することができる。また別の例において、かかるカウンタユニットは、照明の間、かかる有害波の照射を最小化するために多様な発光ユニットに具現される。従って、陰極線チューブ、発光デバイス、有機発光デバイス、無機発光デバイス、及びプラズマディスプレイパネルのような任意の従来技術のディスプレイデバイスを、電磁カウンタリングシステムに変換することもできる。
【０２１２】
少なくとも１つの基本ユニットを含むことによって、約５０Ｈｚ乃至６０Ｈｚの周波数を有する電波（以下、「ＥＷ」と略称する）及び電磁波（以下、「ＭＷ」と略称する）及び／又はさらに高い周波数のＥＷ及びＭＷを含む有害波を照射する全ての電気及び／又は電子デバイスが、本発明の汎用の電磁カウンタリングシステム（以下、「ＥＭＣシステム」又は単に「システム」と略称する）の多様なカウンタユニットを含むことがてきると理解されたい。また、以前に提供されまた以後に提供される少なくとも１つの基本ユニットの詳細な例を含む全ての携帯用又は固定電気及び／又は電子デバイスが、本発明の汎用ＥＭＣシステムをさらに含むことができると理解されたい。また、かかるカウンタユニットがミクロンスケールで提供され、ＬＳＩ及びＶＬＳＩデバイスのような半導体チップ及び回路に含まれてもよく、かかるカウンタユニットがナノスケールで提供され、この場合、単一の分子又は化合物又は多数の分子又は化合物のクラスタである少なくとも１つの基本ユニットを含む多様なナノデバイスに含まれれてもよいと理解されたい。
【０２１３】
次に、本発明の多様なシステム、方法、及び／又はプロセスの多様な様態及び／又は実施形態は、添付の図面を参照してさらに詳細に説明されるものであり、ここで、本発明のかかる様態及び／又は実施形態はただ異なる形態を示すだけである。しかし、本発明のかかるシステム、方法、及び／又はプロセスを、多くの他の異なる形態で具現することができ、従って、ここで前述したかかる様態及び／又は実施形態に制限されない。その代わりに、ここで説明した多様な例示的な様態及び／又は実施形態は、このような開示が徹底的かつ完全であり、本発明の範囲を当業者に十分に伝達するように提供される。
【０２１４】
別に特定されなければ、通常、本発明の多様なシステムの多様な部材、ユニット、エレメント、及び部分が、例示の容易さのために、スケール及び／又は割合で図示されていないと理解されたい。また、同一の参照符号により指定された本発明の多様なシステムのかかる部材、ユニット、エレメント、及び／又は部分がそれぞれ、一般的にそのシステムの同一、類似、及び／又は機能的に同等な部材、ユニット、エレメント、及び／又は部分を示すことであると理解されたい。
【０２１５】
本発明の一般的な様態において、ＥＭＣシステムは、少なくとも１つの波源及び少なくとも１つのカウンタユニットを含み、そのカウンタユニットから放出されたカウンタ電磁波（以下、「カウンタ波」と略称する）でその波源から照射された有害な電磁波（以下、「有害波」と略称する）を抗するようにする。その波源は、すなわち、有害波を照射すること、その有害波の振幅及び／又は位相角を維持又は変更しつつ、その有害波の伝播経路に影響を与えること等を行う、有害波の実際ソースである少なくとも１つの基本ユニットを常に含む。かかる基本ユニットの例は、電流がその内に流れる時、有害波を放出する、ワイヤ、ストリップ、プレイト、その基本ユニットのリング、その基本ユニットのコイル、その基本ユニットの螺旋、及びその基本ユニットのメッシュのような導電性又は半導電性物品、電圧が印加される時、それらいずれもかかる電流を運送することはできないが、有害波を放出することはできる、ワイヤ、ストリップ、プレイト、その基本ユニットのリング、その基本ユニットのコイル、その基本ユニットの螺旋及びその基本ユニットのメッシュのようなその絶縁物品、かかる有害波の方向、経路、及び／又は振幅に影響を与えることのできる永久磁石等であるが、これに制限されない。その波源は、有害波を照射することなく、その有害波の伝播経路に影響を与えることもないが、かかる基本ユニットを機械的に支持又は維持する少なくとも１つのオプション部分をさらに含む。そのオプション部分の例は、その基本ユニットを取り囲んだケース、保護カバー、カプラー、かかる電流が流れない任意の部分、電圧が印加されない任意の部分等であるが、これに制限されない。そのカウンタユニットは、例えば、その有害波を消去し及び／又はその有害波が特定方向に沿って伝播することを抑制することにより、その有害波を抗することができるカウンタ波を放出するように配列される。そのカウンタユニットは、波源の基本ユニットからの全ての方向で、例えば、かかる基本ユニットの上、下及び周辺においてその有害波を抗するように配列される。しかし、かかる実施形態は、具現するに費用が多く、実現できない可能性もあり、特に、かかる有害波から保護される使用者によりＥＭＣシステムが特定配向で用いられる時に不必要になる。かかる場合、そのカウンタユニットは、その基本ユニットとその使用者（又はその基本ユニットの特定ボディ部）の間に一般的に規定された特定ターゲット空間（又は領域）の周辺のみでその有害波を抗するように配列される。
【０２１６】
カウンタ波がかかる有害波をカウンタリング（すなわち、消去及び／又は抑制）するために、そのカウンタ波が満たすべきのいくつかの前提条件が存在する。第一は、そのカウンタ波の位相角である。一般的に、かかるカウンタ波は、基本ユニットと同一の側面からターゲット空間へ伝播する場合、かかるカウンタ波が有害波を消去及び／又は抑制することができるように、その有害波の位相角と少なくとも部分的に又は実質的に反対である位相角を規定することが好ましい。別の方法として、そのカウンタ波は、基本ユニットの反対側からターゲット空間へ伝播する場合、かかるカウンタ波がその有害波を消去及び／又は抑制するようにその有害波の位相角と少なくとも部分的に類似した（又は同一の）位相角を有する。システムが多数のカウンタユニットを含む場合、それぞれのカウンタユニットは同一の、類似した又は異なる位相角を有するカウンタ波を放出する。その次は、カウンタ波の振幅である。その位相角とは対照的に、かかるカウンタ波は、ターゲット空間でその有害波を効果的に抗するようにする多様な振幅を規定することができる。基本ユニットよりターゲット空間にさらに近接するように配置される場合、カウンタユニットはただその有害波の振幅より小さい振幅を有するカウンタ波を放出すればよい。同様に、ターゲット空間に対して基本ユニットと隣接しているカウンタユニットはその有害波と類似した又は同一の振幅を有するカウンタ波を放出しなければならない反面、基本ユニットから離隔して配置されたカウンタユニットはその有害波の振幅よりさらに大きい振幅を有するカウンタ波を放出しなければならない。システムが多数のカウンタユニットを含む場合、かかる全てのカウンタユニットは基本ユニット及び／又はターゲット空間から類似した距離に配置されてもよく、別の方法として、そのカウンタユニットの少なくとも２つのカウンタユニットは基本ユニット及び／又はターゲット空間から異なる距離に配置されてもよい。そのカウンタユニットの距離及び／又は配置以外に、そのカウンタ波がターゲット空間の全部分にわたって又はかかるターゲット空間内の予め設定された位置のみで有害波を抗するか否かによって、かかるカウンタ波は多様な強度を有することもできる。例えば、カウンタユニットは、使用者がターゲット空間にわたって任意の箇所に位置する時、そのターゲット空間の全体においてその有害波を抗することができるカウンタ波を放出することが好ましい。しかしながら、使用者がターゲット空間の予め設定された位置のみに位置する場合、カウンタユニットを、かかる位置でその有害波を最上に抗するカウンタ波を放出し、ターゲット空間の他の部分ではそのような効率を有しないように、形成、サイズ決定、配列し、配置することもできる。
【０２１７】
一旦、カウンタユニットが適切な位相角及び振幅を規定するカウンタ波を放出するように配列されると、かかるカウンタユニットを、詳細なカウンタリングメカニズムに依存して有害波を抗するために形成、サイズ決定、配列及び配置することもできる。
【０２１８】
一例において、カウンタユニットを基本ユニットと類似に（又は同一に）形成、サイズ決定、及び／又は配列することもでき、これは、以下、「ソースマッチング」と指称する。その「ソースマッチング」の基本概念は、そのカウンタユニットがそのカウンタユニットの構成（すなわち、形状、サイズ、及び配列）と類似した波面を規定するカウンタ波を放出し、そのカウンタ波のかかる波面が有害波の波面に自動的にマッチングするものであり、そのカウンタ波はそのカウンタユニットとその基本ユニットの間の類似性によりその有害波を抗するようにする。システムが多数の基本ユニットを含む場合、単一のカウンタユニットは、かかる基本ユニットのうちの１つの基本ユニットにより照射された有害波を抗するか、又はかかる基本ユニット全て又はかかる基本ユニットの少なくとも２つの基本ユニットにより照射された有害波の合算を抗することができるカウンタ波を放出するように配列される。システムが多数のカウンタユニットを含む場合、かかるカウンタユニットは、単一の基本ユニット又は多数の基本ユニットにより放出された有害波を抗することができるカウンタ波を放出することもできる。システムが多数のカウンタユニット及び基本ユニットを含む場合、それぞれのカウンタユニットからのかかるカウンタ波はそれぞれの基本ユニットによる有害波を抗することもでき、少なくとも２つのカウンタユニットからのかかるカウンタ波の合算は基本ユニットのうちの１つの基本ユニットからの有害波を抗することもでき、単一のカウンタユニットからのカウンタ波は少なくとも２つの基本ユニットからの有害波の合算を抗することもでき、かかる全てのカウンタユニットからのカウンタ波の合算は全ての基本ユニットからの有害波の合算を抗することもできる。このような「ソースマッチング」で、カウンタユニットがそのカウンタユニットの構成と類似した構成の波面を有するカウンタ波を放出することが好ましい。しかしながら、カウンタ波がかかるターゲット空間で有害波を抗する限り、かかるカウンタユニットがそのカウンタユニットの構成と異なる構成の波面を有するカウンタ波を放出することが可能であり、多数のカウンタユニットにより放出されたカウンタ波の合算の波面がそれぞれのカウンタユニットの構成と異なる構成又はそのカウンタユニットの配列を有する等が可能である。
【０２１９】
また別の例において、カウンタユニットは、カウンタ波の少なくとも１つの波面が有害波の少なくとも１つの波面にマッチングする方式で配置（すなわち、配向、整列、及び／又は位置）される。ここで、かかるメカニズムは、以下、「波マッチング」と指称される。その「波マッチング」の基本概念は、カウンタユニットの構成がかかる「波マッチング」を満たすように適切に調整される限り、カウンタユニットが有害波の波面とカウンタ波の波面をマッチングさせるための位置に配置される場合、そのカウンタ波がその有害波を抗するということである。システムが多数の基本ユニットを含む場合、単一のカウンタユニットを、その基本ユニットのうちの１つの基本ユニットにから照射された有害波にマッチングし抗することができ、別の方法として、その基本ユニットの少なくとも２つの基本ユニット又はその全ての基本ユニットから照射された有害波の合算にマッチングし、抗することができるカウンタ波を放出するように配列することもできる。かかるシステムが多数のカウンタユニットを含む場合、そのカウンタユニットは、単一の基本ユニット又は多数の基本ユニットにより放出された有害波を抗することができるカウンタ波を放出する。システムが多数のカウンタユニット及び基本ユニットを含む場合、カウンタ波の波面の少なくとも１つの波面がターゲット空間で有害波の波面の少なくとも１つの波面にマッチングする限り、それぞれのカウンタユニットからのかかるカウンタ波はそれぞれの基本ユニットによる有害波を抗することもでき、少なくとも２つのカウンタユニットにより放出されたカウンタ波の合算は基本ユニットのうちの１つの基本ユニットからの有害波を抗することもでき、単一のカウンタユニットからのカウンタ波は少なくとも２つの基本ユニットからの有害波の合算を抗することもでき、かかる全てのカウンタユニットからのカウンタ波の合算は全ての基本ユニットにより照射された有害波の合算を抗することもできる。
【０２２０】
ソースマッチング及び／又は波マッチングに基づいて構成された多様なカウンタユニットが以下に開示される。そのソースマッチングで、かかるカウンタユニットの構成とそのカウンタユニットにより放出されたカウンタ波の構成の間に、どのような１対１の相関も存在しないと理解されたい。すなわち、一定の構成（又は波特性）のカウンタ波を、一定の形状及びサイズを規定して一定の配列で提供される単一のカウンタユニット、類似した形状及びサイズを規定するが他の配列で提供される他のカウンタユニット、異なる形状及びサイズを有するが類似した配列で提供される他のカウンタユニット、予め設定された形状及びサイズを有して予め設定された配列で提供される少なくとも２つのカウンタユニット、異なる形状及び／又はサイズを規定するか、又は異なる配列での同一の数のカウンタユニット、及び類似した形状及び／又はサイズを規定するか、又は類似した配列での異なる数のカウンタユニットにより得ることができる。同様に、前記波マッチングで、カウンタユニットの配置とそのカウンタユニットにより放出されたカウンタ波の波面の間に、１対１相関が存在しないと理解されたい。すなわち、一定の形状を有する波面を、一定の構成を規定して基本ユニット及び／又はターゲット空間に関して一定の位置に配置される単一のカウンタユニット、また他の構成を形成して他の位置に配置される他の単一のカウンタユニット、予め設定された構成を有して予め設定された位置に配置される少なくとも２つのカウンタユニット、異なる構成を規定して異なる位置に配置される同一の数のカウンタユニット、異なる構成を規定して異なる位置に配置される異なる数のカウンタユニット等により得ることもできる。従って、かかるカウンタユニットを、多くの他の異なる形態に具現することができ、ここで説明される次の様態及び／又はその様態の実施形態に制限されないものと理解されたい。その代わりに、ここで説明した多様な例示的な様態及び／又は実施形態は、このような開示が徹底的かつ完全であり、本発明の範囲を当業者に十分に伝達することができるように提供される。
【０２２１】
本発明のまた別の様態において、単一の汎用のカウンタユニットを、そのカウンタユニットからのカウンタ波により単一の汎用の基本ユニットからの有害波を抗するために、その基本ユニットに対して提供することができる。図１ａ乃至図１ｆは、例示的な電磁気カウンタリングメカニズムの上面図を概略的に示しており、そのメカニズムのそれぞれで、単一のカウンタユニットは、本発明により、単一の波源の単一の基本ユニットから照射された有害波を抗することができるカウンタ波を放出する。基本ユニットは、図１a乃至図１ｃ及び図１ｆでポイントソースであるが、図１ｄ及び図１ｅでは延長されたソースである。しかしながら、このような図面を異なる観点から解釈することもできると理解されたい。例えば、かかる図面を、上部の断面図として解釈することもでき、ここで、図１ａ乃至図１ｃ及び図１ｆの基本ユニットはシートに垂直に延長したワイヤであり、図１ｄ及び図１ｅの基本ユニットはそのシートに垂直にまた延長したストリップ又は長方形ロッドである。また別の例において、その図面をより複雑な物品の断面図として解釈することもでき、ここで、図１ａ乃至図１ｃ及び図１ｆの基本ユニットは、コイル、螺旋、メッシュ等の断面に対応し、図１ｄ及び図１ｅの基本ユニットは曲線型ロッド又はストリップの断面に類似に対応することもできる。また、このような図面等において、かかる基本ユニットは、かかる有害波を照射しないシステムのケース又は他の部分である波源で取り囲まれていると理解されたい。また、このような全図面において、ターゲット空間がカウンタユニット及び基本ユニットの右側に形成される方式でＥＭＣシステムが配置されると理解されたい。
【０２２２】
本発明のかかる様態の一つの例示的な実施形態において、図１ａで説明したように、ＥＭＣシステム５は単一の長方形波源１０及び単一のカウンタユニット４０を含み、ここで、そのソース１０はポイントソースの形状を規定する単一の基本ユニット１０Ｂを含む。そのカウンタユニット４０はまた他のポイントソースと類似に形成され、その基本ユニット１０ｂの右側に配置される。このような配列で、カウンタユニット４０はカウンタ波を放出し、そのカウンタ波の波面は基本ユニット１０Ｂにより照射された有害波の波面と同一である。カウンタユニット４０がその図面の右側に仮設的なターゲット空間に近接して配置されるため、かかるカウンタ波面は常に有害波面の曲率半径より小さい曲率半径を規定する。従って、カウンタユニット４０は、そのカウンタユニット４０と基本ユニット１０Ｂを接続させるラインのみに沿って又はその周辺で有害波をカウンタリング（すなわち、消去又は抑制）することもできる。かかる実施形態は、カウンタ波及び有害波の波面の曲率半径での不一致によって非効率的であると判明されたソースマッチングに対応すると理解されたい。
【０２２３】
本発明のこのような様態のまた別の例示的な実施形態において、図１Ｂに示したように、ＥＭＣシステム５は単一のカウンタユニット４０及びその内に配置された単一の基本ユニット１０Ｂを有する単一の波源１０を含む。その基本ユニット１０Ｂは図１Ａの基本ユニットと類似しているが、カウンタユニット４０は延長され、その長さに沿って垂直に配向されており、その基本ユニット１０Ｂの右側に配置される。その延長された形状により、そのカウンタユニット４０はカウンタ波を放出し、そのカウンタ波の波面はまた垂直に延長され、従って、図１Ａの曲率半径よりさらに大きくて有害波の曲率半径にマッチングする曲率半径を規定する。従って、かかるカウンタユニット４０は、カウンタ波が予め設定された範囲で有害波を抗するターゲット空間５０を規定する。かかる実施形態は、カウンタユニット４０が有害波の波面のうちの１つの波面と類似に形成される波マッチングメカニズムに対応すると理解されたい。
【０２２４】
本発明のこのような様態のまた別の例示的な実施形態において、図１Ｃに示したように、ＥＭＣシステム５は単一のカウンタユニット４０及びその内に配置された単一の基本ユニット１０Ｂを有する単一の長方形波源１０を含む。その基本ユニット１０Ｂは図１Ａの基本ユニットと類似するが、そのカウンタユニット４０はかかる有害波の１つの波面に一致するように形成及びサイズ決定される。すなわち、そのカウンタユニット４０は円弧として形成され、その図面の右側又はターゲット空間５０に凹の配向で配置される。その弓状の形状のため、かかるカウンタユニット４０はカウンタ波を放出し、そのカウンタ波の波面も弓状であり、従って、有害波の曲率半径と類似又は同一の曲率半径を規定する。従って、カウンタユニット４０は、カウンタ波が予め設定された範囲で有害波を抗するターゲット空間５０を規定する。かかる実施形態は、このような弓状のカウンタユニット４０から放出されたカウンタ波が有害波面に最上にマッチングし、基本ユニット１０Ｂの周辺において、図１Ａ及び図１Ｂの基本ユニットより広い角度に延長するターゲット空間５０を規定する他の波マッチングメカニズムに対応すると理解されたい。
【０２２５】
本発明のこのような様態のまた別の例示的な実施形態において、図１Ｄに示したように、ＥＭＣシステム５は、単一のカウンタユニット４０、及び単一の基本ユニット１０Ｂを有する単一の長方形波源１０を含む。前記基本ユニットとは対照的に、このような基本ユニット１０Ｂは長方形であり、その基本ユニットの長さ又は長軸に沿って垂直に配向され、有害波を放出し、その有害波の波面はその基本ユニット１０Ｂの長さ又は長軸に起因する垂直で比較的直線である部分を規定する。そのカウンタユニット４０はその基本ユニット１０Ｂと類似に又は同一に形成及びサイズ決定され、基本ユニット１０Ｂと同一の配向で配置される。このような配向は、その有害波の波面の垂直部に沿ってそのカウンタユニット４０を配置するように観測されることもできる。また、そのカウンタユニット４０はカウンタ波を放出し、同様に、そのカウンタ波の長さ又は長軸により、そのカウンタ波の波面は垂直で比較的直線である部分を規定する。そのカウンタ波面のかかる一部が有害波面のその部分にマッチングするため、カウンタユニット４０はターゲット空間４０を右側に形成する。
このような実施形態はソースマッチング、波マッチング、又はこれらの組合せに対応する。図１ａのカウンタユニットが基本ユニットとして形成及びサイズ決定されるが、カウンタ波の波面とソース波の波面の間の曲率半径での不一致により非効率的である。このような実施形態のカウンタユニット４０は基本ユニット１０Ｂとして類似に形成及びサイズ決定されるが、ターゲット空間５０で有害波を効率的に抗するようにする。このようなカウンタリングの主要な理由は、有害波及びカウンタ波の両者がそれらの曲率半径に一般的に依存しない垂直部をその波の波面に沿って規定するという事実からである。そうでなければ、基本ユニット１０Ｂと類似したカウンタユニット４０を構成し、その後基本ユニット１０Ｂとターゲット空間の間にかかるカウンタユニット１０を配置することは、一般的に効率的なカウンタリングを提供せず、このような前面配列の追加的な詳細事項は後述される。かかる実施形態は、カウンタユニット４０が基本ユニット１０Ｂと類似に（又は同一に）形成、サイズ決定、及び／又は配列されるソースマッチングに対応すると理解されたい。
【０２２６】
本発明のこのような様態のまた別の例示的な実施形態において、図１ｅに示したように、ＥＭＣシステム５は、単一のカウンタユニット４０、及び図１ｄに図示された基本ユニットと類似した単一の基本ユニット１０Ｂを有する単一の長方形波源１０を含む。しかしながら、カウンタユニット４０は、かかる有害波の１つの波面に一致するように形成及びサイズ決定される。図１ｃのカウンタユニットと類似に、カウンタユニット４０は円弧として形成され、その図面の右側面又はターゲット空間５０に凹の配向で配置される。その弓状の形状のため、かかるカウンタユニット４０はかかるカウンタ波を放出し、そのカウンタ波の波面も弓状であり、従って、主としてカウンタユニット４０の弓状の形状により、その有害波の波面の垂直部及び曲線部に沿って、有害波の曲率半径と類似又は同一の曲率半径を規定する。従って、かかるカウンタユニット４０は、カウンタ波がかかる有害波を効率的に抗する広い角度にわたって延長するターゲット空間５０を規定する。このような実施形態が他の波マッチングメカニズムに対応すると理解されたい。
【０２２７】
本発明のこのような様態のまた別の例示的な実施形態において、図１ｆに示したように、ＥＭＣシステム５は、単一のカウンタユニット４０、及び単一の基本ユニット１０Ｂを有する単一の長方形波源１０を含む。カウンタユニット４０及び基本ユニット１０Ｂの両者は図１ａのユニットと同一である。しかしながら、カウンタユニット４０は、基本ユニット１０Ｂに関してターゲット空間５０の反対側上に配置され、以前の図面に関する場合のように、基本ユニット１０Ｂに整列される。このような配列で、カウンタユニット４０はカウンタ波を放出し、そのカウンタ波の波面は、基本ユニット１０Ｂにより照射された有害波の波面と同一である。カウンタユニット４０がターゲット空間５０から離隔して配置されるため、基本ユニット１０Ｂから適切な距離に配置される場合、カウンタ波面は、その有害波面の曲率半径に到達し、その曲率半径にマッチングする曲率半径を規定する。従って、このような後面配列で配置されたカウンタユニット４０は有害波を効果的に抗することもでき、基本ユニット１０Ｂの周辺で広い角度にわたって延長するターゲット空間５０を規定する。図１ａのカウンタユニットと図１ｆのカウンタユニットの間の唯一の差はそれらの配置であり、すなわち、１つのカウンタユニットは図１ａの「前面配列」で配置され、また他のカウンタユニットは図１ｆの「後面配列」で配置される。また、その後面配列はその前面配列より必ずしも優れることはなく、適切な配列を選択する追加的な詳細事項は後述する。また、かかる実施形態は、カウンタ波面と有害波面をマッチングするための位置にカウンタユニット４０が配置される波マッチングに対応すると理解されたい。
【０２２８】
図示していないが、単一のカウンタユニットを、ターゲット空間に関して基本ユニットに水平、有害波の伝播方向に水平、電流が基本又はカウンタユニットに流れるまた他の方向に水平、電圧が基本又はカウンタユニットに印加されるまた他の方向に水平等の配列で配置することもできる。このような「側面配列」で、カウンタ波面の曲率半径は有害波面の曲率半径にマッチングし、従って、カウンタ波はターゲット空間で有害波に効果的にマッチングし、その有害波を効果的に抗するようにする。しかしながら、このような配列に対して、波源はカウンタユニットが含まれる空間を提供しなければならない。従って、カウンタユニットを、その波源の内部、及び適用可能な場合その波源の基本ユニットに近接して具現することもできる。そうでなければ、カウンタユニットを、その代わりに、波源の上に、下に又は脇に及び可能であれば基本ユニットに近接して配置することもできる。しかしながら、基本ユニットの傍らに配置されたカウンタユニットがカウンタ波を基本ユニットに伝播し、基本ユニットの通常の動作を妨害する可能性もある。従って、側面配列は、かかる配列が基本ユニット、その基本ユニットを含む波源又はそれらを含むＥＭＣシステムの通常の動作を妨害しない場合にのみ選択されることが好ましい。その側面配列が基本ユニットの動作に影響を与えないものの、カウンタユニットが空間制限によりその基本ユニットに近接して配置されない場合、２つ以上のカウンタユニットがかかる基本ユニットの反対側（例えば、左側及び右側、上部及び底部、前面及び後面等）上に及び可能であればその基本ユニットに近接して配置されてもよい。また、かかるカウンタユニットを、カウンタ波を放出するように配列することもでき、そのカウンタ波の合算は、有害波の波特性に基づいて、予め設定された方向に対称又は非対称である。
【０２２９】
本発明のまた別の様態において、多数の汎用のカウンタユニットを、単一の汎用の基本ユニットに対して提供することもでき、この場合、全てのカウンタユニット又はそのカウンタユニットの少なくとも２つのカウンタユニットから放出されたカウンタ波で基本ユニットから照射された有害波を抗するようにする。図２ａ乃至図２ｆは、例示的な電磁気カウンタリングメカニズムの概略的な上面図であり、そのメカニズムのそれぞれで、多数のカウンタユニットは、本発明により、単一の波源の単一の基本ユニットから照射された有害波を抗するためにカウンタ波を放出し、基本ユニットは図２ａ乃至図２eではポイントソースであるが、基本ユニットは図２ｆでは延長されたソースである。しかしながら、このような図面が異なる観点からも解釈されると理解されたい。例えば、かかる図面を、上部断面図として観測することもでき、この場合、図２ａ乃至図２eの基本ユニットはシートに垂直に延長したワイヤであり、図２ｆの基本ユニットはそのシートに垂直にまた延長したストリップ又は長方形ロッドである。また別の例において、その図面をより複雑な物品の断面図として解釈することもでき、この場合、図２ａ乃至図２ｅの基本ユニットは、コイル、螺旋、メッシュ等の断面に対応することもできるが、図２ｆの基本ユニットは、曲線型ロッド又はストリップの断面に類似に対応することもできる。また、このような図面で、基本ユニットは、有害波を照射しないシステムのケース又は他の部分である波源で取り囲まれていると理解されたい。また、全ての図面で、ターゲット空間がカウンタユニット及び基本ユニットの右側に形成される方式でＥＭＣシステムが配置されると理解されたい。
【０２３０】
本発明のかかる様態の一つの例示的な実施形態において、図２ａに示したように、ＥＭＣシステム５は、２つのカウンタユニット４０、及び単一の基本ユニット１０Ｂを有する単一の波源１０を含む。その基本ユニット１０Ｂは図１ａ乃至図１ｃの基本ユニットと類似するが、カウンタユニット４０の対は、基本ユニット１０Ｂとターゲット空間５０の間に配置される。また、かかるカウンタユニット４０は基本ユニット１０Ｂに対称であり、その基本ユニットに関して互いに水平に配置される、すなわち、カウンタユニット４０は基本ユニット１０Ｂ及び／又はターゲット空間５０から同一の距離に配置される。かかるカウンタユニット４０は、それぞれのカウンタユニット４０からのカウンタ波の波面がそれらの振幅を増加させつつ互いに重畳するように同一の位相角のカウンタ波を放出するように配列される。カウンタ波が伝播するにより、それぞれのカウンタユニット４０からの波面のそれぞれのセットの合算に対応するそのカウンタ波の波面は、そのカウンタ波が図１ｂ乃至図１ｅの延長されたカウンタユニットから放出されたように、その波面の曲率半径を増加させる。従って、カウンタ波面は、有害波面にマッチングし、カウンタユニット４０の対は、そのカウンタユニットの周辺の制限された角にわたって延長するターゲット空間５０を規定しつつ、基本ユニット１０Ｂにマッチングし、抗するようにする。２つ以上のカウンタユニット４０を配置することがカウンタ波の波面を平らにし、カウンタ波面の重畳された部分の曲率半径を増加させることをもたらすということが理解できる。また、多数のカウンタユニット４０が有害波の１つの波面に沿って配置される波マッチングに、このような配列が対応すると理解されたい。
【０２３１】
本発明のこのような様態のまた別の例示的な実施形態において、図２ｂに示したように、ＥＭＣシステム５は、３個のカウンタユニット４０、及び単一の基本ユニット１０Ｂを取り囲む単一の波源１０を含む。基本ユニット１０Ｂは図１ａ乃至図１ｃの基本ユニットと類似するが、カウンタユニット４０は、全てのカウンタユニット４０が基本ユニット１０Ｂとターゲット空間５０の間に、その基本ユニット１０Ｂに水平に配置されるため、図２ａのカウンタユニットと類似する。しかしながら、システム５は、三つのカウンタユニット４０のアレイが、図２ａに示したものより、有害波の波面にさらに近似するように、１のカウンタユニット４０をさらに有する。従って、カウンタユニット４０は、基本ユニット１０Ｂをさらに良好にカウンタリングし、その基本ユニットの周辺で図２ａの角度よりさらに広い角度にわたって延長するターゲット空間５０を規定するカウンタ波を放出する。３個のカウンタユニット４０を配置することがそのカウンタ波の重畳された波面を追加的に平らにし、また、そのカウンタ波の波面のかかる部分の曲率半径を増加させることをもたらすと理解されたい。また、このような配列が、３個のカウンタユニット４０の全てが有害波の１つの波面に沿って配置されるまた他の波マッチングであると理解されたい。
【０２３２】
本発明のこのような様態のまた別の例示的な実施形態において、図２ｃに示したように、ＥＭＣシステム５は、２つのカウンタユニット４０、及び図１ａ乃至図１ｃの基本ユニットと類似した単一の基本ユニット１０Ｂを有する単一の波源１０を含む。２つのカウンタユニット４０は、その基本ユニットからの同一の距離で基本ユニット１０Ｂの反対側に、ターゲット空間５０に関してその基本ユニット１０Ｂに水平に配置される。前述した実施形態の全てのカウンタユニットと類似に、かかるカウンタユニット４０は、カウンタユニット４０のそれぞれにから放出されたカウンタ波が、カウンタ波の振幅を増加させるために及びそのカウンタ波の波面の曲率半径を増加させつつそのカウンタ波の波面の重畳された部分を平らにするために互いに重畳されるように、類似した又は同一の位相角を規定するカウンタ波を放出する。従って、カウンタユニット４０は、有害波をカウンタリングし、ターゲット空間の周辺に多少制限された角度にわたったターゲット空間５０を規定する。カウンタユニット４０が対称配列で配置され、基本ユニット１０Ｂに水平に配列され、かつ延長されたカウンタユニットに影響を与えるという点から、このような配列が波マッチングよりはソースマッチングであると理解されたい。
【０２３３】
本発明のこのような様態のまた別の例示的な実施形態において、図２ｄに示したように、ＥＭＣシステム５は、３個のカウンタユニット４０、及び図１ａ乃至図１ｆの基本ユニットと類似した単一の基本ユニット１０Ｂを取り囲む単一の波源１０を含む。図２ｂのカウンタユニットとは対照的に、３個のカウンタユニット４０は基本ユニット１０Ｂに関してターゲット空間５０の反対側上に配置される。カウンタユニット４０は基本ユニット１０Ｂ及びターゲット空間５０に関して互いに水平に配列され、また、互いに同一の距離で離隔される。図２ａ乃至図２ｃのカウンタユニットと類似して、外方のカウンタユニット４０Ａ、４０Ｃの両者は、カウンタ波の波面の重畳された部分がその部分の曲率半径を増加させつつ平らになるため、有害波の位相角と少なくとも部分的に反対である位相角を規定するカウンタ波を放出するように配列される。以前の図面のカウンタユニットとは対照的に、中間のカウンタユニット４０Ｂは、かかる有害波の位相角と少なくとも部分的に類似し、外方のカウンタユニット４０Ａ、４０Ｃにより放出されたカウンタ波の位相角とは反対である位相角を規定するカウンタ波を放出するように配列される。従って、中間のカウンタユニット４０Ｂを含む総効果は、図１ｆのターゲット空間５０と図２ｄのターゲット空間５０の比較で明らかなように、カウンタ波の合算の波面の重畳された部分の曲率をシャープとし、基本ユニット１０Ｂの周辺でより狭小な角度に延長するターゲット空間５０を規定するものである。すなわち、互いに反対である位相角のカウンタ波を放出する多数のカウンタユニット４０Ａ乃至４０Ｃを含むことにより、有害波の波面に最上にマッチングするために、かかるカウンタ波の合算の波面及びその波面の曲率半径を正確に操作することが可能である。かかる実施形態がソースマッチング、波マッチング又はこれらの組合せに対応すると理解されたい。
【０２３４】
このような実施形態のカウンタユニット４０Ａ乃至４０Ｃを異なる配列で含むこともできる。例えば、２つのカウンタユニットのみが反対である位相角を有するカウンタ波を放出するように含むこともでき、この場合、そのカウンタ波の合算の結果的な波面は、一側又は反対側に対称ではなく非対称である。また、そのカウンタユニット間の距離を、カウンタユニットの数に関係なく、カウンタ波の合算の波面を調整するように操作することもできる。また、有害波の位相角と類似した位相角を規定するカウンタ波を放出するカウンタユニットを、カウンタ波の重畳された部分を追加的にシャープとするために、外方のユニットとして利用することもできる。
【０２３５】
本発明のこのような様態のまた別の例示的な実施形態において、図２ｅに示したように、ＥＭＣシステム５は、３個のカウンタユニット４０、及び図１ａ乃至図１ｃの基本ユニットと類似した単一の基本ユニット１０Ｂを取り囲む単一の波源１０を含む。また、かかるカウンタユニット４０Ａ乃至４０Ｃの全てが基本ユニット１０Ｂとターゲット空間５０との間に配置され、互いに類似し、そのカウンタユニット４０Ａ乃至４０Ｃが同一又は類似した位相角のカウンタ波を放出するため、そのカウンタユニット４０Ａ乃至４０Ｃは図２Ｂのカウンタユニットと類似する。しかしながら、それぞれのカウンタユニット４０Ａ乃至４０Ｃは、カウンタ波の波面の一部にマッチングするために形成及びサイズ決定された弓状の物品を形成するように配列される。また、上部カウンタユニット４０Ａ及び下部カウンタユニット４０Ｃは互いに離隔され、有害波の１つの波面に沿って配置されるが、中間のカウンタユニット４０Ｂは、より大きい曲率半径を規定しつつカウンタ波の合算の波面の重畳された一部が平らとなり、有害波の波面にマッチングし、それにより基本ユニット１０Ｂの周辺に広い角度に延長するターゲット空間５０を形成する方式で、その上部カウンタユニット４０Ａと下部カウンタユニット４０Ｃの間に、その有害波の隣接した波面に沿って配置される。このような配列は、３個のカウンタユニット４０Ａ乃至４０Ｃの全てが有害波の多数の波面に沿って配置される他の波マッチングであると理解されたい。
【０２３６】
本発明のこのような様態のまた別の例示的な実施形態において、図２ｆに示したように、ＥＭＣシステム５は、３個のカウンタユニット、及び単一の基本ユニット１０Ｂを取り囲む単一の波源１０を含む。基本ユニット１０Ｂは図１ｄ及び図１ｅの基本ユニットと類似するが、カウンタユニット４０は図２ｂのカウンタユニットと類似し、平らとなったカウンタ波を放出し、その波面に沿って垂直部を規定する。従って、カウンタ波は有害波の垂直部にマッチングし、図１ｄのターゲット空間と類似したターゲット空間５０を規定する。このような実施形態は、３個のカウンタユニット４０が延長された基本ユニット１０Ｂに近似するまた他のソースマッチングであると理解されたい。
【０２３７】
本発明のまた別の様態において、単一の汎用のカウンタユニットを、そのカウンタユニットからのカウンタ波により多数の汎用の基本ユニットからの有害波を抗するために、その基本ユニットに対して提供することもできる。一例において、かかるカウンタユニットを、それぞれの基本ユニットにより照射された有害波の合算を抗するように配列することもでき、ここで、カウンタユニットの詳細な配置は、基本ユニットの構成及び／又は配置、かかる基本ユニットにより照射された有害波の振幅及び／又は方向等に依存することもできる。それらに基づいて、カウンタユニットを、その基本ユニットの全部又は少なくとも一部に対称的に配置することもでき、前面、後面、又は側面配列等で含むこともでき、一般的にかかる配列は以下「グローバル又は全体カウンタリング」と指称される。また別の例において、カウンタユニットは多数の基本ユニットのうちの１つの基本ユニットのみにより照射された有害波を抗するように代わりに配列され、一般的にかかる配列は以下「ローカル又は個別カウンタリング」と指称される。このようなローカルカウンタリングは、他の抗されていない基本ユニットが無視できる量のかかる有害波を照射する場合、他の抗されていない基本ユニットが無視できない量の有害波をターゲット空間と異なる方向に照射する場合等にのみ効果的である。そうでなければ、抗されていない基本ユニットの有害波をカウンタリングし、その有害波を抗するように付加的なカウンタユニットを含む等のためにカウンタユニットを操作することが好ましい。
【０２３８】
単一の基本ユニットに対する上述した多様なカウンタリングメカニズムが、グローバルカウンタリングメカニズムにおいて、多数の基本ユニットを有するシステムに同様に適用されると理解されたい。すなわち、前記カウンタリングメカニズムを、単一の基本ユニットにより照射された有害波に適用しないで、多数の基本ユニットにより照射された有害波の合算に適用することもできる。システムがローカルカウンタリングメカニズムで動作する場合、上述したメカニズムを、かかる基本ユニットの正確な数に関係なく多数の基本ユニットのそれぞれに適用することもできる。
【０２３９】
本発明のまた別の様態において、多数の汎用のカウンタユニットを、そのカウンタユニットからのカウンタ波により多数の汎用の基本ユニットからの有害波を抗するために、その基本ユニットに対して提供することもできる。一例において、多数のカウンタユニットは、その基本ユニットと同一の数で提供され、それぞれのカウンタユニットはローカルカウンタリングメカニズムでかかる基本ユニットのうちの１つの基本ユニットのみを抗するように配列される。別の方法として、かかるカウンタユニットの少なくとも１つのカウンタユニットは、ローカルカウンタリングメカニズムに基づいてかかる基本ユニットのうちの１つの基本ユニットのみを抗することもできるが、そのカウンタユニットの少なくとも１つのまた他のカウンタユニットは、グローバルカウンタリングメカニズムでその基本ユニットの少なくとも２つの基本ユニットを抗することもできる。また別の例において、それぞれのカウンタユニットがグローバルカウンタリングメカニズムに基づいて、基本ユニットの少なくとも２つの基本ユニットを抗するように配列され、そのカウンタユニットの少なくとも１つのカウンタユニットがローカルカウンタリングメカニズムに基づいて、その基本ユニットのうちの１つの基本ユニットを抗する一方、そのカウンタユニットの少なくとも１つのまた他のカウンタユニットがグローバルカウンタリングメカニズムでその基本ユニットの少なくとも２つの基本ユニットを抗するように、より少ない数のカウンタユニットが提供される。また別の例において、それぞれの基本ユニットをカウンタユニットの少なくとも２つのカウンタユニットにより抗することもでき、カウンタユニットのうちの１つのカウンタユニットがローカルカウンタリングメカニズムで基本ユニットのうちの１つの基本ユニットをカウンタリングし、そのカウンタユニットの少なくとも１つのまた他のカウンタユニットがグローバルカウンタリングメカニズムでかかる基本ユニットの少なくとも２つの基本ユニットを抗するように、より多い数のカウンタユニットが提供される。このような全ての例において、前記前面、後面、又は側面のカウンタリングメカニズム中の任意のメカニズムをカウンタユニットに用いることもでき、かかるカウンタリングメカニズムはそれぞれのカウンタユニットに対して同一又は異なることもできる。
【０２４０】
図１ａ乃至図１ｆ及び図２ａ乃至図２ｆに例示したようなかかるＥＭＣシステム及びそのカウンタユニットの構成及び／又は動作変更だけでなく、かかるＥＭＣシステム及びそのカウンタユニットの構成及び／又は動作変形も本発明の範囲内にある。
【０２４１】
上述したように、通常のＥＭＣシステムは少なくとも１つの波源及び少なくとも１つのカウンタユニットを含み、順次に、その波源は少なくとも１つの基本ユニットをその内に包含又は取り囲み、そのカウンタユニットは、リード（ｌｅａｄ）ワイヤのような少なくとも１つのオプション的な電気コネクター及びシステムの他の部分にそのカウンタユニットをカップリングさせる少なくとも１つのオプション的なカプラーを含むこともできる。また、ＥＭＣシステムは、基本ユニットの少なくとも一部、カウンタユニットの少なくとも一部等を取り囲む少なくとも１つのオプション的なケース部材を含むこともできる。別の方法として、カウンタ及び／又は基本ユニットの全部分はかかるケース部材と共に又はそのケース部材なしで露出される。
【０２４２】
さらに詳細に、カウンタユニットは、少なくとも１つのボディ部、少なくとも１つのオプション的な支持部及び少なくとも１つの入口のような多様な部分で構成される。カウンタユニットのボディ部は、かかるボディ部が電流が流れる時、電圧が印加される時等にカウンタ波を放出するカウンタユニットの唯一のコンポーネントであるという点で、波源の基本ユニットに性質上対応する。従って、かかるボディ部は電流がその内に流れる時、少なくとも１つの導体で構成及び／又はその導体を含むこともでき、電圧が印加される時、任意の電気的に導電性、半導電性又は絶縁性材料で構成及び／又はその材料を含むことが好ましい。その支持部は、機械的な保護及び／又は電気的な隔離のために前記ボディ部を機械的に支持し及び／又はその内にかかるボディ部を保有するように提供される。通常、その入口は、特にかかる入口が配置される導電性ワイヤの少なくとも１つのコイルをカウンタユニットが有する場合に、カウンタ波の振幅を増加させるために用いられる。その入口は、例えば、強磁性材料、常磁性材料、反磁性材料、及びフェリ磁性材料のような多様な磁性材料で構成及び／又はその材料を含むこともでき、ここで、その強磁性材料が好まれる材料である。一般的に、カウンタユニットがカウンタ波を放出しつつ、その構成を維持するように構成されるということが認識でき、このような固定された構成は、硬質材料のカウンタユニットのボディ部を形成することにより、そのカウンタユニットのボディ部をその支持部に固定的にカップリングさせる等により具現される。別の方法として、カウンタユニットをかかるカウンタ波を放出しつつ、その形状を変更するように配列することもでき、このような可変構成は、弾性又は変形可能な材料のカウンタユニットのボディ部を形成することにより、そのカウンタユニットのボディ部をその支持部に移動可能にカップリングさせる等により具現される。かかるカウンタ波を放出するカウンタユニットが反対磁極の有害波を照射する基本ユニットと対立すると理解されたい。従って、かかるカウンタユニットはカウンタ波を放出しつつ、移動する傾向があり、そのカウンタユニットの動作の間にそのカウンタユニットを固定させることが好ましい場合、特殊な設備が具現される必要もあり得る。
【０２４３】
カウンタユニットを、通常、形状、サイズ、配列等と指称される多様な構成で提供することもできる。一般的に、カウンタユニットの構成は、一般的に基本ユニットの構成的特性、有害波の波特性等に依存する、（ソースマッチング及び波マッチングのような）前記カウンタリングモード及び／又は（前面、後面、又は側面配列、ローカル又はグローバルカウンタリング等のような）カウンタリングメカニズムに依存する。また、カウンタユニットの構成は、カウンタユニットの一側面上に形成されるターゲット空間の形状、サイズ、配向、及び／又は配置にまた依存する。
【０２４４】
カウンタユニットの形状を、基本ユニットの形状と同一又は類似するように配列することもでき、この場合、かかるカウンタユニットは有害波に自動的にマッチングするカウンタ波を放出するように構成される。その代わりに、そのカウンタユニットの形状を、基本ユニットの形状と異なるように配列することもでき、かかるカウンタユニットを他の形状で提供することもでき、その基本ユニットの周辺に巻くこともでき、基本ユニットの少なくとも一部を取り囲むこともでき、基本ユニットの少なくとも一部により取り囲まれることもでき、その他にも様々な例がある。かかるカウンタユニットは、ワイヤ、ストリップ、シート、チューブ、コイル、螺旋、及び／又はメッシュの形状を規定することもでき、その形状を通じた任意のホール又は開口部を規定せず、かかる形状中の２つ以上の形状の組合せを規定することもでき、その形状を通じた多数のホール及び／又は開口部を規定しつつかかる形状中の２つ以上のアレイを規定することもでき、その他にも様々な例があり、その組合せ及び／又はアレイの例は、互いにバンドリング（ｂｕｎｄｌｅ）する多数の同一又は異なる形状を含むバンドル、互いに沿って編組された多数の同一又は異なる形状の編組等を含むが、これに制限されるものではない。また、カウンタユニットを、少なくとも２つの材料を含み、任意の前記形状、組合せ、及び／又はアレイで提供される混合物で構成することもできる。（ソレノイド又はトロイドを含む）コイル、螺旋、メッシュ、及びこれらのアレイが、後述するように、特に波マッチングに有用であると理解されたい。また、多数のカウンタユニットの全ては同一の形状を規定することもでき、又はかかるカウンタユニットの全てではない少なくとも２つのカウンタユニットが同一の形状を規定することもできると理解されたい。別の方法として、かかるカウンタユニットの全ては異なる形状を規定することもできる。
【０２４５】
カウンタユニットは、そのカウンタユニットによるカウンタ波が有害波にさらに良好にマッチングするために、基本ユニットに一致するように形成されることもでき、かかるカウンタユニットは、その基本ユニットに近似するか、その基本ユニットに追加的な詳細事項を提供する一方、かかる基本ユニットに一致されることもできる。別の方法として、カウンタユニットは、有害波にマッチングするようにカウンタ波を操作する間、基本ユニットに一致しないように形成されることもできる。このような配列は、単一のカウンタユニットが多数の基本ユニットを抗する場合又は多数のカウンタユニットが単一の基本ユニットを抗する場合、具現されることもできる。かかる配列で、カウンタユニットがターゲット空間で有害波にマッチング及びその波を抗するカウンタ波を放出するために適切な電気エネルギー（例えば、電流又は電圧）の供給を受けることもできると理解されたい。また、多数のカウンタユニットの全てが基本ユニットに一致するか、そのカウンタユニットの全てではない少なくとも２つのカウンタユニットが基本ユニットに一致することもできると理解されたい。別の方法として、そのカウンタユニットの全ては基本ユニットに一致しないこともできる。
【０２４６】
１つ又は多数のカウンタユニットが１つ又は多数の基本ユニットと類似又は同一に形成される場合、カウンタユニットはその基本ユニットに近似するように配列されることが好ましい。基本ユニットが三次元（又は３Ｄ）形状を形成する場合、カウンタユニットを、より類似した形状又はより簡単な形状を有する三次元の類似物、二次元（又は２Ｄ）の類似物又は一次元（又は１Ｄ）の類似物として構成することもできる。基本ユニットが２Ｄ形状を規定する場合、カウンタユニットをより類似した又はより簡単な形状の２Ｄ又は１Ｄの類似物として製造することもできる。基本ユニットが１Ｄ形状を形成する場合、カウンタユニットを、より類似した又はより簡単な形状を規定するまた他の１Ｄの類似物として提供することもできる。単一のカウンタユニットが多数の基本ユニットをカウンタリングしなければならない場合、そのカウンタユニットはかかる類似物のうちの１つの類似物として主要基本ユニットにのみ近似することもでき、その類似物のうちの１つの類似物でかかる基本ユニットの少なくとも２つの基本ユニットに近似することもできる。多数のカウンタユニットが単一の基本ユニットを抗する場合、それぞれのカウンタユニットは基本ユニットの一部にのみ近似することもできる。多数のカウンタユニットが多数の基本ユニットを抗する場合、そのカウンタユニットは、同一の次元の類似物で、又は異なる次元で提供される多様な類似物でその基本ユニットに近似することもできる。このような類似物がその基本ユニットに一致し、従って、その類似物はその基本ユニットの形状に依存してより直線型又は曲線型形状を規定することもできると理解されたい。また、その類似物がその基本ユニットとの類似性を維持することが好ましいということが認識でき、ここで、かかる類似性は、かかるカウンタユニット及び基本ユニットの長さ、それらの幅、それらの高さ、それらの厚さ、それらの直径又は半径、それらの曲率半径、それらの回転又は巻数、かかる長さの割合、かかる幅の割合、かかる厚さ又は高さの割合、かかる直径又は半径の割合、かかる数の割合等の観点から維持されることもできる。単一の基本ユニットが単一のカウンタユニットにより抗される場合、かかる構成パラメーターは基本ユニット及びカウンタユニットのそれぞれで規定される。単一のカウンタユニットが多数の基本ユニットを抗する場合、かかる構成パラメーターは、カウンタユニット、かかる基本ユニットの全てのアレイ、かかる基本ユニットの全てではない少なくとも２つの基本ユニットのアレイ等で規定される。多数のカウンタユニットが単一の基本ユニットを抗する場合、かかる構成パラメーターは、その基本ユニット、かかるカウンタユニットの全てのアレイ、かかるカウンタユニットの全てではない少なくとも２つのカウンタユニットのアレイ等で規定される。多数のカウンタユニットが同一又は異なる数の基本ユニットを抗する場合、かかる構成パラメーターは上述したように個別的に又はアレイでまた規定される。
【０２４７】
単一又は多数のカウンタユニットが単一又は多数の基本ユニットと類似に又は同一に形成される場合、カウンタユニットは、有害波の波面とかかるカウンタ波の波面をマッチングさせようとするさらに良好な目的のために、基本ユニットに存在しない構造を付加する観点ではなく、カウンタ波の波面をストリーミングするコンテクストで、詳細事項をその基本ユニットに提供するように配列される。例えば、１つ又は多数の小さいカウンタユニットを、主要カウンタユニットにより放出されたカウンタ波の合算の波面の外部（又は内部）エッジを操作するために、１つ以上の主要カウンタユニットの周辺（又は内部）に配置することもできる。また別の例において、１つ又は多数の小さいカウンタユニットを、また、１つ以上の主要カウンタユニットにより放出されたカウンタ波の合算の波面の曲率半径を操作するためにその主要カウンタユニットに近接して（又は離隔して）配置することもできる。かかる主要ではないカウンタユニットの包含がターゲット空間でカウンタ波と有害波の間のマッチングを改善させることもできる限り、かかる小さい又は主要ではないカウンタユニットは、また別の目的のために１つ以上の主要カウンタユニットに関する多様な関係で含まれることもできる。従って、システムが多数のカウンタユニットを含む場合、全てのカウンタユニットを基本ユニットに近似するように配列することもでき、全てのカウンタユニットを詳細事項を基本ユニットに提供するように配列することもでき、また、カウンタユニットの全てではない一部のカウンタユニットは基本ユニットに近似することもできる。
【０２４８】
カウンタユニットを、その縦軸又は長軸、その長軸に垂直又は横断する短軸等に沿って多様な断面（ｃｒｏｓｓ−ｓｅｃｔｉｏｎ）を規定するように配列することもできる。一例において、カウンタユニットは、放出されたカウンタ波がかかる軸に沿って同一の形状を規定する波面を規定するように、かかる軸の少なくとも１つの軸に沿って均一な断面を規定するように配列される。また別の例において、カウンタユニットは、放出されたカウンタ波がかかる軸の少なくとも１つの軸に沿って形状が変わる波面を規定するように、かかる軸の少なくとも１つの軸に沿って、断面を変更するように構成される。システムが多数のカウンタユニットを有する場合、かかるユニットの全ては同一の形状を規定するか、又はかかるカウンタユニットの少なくとも２つのカウンタユニットは異なる形状を規定することもできる。
【０２４９】
カウンタユニットを多様なサイズを有するように配列することもでき、ここで、かかるカウンタユニットは、それにより有害波を効果的に抗する適切な振幅のカウンタ波を放出することもできる。例えば、前面配列で含まれたカウンタユニットは、ターゲット空間に対して、さらに近接した配置により基本ユニットよりさらに小さいサイズを規定することもできるが、後面配列で含まれたカウンタユニットは、ターゲット空間に関するさらに大きい距離により基本ユニットよりさらに大きいサイズを規定することもできる。しかしながら、カウンタユニットのサイズは、例えば、カウンタユニットの形状、それに供給された電気エネルギー（すなわち、電流及び／又は電圧）の振幅等のような他の因子により決定されることもできる。従って、前面配列でのカウンタユニットは単位領域当たりさらに少ない量のカウンタ波を放出し、基本ユニットよりさらに大きいサイズを規定することもできるが、後面配列でのカウンタユニットは単位領域当たりさらに多くの量のカウンタ波を放出し、基本ユニットよりさらに小さいサイズを規定することもでき、その他の場合も存在する。すなわち、カウンタユニットのサイズは、例えば、そのカウンタユニットの形状、それに供給された電気エネルギーの振幅、基本ユニット及び／又はターゲット空間に対する距離、カウンタユニットの配列、そのカウンタユニットの配向等のような他の因子により決定される２次元パラメーターとしてみなされることもできる。
【０２５０】
カウンタユニットをその縦軸及び／又は短軸に沿って多様なサイズを有するように配列することもできる。一例において、カウンタユニットは、それに同一の量の電気エネルギーが供給されると仮定すると、放出されたカウンタ波がかかる軸に沿って同一の形状を規定する波面を規定するように、かかる軸の少なくとも１つの軸に沿って均一なサイズを規定するように配列される。また別の例において、カウンタユニットは、放出されたカウンタ波がかかる軸に沿って形状の変わる波面を規定するように、軸の少なくとも１つの軸に沿ってそのカウンタユニットの形状を変更するように構成される。また、カウンタユニットは、かかる軸の少なくとも１つの軸に沿ってその形状を変更する一方、その軸に沿って同一のサイズを維持することもできる。システムが多数のカウンタユニットを含む場合、かかるカウンタユニットは同一のサイズを有するか、又はかかるユニットの少なくとも２つのユニットは異なるサイズを規定することもできる。
【０２５１】
また、多数のカウンタユニットを多様な配列で含むこともでき、ここで、かかるカウンタユニットは、その配列によりかかる有害波に自動的にマッチングするカウンタ波を放出するように配列される。一例において、かかるカウンタユニットは、カウンタ波がターゲット空間で有害波にマッチングするように、基本ユニットの形状に一致するか、又は多数の基本ユニットの他の配列に一致する配列で含まれる。また別の例において、カウンタユニットは、単一の基本ユニットの形状に一致しないか、又は多数の基本ユニットの配列に一致しない配列で含まれる。
【０２５２】
このような配列は、多数のカウンタユニットが単一の基本ユニットを抗する場合、又は多数のカウンタユニットが異なる数の多数の基本ユニットを抗する場合、具現されることもできる。かかる配列で、カウンタユニットが、ターゲット空間で有害波にマッチング及びその有害波を抗するカウンタ波を放出するために適切な電気エネルギー（例えば、電流又は電圧）の提供を受けることもできると理解されたい。カウンタユニットを、それにより放出されたカウンタ波が対称的な有害波にマッチングするように基本ユニット及び／又はターゲット空間に対称的な配列で配置することもできる。これに対し、カウンタユニットを、非対称カウンタ波がターゲット空間で非対称の有害波を抗するように基本ユニット又はターゲット空間に非対称的な配列で配置することもできる。単一のカウンタユニット又は多数のカウンタユニットは、１つ又は多数の基本ユニットの少なくとも一部を取り囲む配列で含まれることもできる。これと対照的に、単一のカウンタユニット又は多数のカウンタユニットは、かかるカウンタユニットの少なくとも一部が１つ又は多数の基本ユニットにより取り囲まれる他の配列で含まれることもできる。一般的に、その配列が多数のカウンタユニットのパターンを暗示するが、かかる配列が単一のカウンタユニットの配向及び／又は整列を意味することもできると理解されたい。
【０２５３】
また、カウンタユニットを、一般的に配向、整列、距離、移動度等と指称される多様な配置で提供することもできる。一般的に、カウンタユニットのかかる配置は、それぞれが一般的に基本ユニットの構成の特性、有害波の波特性等に依存する、（ソースマッチング又は波マッチングのような）かかるカウンタリングモード、（前面、後面又は側面配列、ローカル又はグローバルカウンタリング等のような）カウンタリングメカニズム、カウンタユニットの構成等に依存する。また、カウンタユニットの配置は、形状、サイズ、配向、及び／又はカウンタユニットの一側面上に規定されるターゲット空間の配置も依存する。かかるカウンタユニットを、通常的にローカルカウンタリングメカニズムで基本ユニットにさらに近接して配置することもでき、そのカウンタユニットをグローバルカウンタリングメカニズムで基本ユニットに離隔して配置することもできるという経験則（ｒｕｌｅ ｏｆ ｔｈｕｍｂ）が認識できる。
【０２５４】
カウンタユニットを、それにより放出されたカウンタ波がかかる有害波と共に適切に配向され、その有害波を抗するように多様な配向で配置することもできる。一例において、カウンタユニットは、例えば、有害波の伝播方向に垂直であるその長軸を配向させることにより、かかる伝播方向に関して規定された配向で配置される。また別の例において、カウンタユニットは、例えば、電気エネルギーの方向に関して並列、垂直、又は予め設定された角度にその長軸を配向させることにより、電流又は電圧の方向に関して規定されたまた他の配向で配置される。また別の例において、カウンタユニットは、基本ユニットの縦軸及び／又は短軸に関して規定されたまた他の配向で代わりに配置される。特に、基本ユニットがその軸の少なくとも１つの軸と異なる、そのコイル又は他の部分の巻かれた方向と異なる方向等に有害波を放出するように配列される場合、カウンタユニットのかかる配向が通常的にかかる基本ユニットの他の構成に依存すると理解されたい。システムが多数のカウンタユニットを含む場合、かかるカウンタユニットの全てを同一の配向で配置することもでき、それぞれのカウンタユニットを異なる配向で配置することもでき、そのカウンタユニットの少なくとも２つのカウンタユニットを、同一の配向で配置することもできる。
【０２５５】
カウンタユニットを、それにより放出されたカウンタ波がかかる有害波と共に適切に整列され、その有害波を適切に抗するように多様な整列で配置することもできる。一例において、カウンタユニットは前記方向及び／又は軸中の１つ以上に整列される。また別の例において、カウンタユニットは前記方向及び／又は軸の少なくとも１つと誤整列され、基本ユニットの方向とは異なる方向に巻かれる。システムが多数のカウンタユニットを含む場合、かかるカウンタユニットの全てを同一の方向及び／又は軸に整列することもでき、それぞれのカウンタユニットを異なる方向又は軸に整列することもでき、かかるカウンタユニットの全てではない少なくとも２つのカウンタユニットを同一の方向又は軸に整列することもできる。システムが多数のカウンタユニットを含む場合、かかるカウンタユニットの全てを異なる整列で配置することもでき、そのカウンタユニットの全てではない少なくとも２つのカウンタユニットを同一の配向で整列することもできる。
【０２５６】
また、カウンタユニットを側面配列、軸配列、同心配列等で配置することもできる。その側面配列で、１つ又は多数のカウンタユニットは基本ユニットに関して並んで又はかかる基本ユニットの長軸及び／又は短軸に沿ってその基本ユニットの間に配置される。軸配列で、１つ又は多数のカウンタユニットは、かかる基本ユニットから予め設定された距離でかかる軸の１つ以上の軸方向に沿って配置される。その同心配列で、１つ又は多数のカウンタユニットは単一の基本ユニット内に配置されることもでき、多数の基本ユニットで取り囲まれることもでき、単一又は多数の基本ユニットを取り囲むこともできる。
【０２５７】
カウンタユニットを基本ユニット及び／又はターゲット空間からの多様な距離で配置することもできる。一例において、かかるカウンタユニットは、有害波の波面にマッチングする波面を有するカウンタ波を放出するようにシステムの基本ユニットから予め設定された距離でそのシステムに固定的にカップリングされる。好ましくは、カウンタユニットは、可変振幅の有害波をカウンタリング、異なるターゲット空間を規定等のために、カウンタ波の振幅がそれにより変わるようにする可変電気エネルギー（すなわち、電流又は電圧）を受信することもできる。また別の例において、カウンタユニットは、カウンタ波を放出し、有害波に関して異なる位置にそのカウンタ波の波面を配置するようにシステムに移動可能にカップリングされ、２つの位置の間で変換又は回転することもでき、そのカウンタ波は可変振幅を有するか又は有しない。従って、カウンタ波はカウンタ波により有害波をカウンタリングし、そのカウンタ波の波面の特性は基本ユニット及び／又はターゲット空間に関するカウンタユニットの位置により変わる。また別の例において、システムは多数のカウンタユニットをその内に含むこともでき、カウンタユニットのそれぞれの波放出動作を操作することもできる。かかるカウンタユニットの全て又は一部から放出されたカウンタ波の振幅を操作するか、又は操作せずにかかるカウンタユニットを適切に募集することにより、システムは、基本ユニットに関する多様な位置にターゲット空間を規定し、有害波を抗することもできる。システムが多数のカウンタユニットを含む場合、かかるユニットの全てはそのシステム内に固定的に含まれることもでき、かかるユニットの全てはそのシステム内に移動可能に含まれるか、又はかかるユニットの全てではない少なくとも２つのユニットはそのシステム内に移動可能に含まれることもできる。
【０２５８】
カウンタユニットの配置を、基本ユニットの縦軸、短軸に沿って、その軸の少なくとも１つの周辺等で測定された距離の観点から算定することもできる。カウンタユニットを、前面配列におけるように基本ユニットよりターゲット空間にさらに近接して、後面配列におけるように基本ユニットよりターゲット空間から離隔して、側面配列におけるようにターゲット空間と水平等で配置することもできる。システムが多数のカウンタユニットを含む場合、かかるユニットの全てを同一の配列で配置するか、又はかかるユニットの少なくとも２つのユニットを異なる配列で配置することもできる。また、カウンタユニットの全てを基本ユニットから同一の距離に配置することもでき、別の方法として、かかるカウンタユニットの少なくとも２つのカウンタユニットをその基本ユニットから異なる距離に配置することもできる。カウンタユニットがターゲット空間に関して基本ユニットの同一の側面上に配置されることが好ましいと理解されたい。しかしながら、カウンタユニットがターゲット空間に関して基本ユニットの反対側上に配置される場合、かかる配置が好ましい実施形態ではないが、カウンタユニットは相変わらず有害波を抗することができる。
【０２５９】
カウンタユニットはシステムの多様な部分で含まれることもでき、また多様な露出で配置されることもできる。システムがケース部材を含む場合、カウンタユニットを、そのケース部材の外部表面上又は上方に、そのケース部材の内部表面上又は下方に配置することもでき、そのケース部材内に及び／又はそのケース部材の内部に具現することもできる。その代わりに、かかるカウンタユニットを、波源の外部表面上又は上方に、かかる波源の内部表面上又は下方に配置することもでき、その波源のかかる表面の間、その波源の内部に具現することもできる。また、カウンタユニットを、基本ユニットの外部表面上又は上方に、その基本ユニットの内部表面上又は下方に配置することもでき、基本ユニットのその表面の間、その基本ユニットの内部に具現することもできる。また、かかるカウンタユニットを、その基本ユニットの少なくとも一部により配置して取り囲むこともできる。同様に、カウンタユニットの少なくとも一部又は全部分は、システム、ケース部材、波源、基本ユニット等を通じて露出されることもできる。また、カウンタユニットをシステムの１つ以上の既存の部分、波源、及び／又はケース部材と固定的に又は移動可能にカップリングすることもでき、別の方法として、カプラーによりそれらにカップリングすることもできる。同様に、カウンタユニットは、かかるシステム、波源、及び／又は基本ユニットを有する任意の物品から離隔されるか、又はその物品を形成することもできる。
【０２６０】
カウンタユニットは、そのカウンタユニットに供給された電気エネルギーに応答し、適切な振幅を有し、有害波にマッチングするカウンタ波を放出するために、多様な材料で構成され及び／又はその材料を含むこともできる。一例において、カウンタユニット及び基本ユニットは、かかるユニットがかかる電気エネルギーの単位量当たりカウンタ波及び有害波の同一の量を放出するように、同一の材料で構成され及び／又はその材料を含むこともできる。また別の例において、カウンタユニット及び基本ユニットは、かかるユニットが電気エネルギーの単位量当たりのカウンタ波及び有害波の同一の量ではないが、類似した量を放出するように、少なくとも１つの共通の材料及び少なくとも１つの異なる材料を含むこともできる。また別の例において、カウンタユニット及び基本ユニットは、カウンタユニット及び基本ユニットが電気エネルギーの単位量当たり異なる量の波を放出するように、異なる材料で構成され及び／又はその材料を含むこともできる。一般的に、カウンタユニット及び基本ユニットの組成により決定されたそれらの多様な特性は、電気抵抗、伝導度、磁気誘電率、共振周波数等であることもできる。従って、カウンタユニットを、その組成に基づいて、同一、類似、又は異なる伝導度、誘電率、及び共振周波数を規定するように配列することもできる。そのカウンタユニットの全部分を、同一の組成を有するように配列するか、別の方法として、そのカウンタユニットの多様な部分はその長軸又は短軸に沿って変わる異なる組成を有するように配列することもできる。システムが多数のカウンタユニットを含む場合、かかるカウンタユニットの全ては同一の組成を有することもでき、そのカウンタユニットの全てではない少なくとも２つのカウンタユニットは同一の組成を有するか、かかるカウンタユニットの全てが異なる組成を有することもでき、それにより、その組成による前記特性をまた維持又は変更させる。
【０２６１】
上述したように、カウンタ波及び有害波の（反対又は類似した）位相角を正確にマッチングさせることは、カウンタユニットにより放出されたカウンタ波により、基本ユニットから照射された有害波を抗するための前提条件である。このような位相マッチングは、かかる基本ユニット及びカウンタユニットに適切な電気エネルギー（すなわち、電流又は電圧）を供給し、カウンタユニット及び基本ユニットを互いにオプション的及び電気的にカップリングすることにより得られる。例示の目的のために、基本ユニットに供給された電気エネルギーは、以下、「ソースエネルギー」と指称され、その「ソースエネルギー」の電流及び電圧は、以下、「ソース電流」及び「ソース電圧」とそれぞれ指称される。一例において、同一のソース電流又は電圧は、有害波及びカウンタ波のかかる位相角が適切に同期化されるように、順次に又は同時に基本及びカウンタユニットに供給される。また別の例において、カウンタユニットはソース電流又は電圧の一部のみ供給を受け、ここで、かかる有害波及びカウンタ波の位相角はまた相変らず同期化される。また別の例において、先ず、基本ユニットはソース電流又は電圧の供給を受け、その後、システムはソース電流又は電圧の振幅又は方向を変形し、変形された電流又は電圧をカウンタユニットに供給する。変形される間に、かかるソースエネルギーの位相角が維持される限り、カウンタ波及び有害波は適切に位相同期化される。また別の例において、基本ユニットはソースエネルギーの供給を受け、システムは、かかるソースエネルギーの類似物を提供し、その類似物の振幅及び／又は方向を変更するか、又は変更しずにカウンタユニットに供給する。ここで、かかるシステムは、かかる類似物を提供するために多様な電子コンポーネント、回路、及び／又は制御機を利用することもできる。電気エネルギーの位相角がその類似物エネルギーで維持される限り、カウンタ波及び有害波も位相同期化される。また別の例において、カウンタユニットは直列モード、並列モード、又はハイブリッドモードで基本ユニットに電気的にカップリングされる。ここで、そのカウンタユニットは、上述したように、ソースエネルギー、変形されたソースエネルギー又は類似物エネルギーの供給を受ける。そして、そのカウンタユニットはかかるエネルギーの供給を順次に又は同時に受けることもできる。システムが多数のカウンタユニットを含む場合、かかるカウンタユニットの全ては同一のエネルギーの供給を受けることもでき、かかるユニットの全てではない少なくとも２つのユニットは同一のエネルギーの供給を受けることもでき、それぞれのユニットは異なるエネルギーの供給を受けることもできる。システムが、異なるソースエネルギーの供給を受ける多数の基本ユニットを含む場合、ひとつのカウンタユニットはかかるエネルギーの一部のみ、又は少なくとも２つのエネルギーの組合せ等の供給を受けることもできる。システムが多数のカウンタユニットを含む場合、かかるユニットは同一又は異なるモードにより基本ユニットとカップリングすることもでき、同一又は異なるエネルギーの供給を順次に又は同時に受けることもできる。前記の全ての例において、適切な位相マッチングを達成するためには、カウンタユニットの巻く方向、カウンタユニットの配向及び／又は整列を考慮しなければならないので、位相マッチングもそのカウンタユニットの他の構成及び／又は配置に依存すると理解されたい。
【０２６２】
以下、かかるソースマッチング及び波マッチングの追加的な詳細事項が提供される。上述したように、かかるソースマッチングで、かかるカウンタユニットの構成とそのカウンタユニットにより放出されたカウンタ波の構成の間には、任意の１対１相関が存在しないと理解できる。すなわち、カウンタ波の一定の構成（又は波特性）は、一定の形状及びサイズを規定し、一定の配列で提供される単一のカウンタユニット、類似した形状及びサイズを規定するが、また他の配列で提供されるまた他のカウンタユニット、異なる形状及びサイズを有するが、類似した配列で提供されるまた他のカウンタユニット、予め設定された形状及びサイズを規定し、予め設定された配列で提供される少なくとも２つのカウンタユニット、異なる形状及び／又はサイズを規定し、また異なる配列でのカウンタユニットの同一の数、類似した形状及び／又はサイズを規定し、また類似した配列でのカウンタユニットの異なる数により得られることもできる。また、かかる波マッチングで、カウンタユニットの配置とそのカウンタユニットにより放出されたカウンタ波の波面の間には、１対１相関が存在しないと理解されたい。すなわち、一定の形状を有する波面は、一定の構成を規定し、基本ユニット及び／又はターゲット空間に関して一定の位置に配置される単一のカウンタユニット、また他の構成を形成し、また他の位置に配置されるまた他の単一のカウンタユニット、予め設定された構成を有し、予め設定された位置に配置される少なくとも２つのカウンタユニット、異なる構成を規定し、異なる位置に配置されるカウンタユニットの同一の数、異なる構成を規定し、異なる位置に配置されるカウンタユニットの異なる数等により得られることもできる。しかしながら、ソースマッチングだけでなく、波マッチングに適用されるいくつかの経験則が存在する。第１法則は、前面配列で配置されたカウンタユニットが、カウンタ波の波面の曲率半径を増加させ、カウンタ波と有害波の間にさらに良好なマッチングを得るように、他のもの等が同一である場合、基本ユニットよりさらに大きい特性次元を規定することが好ましいということである。第２法則は、その第１法則の反対であり、後面配列で配置されたカウンタユニットが、カウンタ波の波面の曲率半径を減少させ、カウンタ波と有害波の間にさらに良好なマッチングを得るために、基本ユニットの特性次元よりさらに小さい特性次元を有することが好ましいということを示す。しかしながら、カウンタ波及び有害波の振幅をマッチングさせるために、前面配列でのさらに長い又はさらに広いカウンタユニットは、有害波の振幅よりさらに小さい振幅を有するカウンタ波を放出するように配列される。同様に、後面配列でのさらに短い又はさらに狭小なカウンタユニットは、有害波の振幅よりさらに大きい振幅を規定するカウンタ波を放出するように配列される。第３法則は、同一又は類似した位相角のカウンタ波を放出する多数のカウンタユニットを配置することは、カウンタ波の合算の波面を平らにし、そのカウンタ波の波面の曲率半径を増加させる傾向があるということである。第４法則は、その第３法則の反対であり、より少ない数のカウンタユニットを配置することは、カウンタ波の合算のかかる波面をシャープとし、そのカウンタ波の波面の曲率半径を減少させる傾向があるということを示す。第５法則は、多数のカウンタユニットの全てではない少なくとも２つのカウンタユニットが他のカウンタユニットの位相角と反対である位相角を有するカウンタ波を放出するように配列される場合、カウンタ波の合算の波面がシャープになり、かかる波面の曲率半径が減少されるということである。このような法則が、カウンタユニットの形状と異なる形状を規定した波面を有するカウンタ波を放出するカウンタユニットには、一般的に適用されず、かかる法則が、さらに詳細に後述される均一でない放出電力のカウンタユニットには一般的に適用されないと理解されたい。
【０２６３】
ソースマッチングの主な目的は、カウンタユニットにより放出されたカウンタ波が基本ユニットにより照射された有害波に最上にマッチングするように、その基本ユニットの構成にマッチングすべくそのカウンタユニットの構成を操作することである。システムがカウンタ波を抗するためのソースマッチングに依存することが好ましい場合、類似に構成されたカウンタユニットにより獲得可能なこともあるが、そうでなければ損失されることもある任意の利点のために、そのシステムのカウンタユニットは基本ユニットから予め設定された又は適切な位置内に配置されることが好ましい。基本ユニットが簡単な又は対称である構成を有する場合又は複雑な基本ユニットのコピー品を構成することが適切に可能である場合、ソースマッチングが最も有用であるということが理解できる。システムが多数の基本ユニットを含む単一の波源を含むか、又は少なくとも１つの基本ユニットをそれぞれ含む多数の波源を含む場合、単一のカウンタユニットは多数の基本ユニットとのソースマッチングを得るように配列されるか、又は多数のカウンタユニットは多数の基本ユニットとのソースマッチングを遂行するように配列されることもできる。そのソースマッチングは、形状マッチング、サイズマッチング、配列マッチング、配置マッチング、強度マッチング、及び他の構成マッチングを含む。
【０２６４】
形状マッチングの一部の詳細事項がここまで開示されてきた。例えば、カウンタユニットは、１つ又は多数の３Ｄの基本ユニットの近似又は複製である３Ｄ（又はバルク）の類似物として形成され、単一又は多数の３Ｄ又は２Ｄの基本ユニットの近似であるか、単一又は多数の２Ｄの基本ユニットの複製である２Ｄ（又は平面的）の類似物として提供され、１つ又は多数の３Ｄ、２Ｄ又は１Ｄの基本ユニットの近似又は単一又は多数の１Ｄの基本ユニットの複製である１Ｄ（又は線型的）の類似物として形成されることもできる。同様に、多数のカウンタユニットは、１つ又は多数の３Ｄの基本ユニットの複製又は近似である３Ｄの類似物として構成され、１つ又は多数の３Ｄ又は２Ｄの基本ユニットの近似であるか、単一又は多数の２Ｄの基本ユニットの複製である２Ｄの類似物として形成されることもでき、単一又は多数の３Ｄ、２Ｄ又は１Ｄの基本ユニットの近似又は１つ又は多数の１Ｄの基本ユニットの複製である１Ｄの類似物として提供されることもできる。かかる類似物は、連続的な形状又は多数のホール又は開口部を有する形状を有することもでき、立体的形状又は変形可能な形状を形成することもでき、対称又は非対称形状を規定することもできる。また、類似物の形状は前述したカウンタリングメカニズムにより決定されるか、又はこれと対照的に、かかる形状は、類似物の他の構成、それにより採用された適切なカウンタリングメカニズム等の選択を指示することもできる。
【０２６５】
そのサイズマッチングは、カウンタユニットの構成と基本ユニットの構成の間の類似性を維持するか否かにより、その基本ユニットよりさらに大きい、類似する、或いはさらに小さいようにそのカウンタユニットを規定することにより具現されることもできる。そのカウンタユニットがそのカウンタユニット自体の形状と類似した形状の波面を有するカウンタ波を放出するか否かに関係なく、カウンタユニットのサイズは、カウンタ波の散乱又は平たさの程度、波面のエッジ特性等を決定する。上述したように、カウンタユニットのサイズは、そのカウンタユニットにより採用された多様なカウンタリングメカニズム、配置、そのカウンタユニットの配置、そのカウンタユニットに供給された電気エネルギーの振幅等によりまた表示される。これと対照的に、カウンタユニットのサイズは、その他の構成、適切なカウンタリングメカニズム等の選択を示すこともできる。
【０２６６】
配置マッチングは、カウンタユニットの配向、整列、そのカウンタユニットから基本ユニット及び／又はターゲット空間までの距離、そのカウンタユニットの移動度等を操作することにより具現されることもできる。ここで説明したように、カウンタユニットは、多様な軸及び／又は多様な方向に関する予め設定された関係で配向されることもでき、前面、後面、又は側面配列で配置されることもでき、かかる方向及び／又は軸に整列又は誤整列されることもでき、軸方向、照射方向、角方向、同心方向、側面等に基本ユニットと整列又は誤整列されることもできる。また、カウンタユニットの配置は、そのカウンタユニットにより採用された多様なカウンタリングメカニズム、そのカウンタユニットの形状及びサイズ、そのカウンタユニットに供給された電気エネルギーの振幅等により指示されることもできる。これと対照的に、カウンタユニットの配置は、そのカウンタユニットの他の構成、適切なカウンタリングメカニズム等の選択を指示することもできる。
【０２６７】
強度マッチングは、カウンタユニットにより放出されたカウンタ波の振幅を操作することにより具現されることもできる。例えば、基本ユニットからの一定の距離で測定された場合、ターゲット空間にわたって又はそのターゲット空間での予め設定された位置等の場合、そのカウンタ波は有害波の振幅より大きいか、類似するか、又は小さい振幅を規定することもできる。また、カウンタ波の振幅は、それにより採用された多様なカウンタリングメカニズム、その形状及びサイズ、その配置、それに供給されたかかる電気エネルギーの振幅等により指示される。これと対照的に、カウンタ波の振幅は、その他の構成、適切なカウンタリングメカニズム等の選択を決定することもできる。
【０２６８】
波マッチングの主な目的は、有害波のかかる波面の少なくとも１つの波面に沿ってカウンタユニットを配置させ、有害波の波面にマッチングしてその波面を抗する波面を規定したカウンタ波を放出することである。システムがその有害波を抗するためにその波マッチングに依存することが好ましい場合、カウンタ波面がその有害波面にマッチングする限り、そのシステムのカウンタユニットを任意の距離で基本ユニットの周辺の任意の位置に配置することもできる。その基本ユニットがより複雑であるか、又は非対称である構成を規定する場合又は複雑な基本ユニットの複製又は近似を構成することが不可能な場合、その波マッチングが最も力強いと理解されたい。かかるシステムが多数の基本ユニットを有する単一の波源を含むか、又は少なくとも１つの基本ユニットをそれぞれ含む多数の波源を含む場合、単一のカウンタユニットを多数の基本ユニットとの波マッチングを得るように配列すか、多数のカウンタユニットを、その代わりに、多数の基本ユニットとの波マッチングを遂行するように配列することもできる。その波マッチングに関するただ１つの不利益又は問題は、有害波の波面の詳細な形状及び分布が先験的に（ａ ｐｒｉｏｒ）算定されなければならないということである。
【０２６９】
波マッチングの一つのタイプで、カウンタ波は、カウンタユニットの長さ、幅、半径又は直径、領域及び／又は重量のようなカウンタユニットの単位構成当たりの振幅が均一であるように維持される均一な放出容量を規定した少なくとも１つのカウンタユニットにより放出される。従って、かかるカウンタユニットは、そのカウンタユニット自体と類似な形状の波面を有するカウンタ波を放出し、有害波の波面に沿って配置される場合、ターゲット空間を規定しつつカウンタ波を抗するようにする。波マッチングの他のタイプで、かかるカウンタ波は、カウンタユニットの単位構成当たりの振幅が変わる、放出容量が均一でない他のカウンタユニットにより放出される。かかる配列で、カウンタユニットはそのカウンタユニットの形状と非類似の波面のカウンタ波を放出する。従って、このような均一でない容量のカウンタユニットは、有害波にマッチングし、ターゲット空間を規定するカウンタ波を放出するために、有害波の単一の波面に沿って配置されなく、かかる波面の少なくとも２つの波面にわたって配置される。
【０２７０】
また、均一な放出容量を有するカウンタユニットを、図２ｅに例示されたように有害波の少なくとも２つの波面に沿って配置することもできると理解されたい。多数のカウンタユニットが有害波の異なる波面に配置される場合、かかるユニットを、そのユニットから基本ユニットまでの距離での不一致を補償するために、異なる振幅のカウンタ波を放出するように配列することもできる。かかる補償は、多様な手段、例えば、カウンタユニットの形状及びサイズを調整すること、そのカウンタユニットに供給された電気エネルギーの量を操作すること、かかるカウンタユニットの配向及び／又は整列を制御すること等により得られる。カウンタ波の合算がターゲット空間で有害波の波面にマッチングする波面を規定する限り、かかるカウンタユニットを、多様な構成及び／又は配置で有害波の隣接した又は離隔された波面に沿って配置することもできる。
【０２７１】
ソースマッチングの場合において、それらの対応部と類似に、波マッチングのためのカウンタユニットは、ワイヤ、ストリップ、シート、チューブ、コイル、螺旋、及び／又はメッシュの形状を類似に規定することもでき、また、かかる形状を通じた任意のホール又は開口部を規定せず、かかる形状のうち２つ以上の形状の組合せを規定することもでき、かかる形状を通じた多数のホール及び／又は開口部を規定しつつ、かかる形状のうち２つ以上の形状のアレイを規定することもできる。ここで、かかる組合せ及び／又はアレイの例は、互いにバンドリングする多数の同一又は異なる形状のバンドル、互いに沿って編組された多数の同一又は異なる形状の編組等を含むが、これに制限されるものではない。そして、かかるカウンタユニットを有害波の単一又は多数の波面に沿って配置することもできる。
【０２７２】
詳細に、本発明のＥＭＣシステムは、キャリア周波数範囲、又は約５０Ｈｚから約６０Ｈｚまでの範囲である極低周波範囲、又は約３００Ｈｚ未満のまた他の周波数範囲で多様な有害波を抗するように意図される。従って、本発明の好ましい実施形態において、ＥＭＣシステムの多様なカウンタユニットは、キャリア周波数範囲、又は約５０Ｈｚから約６０Ｈｚまでの範囲である極低周波範囲、又は約３０Ｈｚ未満のまた他の周波数範囲でカウンタ波を放出するように配列され、それにより、比較可能な周波数範囲で有害波を効果的に抗するようにする。多様な医学的発見及び／又はＥＭ波の主要原因がこのような周波数範囲でのＥＭ波であるという仮定を考慮すると、このようなカウンタユニットは、多様な電気及び電子デバイスの基本ユニットから照射された有害波からこのような有害な周波数コンポーネントを効果的に除去すると考えられる。
【０２７３】
好ましくなくても、本発明のＥＭＣシステムの多様なカウンタユニットを、同一又は類似した周波数範囲で有害波を抗するために、約３ｋＨｚ未満のウルトラ低周波範囲でのカウンタ波、約３０ｋＨｚ未満の超低周波範囲でのカウンタ波、及び約３００ｋＨｚ未満の低周波範囲でのカウンタ波を放出するように配列することもできる。また、そのカウンタユニットを、類似した周波数範囲の有害波を抗するために、例えば、約５×１０２Ｈｚから約１０８Ｈｚまでの範囲である無線波周波数、約１０８Ｈｚから約１０１２Ｈｚまでの範囲であるマイクロ波周波数等のような他の周波数範囲でカウンタ波を放出するように配列することもできる。好ましくは、カウンタユニットは、類似した周波数範囲の有害波を抗するために、例えば、約７.５×１０１４Ｈｚから約１０１７Ｈｚまでの範囲である周波数の紫外線、約７×１０１６Ｈｚから約１０１９Ｈｚまでの範囲である周波数のＸ線、５×１０１８Ｈｚ以上の周波数範囲のガンマ線等のようなさらに高い周波数を規定するカウンタ波を放出するようにまた配列される。
【０２７４】
また、かかるカウンタユニットを、有害波の特定のコンポーネントを選択的に抗するように、又は別の方法として、有害波の残りをカウンタリング（すなわち、消去及び／又は抑制）する一方、かかる有害波の特定のコンポーネントを特に保護するように配列することもできる。例えば、及び、有害波がさらに高い周波数のコンポーネントを含む場合、カウンタユニットは、キャリア周波数範囲及び極低周波範囲の有害波を含む有害波の残りを抗するようにする一方、特に、例えば、約３００ｇＨｚから約１０ｔＨｚまでの周波数範囲の遠赤外線、約１０ｔＨｚから約１００ｔＨｚまでの周波数範囲の中赤外線、約１００ｔＨｚから約７００ｔＨｚまでの周波数範囲の近赤外線等を含む赤外線のような有益な波を保護するように配列される。これと対照的に、カウンタユニットを、かかる遠赤外線、中赤外線、及び／又は近赤外線を含む赤外線をまた放出するように配列することもできる。
【０２７５】
本発明のまた別の様態において、多様なカウンタユニットは、多様なデバイスの基本ユニットに具現され、そのデバイスをＥＭＣシステムに変換することもでき、そのＥＭシステムで、基本ユニットにから照射された有害なデバイスＥＭ波をそのシステムのカウンタユニットから放出されたカウンタ波によりカウンタリング（すなわち、消去及び／又は抑制）することもできる。
【０２７６】
本発明のこのような様態の一つの例示的な実施形態において、カウンタユニットは、カウンタ波によりかかる有害波を抗するようにすることにより、例えば、ターゲット空間で有害波の少なくとも一部を消去し及び／又はその有害波がかかるターゲット空間へ伝播することを抑制することにより、その有害波の照射を最小化するために、電気的に導電性ワイヤ、ストリップ、シート、チューブ、コイル、螺旋、及び／又はメッシュとして形成された任意の基本ユニット内に具現されるか、別の方法として、任意の電気的に半導電性及び／又は絶縁性ワイヤ、ストリップ、シート、チューブ、コイル、螺旋、及び／又はメッシュに具現されることもできる。かかるカウンタユニットは、電気的に導電性、絶縁性又は半絶縁性であることもできる少なくとも１つの材料で構成され及び／又はその材料を含むこともできる。カウンタユニットは、１つ又は多数のワイヤ、ストリップ、シート、チューブ、コイル、螺旋、及び／又はメッシュの形状を変形させることにより、１つ又は多数のワイヤ、ストリップ、シート、チューブ、コイル、螺旋、及び／又はメッシュにより形成された形状を有する任意の基本ユニットに具現されることもでき、ここで、その変形された形状のいくつかの例は、それぞれ、コイルの形状を変形させることにより形成されたソレノイド及びトロイドであることもできる。一般的に、このような実施形態のカウンタユニットを、前述した配列中の任意の１つの配列で配置することもでき、前述したメカニズム中の任意のメカニズムにより有害波を抗することもできる。従って、類似に又は同一に形成された及び／又はサイズ決定されたカウンタユニットは、ソースマッチングに基づいて、１つ以上の基本ユニットに関して側面に又は並んで配置されることもでき、１つ以上の基本ユニットと軸方向に、照射方向に、又は角方向に整列されることもでき、１つ以上の基本ユニットをその内に取り囲まれることもでき、１つ以上の基本ユニットにより取り囲まれることもでき、１つ以上の基本ユニットの周辺に巻かれることもでき、１つ以上の基本ユニットにより巻かれることもできる。別の方法として、類似に又は相違するように形成された及び／又はサイズ決定されたカウンタユニットは、波マッチングのために１つ以上の基本ユニットにより照射された有害波の１つ以上の波面に沿って配置されることもできる。また、かかるカウンタユニットは、ローカルカウンタリング又はグローバルカウンタリングにより有害波を抗するために適切な数及び／又は配列で利用されることもできる。
【０２７７】
本発明のこのような様態のまた別の例示的な実施形態において、また、カウンタユニットは、例えば、抵抗機、インダクター、キャパシター、ダイオード、トランジスター、増幅機、及び他の信号プロセッサ及び／又は調節機のような任意の従来の電気及び／又は電子エレメントに具現され、そのエレメントにより照射された有害波を抗することもでき、ここで、かかる電気及び／又は電子エレメントはそのカウンタユニットに供給された少なくとも１つの入力信号を操作し、その入力信号と少なくとも部分的に異なる少なくとも１つの出力信号を生成するように機能する。前記電気及び／又は電子エレメントの全ては、不安定な電流がその内に流れる時又は不安定な電圧が印加される場合、本発明の範囲内の基本ユニットとして適格である。また、前記エレメントは、エレメント中の任意のエレメントが安定又は不安定な入力信号に応答して不安定な出力信号（すなわち、電流又は電圧）を生成する場合、本発明の範囲内での基本ユニットとしてまた適格である。従って、前記従来のエレメント及び／又はかかるエレメントを含むデバイスは、任意の前記配置及び／又は配列で前記構成中の任意の構成を有する多様なカウンタユニットをその内に含むことによりＥＭＣエレメントに変換され、それにより、前記メカニズム中の任意のメカニズムで有害波を抗するようにする。かかるカウンタユニットを任意の次元で提供するため、かかるＥＭＣエレメントをミクロン又はナノメートルの範囲で提供することもできる。
【０２７８】
本発明のこのような様態のまた別の例示的な実施形態において、カウンタユニットは、多様なスピーカーの基本ユニットにより照射された有害波を抗するために、その多様なスピーカー内に含まれる。そのスピーカーの例は、コーンドライブスピーカー、静電型スピーカー、及び圧電スピーカーを含むが、これに制限されるものではない。従って、イヤホン、ヘッドホン、有線電話機、移動電話機、及び視聴覚デバイスのようなこのようなＥＭＣスピーカーを含む任意の従来のデバイスは、ＥＭＣイヤホン、ＥＭＣヘッドホン、ＥＭＣ有線電話機、ＥＭＣ移動電話機、及びＥＭＣ視聴覚システムのような多様なＥＭＣシステムに変換されることもできる。図３ａ乃至３ｉは、本発明により、多様な基本ユニットを含むスピーカーに具現された例示的なカウンタユニットの概略的な斜視図であり、ここで、図３ａ乃至図３ｄは、従来技術のコーンドライブスピーカーに具現され、そのスピーカーの基本ユニットを抗する多様なカウンタユニットを例示するが、図３ｅ乃至図３ｉは従来の圧電スピーカーに具現され、そのスピーカーの基本ユニットを抗する多様なカウンタユニットを示す。図３ａ乃至図３ｄで、スピーカーコーンの周辺又は内部に配置された永久磁石が、図示の簡略化のためにその図面で省略されるか、又は別の方法として、コーンドライブスピーカーが、発明の名称が“Ｅｌｅｃｔｒｏｍａｇｎｅｔｉｃａｌｌｙ−Ｃｏｕｎｔｅｒｅｄ Ｓｐｅａｋｅｒ Ｓｙｓｔｅｍｓ ａｎｄ Ｍｅｔｈｏｄｓ”であり、現在係留中の米国出願第６０／？？？，？？？号に開示された無磁石スピーカーシステムであるということが理解できる。同様に、図３ｅ乃至図３ｉで、圧電板及び電極のみが従来技術の圧電スピーカーの代表的な基本ユニットとして選択されるということが理解できる。従って、有害波を放出するスピーカーの他の導電性、半導電性、及び／又は絶縁性部分がこのような全図面から省略され、必要な場合、かかる部分が、上述したように、かかるカウンタユニット中の任意のカウンタユニットにより適切に抗されると理解されたい。また、図３ａ乃至図３ｉで、多様なスピーカー及びそのカウンタユニットが、それぞれの図面の上方にターゲット空間を規定するために配置されると理解されたい。
【０２７９】
図３ａの一例において、コーンドライブスピーカー２２は、通常的にコーン２２Ｃ及びそのコーン２２Ｃの周辺に巻かれた少なくとも１つの音声コイル２２Ｖを含む。当業界に周知されたように、その音声コイル２２Ｖはソース電流の供給を受ける場合、その周辺に動的磁場を規定し、音声コイル２２Ｖの動的磁場と永久磁石（このような図面に含まれない）により形成された静的磁場の間の相互作用は、そのソース電流に応答して可聴音を生成しつつそのコーン２２Ｃを振動させる。音声コイル２２Ｖから（すなわち、このようなスピーカー２２の基本ユニット）により照射された有害波を抗するために、少なくとも１つのカウンタユニット４０はその音声コイル２２Ｖに関する予め設定された関係により配置される。このような例において、カウンタユニット４０は、その音声コイル２２Ｖよりさらに大きい曲率半径を規定するまた他のコイルとして形成される。このようなコンテクストで、このようなカウンタユニット４０がソースマッチング、さらに詳細には、形状マッチングのモードで動作することが好ましい。また、カウンタユニット４０は、そのカウンタユニットが音声コイル２２Ｖよりターゲット空間に対する大きい距離により、有害波の振幅より大きい振幅のカウンタ波を放出するように、後面配列でそのターゲット空間及びその音声コイル２２Ｖの下に配置される。また、カウンタユニット４０は、カウンタ波の波面の中心が有害波の波面の縦軸と一致するように、音声コイル２２Ｖの縦軸に整列される。かかるカウンタ波が有害波の位相角と少なくとも部分的に反対である位相角を有することを保障するために、ソース電流又はその類似物を、カウンタユニット４０でワイヤの巻かれた方向によって、音声コイル２２Ｖに流れるソース電流の方向と同一又は反対である方向に、そのカウンタユニット４０に供給することもできる。従って、カウンタユニット４０は、有害波と共に整列され、かかる有害波の位相角と反対である位相角を規定し、従って、ターゲット空間でその有害波にマッチングし、その有害波を抗するカウンタ波を放出することができる。上述したように、かかるカウンタユニット４０は、音声コイル２２Ｖの形状と類似した形状を規定するが、その音声コイル２２Ｖの構成よりさらに大きいか、或いはさらに広い構成を規定するその音声コイル２２Ｖの３Ｄの類似物として観測されることもできる。好ましくは、カウンタユニット４０を、波マッチングで上述したように、そのカウンタユニット４０からのカウンタ波の波面が音声コイル２２Ｖからの有害波の波面にマッチングする音声コイル２２Ｖから予め設定された距離に配置することもできる。このような全ての例において、かかるスピーカー２２はカウンタユニット４０により本発明のＥＭＣスピーカーシステムに変換される。
【０２８０】
前記カウンタユニット４０を他の構成に変形することもでき、他の配置に具現することもでき、及び／又は他のメカニズムで有害波を抗することもできる。例えば、かかるカウンタユニットは異なる曲率半径を有することもでき、その曲率半径は、音声コイルの曲率半径よりさらに小さいこともでき、一定である、又はそのカウンタユニットの縦軸に沿って変わることもできる。また別の例において、カウンタユニットは曲率半径を規定しつつ、後面配列で配置されることもでき、その曲率半径は、音声コイルの曲率半径より大きいか、類似するか、又は小さいこともできる。また別の例において、２つ以上の類似又は相違するように形成したカウンタユニットを、かかるローカル又はグローバルカウンタリングのために多様な配列で配置することもできる。
【０２８１】
図３ｂのまた別の例において、コーンドライブスピーカー２２はコーン２２Ｃ及びそのコーン２２Ｃの周辺に巻かれた１つ以上の音声コイル２２Ｖを含む。音声コイル２２Ｖにより照射された有害波を抗するために、少なくとも１つのカウンタユニット４０は、その音声コイル２２Ｖと類似に形成され、その音声コイル２２Ｖに関する予め設定された関係により配置される。このような例において、このようなカウンタユニット４０は、ソースマッチング、さらに詳細には、形状マッチングに基づいて動作する。また、カウンタユニット４０は、音声コイル２２Ｖよりターゲット空間に対する類似又はやや大きい距離により、カウンタユニットが有害波の振幅と類似又はその振幅よりやや小さい振幅のカウンタ波を放出するように、側面及び同心配列でその音声コイル２２Ｖの少なくとも一部の周辺に配置される。また、カウンタユニット４０は、カウンタ波の波面の中心が有害波の波面の中心に整列されるように、音声コイル２２Ｖの縦軸に整列される。また、ソース電流又はその電流の類似物を、カウンタ波が有害波の位相角と少なくとも部分的に反対である位相角を規定することを保障するために、カウンタユニット４０でワイヤの巻かれた方向に基づいて、音声コイル２２Ｖに流れるソース電流の方向と同一又は反対である方向にそのカウンタユニット４０に供給することもできる。従って、カウンタユニット４０は、有害波と整列され、有害波の位相角と反対であるかかる位相角を規定し、それにより、ターゲット空間でその有害波にマッチングし、その有害波を抗するカウンタ波を放出する。好ましくは、カウンタユニット４０は音声コイル２２Ｖから予め設定された半径方向又は軸方向の距離に配置され、その音声コイルで、カウンタユニット４０からのカウンタ波の波面は、波マッチングで説明したように、その音声コイル２２Ｖからの有害波の波面にマッチングする。このような全ての例において、スピーカー２２は、カウンタユニット４０により本発明のかかるＥＭＣスピーカーシステムに変換される。図３ｂのカウンタユニット４０の他の構成的及び／又は動作特性は図３ａのカウンタユニットのかかる特性と類似又は同一である。
【０２８２】
前記カウンタユニット４０を、他の構成に変形することもでき、他の配置に具現することもでき、及び／又は前記カウンタユニット４０は他のメカニズムで有害波を抗することもできる。例えば、かかるカウンタユニットは異なる曲率半径を有することもでき、その曲率半径は、音声コイルの曲率半径よりさらに小さいこともでき、コーンの内部に配置されることもでき、一定であるか、又はそのカウンタユニットの縦軸に沿って変わることもできる。また別の例において、かかるカウンタユニットは、音声コイルの曲率半径よりさらに大きいか、類似するか、或いはさらに小さい曲率半径を規定する一方、音声コイルの異なる部分を取り囲むか、又はその音声コイルの全部分を取り囲むように配置される。また別の例において、多数の類似に又は相違するように形成されたカウンタユニットは、かかるローカル又はグローバルカウンタリングのために多様な配列で配置される。図３ａ及び図３ｂで、音声コイル及びカウンタユニットが互いに代替されるということが理解できる。すなわち、それぞれの図面は、外部コイルがさらに大きい音声コイルを示し、内部コイルがその外部音声コイルにより取り囲まれたカウンタユニットであるように解釈することもでき、ここで、図３ａ及び図３ｂの他の特性がまた適用される。
【０２８３】
図３ｃのまた別の例において、コーンドライブスピーカー２２は、また、コーン２２Ｃ及びそのコーン２２Ｃの周辺に巻かれた少なくとも１つの音声コイル２２Ｖを含む。音声コイル２２Ｖにより照射された有害波を抗するために、カウンタユニット４０は、その内に多数の開口部を有するメッシュで構成され、音声コイル２２Ｖの配列と類似した配列で環状チューブにラッピング（ｗｒａｐ）される。その後、カウンタユニット４０は、音声コイル２２Ｖよりターゲット空間に対する類似するか、又はやや大きい距離により、そのカウンタユニット４０が有害波の振幅と類似するか、又はその振幅よりやや小さい振幅のカウンタ波を放出するように、側面及び同心配列でその音声コイル２２Ｖの少なくとも一部の周辺に配置される。また、カウンタユニット４０は、カウンタ波の波面の中心がかかる有害波の波面の中心に整列するように、音声コイル２２Ｖの縦軸に整列される。ソース電流又はその電流の類似物を、カウンタ波が有害波の位相角と少なくとも部分的に反対である位相角を有することを保障する方向にカウンタユニット４０に供給することもできる。従って、カウンタユニット４０は、有害波に整列され、その有害波の位相角と反対である位相角を有し、それにより、ターゲット空間でかかる有害波を抗するカウンタ波を放出する。好ましくは、カウンタユニット４０は音声コイル２２Ｖから予め設定された半径方向又は軸方向の距離に配置され、その音声コイルで、カウンタユニット４０によるかかるカウンタ波の波面は、波マッチングで説明したように、その音声コイル２２Ｖからの有害波の波面にマッチングすることもできる。このような全ての例において、スピーカー２２は、その内にカウンタユニット４０を含むことにより、本発明のＥＭＣスピーカーシステムに変換される。図３ｃのかかるカウンタユニット４０の他の構成的及び／又は動作特性は、図３ａ及び図３ｂのカウンタユニットのかかる特性と類似又は同一である。
【０２８４】
前記カウンタユニット４０を、他の構成に変形することもでき、他の配置に具現することもでき、及び／又は前記カウンタユニット４０が他のメカニズムで有害波を抗することもできる。例えば、かかるカウンタユニットを、任意の開口部のない他の形状の立体的な環状チューブ、他の形状の環状多孔性チューブ等に形成することもできる。また別の例において、カウンタユニットは異なる曲率半径を規定し、その曲率半径は、音声コイルの曲率半径よりさらに小さいこともでき、コーン内に配置されることもでき、一定であるか、又はそのカウンタユニットの縦軸に沿って変わることもできる。また別の例において、かかるカウンタユニットは、音声コイルの曲率半径よりさらに大きいか、類似するか、又はさらに小さい曲率半径を有する一方、音声コイルの異なる部分を取り囲むか、又はその音声コイルの全部分を取り囲むように配置される。また別の例において、多数の類似に又は相違するように形成されたカウンタユニットは、かかるローカル又はグローバルカウンタリングのために多様な配列で配置される。
【０２８５】
図３ｄのまた別の例において、コーンドライブスピーカー２２は、また、コーン２２Ｃ及びそのコーン２２Ｃの周辺に巻かれた少なくとも１つの音声コイル２２Ｖを含む。音声コイル２２Ｖにより照射された有害波を抗するために、カウンタユニット４０は、その内に多数の開口部を有するメッシュのシートとして提供される。しかしながら、このようなカウンタユニット４０は、図３ｃのメッシュとはやや異なるメッシュで構成される。例えば、図３ｄのメッシュはカウンタユニットの同心ワイヤと半径ワイヤの間に形成された多数の開口部を規定するが、図３ｃのメッシュはそのカウンタユニットの水平ワイヤと垂直ワイヤの間に形成された多数の開口部を規定する。かかるカウンタユニット４０は、そのカウンタユニット４０が音声コイル２２Ｖよりターゲット空間に対するさらに短い距離により、有害波の振幅より小さい振幅のカウンタ波を放出するように、前面配列でその音声コイル２２Ｖ上に配置される。また、カウンタユニット４０の中心は、カウンタ波の波面の中心が有害波の波面の中心に整列されるように音声コイル２２Ｖの縦軸に整列される。また、ソース電流又はその類似物を、カウンタ波が有害波の位相角と少なくとも部分的に反対である位相角を有することを保障する方向に、カウンタユニット４０に供給することもできる。従って、カウンタユニット４０は、有害波に整列され、有害波の位相角と反対である位相角を有し、それにより、ターゲット空間でかかる有害波を抗するカウンタ波を放出する。好ましくは、カウンタユニット４０は音声コイル２２Ｖから予め設定された半径方向又は軸方向の距離に配置され、その音声コイルで、そのカウンタユニット４０によるカウンタ波の波面は、波マッチングで説明したように、その音声コイル２２Ｖからの有害波の波面にマッチングする。このような全ての例において、スピーカー２２は、その内にかかるカウンタユニット４０を含むことにより、本発明のＥＭＣスピーカーシステムに変換される。図３ｄのかかるカウンタユニット４０の追加的な構成的及び／又は動作特性は、図３ａ乃至図３ｃのカウンタユニットのかかる特性と類似又は同一である。
【０２８６】
前記カウンタユニット４０を、他の構成に変形することもでき、他の配置に具現することもでき、及び／又は前記カウンタユニット４０が他のメカニズムで有害波を抗することもできる。例えば、かかるカウンタユニットを、任意の開口部のない他の形状の立体的シート、他の形状の多孔性シート等に形成することもできる。さらに詳細に、カウンタユニットは、有害波の波面とかかるカウンタ波の波面をさらに良好にマッチングさせるために、上方へ（又は下方へ）凹となるように、また、輪郭を示すこともできる。また別の例において、カウンタユニットを、基本ユニットからの異なる距離に配置することもでき、音声コイルの異なる部分上に配置することもできる。また別の例において、多数の類似に又は異なるように形成されたカウンタユニットを、かかるローカル又はグローバルカウンタリングのために多様な配列で配置することもできる。
【０２８７】
図３ｅのまた別の例において、圧電スピーカー２２は、圧電板２２Ｐ、電極対２２Ｅ、及び金属板２２Ｍを含み、ここで、その電極２２Ｅのそれぞれは（以下、「ピエゾ板（ｐｉｅｚｏ ｐｌａｔｅ）」と指称する）圧電板２２Ｐの反対側のそれぞれに固定的にカップリングされるが、その金属板は、かかる電極２２Ｅのうちの１つの電極に固定的に付着される。当業界に周知されたように、ピエゾ板２２Ｐは、交番するソース電圧がかかる電極２２Ｅによりそのピエゾ板の両端に印加される時、振動するように配列され、ここで、金属板２２Ｍはそのピエゾ板２２Ｐ及び電極２２Ｅを機械的に支持するが、ピエゾ板２２Ｐと共に振動しないように一般的に配列され、そのピエゾ板２２Ｐ及び電極２２Ｅのアセンブリーは、時々「圧電性エレメント」と指称される。従って、圧電スピーカー２２は、圧電性エレメントでそのスピーカーの基本ユニット２２Ｐ、２２Ｅにより有害波を照射しつつ、ソース電圧に応答して可聴音を生成する。金属板２２Ｍは、その金属板２２Ｍがその金属板を通じた有害波の経路に影響を与えるか否かに依存して、基本ユニットに含まれる。かかる基本ユニットから照射された有害波を抗するために、少なくとも１つのカウンタユニット４０は、圧電スピーカー２２の多様な基本ユニット２２Ｐ、２２Ｅに関して予め設定された関係で配置されることが好ましい。このような例において、カウンタユニット４０は、ピエゾ板、そのピエゾ板の側面に付着された２つの電極、及び金属板を類似に含む基本ユニット２２Ｐ、２２Ｅの３Ｄ複製として提供される。このようなコンテクストで、カウンタユニット４０は、ソースマッチング、さらに詳細には、形状マッチングに関して動作することが好ましい。しかしながら、かかるカウンタユニット４０が任意の可聴音を生成することを防止するために、このようなカウンタユニット４０のピエゾ板はその金属板に固定的にカップリングされるか、又はそのピエゾ板に供給されたソース電圧又はその電圧の類似物に応答して振動しないように配列される。また、カウンタユニット４０は、そのカウンタユニット４０が基本ユニット２２Ｐ、２２Ｅよりターゲット空間に対するさらに大きい距離により、かかる有害波の振幅よりさらに大きい振幅のカウンタ波を放出するように、後面配列で圧電スピーカー２２の下に配置される。カウンタユニット４０は、カウンタ波の波面の中心が有害波の波面の中心と一致するように、スピーカー２２の縦軸に整列される。かかるカウンタ波が有害波の位相角と少なくとも部分的に反対である位相角を規定することを保障するために、ソース電流又はその類似物を、スピーカー２２に流れるソース電流の方向と反対である方向にそのカウンタユニット４０に供給することもできる。従って、カウンタユニット４０は有害波に整列され、かかる有害波の位相角と反対である位相角を規定し、それにより、ターゲット空間でその有害波にマッチングし、その波を抗するカウンタ波を放出することもできる。上述したように、カウンタユニット４０は、類似した形状であるが、圧電スピーカー２２の構成よりはさらに大きいか、さらに厚い構成を規定するそのスピーカー２２の３Ｄの類似物として観測されることもできる。好ましくは��カウンタユニット４０は、スピーカー２２から予め設定された距離に配置され、そのスピーカー２２で、そのカウンタユニット４０からのカウンタ波の波面が、波マッチングで説明したように、スピーカー２２からの有害波の波面にマッチングする。このような全ての例において、スピーカー２２は、その内にカウンタユニット４０を含むことにより、本発明のＥＭＣスピーカーシステムに変換される。
【０２８８】
前記カウンタユニット４０を、他の構成に変形することもでき、他の配置に具現することもでき、及び／又は前記カウンタユニット（４０）が他のメカニズムで有害波を抗することもできる。例えば、かかるカウンタユニットは、スピーカーのアスペクト比（ａｓｐｅｃｔ ｒａｔｉｏ）を維持するか、又はかかる割合を変更する一方、異なる半径及び／又は高さを有することもできる。また別の例において、かかるカウンタユニットは、類似したアスペクト比を規定する形状を有することもできるが、スピーカーの厚さとは異なる厚さの板及び電極を含むこともできる。また別の例において、カウンタユニットを、図面の上部物品がカウンタユニットとして観測するか、下部物品をスピーカーとして解釈することもできる前面配列で配置することもできる。また別の例において、２つ以上の類似に又は相違するように形成されたカウンタユニットを、ローカル又はグローバルカウンタリングのために多様な配列で配置することもできる。カウンタユニットが圧電スピーカーの形状と類似した形状を有することもできるが、異なる材料で構成及び／又はその材料を含むこともできると理解されたい。例えば、カウンタユニットは、圧電性ではなく、スピーカーのピエゾ板の抵抗率と類似した電気抵抗率を規定する絶縁性又は半導電性材料で構成及び／又はその材料を含む板を有することもできる。また別の例において、電極及び／又は金属板は、スピーカーの材料とは異なるが、より安価の材料で構成及び／又はその材料を含むこともできる。カウンタユニットがターゲット空間で有害波を抗するカウンタ波を放出する限り、そのカウンタユニットは多様な構成を規定することもでき、多様な材料で構成及び／又はその材料を含むこともできる。
【０２８９】
また、カウンタユニットそのものが、ソース電圧の供給を受けてスピーカーにより生成された可聴音と同一の可聴音を生成する付加的な圧電スピーカーとして動作することもできると理解されたい。しかしながら、カウンタユニット及びカウンタユニットは有害波の位相角と少なくとも部分的に反対である位相角を有するカウンタ波を放出するように配列され、それにより、スピーカーと同一の可聴音を生成しつつ、そのカウンタ波により有害波を抗するようにする。かかるカウンタユニットは多様な配列で具現される。例えば、スピーカー及びカウンタユニットを、互いに軸方向に又は角方向に整列することもできるが、ソース電圧は反対方向にそれらに供給される。また別の例において、ソース電圧を同一の方向にスピーカー及びカウンタユニットの両者に供給することもできるが、そのカウンタユニットは、カウンタ波が有害波の位相角と反対である位相角を規定する方式で構成及び／又は配向される。カウンタユニットのピエゾ板がスピーカーのピエゾ板と同一の方向に振動し、そのカウンタユニットが有害波にマッチング及びその有害波を抗するカウンタ波を全体的に放出する限り、そのカウンタユニットは、多様な構成を規定することもでき、多様な配向又は整列で配置されることもでき、及び／又は多様な方向に沿ってソース電圧の供給を受けることもできる。
【０２９０】
図３ｆのまた別の例において、圧電スピーカー２２は、図３ｅの圧電スピーカーと類似に、圧電板２２Ｐ、電極対２２Ｅ、及び金属板２２Ｍを含む。かかる基本ユニットから照射された有害波を抗するために、少なくとも１つのカウンタユニット４０は、スピーカー２２の基本ユニット２２Ｐ、２２Ｅに関する予め設定された関係で配置されることが好ましい。このような例において、カウンタユニット４０は図３ｂのワイヤと類似した導電性ワイヤのコイルとして形成される。このようなコンテクストで、かかるカウンタユニット４０は波マッチングに関して動作する。カウンタユニット４０は、そのカウンタユニット４０が基本ユニット２２Ｐ、２２Ｅよりターゲット空間に対するさらに大きい距離により、有害波の振幅より大きい振幅のカウンタ波を放出するように、後面配列で圧電スピーカー２２の下に配置される。かかるカウンタユニット４０は、カウンタ波の波面の中心が有害波の波面の中心と一致するように、スピーカー２２の縦軸に整列される。かかるカウンタ波が有害波の位相角と少なくとも部分的に反対である位相角を有することを保障するために、ソース電流又はその類似物を、スピーカー２２に流れるソース電流の方向と反対の方向にカウンタユニット４０に供給することもできる。従って、カウンタユニット４０は、有害波に整列され、その有害波の位相角と反対である位相角を有し、それにより、ターゲット空間でその有害波にマッチングし、その有害波を抗するカウンタ波を放出することもできる。好ましくは、カウンタユニット４０は、そのカウンタユニットによるカウンタ波の波面が、波マッチングで説明したように、スピーカー２２による有害波の波面にマッチングすそのスピーカー２２から予め設定された距離に配置される。このような全ての例において、圧電スピーカー２２は、その内にカウンタユニット４０を含むことにより、本発明のＥＭＣスピーカーシステムに変換される。図３ｆに図示されたカウンタユニット４０の追加的な構成的及び／又は動作特性は図３ｅのカウンタユニットの特性と類似又は同一である。
【０２９１】
前記カウンタユニット４０を、他の構成に変形することもでき、他の配置に具現することもでき、及び／又は前記カウンタユニット（４０）が他のメカニズムで有害波を抗することもできる。例えば、かかるカウンタユニットを基本ユニットからの異なる距離に配置するか、基本ユニットのうちの１つ以上の基本ユニットがその内に取り囲まれるようにすることもできる。また別の例において、カウンタユニットは、スピーカーの曲率半径より小さい曲率半径を規定することもできる。また別の例において、かかるカウンタユニットは、一定であるか、又はそのカウンタユニットの縦軸に沿って変わる半径を有することもできる。また別の例において、多数の類似又は異なるカウンタユニットをローカル又はグローバルカウンタリングのために多様な配列で配置することもできる。
【０２９２】
図３ｇのまた別の例において、スピーカー２２は、図３ｅにおいて説明したスピーカーと類似に、圧電板２２Ｐ、電極対２２Ｅ、及び金属板２２Ｍを含む。かかる基本ユニットから照射された有害波を抗するために、少なくとも１つのカウンタユニット４０はスピーカー２２の基本ユニット２２Ｐ、２２Ｅに関する予め設定された関係で配置されることが好ましい。このような例において、カウンタユニット４０は図３ｃのワイヤと類似した導電性ワイヤのメッシュに形成される。このようなコンテクストで、カウンタユニット４０は波マッチングに関して動作する。カウンタユニット４０は、そのカウンタユニット４０が基本ユニット２２Ｐ、２２Ｅよりターゲット空間に関するさらに大きい距離により、有害波の振幅より大きい振幅の有害波を放出するように、後面配列で圧電スピーカー２２の下に配置される。かかるカウンタユニット４０は、カウンタ波の波面の中心が有害波の波面の中心と一致するようにスピーカー２２の縦軸に整列される。かかるカウンタ波が有害波の位相角と少なくとも部分的に反対である位相角を有することを保障するために、ソース電流又はその類似物をスピーカー２２に流れるソース電流の方向と反対の方向にそのカウンタユニット４０に供給することもできる。従って、カウンタユニット４０は、有害波で整列され、その有害波の位相角と反対である位相角を有し、それにより、ターゲット空間で有害波にマッチング及びその有害波を抗するカウンタ波を放出することもできる。好ましくは、カウンタユニット４０は、スピーカー２２から予め設定された距離に配置され、そのスピーカー２２で、そのカウンタユニットによるカウンタ波の波面が、波マッチングで説明したように、スピーカー２２による有害波の波面にマッチングする。全ての例において、かかる圧電スピーカーは、カウンタユニット４０により本発明のＥＭＣスピーカーに変換される。図３ｇのカウンタユニット４０の他の構成的及び／又は動作特性は図３ｅ及び図３ｆのカウンタユニットのその特性と類似又は同一である。
【０２９３】
前記カウンタユニット４０を、他の構成に変形することもでき、他の配置に具現することもでき、及び／又は前記カウンタユニット４０が他のメカニズムで有害波を抗することもできる。例えば、かかるカウンタユニットを、任意の開口部のない他の形状の立体的な環状チューブ、他の形状の環状多孔性チューブ等に形成することもできる。また別の例において、カウンタユニットは異なる曲率半径を規定することもでき、その曲率半径は、基本ユニットの曲率半径よりさらに小さいこともでき、その基本ユニット内に配置されることもでき、一定であるか、その基本ユニットの縦軸に沿って変わることもできる。また別の例において、かかるカウンタユニットを、基本ユニットの曲率半径よりさらに大きいか、類似するか、又はさらに小さい曲率半径を有する一方、その基本ユニットの少なくとも一部又は全部分をその内に取り囲むように配置することもできる。また別の例において、多数の類似に又は相違するように形成されたカウンタユニットを、かかるローカル又はグローバルカウンタリングのために多様な配列で配置することもできる。
【０２９４】
図３ｈのまた別の例において、スピーカー２２は、図３ｅで説明したスピーカーと同様に、圧電板２２Ｐ、電極対２２Ｅ、及び金属板２２Ｍを含む。かかる基本ユニットから照射された有害波を抗するために、少なくとも１つのカウンタユニット４０は、スピーカー２２の基本ユニット２２Ｐ、２２Ｅに対する予め設定された関係で配置されることが好ましい。このような例において、カウンタユニット４０は基本ユニット２２Ｐ、２２Ｅの３Ｄの類似物として形成され、ここで、かかる類似物は基本ユニット２２Ｐ、２２Ｅの近似に対応し、予め設定された数の弓状のワイヤにより相互接続された他の予め設定された数のワイヤの同心リングで構成される。このようなコンテクストで、かかるカウンタユニット４０はソースマッチングに関して動作することが好ましい。カウンタユニット４０は、そのカウンタユニット４０がターゲット空間に対するさらに短い距離により、有害波の振幅より小さい振幅のカウンタ波を放出するように、前面配列で圧電スピーカー２２の上方に配置される。かかるカウンタユニット４０は、カウンタ波の波面の中心が有害波の波面の中心と一致するように、スピーカー２２の縦軸に整列される。かかるカウンタ波が有害波の位相角と少なくとも部分的に反対である位相角を有することを保障するために、ソース電流又はその類似物を、スピーカー２２を通じて流れるそのソース電流の方向と反対の方向に沿ってかかるカウンタユニット４０に供給することもできる。従って、カウンタユニット４０は、有害波で整列され、その有害波の位相角と反対である位相角を有し、それにより、ターゲット空間でその有害波にマッチング及びその有害波を抗するカウンタ波を放出することもできる。このような観点から、このようなカウンタユニット４０は、このようなカウンタユニット４０が下方へ凹の輪郭線を規定するという点を除き、図３ｄのカウンタユニットと類似する。好ましくは、カウンタユニット４０はスピーカー２２から予め設定された距離に配置され、そのスピーカーで、そのカウンタユニット４０によるカウンタ波の波面は、波マッチングで説明したように、スピーカー２２による有害波の波面にマッチングする。このような全ての例において、かかる圧電スピーカー２２はカウンタユニット４０により本発明のＥＭＣスピーカーに変換される。図３ｈのカウンタユニット４０の他の構成的及び／又は動作特性は、図３ｅ乃至図３ｇのカウンタユニットのその特性と類似又は同一である。
【０２９５】
前記カウンタユニット４０を、他の構成に変形することもでき、他の配置に具現することもでき、及び／又は前記カウンタユニット（４０）が他のメカニズムで有害波を抗することもできる。例えば、かかるカウンタユニットを、任意の開口部のない他の形状の立体的な凹シート、他の形状の多孔性シート等に形成することもでき、ここで、そのカウンタユニットは異なる数のリング又は円弧を含み、異なる形状の開口部を規定することもできる。また別の例において、カウンタユニットを、基本ユニットにさらに良好に近似するために、それぞれが異なる振幅及び／又は方向の電圧の供給を受ける多数の断面で構成することもできる。かかる断面を、異なる電圧が半径方向に印加されるように同心方向に形成するか、別の方法として、異なる電圧が角方向に印加されるように角方向に形成することもできる。また別の例において、多数の類似に又は相違するように形成されたカウンタユニットを、かかるローカル又はグローバルカウンタリングのために多様な配列で配置することもできる。
【０２９６】
図３ｉのまた別の例において、スピーカー２２は、図３ｅで説明したスピーカーと同様に、圧電板２２Ｐ、電極対２２Ｅ、及び金属板２２Ｍを含む。かかる基本ユニットから照射された有害波を抗するために、少なくとも１つのカウンタユニット４０がスピーカー２２の基本ユニット２２Ｐ、２２Ｅに関する予め設定された関係で配置されることが好ましい。このような例において、カウンタユニット４０は環状チューブに形成される。このようなコンテクストで、カウンタユニット４０はソースマッチングに関して動作する。カウンタユニット４０は、そのカウンタユニット４０が、基本ユニット２２Ｐ、２２Ｅからの距離と類似したターゲット空間に対する距離により、有害波の振幅と類似した振幅を規定するカウンタ波を放出するように、水平又は同心配列で圧電スピーカー２２の周辺に配置される。カウンタユニット４０は、カウンタ波の波面の中心が有害波の波面の中心と一致するようにスピーカー２２の縦軸に整列される。かかるカウンタ波が有害波の位相角と少なくとも部分的に反対である位相角を有することを保障するために、ソース電流又はその類似物を、スピーカー２２に流れるソース電流の方向と反対の方向にカウンタユニット４０に供給することもできる。従って、カウンタユニット４０は、有害波に整列され、かかる有害波の位相角と反対である位相角を規定し、それにより、ターゲット空間でその有害波にマッチング及びその有害波を抗するカウンタ波を放出することもできる。好ましくは、カウンタユニット４０はスピーカー２２から予め設定された距離に配置され、そのスピーカーで、そのカウンタユニット４０によるかかるカウンタ波の波面は、波マッチングで説明したように、そのスピーカー２２による有害波の波面にマッチングする。全ての例において、圧電スピーカー２２はカウンタユニット４０により本発明のＥＭＣスピーカーに変換される。図３ｇのカウンタユニット４０の他の構成的及び／又は動作特性は、図３ｅ及び図３ｆのカウンタユニットのその特性と類似又は同一である。
【０２９７】
前記カウンタユニット４０を、他の構成に変形することもでき、他の配置に具現することもでき、及び／又は前記カウンタユニット４０が他のメカニズムで有害波を抗することもできる。例えば、かかるカウンタユニットを、他の形状の多孔性の環状チューブ、他の形状の環状の立体的なチューブ等に形成することもできる。また別の例において、カウンタユニットは異なる曲率半径を規定することもでき、その曲率半径は、基本ユニットの曲率半径より小さいこともあり、その基本ユニット内に配置されることもでき、一定であるか、又はその基本ユニットの縦軸に沿って変わることもできる。また別の例において、かかるカウンタユニットを、基本ユニットの曲率半径より大きいか、類似するか、或いは小さい曲率半径を有しつつ、基本ユニットの異なる部分を取り囲むように配置することもできる。また別の例において、多数の類似に又は相違するように形成されたカウンタユニットを、ローカル又はグローバルカウンタリングのために多様な配列で配置することもできる。このような全ての例において、スピーカー２２は、カウンタユニット４０により本発明のＥＭＣスピーカーに変換される。図３ｉのカウンタユニット４０の他の構成的及び／又は動作特性は図３ｅ及び図３ｇのカウンタユニットのその特性と類似又は同一である。
【０２９８】
前述した前記カウンタユニット、及び図３ａ乃至図３ｉで例示したカウンタユニットを、前記配列中の任意の配列で配置することもでき、前記カウンタユニットが前述したメカニズム中の任意のメカニズムにより有害波を抗することもできる。従って、カウンタユニットがソースマッチングに基づいて動作する場合、多様なスピーカーの基本ユニットのうちの１つ以上の基本ユニットと類似又は同一に形成されるカウンタユニットを、１つ以上の基本ユニットに対して側面に又は並んで配置することもでき、１つ以上の基本ユニットと共に軸方向に、半径方向に、及び／又は角方向に整列することもでき、カウンタユニットが、その内に１つ以上の基本ユニットを取り囲むこともでき、１つ以上の基本ユニットにより取り囲まれることもでき、１つ以上の基本ユニットの周辺に巻かれることもでき、１つ以上の基本ユニットにより巻かれることもできる。別の方法として、基本ユニットのうちの１つ以上の基本ユニットと同一又は異なるように形成されるカウンタユニットを、波マッチングのために、１つ以上の基本ユニットにより照射された有害波の１つ以上の波面に沿って配置することもできる。また、かかるカウンタユニットを、ローカルカウンタリング又はグローバルカウンタリングに基づいてかかる有害波を抗するために、適切な数及び／又は配列で利用することもできる。
【０２９９】
上述したように、多様なＥＭＣスピーカーの追加的な詳細事項及びかかるＥＭＣスピーカーの多様なカウンタユニットは多様な現在係留中の出願に既に提供されており、その出願中の１つは、発明の名称が「Ｅｌｅｃｔｒｏｍａｇｎｅｔｉｃａｌｌｙ−Ｓｈｉｅｌｄｅｄ Ａｃｔｕａｔｏｒ Ｓｙｓｔｅｍｓ ａｎｄ Ｍｅｔｈｏｄｓ」である米国出願Ｕ．Ｓ．第１１／４４０，１３５号であり、もう１つは、発明の名称が「Ｅｌｅｃｔｒｏｍａｇｎｅｔｉｃａｌｌｙ−Ｃｏｕｎｔｅｒｅｄ Ｓｐｅａｋｅｒ Ｓｙｓｔｅｍｓ ａｎｄ Ｍｅｔｈｏｄ」である第６０／？？？，？？？号である。従って、かかるＥＭＣスピーカーを有する多様な従来のデバイスを、かかるカウンタユニットによりそのデバイスのモータにより照射された有害波をカウンタリングしつつ、それらの意図された機能を遂行することができるＥＭＣシステムに変換することができる。
【０３００】
本発明のこのような様態のまた別の例示的な実施形態において、カウンタユニットは、かかるスピーカーのインバースの例であり、かつそのスピーカーの基本ユニットと類似した多様な基本ユニットを有する多様なマイクロホン内に含まれる。ここで、その基本ユニットの例は、電磁石、永久磁石、不安定な電流が流れるかかるマイクロホンの任意の部分、及び不安定な電圧が印加されるかかる部分の任意の部分を含むが、これに制限されるものではない。従って、自立型マイクロホン、有線電話機、移動電話機、オーディオデバイス、視聴覚デバイスのようなかかるＥＭＣマイクロホン、及びイヤホンとそのマイクロホンのアセンブリーを含む任意の従来のデバイスを、例えば、ＥＭＣ自立型マイクロホン、ＥＭＣ有線又は移動電話機、ＥＭＣオーディオシステム、ＥＭＣ視聴覚システム、及びかかるＥＭＣアセンブリーのような多様なＥＭＣシステムに変換することもできる。ここで、前記構成中の任意の構成の多様なカウンタユニットは前記配置及び／又は配列中の任意の１つでそのデバイス内に含まれ、前記メカニズム中の任意のメカニズムで有害波を抗することもできる。
【０３０１】
本発明のこのような様態のまた別の例示的な実施形態において、カウンタユニットは、多様なモータの基本ユニットにより照射されたかかる有害波を抗するためにその多様なモータに含まれる。かかるモータは、電気エネルギーを機械的エネルギー又は起電力に変換するように機能し、そのモータの例は、ＤＣモータ、ユニバーサルモータ、ＡＣ同期型モータ、ＡＣ誘導型モータ、線型又はステップモータ等を含むが、これに制限されるものではない。従って、厨房機器（例えば、フードプロセッサー、ミキサー、ジューサー、粉砕機、混合機、圧搾機、食器洗い機、冷蔵庫、冷凍機、製氷機、缶切り、食品乾燥機、クーラー、食品蒸し機、生ごみ圧縮機、生ごみ処理機等）、調理機器（例えば、電気グリル、電気オーブン、電気ストーブ、電気レンジ、電気トーストオーブン、電気トースター、それらの電気ファン、コーヒーメーカー、エスプレッソメーカー、加熱容器等）、家電機器（例えば、洗濯機、乾燥機、エアコン、ガレージオープナー、乾式又は湿式の真空掃除機等）、道具（例えば、電気ドリル、電気鋸、電気研削機、電気スクリュードライバ、電気釘ガン、電気ステープルガン、電気サンダー、電気研削機等）、及び／又は個人用衛生デバイス（例えば、電気歯ブラシ、電気剃刀、電気ヘアドライヤー等）のようなこのようなＥＭＣモータを含む任意の従来技術のデバイス（又はアクチュエーター）を、いずれも、ＥＭＣ厨房機器、ＥＭＣ調理機器、ＥＭＣ家電機器、ＥＭＣ道具、ＥＭＣ衛生システム等のような多様なＥＭＣシステムに変換することができる。一般的に、ＤＣモータは少なくとも１つの永久磁石を有する少なくとも１つの固定子及び少なくとも１つの電磁石を有する少なくとも１つの回転子を含み、ユニバーサルモータは少なくとも１つの電磁石を有する少なくとも１つの固定子及び少なくとも１つの電磁石を有する少なくとも１つの回転子を有し、同期型ＡＣモータは少なくとも１つの電磁石を有する少なくとも１つの固定子及び少なくとも１つの永久磁石を有する回転子をその内に含み、誘導型ＡＣモータは少なくとも１つの電磁石を有する少なくとも１つの固定子及び少なくとも１つの電気導体を有する少なくとも１つの回転子を含み、線型モータは少なくとも１つの電磁石を有する少なくとも１つの固定子及び少なくとも１つの永久磁石を有する少なくとも１つの回転子をその内に含む。従って、そのモータの基本ユニットは、回転子、固定子、永久磁石、不安定な電流が流れるモータの任意の部分、不安定な電圧が印加される任意の部分等を含む。図４ａ乃至４ｆは、本発明による多様な利点を有するモータに具現される例示的なカウンタユニットの概略的な斜視図であり、ここで、図４ａ乃至図４ｃは、かかるモータの従来技術の回転子に具現される多様なカウンタユニットを例示するが、図４ｄ乃至図４ｆは、そのモータの多様な従来の固定子に具現された多様なカウンタユニットを説明する。図示の簡略化のために、図４ａ乃至図４ｃで固定子の詳細な構成が省略されるが、図４ｄ乃至図４ｆで固定子のみが含まれ、マッチングする回転子が省略されると理解されたい。従って、有害波を放出するモータの他の導電性、半導電性、及び／又は絶縁性部分はこのような図面の全てから省略され、必要な場合、かかる部分は、上述したようなかかるカウンタユニット中の任意のカウンタユニットに頼ることにより適切に抗されることもできると理解されたい。また、図４ａ乃至４ｆで、多様なモータ及びそれらのカウンタユニットがその周辺で、かかるモータの前面（すなわち、その図面の上端）又は後面（すなわち、その図面の下端）でターゲット空間を規定するように配置されると理解されたい。また、このような実施形態の多様なカウンタユニットの詳細事項は、発明が名称が、「Ｅｌｅｃｔｒｏｍａｇｎｅｔｉｃａｌｌｙ−Ｃｏｕｎｔｅｒｅｄ Ａｃｔｕａｔｏｒ Ｓｙｓｔｅｍｓ ａｎｄ Ｍｅｔｈｏｄｓ」である現在係留中の米国出願Ｕ．Ｓ．第６０／？？？，？？？号に開示されている。
【０３０２】
図４ａの一例において、モータ２４は回転子ユニット２５及び固定子ユニット２６を含み、ここで、かかる回転子ユニット２５はその固定子ユニット２６の内部に回転可能に配置されるか、又はその固定子ユニット２６により取り囲まれている。回転子ユニット２５は電磁石の単一の内部基本回転子２５Ｎを含むが、固定子ユニット２６は永久磁石の単一の内部基本ユニット２６Ｎを含む。当業界に周知されたように、かかる基本回転子２５Ｎはその内にソース電流が流れる時、動的磁場を規定し、回転子ユニット２５の回転を維持するために１８０゜ごとに基本回転子２５Ｎへのソース電流の方向を変える間、基本回転子２５の動的磁場と基本固定子２６Ｎの固定磁場との間の相互作用は時計方向又は反時計方向に回転子ユニット２５を回転させる。回転子ユニットの回転の間、その回転子ユニット２５はソース電流がその内に流れる時に、有害波を照射する一方、その固定子ユニット２６は、その有害波の極性に依存してその有害波の伝播経路に影響を与えながら、その固定子ユニットを通じて有害波を受信し、送信する。このようなコンテクストで、回転子ユニット２５及び固定子ユニット２６の両者、さらに詳細に、基本回転子２５Ｎ及び基本固定子２６Ｎはモータ２４に対し基本ユニットとして機能する。基本ユニット２５Ｎ、２６Ｎにより照射された有害波を抗するために、少なくとも１つのカウンタユニット４０はモータ２５のかかる基本ユニット２５Ｎ、２６Ｎに関する予め設定された関係で配置されることが好ましい。このような例において、カウンタユニット４０は外部カウンタ回転子２５Ｕの対及びオプション的な外部固定子２６Ｕを含み、ここで、それぞれのカウンタ回転子２５Ｕは基本回転子２５Ｕの電磁石と類似したまた他の電磁石に形成され、カウンタ固定子２６Ｕは基本固定子２６Ｎの永久磁石と類似したまた他の永久磁石に形成される。このようなコンテクストで、カウンタ回転子２５Ｕはソースマッチングに関して動作する。さらに詳細に、カウンタ回転子２５Ｕは基本回転子２５Ｎに対して側面に配置され、基本回転子２５Ｎの同一の磁極と隣接するように配向される。また、カウンタユニット２５Ｕは、前記側面配列及び隣接配向が回転子ユニット２５の回転の間維持されるように、基本回転子２５Ｎと機械的にカップリングする。従って、カウンタ回転子２５Ｕは、有害波に整列され、その有害波の位相角と少なくとも部分的に反対である位相角を規定し、それにより、ターゲット空間でその有害波にマッチング及びその有害波を抗するカウンタ波を放出することができる。カウンタ回転子２５Ｕと類似に、カウンタ固定子２６Ｕは基本固定子２６Ｎに対して側面配列及び同心配列で配置され、その基本固定子２６Ｎの同一の磁極と隣接する。従って、カウンタ固定子２５Ｎは、有害波に整列され、その有害波の位相角と少なくとも部分的に反対である位相角を規定し、それにより、ターゲット空間でかかる有害波にマッチング及びその有害波を抗するカウンタ波を放出することができる。カウンタ回転子２５Ｕ及びカウンタ固定子２６Ｕの両者が基本回転子２５Ｎ及び基本回転子２６Ｎにより照射された有害波を抗するため、このようなＥＭＣモータ２４はそのモータの基本ユニット２５Ｎ、２６Ｎからの有害波の照射を効果的に最小化する。
【０３０３】
図４ｂのまた別の例において、モータ２４は回転子ユニット２５及び固定子ユニット２６を同様に含み、ここで、その回転子ユニット２５はその固定子ユニット２６の内部に回転可能に配置されるか、又はその固定子ユニット２６により取り囲まれる。その固定子ユニット２６は、永久磁石又は電磁石であり、回転子ユニット２５の反対側上に配置され、同一の磁極を規定するように配列された２つの外部基本固定子２６Ｕを含む。このような回転子ユニット２５は、同一の形状及びサイズを規定し、回転子ユニット２５の回転軸に関して対称に配置され、同一の磁極により互いに隣接する電磁石の内部回転子２５Ｎの対を含む。このようなコンテクストで、回転子ユニット２５はソースマッチングに関して動作することが好ましい。このような内部回転子２５Ｎは多様な方式で解釈されることもできる。例えば、その内部回転子２５Ｎのうちの１つは基本回転子として機能するものとみなされることもできるが、かかる回転子のうちの他の回転子はカウンタ回転子として機能するように配列される。従って、その回転子２５Ｎのうちの１つの回転子は有害波を照射するが、その回転子のうちの他の回転子は、その有害波に整列され、その有害波の位相角と少なくとも部分的に反対である位相角を有し、従って、ターゲット空間でその有害波を抗するカウンタ波を放出する。また別の例において、かかる内部回転子２５Ｎの両者は、有害波を照射するが、かかる有害波を消去し及び／又は他のユニットにより照射された有害波が外方へ伝播することを抑制することを通じて互いに協力するように配列される、基本（又はカウンタ）回転子としてみなされることもできる。かかる内部回転子２５Ｎを取り囲む固定子ユニット２６は、有害波の極性に依存してかかる有害波の伝播経路に影響を与えつつ、その固定子ユニットを通じて有害波を受信及び送信する。好ましくは、付加的な固定子ユニットは、外部固定子２６Ｕを通じて送信する有害波を抗するために、内部回転子２５Ｕの間に及び／又は外部固定子２６Ｕの周辺に含まれることもできる。図４ｂのモータ２４の追加的な構成的及び／又は動作特性は図４ａのモータの特性と類似又は同一である。
【０３０４】
図４ｃのまた別の例において、モータ２４は回転子ユニット２５及び固定子ユニット２６を同様に含み、ここで、その回転子ユニット２５はその固定子ユニット２６の内部に回転可能に配置されるか、又はその固定子ユニット２６により取り囲まれる。回転子ユニット２５及び固定子ユニット２６のそれぞれは、図４ａの回転子及び固定子ユニットと類似するため、内部回転子２５Ｎは基本回転子として機能し、外部回転子２５Ｕはカウンタ回転子として機能し、内部固定子２６Ｎの対は基本固定子として機能し、外部固定子２６Ｕのオプション的な対はカウンタ固定子として機能する。しかしながら、反対極により内部回転子２５Ｎの隣接極と隣接する間、それぞれの内部固定子２６Ｎが反対極の対を規定すると理解されたい。従って、外部回転子２５Ｕは、その外部回転子２５Ｕの隣接極と反対である内部固定子２６Ｎの他の極により隣接される。かかる配列は有害波を抗するのにさらに効果的であるが、その代わりに、起電力を発生する時に効率性が減少する。図４ｃのモータ２４の他の構成的及び／又は動作特性は、図４ａ及び図４ｂのモータの特性と類似又は同一であることもできる。
【０３０５】
図４ｄのまた別の例において、モータ２４は回転子ユニット（この図面には示していない）及び固定子ユニット２６を含み、ここで、その固定子ユニット２６は固定子２６Ｎ、２６Ｕの２つのセットを含み、前記回転子ユニット中の任意の回転子及び前記現在係留中の出願に開示された他の回転子ユニットは固定子ユニット２６と共に用いられることもできる。さらに詳細に、固定子ユニット２６の第１のセットはＣ型の内部固定子２６Ｎの対を含むが、固定子ユニット２６の第２のセットはより大きいＣ型の外部固定子２６Ｕのまた他の対を含む。また、内部固定子２６Ｎ及び外部固定子２６Ｕのそれぞれの対（すなわち、右側対及び左側対）は、互いに物理的に隣接し、かつ反対極性のそれらの極により互いに磁気的に隣接するように配列される。従って、かかる固定子２６Ｎ、２６Ｕのうちの１つは他の固定子を通じて送信する有害波を抗することができる。このような実施形態において、多様な回転子ユニットは、かかる内部固定子２６Ｎの内部、内部固定子２６Ｎと外部固定子２６Ｕの間、外部固定子２６Ｕの外部等に配置されることもできる。従って、特定の固定子が基本固定子又はカウンタ固定子として機能するか否かは、基本及び／又はカウンタ回転子の配置に依存することもできる。図４ｄのモータ２４の他の構成的及び／又は動作特性は図４ａ乃至図４ｃのモータの特性と類似又は同一である。
【０３０６】
図４ｅのまた別の例において、また他のモータ２４は回転子ユニットこの（図面に示していない）及び固定子ユニット２６を有し、ここで、その固定子ユニット２６は固定子２６Ｎ、２６Ｕの２つのセットを含み、前記回転子ユニット中の任意の回転子ユニット及び前記現在係留中の出願に開示された他の回転子ユニットはその固定子ユニット２６と共に用いられることもできる。さらに詳細に、固定子ユニット２６の第１のセットは回転子ユニットの回転軸の周辺に角方向に配置された４個の同一の内部固定子２６Ｎをその内に含むが、固定子ユニット２６の第２のセットはより大きいＣ型の外部固定子２６Ｕの対を含む。図４ｄの固定子ユニットと同様に、このような実施形態の固定子ユニット２６は、かかる内部固定子２６Ｎ、内部固定子２６Ｎと外部固定子２６Ｕの間、及び／又は外部固定子２６Ｕの外部に多様な回転子ユニットを含むこともできる。従って、特定固定子が基本固定子それともカウンタ固定子として機能するか否かは、かかる基本及び／又はカウンタ回転子の配置に依存することもできる。図４ｅのモータ２４の追加的な構成的及び／又は動作特性は図４ａ乃至図４ｄのモータの特性と類似又は同一である。
【０３０７】
図４ｆのまた別の例において、また他のモータ２４は回転子ユニット（この図面に含まれない）及び固定子ユニット２６を有し、ここで、その固定子ユニット２６は同一又は類似したサイズのＣ型の固定子２６Ｌ、２６Ｒの対を含む。さらに詳細に、左側固定子２６Ｌ及び右側固定子２６Ｒは約又は２７０゜以上で広がっている。また、かかる固定子２６Ｌ、２６Ｒは、その固定子２６Ｌ、２６Ｒが固定子ユニット２６の最側面部に沿って互いに重畳するようにそれらのギャップを誤整列させつつ同心配列で配置される。図４ｆのモータ２４の他の構成的及び／又は動作特性は図４ａ乃至図４ｅのモータの特性と類似又は同一であることもできる。
【０３０８】
上述したように、多様なＥＭＣモータのかかる回転子及び固定子ユニット及びそのＥＭＣモータのための多様なカウンタユニットの追加的な詳細事項は、発明の名称が「Ｅｌｅｃｔｒｏｍａｇｎｅｔｉｃａｌｌｙ−Ｃｏｕｎｔｅｒｅｄ Ａｃｔｕａｔｏｒ Ｓｙｓｔｅｍｓ ａｎｄ Ｍｅｔｈｏｄｓ」である現在係留中の米国出願Ｕ．Ｓ．第６０／？？？，？？？号に提供されている。従って、かかるＥＭＣモータを含む多様な従来技術のデバイスを、かかるカウンタユニットによりそのデバイスのモータから照射された有害波をカウンタリングしつつ、そのデバイスの意図された機能を遂行するＥＭＣシステムに変換することができる。
【０３０９】
本発明のこのような様態のまた別の例示的な実施形態において、カウンタユニットは、かかるモータのインバースの例であり、そのモータの基本ユニットと類似した、多様な基本ユニットを含む多様な電気発電機に具現され、ここで、その基本ユニットの例は、電磁石、永久磁石、不安定な電流が流れる発電機の任意の部分、不安定な電圧が印加される発電機の任意の部分等を含むが、これに制限されるものではない。従って、ＡＣ発電機、ＤＣ発電機、及び（自動車）交流発電機のようなＥＭＣ発電機を含む任意の従来のデバイスを、ＥＭＣ ＡＣ発電機、ＥＭＣ ＤＣ発電機、ＥＭＣ交流発電機のようなＥＭＣシステムに変換することができ、ここで、かかる構成中の任意の構成の多様なカウンタユニットは、任意のかかる配置及び／又は配列でそのデバイスに含まれ、前記メカニズム中の任意のメカニズムで有害波を抗することができる。
【０３１０】
本発明のこのような様態のまた別の例示的な実施形態において、カウンタユニットは多様な加熱ユニットの基本ユニットにより照射された有害波を抗するためにその多様な加熱ユニットに含まれる。ここで、かかる加熱ユニットは、電気エネルギーを熱（又は熱エネルギー）に変換した後、熱伝導、対流、及び／又は輻射によりその熱を伝達するように機能し、かかる加熱ユニットの例は、抵抗性ワイヤ、抵抗性ストリップ、抵抗性コイル、抵抗性ソレノイド、抵抗性トロイド、抵抗性シート等を含むが、これに制限されるものではない。従って、個人用加熱機器（例えば、電気マットレス、電気マット、電気毛布、電気加熱パッド等）、調理機器（例えば、電気グリル、電気オーブン、電気ストーブ又はレンジ、電気トーストオーブン、電気トースター、コーヒーメーカー、エスプレッソメーカー、加熱容器等）、及び美容機器（例えば、ヘアドライヤー、ヘアセット機、ヘアカーラー、ヘアスチーマー等）とかかる加熱ユニットを含む任意の従来技術の加熱デバイスを、かかるＥＭＣ個人用加熱システム、ＥＭＣ調理システム、ＥＭＣ美容システム等に変換することができる。一般的に、かかる加熱ユニットは、前記抵抗性部分だけでなく、固定又は可変位置でその抵抗性部分を支持又は維持、他の物品を絶縁等のための他の部分を含む。従って、加熱ユニットの基本ユニットは、かかる抵抗性部分、不安定な電流が流れるその加熱ユニットの任意の部分、不安定な電圧が印加される任意のかかる部分、その加熱ユニットの他の部分から照射された有害波の伝播経路に影響を与える任意のかかる部分等を含むこともできる。図５ａ乃至図５ｈは、本発明により多様な基本ユニットを有する加熱ユニットに具現された例示的なカウンタユニットの概略的な斜視図を図示し、ここで、図５ａ乃至図５ｃは、それぞれ、従来のワイヤタイプ、ストリップタイプ、又はシートタイプの加熱ユニットに具現された多様なカウンタユニットを例示するが、図５ｄ乃至図５ｈは、多様な従来のコイルタイプの加熱ユニットに具現された多様なカウンタユニットを図示する。このような図面で、多様な加熱ユニットが多様な抵抗性物品及びその加熱ユニットのためのカウンタユニットのみを含み、その加熱ユニットの他の部分が図示の簡略化のために省略されると理解されたい。従って、有害波を放出する加熱ユニットの他の導電性、半導電性、及び／又は絶縁性部分は図面で省略され、必要な場合、かかる部分は、上述したようなかかるカウンタユニット中の任意のカウンタユニットに頼ることにより適切に抗されることもできる。また、図５ａ乃至図５ｈで、加熱ユニットの周辺、例えば、加熱ユニットの前面（すなわち、シートの上）、後面（すなわち、シートの下）、上端（すなわち、図面上端）等でターゲット空間を形成するために、かかる加熱ユニットの多様な基本ユニット及びカウンタユニットが配置されると理解されたい。また、このような実施形態の多様なカウンタユニットの詳細事項は、発明の名称が「Ｅｌｅｃｔｒｏｍａｇｎｅｔｉｃａｌｌｙ−Ｓｈｉｅｌｄｅｄ Ｈｅａｔ Ｇｅｎｅｒａｔｉｏｎ Ｓｙｓｔｅｍｓ ａｎｄ Ｍｅｔｈｏｄｓ」である現在係留中の米国出願Ｕ．Ｓ．第１１／２８９，６９３号に開示されている。
【０３１１】
図５ａの一例において、加熱ユニット２８は少なくとも１つの抵抗性物品及びカウンタユニット４０を含み、ここで、その抵抗性物品は、その内に電流が流れる時、有害波を照射しつつ電気エネルギーを熱に変換する抵抗性ワイヤ又は抵抗性ロッド２８Ｗに形成され、その抵抗性ワイヤ又はロッド２８Ｗはかかる加熱ユニット２８の基本ユニットとして機能する。基本ユニット２８Ｗにより照射された有害波を抗するために、カウンタユニット４０は、加熱ユニット２８の基本ユニット２８Ｗに対して予め設定された方向で螺旋に巻かれるコイルとして提供される。このようなコンテクストで、カウンタユニット４０は波マッチングに関して動作することが好ましい。さらに詳細に、かかるカウンタユニット４０は、その中心で基本ユニット２８Ｗを同心的に取り囲み、その基本ユニット２８Ｗに対称に配向される。また、電流が基本ユニット２８Ｗ及びカウンタユニット４０に反対方向に供給される。従って、カウンタユニット４０は、有害波に整列され、その有害波の位相角と少なくとも部分的に反対である位相角をまた規定し、それにより、カウンタ波の波面とその有害波の波面をマッチングすることにより、ターゲット空間でその有害波を抗するかかるカウンタ波を放出する。外観では従来の同軸ワイヤと類似するが、この例の加熱ユニット２８はいくつかの主要様態でその従来の同軸ワイヤと異なる。まず、多数の導電性エレメントが同心的に配置された同軸ワイヤとは対照的に、加熱ユニット２８は、有限な電気抵抗を規定し、電流がその内に流れる時、熱を発生させる、抵抗性ワイヤ又はロッド２８Ｗを含む。二つ目に、加熱ユニット２８は、散在された（ｓｐａｒｓｅ）配列で基本ユニット２８Ｗを取り囲むカウンタユニット４０を含む、すなわち、カウンタユニット４０はそれを通じた多数の開口部又はギャップを形成することもでき、その開口部又はギャップの特性次元は基本ユニット２８Ｗの特性次元より数十又は数百倍大きいこともできる。従って、かかるカウンタユニット４０を、少ない量の抵抗性材料により、低いコストで具現することもがきる。このような例において、かかるカウンタユニット４０は導電性材料で構成及び／又はその材料を含むか、又はカウンタユニット４０そのものは抵抗性材料で構成及び／又はその材料を含み、他の抵抗性物品として機能すると理解されたい。また、抵抗性ワイヤ（又はロッド）２８Ｗに供給されたソース電流の方向とは反対方向に電流が供給される限り、カウンタユニット４０を任意の方向に基本ユニット２８の周辺に巻くことができると理解されたい。かかる一例において、この例の加熱ユニット４０がその長さ周辺の全てでターゲット空間を規定することもできるということが理解できる。
【０３１２】
図５ｂのまた別の例において、加熱ユニット２８は少なくとも１つの抵抗性物品及び少なくとも１つのカウンタユニット４０を同様に含み、その抵抗性物品は、電流がその内に流れる時、かかる有害波を照射しつつ電気エネルギーを熱に変換する抵抗性ストリップ２８ｔに形成され、そのカウンタユニット４０は導電性又は抵抗性材料のまた他のコイルとして提供される。図５ａのカウンタユニットと同様に、かかるカウンタユニット４０は任意の方向に沿って巻かれて、多数のギャップ又は開口部を形成することもできる。好ましくは、コイル４０は、基本ユニット２８ｔの形状にさらに良好に近似するために、楕円形の断面を規定するように折られることもでき、そのコイルの長軸に沿って抵抗性ストリップ２８ｔの幅又は高さを収容するように配向されることもできる。図５ｂの加熱ユニット２８の他の構成的及び／又は動作特性は図５ａの加熱ユニットの特性と類似又は同一である。
【０３１３】
図５ｃのまた別の例において、加熱ユニット２８は少なくとも１つの抵抗性物品及び少なくとも１つのカウンタユニット４０を同様に含み、その抵抗性物品は、電流がその内に流れる時、有害波を照射しつつ電気エネルギーを熱に変換する抵抗性シート２８Ｈで規定され、そのカウンタユニット４０は導電性又は抵抗性材料のまた他のシートに形成される。さらに詳細に、カウンタユニット４０は、そのカウンタユニット４０が形状マッチングに関して動作するように、基本ユニット２８Ｈに並列に配向され、そのカウンタユニットから予め設定された距離に配置される。従って、カウンタユニット４０は、有害波に整列され、その有害波の位相角と少なくとも部分的に反対である位相角を規定し、それにより、ターゲット空間でカウンタ波によりその有害波を抗するカウンタ波を放出する。カウンタユニット４０に供給された電流の振幅を、ターゲット空間が基本ユニット２８Ｈのどの側面に規定されるかにより決定することもできると理解されたい。ターゲット空間が加熱ユニット２８の前面（又はシートの上）に形成される場合、カウンタユニット４０は有害波の振幅よりさらに大きい振幅を有するカウンタ波を放出し、それにより、基本ユニット２８Ｈからの距離より大きい距離でかかる有害波を抗するようにする。ターゲット空間が加熱ユニット２８の後面（又はシートの下）に規定される場合、カウンタユニット４０は、有害波の振幅よりさらに小さい振幅を規定するカウンタ波を放出し、それにより、基本ユニット２８Ｈよりさらに短い距離でかかる有害波を抗するようにする。ターゲット空間が加熱ユニット２８の上端に規定される場合、カウンタユニット４０は有害波の振幅と類似した振幅を有するカウンタ波を放出し、それにより、かかる基本ユニット２８Ｈと類似した距離でかかる波を抗するようにする。図５ｃの加熱ユニット２８の他の構成的及び／又は動作特性は図５ａ及び図５ｂの加熱ユニットの特性と類似又は同一である。
【０３１４】
図５ｄのまた別の例において、加熱ユニット２８は少なくとも１つの抵抗性物品及び少なくとも１つのカウンタユニット４０を同様に含み、その抵抗性物品は、電流がその内に流れる時有害波を照射しつつ電気エネルギーを熱に変換する抵抗性コイル２８Ｃに形成され、その抵抗性コイル２８Ｃはかかる加熱ユニット２８の基本ユニットとして機能する。基本ユニット２８Ｃにより照射された有害波を抗するために、カウンタユニット４０は、加熱コイル２８Ｃの内部に配置され、そのコイル２８Ｃの中心に整列されるロッド又はワイヤで提供される。このようなコンテクストで、カウンタユニット４０は波マッチングに関して動作することが好ましい。さらに詳細に、かかるカウンタユニット４０はその中心で基本ユニット２８Ｗにより取り囲まれ、その基本ユニット２８Ｗに対称に配向される。また、電流は基本ユニット２８Ｗ及びカウンタユニット４０に反対方向に供給される。従って、カウンタユニット４０は、有害波に整列され、その有害波の位相角と少なくとも部分的に反対である位相角を規定し、それにより、カウンタ波の波面によりかかる有害波の波面にマッチングすることによりターゲット空間でその有害波を抗するカウンタ波を放出する。外観では従来の同軸ワイヤと類似するが、このような例の加熱ユニット２８は、図５ａで説明したように、いくつかの主要様態でその加熱ユニットと類似に異なる。このような例において、カウンタユニット４０がまた導電性材料で構成及び／又はその材料を含むこともでき、そのカウンタユニット４０自体がまた抵抗性材料で構成及び／又はその材料を含むこともでき、また他の抵抗性物品として機能することもできると理解されたい。また、抵抗性コイル２８Ｃに供給されたソース電流の方向と反対方向に電流がカウンタユニットに供給される限り、そのカウンタユニット４０を任意の方向に基本ユニット２８の周辺に巻くこともできると理解されたい。このような例において、このような例の加熱ユニット４０がその長さ周辺の全てでターゲット空間を規定することもできると理解されたい。このような例の加熱ユニット２８の他の構成的及び／又は動作特性は図５ａ乃至図５ｃの加熱ユニットの特性と類似又は同一である。
【０３１５】
図５ｅのまた別の例において、加熱ユニット２８は少なくとも１つの抵抗性物品及び少なくとも１つのカウンタユニット４０を同様に含み、その抵抗性物品は、電流がその内に流れる時、かかる有害波を照射しつつ電気エネルギーを熱に変換する抵抗性コイル２８Ｃで規定され、そのカウンタユニット４０は、そのカウンタユニット４０が波マッチングに関して動作するように導電性又は抵抗性材料のまた他のコイルとして提供される。特に、カウンタユニット４０は基本ユニット２８Ｃと並列に整列され、またその基本ユニット２８Ｃから予め設定された距離に配置される。従って、カウンタユニット４０は、有害波で整列され、その有害波の位相角と少なくとも部分的に反対である位相角を規定し、それにより、ターゲット空間でその有害波を抗することができるかかるカウンタ波を放出する。カウンタユニット４０に供給された電流の振幅は、ターゲット空間が基本ユニット２８Ｈのどの側面に規定されるかに依存することもできると理解されたい。ターゲット空間が加熱ユニット２８の前面又はシートの上に形成される場合、カウンタユニット４０は有害波の振幅よりさらに大きい振幅を有するカウンタ波を放出し、それにより、基本ユニット２８Ｈからの距離よりさらに大きい距離でかかる有害波を抗するようにする。ターゲット空間が加熱ユニット２８の後面（又はシートの下）に規定される場合、カウンタユニット４０はかかる有害波の振幅よりさらに小さい振幅のカウンタ波を放出し、それにより、基本ユニット２８Ｈからの距離よりさらに短い距離でその有害波を抗するようにする。ターゲット空間が加熱ユニット２８の上端に形成される場合、カウンタユニット４０は有害波の振幅と類似した振幅のカウンタ波を放出し、それにより、かかる基本ユニット２８Ｈと類似した距離でその波を抗するようにする。図５ｅの加熱ユニット２８の他の構成的及び／又は動作特性は図５ａ乃至５ｄの加熱ユニットの特性と類似又は同一である。
【０３１６】
図５ｆ及び図５ｇの別の例において、それぞれのかかる加熱ユニット２８は少なくとも１つの抵抗性物品及び少なくとも１つのカウンタユニット４０を有し、その抵抗性物品は、電流がその内に流れる時、かかる有害波を照射しつつ電気エネルギーを熱に変換する抵抗性コイル２８Ｃで規定され、そのカウンタユニット４０はその基本ユニット２８Ｃの内部に配置される導電性又は抵抗性材料のまた他のコイルとして提供される。従って、カウンタユニット４０はソースマッチングに関して動作することが好ましい。さらに詳細に、カウンタユニット４０は基本ユニット２８Ｃの中心に並列に整列され、有害波に整列され、その有害波の位相角と少なくとも部分的に反対である位相角を規定し、それにより、ターゲット空間で有害波を抗するカウンタ波を放出する。カウンタユニット４０を、任意の方向、例えば、図５ｆにおけるように加熱コイル２８Ｃと同一の方向に沿って、又は図５ｇにおけるように加熱コイル２８Ｃの方向と反対の方向に沿って巻くこともできると理解されたい。いずれの例でも、カウンタユニット４０は少なくとも実質的に加熱ユニット２８の周辺でターゲット空間を規定する。図５ｆ及び図５ｇの加熱ユニット２８の他の構成的及び／又は動作特性は図５ａ乃至図５ｅの加熱ユニットの特性と類似又は同一である。
【０３１７】
図５ｈのまた別の例において、また加熱ユニット２８は少なくとも１つの抵抗性物品及び少なくとも１つのカウンタユニット４０を含み、その抵抗性物品は、電流がその内に流れる時、かかる有害波を照射しつつ電気エネルギーを熱に変換する抵抗性コイル２８Ｃで規定され、そのカウンタユニット４０は、その抵抗性コイル２８Ｃ及びカウンタコイル４０が加熱ユニット２８のピッチごとに互いに交番するように、その抵抗性コイル２８Ｃと絡み合った導電性又は抵抗性材料の他のコイルとして提供される。このようなコンテクストで、カウンタユニット４０はソースマッチングに関して動作する。さらに詳細に、かかるカウンタユニット４０は、基本ユニット２８Ｃの中心線に並列に整列され、抵抗性コイル２８Ｃに関して対称である配列で配置され、有害波に整列され、その有害波の位相角と少なくとも部分的に反対である位相角を有し、それにより、ターゲット空間でかかる有害波を抗するカウンタ波を放出する。少なくとも実質的に加熱ユニット２８の周辺にターゲット空間を規定しつつ、カウンタユニット４０を加熱コイル２８Ｃと同一の方向に巻くこともできると理解されたい。図５ｈの加熱ユニット２８の他の構成的及び／又は動作特性は図５ａ乃至図５ｇの加熱ユニットの特性と類似又は同一である。
【０３１８】
上述したように、多様なＥＭＣ加熱ユニットのかかるカウンタユニットの追加的な詳細事項は、発明の名称が「Ｅｌｅｃｔｒｏｍａｇｎｅｔｉｃａｌｌｙ−Ｓｈｉｅｌｄｅｄ Ｈｅａｔ Ｇｅｎｅｒａｔｉｎｇ Ｓｙｓｔｅｍｓ ａｎｄ Ｍｅｔｈｏｄｓ」であり、現在係留中の米国出願Ｕ．Ｓ．第１１／２８９，６９３号で提供されている。従って、かかるＥＭＣ加熱ユニットを有する多様な従来技術のデバイスは、そのデバイスの抵抗性加熱物品により照射されたかかる有害波をかかるカウンタユニットによりカウンタリングしつつ意図された加熱機能を遂行することができるＥＭＣシステムに変換されることができる。
【０３１９】
本発明のこのような様態のまた別の例示的な実施形態において、また、カウンタユニットは、互いに磁気的にカップリングされた少なくとも２つのコイルをその内に含む多様なトランスフォーマーに含まれる。ここで、かかるトランスフォーマーの基本ユニットの例は、電磁石、強磁性材料、フェリ磁性材料、及び／又は反磁性材料で構成及び／又はその材料を含む挿入物、不安定な電流が流れるトランスフォーマーの任意の部分、不安定な電圧が印加されるトランスフォーマーの任意の部分等を含むが、これに制限されるものではない。従って、ステップアップトランスフォーマー、ステップダウントランスフォーマーのようなかかるＥＭＣトランスフォーマーを含む任意の従来技術のデバイス、及び多様な電気デバイスのＡＣ／ＤＣアダプターをＥＭＣトランスフォーマーシステム及びＥＭＣアダプターシステムに変換することができ、ここで、前記構成中の任意の構成を有する多様なカウンタユニットは任意のかかる配置及び／又は配列でその内に含まれ、前記メカニズム中の任意のメカニズムで有害波を抗することができる。ＥＭＣトランスフォーマーは、カウンタユニットが抵抗性ヒーターではなく、電気伝導体で構成及び／又はその伝導体を含むという条件付きで、図５ｄ乃至図５ｈの基本ユニットが本質的にコイルであるため、その図面のその基本ユニットと共に開示されたかかるカウンタユニット中の１つ以上のカウンタユニットを含むこともできると理解されたい。同様に、発明の名称が「Ｅｌｅｃｔｒｏｍａｇｎｅｔｉｃａｌｌｙ−Ｓｈｉｅｌｄｅｄ Ｈｅａｔ Ｇｅｎｅｒａｔｉｎｇ Ｓｙｓｔｅｍｓ ａｎｄ Ｍｅｔｈｏｄｓ」であり、現在係留中の米国出願Ｕ．Ｓ．第１１／２８９，６９３号に開示された多様なカウンタユニットは、また、かかるカウンタユニットが抵抗性材料でない導電性物品で構成及び／又は含むという条件付きで、かかるＥＭＣシステムに含まれることもできる。
【０３２０】
本発明のこのような様態のまた別の例示的な実施形態において、カウンタユニットは、多様な発光ユニットの基本ユニットにより照射された有害波を抗するためにその多様な発光ユニットに含まれる。ここで、発光ユニットは、可視光線、紫外線、及び／又は赤外線に電気エネルギーを変換させるように機能し、その発光ユニットの例は、白熱電球、ＣＣＦＬ（すなわち、冷陰極蛍光ランプ）だけでなく、ＥＥＦＬ（すなわち、外部電極蛍光ランプ）を含む蛍光電球、ＣＲＴ（すなわち、陰極線チューブ）、ＬＥＤ（すなわち、発光デバイス）、ＯＬＥＤ（すなわち、有機発光デバイス）、ＩＯＬＥＤ及びＩＬＥＤ（すなわち、無機発光デバイス）、ＰＤＰ（すなわち、プラズマディスプレイパネル）、及びかかる光線を放出することのできる任意の他のデバイスを含むが、これに制限されるものではない。従って、かかる発光ユニットの基本ユニットは、かかる光線に電気エネルギーを変換させる発光エレメント、不安定な電流が流れる発光ユニットの任意の部分、不安定な電圧が印加される発光ユニットの任意の部分等を含むこともできる。従って、任意のこのような従来技術のデバイスを、それぞれが前記発光ユニットの少なくとも１つのユニット及びそのカウンタユニットの少なくとも１つのカウンタユニットを含むＥＭＣ発光ユニットに変換することができ、ここで、前記構成中の任意の構成の多様なカウンタユニットは任意の前記配置及び／又は配列でそのデバイスに含まれ、前記メカニズム中の任意のメカニズムで有害波を抗することができる。
【０３２１】
本発明のまた別の様態において、前記ＥＭＣシステム中の任意のシステムは少なくとも１つの電気的シールド及び／又は磁気的シールドを含むこともできる。一例において、電気的シールド及び／又は磁気的シールド（以下、それぞれ、「ＥＳ」及び「ＭＳ」と指称する）をＥＭＣシステムの多様な部分内に、上に、上方に又は下方に具現することもできる。また別の例において、かかるＥＳ及び／又はＭＳを、前記のように具現することもでき、前記カウンタユニット中の任意のカウンタユニットと共に用いることもできる。一般的に、ＥＳは、有害波の電波がその内で吸収され、再ルーティングされるように、少なくとも１つの電気的に導電性材料で構成及び／又はその材料を含む。好ましくは、ＥＳは、吸収され、再ルーティングされた波がそのＥＳから除去されるように、接地される。ＭＳは、有害波の磁波をその内に吸収することができ、その後、かかる磁波をそれを通じて再ルーティングすることができる、少なくとも１つの磁気的に透過性のある経路部材で構成及び／又はその部材を含むこともできる。好ましくは、ＭＳは、経路部材に磁気的にカップリングされる磁石部材を有し、その磁石部材の少なくとも１つの磁極で吸収され、再ルーティングされた磁波を終了させる。ＭＳは、また、磁気的に透過性があり、そのＭＳの磁石部材を保護する少なくとも１つのオプション的な分路部材を含むこともでき、それにより、そのオプション的な分路部材に近接したかかる磁石部材からの磁場を制限する。かかるＥＳ及び／又はＭＳの他の詳細事項は、例えば、「Ｓｈｕｎｔｅｄ Ｍａｇｎｅｔ Ｓｙｓｔｅｍｓ ａｎｄ Ｍｅｔｈｏｄｓ」である第１１／２１３，７０３号、「Ｍａｇｎｅｔ−Ｓｈｕｎｔｅｄ Ｓｙｓｔｅｍｓ ａｎｄ Ｍｅｔｈｏｄｓ」である第１１／２１３，６８６号、及び「Ｅｌｅｃｔｒｏｍａｇｎｅｔｉｃ Ｓｈｉｅｌｄ Ｓｙｓｔｅｍｓ ａｎｄ Ｍｅｔｈｏｄｓ」であるＵ．Ｓ．第６０／７２３，２７４号のような現在係留中の出願に既に提供されている。かかる現在係留中の出願の加熱エレメントが本発明の多様なカウンタユニットにより代替されることもでき、ＥＳ及び／又はＭＳが前記現在係留中の出願の多様な加熱エレメントに含まれるため、そのＥＳ及び／又はＭＳが本発明のカウンタユニットに含まれるように、このような現在係留中の出願の詳細事項が変形されることもできると理解されたい。また、カウンタユニットが本発明のＥＭＣシステムのかかる部分に含まれるため、ＥＳ及び／又はＭＳが本発明のＥＭＣシステムの多様な部分に含まれることもできると理解されたい。
【０３２２】
ＥＳ及び／又はＭＳを、本発明の多様なカウンタユニットの構成と同一又は類似した構成を規定するように提供することもできる。ＥＳ及び／又はＭＳを、基本ユニット及び／又はカウンタユニット内に、上に、上方に、周辺に、及び／又は通じて配置することもできる。ＥＳ及び／又はＭＳはかかる基本ユニット及び／又はカウンタユニットの構成に少なくとも部分的に一致する構成を有するか、別の方法として、ＥＳ及び／又はＭＳの構成と少なくとも部分的に異なる構成を規定することもできる。
【０３２３】
ＭＳの経路部材は、１，０００又は１０，０００、１００，０００又は１，０００，０００よりさらに大きい相対的な磁気的透磁率を規定することもできる。分路部材を、磁石部材に直接又は間接的に接触し、１，０００、１０，０００、１００，０００又は１，０００，０００よりさらに大きい相対的な磁気的透磁率を規定するように配列することもできる。上述したＥＳ及び／又はＭＳ、又は現在係留中の出願に開示されたＥＳ及び／又はＭＳは、前記カウンタユニット中の任意のカウンタユニットを有するか、又は有しない任意の従来技術のデバイスに含まれ、本発明のかかるＥＭＣシステムを規定することもできる。ＥＳ及び／又はＭＳは、基本及び／又はカウンタユニットの縦軸又は短軸に沿って均一に維持されるか、又はその軸に沿って変わることもできる構成を規定することもできる。ＥＳ及び／又はＭＳのかかる構成は基本及び／又はカウンタユニットの構成と同一、類似、異なることもできる。ＥＭＣシステムは多数のＥＳ及び／又はＭＳを含むこともでき、ここで、ＭＳ及び／又はＥＳの少なくとも２つは同一又は異なる程度に同一又は異なる周波数の磁波及び／又は電波を保護することもできる。ＥＳ及び／又はＭＳは基本及び／又はカウンタユニットの少なくとも一部（又は全部分）にわたって配置されることもできる。また、ＥＭＣシステムはＥＳ及び／又はＭＳだけでなく、前記カウンタユニットのうちの１つ以上の任意のカウンタユニットをその内に含むこともでき、ここで、基本及び／又はカウンタユニットはＡＣ又はＤＣを通じて動作することもできる。
【０３２４】
上述したように、本発明のＥＭＣシステムは、かかるシステムの多様な基本ユニットにより照射された有害波に対する多数の防御メカニズムの提供を受けることもできる。一例において、上述したように、カウンタユニットはかかるＥＭＣシステムの多様な部分に含まれる。従って、単一又は多数のカウンタユニットは前記構成中の任意の構成で提供されることもでき、前記配置中の任意の配置で含まれることもできる。また別の例において、かかるＥＳ及び／又はＭＳはＥＭＣシステムの多様な部分に含まれ、それぞれ、かかる有害波の電波及び／又は磁波を保護することもでき、ここで、そのＥＳ及び／又はＭＳの配置は前記現在係留中の出願に説明されている。また別の例において、カウンタユニットだけでなく、ＥＳ及び／又はＭＳの少なくとも１つは、カウンタユニットが有害波の少なくとも一部を抗することもでき、ＥＳ及び／又はＭＳを、その残りを吸収及び再ルーティングするに、ＥＭＣシステムに具現することもできる。図６ａ乃至６ｈは、本発明によるＭＳ及び／又はＥＳ及び前記カウンタユニットを含む例示的なスピーカーの概略的な斜視図を図示する。
【０３２５】
例の第１のセットで、図６ａのコイルドライブスピーカー（coil-drive speaker）２２及び図６ｂの圧電スピーカー２２は、前記ソースマッチングによりスピーカー２２の基本ユニットの構成と類似した構成を規定するカウンタユニット４０と共に含まれる。図６ａのカウンタユニット４０は基本ユニットよりさらに大きく配列されるが、図６ｂのカウンタユニット４０は基本ユニットより小さく配列される。また、かかるカウンタユニット４０は、そのカウンタユニット４０が一般的にスピーカー２２の基本ユニットからの有害波の振幅よりさらに大きい振幅のカウンタ波を放出するように、後面配列で基本ユニットの下に配置される。ＭＳ（又はＥＳ）は、カウンタユニット４０により適切に抗されていない任意の残留する有害波がその内に吸収されて、それに沿って再ルーティングされ、その箇所で終了されるように、スピーカー２２の基本ユニットの上に配置される平面型メッシュの形状で提供される。ＭＳ（又はＥＳ）は、有害波をカウンタリングした以後、残された任意の残留するカウンタ波を吸収、再ルーティング、その後、終了させることもできる。例のまた他のセットで、また、図６ｃのコイルドライブスピーカー２２及び図６ｄの圧電スピーカーは、波マッチングにより有害波の１つ以上の波面に沿って配置されたカウンタユニット４０と共に含まれ、両者のカウンタユニット４０は基本ユニットよりさらに大きく又はさらに広く製造される。かかるカウンタユニット４０は、そのカウンタユニット４０が一般的にかかるスピーカー２２の基本ユニットによる有害波の振幅より小さい振幅を有するカウンタ波を放出するように、前面配列でスピーカー２２の基本ユニットの上に配置される。ＭＳ（又はＥＳ）は、残留する有害波及び／又はカウンタ波を吸収、再ルーティング、及び終了させるために、環状シリンダーの形状で提供され、スピーカー２２の基本ユニットの少なくとも一部を取り囲む。図６ａ及び図６ｂのＭＳ（又はＥＳ）と対照的に、図６ｃ又は図６ｄのＭＳ（又はＥＳ）はスピーカー２２により生成された可聴音の伝播経路から離隔して配置され、従って、かかる立体的な構成で提供されることもできる。例のまた他のセットで、図６ｅのコイルドライブスピーカー２２及び図６ｆの圧電スピーカー２２は、ソースマッチングの場合のようにスピーカー２２の基本ユニットの構成と類似した構成を規定するカウンタユニット４０と共に含まれる。図６ｅのカウンタユニット４０は基本ユニットよりさらに小さく提供されるが、図６ｆのカウンタユニットは基本ユニットよりさらに大きく又はさらに広く製造される。また、かかるカウンタユニット４０は、そのカウンタユニット４０が一般的にスピーカー２２の基本ユニットからの有害波の振幅よりさらに大きい振幅のカウンタ波を放出するように後面配列で基本ユニットの下に配置される。ＭＳ（又はＥＳ）は、任意の残留する有害波又はカウンタ波がその内に吸収されるようにスピーカー２２の基本ユニットの周辺に配置されたシリンダーメッシュの形状で提供される。
【０３２６】
かかるカウンタユニットの嵩、サイズ、及び／又は質量を最小化しつつ最小量の電気的に導電性、半導電性、及び／又は絶縁性材料を用いる、前記カウンタユニット中の任意のカウンタユニットが提供されると理解されたい。従って、かかるカウンタユニットを、より低いコストでより少ない材料により製造することができ、ＥＭＣシステムの多様な位置に容易に具現することもできる。また、前記カウンタユニット中の任意のカウンタユニットが、例えば、最小量の電流又は電圧を引き出すことにより、最小量の電気エネルギーを用いながらカウンタ波を放出するように提供されると理解されたい。従って、かかるカウンタユニットはエネルギー効率が高く、かつＥＭＣシステムの他の部分の動作及びそのシステムの意図された機能に最小の影響を与える。また、このようなパラグラフの要件はカウンタユニットの電気抵抗を最小化させることもでき、従って、カウンタユニットにかかった電圧降下を最小化する。
【０３２７】
別に特定されなければ、本発明の一様態の一実施形態の多様な特性を、本発明の同一の様態の他の実施形態及び／又は本発明の他の様態の１つ以上の実施形態に相互交換可能に適用することができる。従って、図１ａ乃至図１ｆ及び図２ａ乃至図２ｆのカウンタユニット中の任意のカウンタユニットを、図３ａ乃至図３ｉの多様なＥＭＣスピーカーシステム、図４ａ乃至図４ｆの多様なＥＭＣモータシステム、図５ａ乃至図５ｈの多様な加熱ユニット、及び任意の添付した図面なしにここに開示された他のＥＭＣシステムに具現することもできる。また、ＥＭＣスピーカーシステムのためのかかるカウンタユニットは、本発明の他のＥＭＣシステムに含まれることもでき、ＥＭＣモータシステムのためのカウンタユニットは本発明の他のＥＭＣシステムに含まれることもでき、ＥＭＣ加熱ユニットのためのカウンタユニットは本発明の他のＥＭＣシステムに適用されることもできる。また、ソースマッチングに関して動作するカウンタユニット中の任意のカウンタユニットは波マッチングに関して動作するように変換されるか、又はその逆も可能であり、ここで、その後、ソースマッチングされたカウンタユニットは基本ユニットからの有害波の１つ以上の波面に沿って配置されるか、波マッチングされたカウンタユニットは基本ユニットに関する予め設定された関係で配置されるか、基本ユニットの配列と類似した配列で含まれることもできる。また、図６ａ乃至図６ｆで例示され、現在係留中の出願に開示された任意のＥＳ及び／又はＭＳは、図１ａ乃至図５ｈで開示された任意のカウンタユニットに含まれることもできる。
【０３２８】
本発明の多様なＥＭＣシステムは、そのシステムのカウンタユニットで有害なＥＭ波をカウンタリングしつつ、ＡＣ電力を通じて動作することもできる。好ましくは、また、かかるＥＭＣシステムは、有害波を類似にカウンタリングしつつＤＣ電力を通じて動作することもできる。また、システムがかかる有害波に対する保護及び／又はその有害波を消去することができる任意の従来様式を用いることもできるということが理解できる。従って、有害波の照射を最小化するために、ＥＭＣシステムの任意の余分のワイヤ、ストリップ、板、シート、及び他の部分が編組、バンドリング、同心的に製造又は処理されることもできることが好ましい。
【０３２９】
本発明の多様な様態及び／又は実施形態が本発明の詳細な説明と共に説明したが、前述した説明が、添付された請求項の範囲により規定された本発明の範囲を制限するのではなく、例示するように意図されるということが理解できる。他の実施形態、様態、利点及び変形がまた次の請求項の範囲内に存在する。
【図１Ａ】
2009538524.tif 000002
【図１Ｂ】
2009538524.tif 000003
【図１Ｃ】
2009538524.tif 000004
【図１Ｄ】
2009538524.tif 000005
【図１Ｅ】
2009538524.tif 000006
【図１Ｆ】
2009538524.tif 000007
【図２Ａ】
2009538524.tif 000008
【図２Ｂ】
2009538524.tif 000009
【図２Ｃ】
2009538524.tif 000010
【図２Ｄ】
2009538524.tif 000011
【図２Ｅ】
2009538524.tif 000012
【図２Ｆ】
2009538524.tif 000013
【図３Ａ】
2009538524.tif 000014
【図３Ｂ】
2009538524.tif 000015
【図３Ｃ】
2009538524.tif 000016
【図３Ｄ】
2009538524.tif 000017
【図３Ｅ】
2009538524.tif 000018
【図３Ｆ】
2009538524.tif 000019
【図３Ｇ】
2009538524.tif 000020
【図３Ｈ】
2009538524.tif 000021
【図３Ｉ】
2009538524.tif 000022
【図４Ａ】
2009538524.tif 000023
【図４Ｂ】
2009538524.tif 000024
【図４Ｃ】
2009538524.tif 000025
【図４Ｄ】
2009538524.tif 000026
【図４Ｅ】
2009538524.tif 000027
【図４Ｆ】
2009538524.tif 000028
【図５Ａ】
2009538524.tif 000029
【図５Ｂ】
2009538524.tif 000030
【図５Ｃ】
2009538524.tif 000031
【図５Ｄ】
2009538524.tif 000032
【図５Ｅ】
2009538524.tif 000033
【図５Ｆ】
2009538524.tif 000034
【図５Ｇ】
2009538524.tif 000035
【図５Ｈ】
2009538524.tif 000036
【図６Ａ】
2009538524.tif 000037
【図６Ｂ】
2009538524.tif 000038
【図６Ｃ】
2009538524.tif 000039
【図６Ｄ】
2009538524.tif 000040
【図６Ｅ】
2009538524.tif 000041
【図６Ｆ】
2009538524.tif 000042